(57)【特許請求の範囲】
【請求項１】
複数種類の図柄が表示された複数の回胴を有し、各回胴の停止時の図柄の組合せにより遊技結果を導出表示する遊技結果表示手段と、
所定のゲーム開始条件の下、各回胴を回転させるための始動手段と、
前記始動手段の操作を契機に、複数種類の役を対象に抽選を行い、当選役を決定する役抽選手段と、
各回胴のそれぞれに対応して設けられ、前記回胴の回転を個別に停止させるための複数の停止手段と、
前記停止手段の操作を契機に、前記当選役に対応する図柄の組合せが前記遊技結果として導出表示されうるように回胴を停止制御する停止制御手段と、
所定の実行条件に基づき、遊技進行を通常の遊技進行よりも遅延させる遅延状態を実行制御する遅延状態制御手段と、を備え、
前記遊技結果に応じた遊技価値を遊技者に付与可能に構成された回胴式遊技機であって、
所定の抽選条件に基づき、遊技者に対する特典付与に関する付与抽選を実行する利益付与抽選手段と、
遊技者に対して所定回数の特定操作指示を行う操作指示手段と、
前記所定回数目の特定操作指示を行ったゲームを基点ゲームとし、その基点ゲームから少なくとも複数ゲーム先を、前記付与抽選結果に関する情報を報知する抽選結果報知演出が実行される報知演出実行ゲームとして決定する報知演出実行ゲーム決定手段と、を備え、
前記所定回数の特定操作指示を行った場合に、当該特定操作指示に沿った操作が行われた場合は、前記報知演出実行ゲームにおいて、前記遅延状態を伴って前記抽選結果報知演出を実行し、
前記所定回数の特定操作指示を行った場合に、当該特定操作指示に沿った操作が行われなかった場合には、前記報知演出実行ゲームにおいて、前記遅延状態を伴わずに前記抽選結果報知演出を実行するように構成された、
ことを特徴とする回胴式遊技機。
【発明の詳細な説明】
【技術分野】
【０００１】
本発明は、遊技機に係る遊技動作制御処理に関する。
【背景技術】
【０００２】
一般に、回胴式遊技機では、遊技者による始動レバーの開始操作を契機に、役に関する抽選（内部抽選）を行うとともに、種々の図柄が施された複数の回胴を回転させることでゲームを開始し、遊技者による停止ボタンの停止操作を契機に、回転中の回胴を停止させることにより内部抽選に対応した図柄の組合せを遊技結果として導出表示し、その遊技結果に応じた入賞を発生させてゲームを終える。
【０００３】
特に遊技中においては、遊技を盛り上げる種々の演出が行われており、そのなかでも遊技の進行を遅延させるその間に液晶演出や回胴演出などを実行する特別演出（所謂、フリーズ演出）が特に重要な演出技術の一つとなっている（例えば、特許文献１）。このようなフリーズ演出はインパクト度合いが高く、演出態様として優れているといえる。
【先行技術文献】
【特許文献】
【０００４】
【特許文献１】特開２００６−２１２２１３号公報
【発明の概要】
【発明が解決しようとする課題】
【０００５】
しかし上記従来の遊技機では、フリーズ演出の実行が決定されたそのゲーム中においてのみフリーズ演出が発生されるようになっている。このため、フリーズ演出が画一的に行われてしまい、演出の自由度が乏しく、遊技の面白みに欠けるものとなっていた。
【０００６】
そこで本発明は、上記問題点に鑑み、遊技の進行状況に応じて、演出を多様化させることができる回胴式遊技機を提供することを目的とする
【課題を解決するための手段】
【０００７】
本発明の上記目的は、下記の手段により達成される。
【０００８】
（１）複数種類の図柄が表示された複数の回胴を有し、各回胴の停止時の図柄の組合せにより遊技結果を導出表示する遊技結果表示手段と、
所定のゲーム開始条件の下、各回胴を回転させるための始動手段と、
前記始動手段の操作を契機に、複数種類の役を対象に抽選を行い、当選役を決定する役抽選手段と、
各回胴のそれぞれに対応して設けられ、前記回胴の回転を個別に停止させるための複数の停止手段と、
前記停止手段の操作を契機に、前記当選役に対応する図柄の組合せが前記遊技結果として導出表示されうるように回胴を停止制御する停止制御手段と、
所定の実行条件に基づき、遊技進行を通常の遊技進行よりも遅延させる遅延状態を実行制御する遅延状態制御手段と、を備え、
前記遊技結果に応じた遊技価値を遊技者に付与可能に構成された回胴式遊技機であって、
所定の抽選条件に基づき、遊技者に対する特典付与に関する付与抽選を実行する利益付与抽選手段と、
前記利益付与抽選手段による付与抽選結果に基づき、特定条件を成立させる特定条件成立手段と、
前記特定条件が成立したゲームを基点ゲームとし、その基点ゲームから少なくとも複数ゲーム先を、前記付与抽選結果に関する情報を報知する抽選結果報知演出が実行される報知演出実行ゲームとして決定する報知演出実行ゲーム決定手段と、を備え、
前記特定条件が成立した後、第１の条件が成立した場合には、前記報知演出実行ゲームにおいて、前記遅延状態に伴って前記抽選結果報知演出を実行し、
前記特定条件が成立した後、第２の条件が成立した場合には、前記報知演出実行ゲームにおいて、前記遅延状態を伴わずに前記抽選結果報知演出を実行するように構成された、
ことを特徴とする回胴式遊技機。
【０００９】
（２）複数種類の図柄が表示された複数の回胴を有し、各回胴の停止時の図柄の組合せにより遊技結果を導出表示する遊技結果表示手段と、
所定のゲーム開始条件の下、各回胴を回転させるための始動手段と、
前記始動手段の操作を契機に、複数種類の役を対象に抽選を行い、当選役を決定する役抽選手段と、
各回胴のそれぞれに対応して設けられ、前記回胴の回転を個別に停止させるための複数の停止手段と、
前記停止手段の操作を契機に、前記当選役に対応する図柄の組合せが前記遊技結果として導出表示されうるように回胴を停止制御する停止制御手段と、
所定の実行条件に基づき、遊技進行を通常の遊技進行よりも遅延させる遅延状態を実行制御する遅延状態制御手段と、を備え、
前記遊技結果に応じた遊技価値を遊技者に付与可能に構成された回胴式遊技機であって、
所定の抽選条件に基づき、遊技者に対する第１の特典付与に関する第１の付与抽選を実行する第１の利益付与抽選手段と、
前記第１の利益付与抽選手段による付与抽選結果に基づき、第１の特定条件を成立させる第１の特定条件成立手段と、
前記第１の特定条件が成立した場合、所定の抽選条件に基づき、遊技者に対する第２の特典付与に関する第２の付与抽選を実行する第２の利益付与抽選手段と、
前記第１の特定条件が成立したゲームを基点ゲームとし、その基点ゲームから少なくとも複数ゲーム先を、前記第２の付与抽選結果に関する情報を報知する抽選結果報知演出が実行される報知演出実行ゲームとして決定する報知演出実行ゲーム決定手段と、
前記基点ゲーム後に前記第１の特典付与に関連する第１の遊技モードを実行制御する第１の遊技モード制御手段と、
前記第２の付与抽選結果に基づき、前記報知演出実行ゲーム後、前記第２の特典付与に関連する第２の遊技モードを実行制御する第２の遊技モード制御手段と、
を備え、
前記第１の特定条件が成立した後、第１の条件が成立した場合には、前記報知演出実行ゲームにおいて、前記遅延状態に伴って前記抽選結果報知演出を実行し、
前記第１の特定条件が成立した後、第２の条件が成立した場合には、前記報知演出実行ゲームにおいて、前記遅延状態を伴わずに前記抽選結果報知演出を実行するように構成された、
ことを特徴とする回胴式遊技機。
【発明の効果】
【００１０】
本発明によれば、演出を多様化させることができるので、遊技の面白みを向上させることができる。
【図面の簡単な説明】
【００１１】
【図１】本発明の第１の実施形態に係る回胴式遊技機の外観を示す正面側の斜視図である。
【図２】本発明の第１の実施形態に係る回胴式遊技機の図柄配列帯を示す図である。
【図３】本発明の第１の実施形態に係る回胴式遊技機の制御装置の概要を示す制御ブロック図である。
【図４】図３に示す主制御基板および演出制御基板の回路構成の概要を示すブロック図である。
【図５】本発明の第１の実施形態に係る回胴式遊技機における役構成（抽選対象役、入賞役、配当等）の説明に供する図である。
【図６】本発明の第１の実施形態に係る回胴式遊技機の役抽選テーブルを示す図である。
【図７Ａ】本発明の第１の実施形態に係る回胴式遊技機の入賞ライン一例を示す図である。
【図７Ｂ】有効入賞ライン、疑似入賞ライン上に成立する図柄の組合せの説明に供する説明図である。
【図８】本発明の第１の実施形態に係る回胴式遊技機の遊技状態（主制御部側遊技状態）間の移行状態の概要を示す状態遷移図である。
【図９】本発明の第１の実施形態に係る回胴式遊技機のフリーズ待機モード中の遊技状態の移行状態の概要を示す状態遷移図である。
【図１０】本発明の第１の実施形態に係る回胴式遊技機の主制御部側遊技状態、演出制御部側遊技状態、遊技機全体から捉えた遊技状態（遊技モード）の説明に供する説明図である。
【図１１】遊技動作制御プログラムに従い主制御部側が行う主制御側メイン処理を示すフローチャートである。
【図１２】図１１中の回胴演出管理処理を示すフローチャートである。
【図１３】図１２中の通常モード中回胴演出設定処理を示すフローチャートである。
【図１４】図１２中のフリーズ待機モード中回胴演出設定処理を示すフローチャートである。
【図１５】図１１中の回胴回転開始設定処理を示すフローチャートである。
【図１６】図１１中の回胴停止処理を示すフローチャートである。
【図１７】図１６中の回胴演出モード移行設定処理を示すフローチャートである。
【図１８】図１７中のフリーズ待機モード管理処理を示すフローチャートである。
【図１９】遊技動作制御プログラムに従い主制御部側が行う主制御側タイマ割込処理を示すフローチャートである。
【図２０】遊技動作制御プログラムに従い演出制御部側が行う演出制御側メイン処理を示すフローチャートである。
【図２１】演出制御部側が行うコマンド受信割込み処理を示すフローチャートである。
【図２２】演出制御部側が行う演出制御側タイマ割込処理を示すフローチャートである。
【図２３】図２０中の受信コマンド解析処理における遊技開始時演出処理を示すフローチャートである。
【図２４】図２３中の通常演出モード中演出管理処理を示すフローチャートである。
【図２５】図２３中の移行リプレイアシスト報知モード中演出管理処理を示すフローチャートである。
【図２６】図２３中のフリーズ待機モード中演出管理処理を示すフローチャートである。
【図２７】図２６中の告知ゲーム終了時演出処理を示すフローチャートの前半部である。
【図２８】図２６中の告知ゲーム終了時演出処理を示すフローチャートの後半部である。
【図２９】図２０中の受信コマンド解析処理における全回胴停止時演出処理を示すフローチャートである。
【図３０】図２８中のフリーズ待機モード中演出移行管理処理を示すフローチャートである。
【図３１】本発明の第１の実施形態に係るＡＴ抽選テーブルを示す図である。
【図３２】本発明の第１の実施形態に係る偽フリーズ待機モード抽選テーブルを示す図である。
【図３３】本発明の第１の実施形態に係るフリーズ演出抽選テーブルを示す図である。
【図３４】本発明の第１の実施形態に係るフリーズ待機モード移行用のモード移行テーブルを示す図である。
【図３５】本発明の第２の実施形態に係る回胴式遊技機のフリーズ待機モード中の遊技状態の移行状態の概要を示す状態遷移図である。
【図３６】本発明の第２の実施形態に係るＡＴ高確モード移行抽選テーブルを示す図である。
【図３７】本発明の第２の実施形態に係る回胴式遊技機のＡＴ高確モード中ＡＴ抽選テーブルを示す図である。
【発明を実施するための形態】
【００１２】
以下、図面を参照しながら、本発明に係る遊技機の好ましい実施形態について詳細に説明する。
【００１３】
〔第１の実施形態〕
＜機械的構成：図１＞
本発明の一実施形態に係る遊技機として、回胴式遊技機を例にとり説明する。図１は、本実施形態に係る回胴式遊技機の外観を示す斜視図である。
【００１４】
本実施形態に係る回胴式遊技機は、遊技機本体として、図１に示すように、遊技に供する各種遊技部品を収納するための遊技機筐体１と、遊技機筐体１の前面側に開閉自在に取り付けられた前扉２とを備えている。
【００１５】
前扉２には、そのほぼ中央に第１の表示窓３が、またその上側に第２の表示窓４が設けられている。
【００１６】
下側の第１の表示窓３は回胴視認部であり、回胴装置２１０の横並びに３個配設された回胴５ａ、５ｂ、５ｃ（以下、必要に応じて、回胴５ａを「左回胴５ａ」、回胴５ｂを「中回胴５ｂ」、回胴５ｃを「右回胴５ｃ」と称する）が、この回胴視認部３に臨ませて、遊技者側から視認しうるように設けられている。
【００１７】
本実施形態では、回胴視認部３を介して、各々３個程度（計９つ程度）の図柄が視認可能となっている。また各回胴５ａ、５ｂ、５ｃには、回胴視認部３に表示される各図柄を回胴の内側から照射する図柄照射用バックライトＬＥＤ（図柄照射手段：図示せず）が形成されている。この図柄照射用バックライトＬＥＤは、回胴視認部３に表示される各図柄が遊技者から視認し易くする機能の他、遊技に関する演出を現出するための演出手段としても機能し、その発光色の種類や発光態様（点滅、点灯、消灯など）により、光の装飾による光演出効果（たとえば、当選役情報、遊技状態情報、遊技結果情報（入賞役情報）などを、図柄照射用バックライトＬＥＤの発光態様により報知する）を発揮する。
【００１８】
＜図柄配列帯２００：図２＞
図２は、各回胴５ａ、５ｂ、５ｃが有する図柄配列帯２００を例示したものである。同図に示す「１ＳＴ」図柄配列帯は左回胴５ａに、「２ＮＤ」図柄配列帯は中回胴５ｂに、「３ＲＤ」図柄配列帯は右回胴５ｃに対応している。
【００１９】
図柄配列帯２００には、役に関する内部抽選により当選した役（当選役）に対応する図柄の組合せを構成するための図柄（構成要素図柄）が表示されている。本実施形態の場合、その図柄種として、赤７（符号３１）、青７（符号３２）、ＢＡＲ（符号３３）、リプレイ（符号３４）、ベル（符号３５）、スイカ１（符号３６）、スイカ２（符号３７）、チェリー１（符号３８）、チェリー２（符号３９）、ブランク図柄（符号４０）などの複数種類の図柄が設けられている。これらの図柄が回胴の回転方向に計２１コマ配置され、図柄の並び順に沿って図柄番号０番〜２０番のコマ番号が割り当てられている。
【００２０】
各回胴５ａ、５ｂ、５ｃは、それぞれパルスモータからなる回胴駆動モータ２１１ａ、２１１ｂ、２１１ｃ（図３参照）により回転駆動され、これにより、各図柄が変動表示および停止表示されるようになっている。なお各回胴は、回胴駆動モータのような電気的駆動源を用いて回転および停止される機械的な回胴に限定されず、本発明の目的を達成できるものであれば、後述する液晶表示装置６のような画像表示装置に表示され、画像上で回転または停止が行われる演出的な回胴（画像を利用し、図柄の変動表示動作を行う演出的な回胴）であっても良い。この場合、画像表示装置は、複数種類の図柄（識別情報）の変動表示動作を実行可能に構成され、遊技結果を導出表示する手段（遊技結果表示手段の一態様）として機能することができる。また、回胴の数は３個に限定されるものではなく、本発明の目的を達成できるものであれば、その数は適宜変更することができる。
【００２１】
回胴視認部３には、ここを横断する形で、入賞ライン（入賞ライン３ａ：本実施形態では、単一の入賞ライン）が定められている。この入賞ラインは、単位遊技（１ゲーム）に対する所定の賭数（ベット（ＢＥＴ）数）が設定されると有効として扱われる。この有効とされた入賞ライン（以下、「有効入賞ライン」と称する）上において、各回胴５ａ、５ｂ、５ｃが停止した際の停止図柄の組合せが、当選役に対応する図柄の組合せとなった場合、その図柄の組合せに応じた遊技価値が遊技者に付与されるようになっている。たとえば、遊技メダルの払い出しを付与しうる役に当選し、これに対応する図柄の組合せが有効入賞ライン上に停止した場合（図柄の組合せについて遊技価値を獲得するために必要な組合せとしてあらかじめ定められたものが遊技結果として導出表示された場合）、遊技機筐体１内のホッパーユニット５００（メダル払出装置：図３参照）が作動し、配当として、所定枚数分の遊技メダルが払い出される。この遊技メダルは、遊技者が遊技を開始する際に必要なものであり、遊技価値を有するものといえる。斯様な遊技者に供与される遊技価値には、上記遊技メダルに限らず、遊技において何らかの遊技価値があるものを指し、遊技者に有利に作用するものに限らず、遊技者に不利に作用するものも含まれる。
【００２２】
なお、上記の入賞ラインが複数本ある場合は、単位遊技（１ゲーム）に対するベット数に応じて有効として扱われるライン数を変化させることができる。また入賞ライン３ａは、本発明の目的を達成できるものであれば、その本数やライン形態は特に限定されない。入賞ライン３ａの構成は、図柄配列帯２００おける図柄の配置構成、図柄の種類、当選役に対応する図柄の組合せ、回胴の停止制御形態（後述の引き込み制御）などの関係により、適宜変更することができる。
【００２３】
また第１の表示窓３（回胴視認部３）の上側に設けられた第２の表示窓４は液晶画面視認部であり、前扉２の裏側に装着された画像表示装置としての液晶表示装置６（ＬＣＤユニット）の表示画面（液晶画面）６ａに対応して、たとえば、回胴視認部３よりも少し小さい矩形状に形成されている。この液晶画面６ａが液晶画面視認部４に臨ませて、遊技者側から視認しうるように設けられている。この液晶表示装置６（液晶画面６ａ）には、遊技に関する演出が画像により表示される。
【００２４】
また回胴視認部３の左右両側には、光の装飾により遊技に関する演出を現出する光演出装飾部（装飾ランプ１３）が設けられている。この装飾ランプ１３は発光手段（たとえば、ＬＥＤやＥＬランプや無電極ランプ）を内蔵し、その発光態様（発光色の種類や発光パターン（点滅、点灯、消灯）など）により、光の装飾による光演出効果を発揮する。この光演出装飾部は、発光手段を露出してその発光態様を直接視認させる装飾形態や、発光手段の前側（遊技者側）に文字列やキャラクタなどの絵柄が表示（印刷）された透光性素材を配置し、その絵柄を演出的に表示させる装飾形態とすることができる。
【００２５】
また回胴視認部３の下方の段部には、遊技媒体である遊技メダルを投入するためのメダル投入口７と、貯留装置（クレジット手段：遊技機に投入された遊技メダル、または入賞によって獲得した遊技メダルを所定の上限数（最大クレジット枚数：たとえば、５０枚）まで貯留して、その貯留数（クレジット枚数）を電磁的方法によって記憶可能とする機能部（主制御部４００（図３参照）がその機能部を担う））にクレジットされた範囲内において、１ゲームに対して許容される賭け数（１ゲームに対して投入可能な遊技メダル数）の上限値（最大賭数：たとえば、遊技メダル３枚）まで遊技メダルを一度に疑似投入しうるＭＡＸベットボタン８、押した回数に応じて上記賭数の上限値まで遊技メダルを加算的に疑似投入しうる１ベットボタン９、クレジット精算を行うためのクレジット精算ボタン１０などが設けられている。ＭＡＸベットボタン８の内部には、ＭＡＸベットボタン８の操作が許容状態であることを報知するためのＭＡＸベットＬＥＤ８４（図３参照）が内蔵されている。
【００２６】
なお図示していないが、遊技者が操作可能に構成され、その操作の前後で演出手段による演出に変化をもたらす際に利用される「演出用ボタン（演出用操作手段）」が遊技機の適所に設けられている。この演出用操作手段としては、たとえば、ボタン式、ジョグダイヤル式、非接触型センサを利用したタッチセンサ式、または液晶表示装置を利用したタッチパネル式などが挙げられるが、いずれの場合にも遊技者による操作が行われた場合に、演出に何らかの変化を与える（その操作の前後で演出に変化をもたらす）ために利用可能なものであれば特に制限されない。
【００２７】
また回胴視認部３の上記段部の下側には、横長状に形成された操作パネル部１４が設けられている。この操作パネル部１４には、メダル投入口７内に詰まったメダルを返却させるための返却ボタン１５、回胴５ａ、５ｂ、５ｃの回転を開始させるための回胴回転始動レバー１１、各回胴５ａ、５ｂ、５ｃの回転を個別に停止させるための３個の回胴回転停止ボタン１２ａ、１２ｂ、１２ｃ（左回胴停止ボタン１２ａ、中回胴停止ボタン１２ｂ、右回胴停止ボタン１２ｃ）が設けられている。本明細書中では、特に必要のない限り、これら回胴回転停止ボタン１２ａ、１２ｂ、１２ｃを「回胴回転停止ボタン１２」と略称する。
【００２８】
なお上記したＭＡＸベットボタン８、１ベットボタン９、クレジット精算ボタン１０、回胴回転始動レバー１１、回胴回転停止ボタン１２ａ、１２ｂ、１２ｃ、および上記演出用ボタンのそれぞれには、これらが操作されたときの操作検出情報（検出信号）を生成するスイッチ（演出用ボタンスイッチ（図示せず）、ＭＡＸベットスイッチ８ａ、１ベットスイッチ９ａ、クレジット精算スイッチ１０ａ、回胴回転始動スイッチ１１ａ、回胴回転停止スイッチ１２ａ’、１２ｂ’、１２ｃ’：図３参照）が設けられている。
【００２９】
また、前扉２の裏面側のメダル投入口７に対応する位置には、メダル投入口７に投入された遊技メダルが正規か否かを選別して、正規の遊技メダルをホッパーユニット５００側に導くメダルセレクタ（図示せず）が設けられている。このメダルセレクタには、投入された遊技メダルを検出するメダル検出センサ７ａ（図３参照）が設けられ、また、投入された遊技メダルを、遊技機内部において、ホッパーユニット５００（図３参照）に受け入れるためのメダル受入通路側と、メダル受け皿１８側に誘導するためのメダル返却通路側とを切り換え可能に構成されたブロッカーソレノイド７ｃ（図３参照）による通路切換機構が設けられている。
【００３０】
また操作パネル部１４の下方には、遊技機の魅力をアピールしたり、他機種と識別したりするための色彩や文字や絵柄が施された装飾パネル部１７が設けられ、この装飾パネル部１７の下方には、前扉２と一体的に装着された横長状のメダル受け皿１８が設けられている。このメダル受け皿１８の遊技機本体側には、ホッパーユニット５００（遊技媒体払出手段：図３参照）から払い出された遊技メダルや返却された遊技メダルをメダル受け皿１８側に排出するためのメダル払出口１９が開口している。
【００３１】
また前扉２の前扉上部両側と前扉下部両側には、音楽や効果音を出力して、遊技に関する音演出効果を発揮するスピーカ１６が設けられている。このスピーカ１６の数や形成位置は特に限定されず、遊技機の適所に設けることができる。
【００３２】
また回胴視認部３の下部側には、横長状に形成された遊技パネル７７が設けられている。この遊技パネル７７の内側には、遊技者に対し、現在の遊技進行具合・遊技状況を報知するための各種の表示部（図３参照）が設けられている。
【００３３】
具体的には、（イ）クレジット枚数を表示する「クレジット枚数表示部（クレジット枚数表示器８６）」、（ロ）遊技結果に応じて払い出される遊技メダルの枚数を報知する「払出枚数表示部（払出枚数表示器８７）」、（ハ）回胴回転始動レバー１１の操作が有効（遊技開始可能状態（回胴始動可能状態））であるか否かを報知する「遊技開始表示部（遊技開始表示ＬＥＤ８１）」、（ニ）遊技メダルの投入が受付可能状態であるか否かを報知する「メダル投入表示部（メダル投入表示ＬＥＤ８２）」、（ホ）再遊技が作動中（再遊技中）であるか否かを報知する「再遊技作動表示部（再遊技作動ＬＥＤ８３）」、および（ヘ）遊技メダルの投入枚数（現在の賭数）を表示する「投入枚数表示部（投入枚数表示ＬＥＤ８５）」などの種々の表示部が設けられている。
【００３４】
これら表示部は、主制御部４００により表示制御され、たとえば上記クレジット枚数表示部や払出枚数表示部は、７セグメント表示器により現在のクレジット枚数情報や遊技結果に応じた払い出し枚数情報を報知可能に構成されており、また上記遊技開始表示部、メダル投入表示部、再遊技作動表示部、投入枚数表示部などは、その内蔵ＬＥＤの発光態様（消灯・点灯（点滅）、発光色など）により、現在の遊技進行具合・遊技状況を報知可能に構成されている。
【００３５】
なお図示はしていないが、遊技機１の適所には、三次元的・二次元的動作による視覚的演出効果を発揮する可動体役物が配設されている。斯様な可動体役物には、たとえば、液晶表示装置６を全部または一部を覆うよう出現する「シャッター式役物」や、液晶表示装置６の上部から下部に落下するように見せる「落下式役物」など、種々の可動体役物が挙げられる。上記可動体役物は、たとえば、特定の演出期間中において所定の動作態様で動作し、遊技に関連する情報（たとえば、抽選結果に関連する情報（内部抽選結果やフリーズ演出抽選結果やＡＴ抽選結果に関連する情報など））を報知可能に構成されている。
【００３６】
ここで、本発明における演出手段については、視覚、聴覚、触覚など、人間の五感を刺激することにより演出効果を発揮可能な手段であれば良く、装飾ランプ１３やＬＥＤ、図柄照射用バックライトＬＥＤなどの光発生手段、演出表示装置、スピーカ１６などの音響発生装置、遊技者の体に振動を伝える加振装置、遊技者の体に風圧を与える風圧装置、または可動体役物などはその代表例である。なお、上記演出表示装置とは、画像表示装置と同じく、視覚に訴える表示装置を意味するが、画像によらないもの（たとえば、７セグメントによる表示装置）も含む点で画像表示装置とは異なる。液晶表示装置６は画像表示装置の代表例であるが、画像表示装置の場合は主として画像表示により演出を表現するタイプを指し、７セグメントの表示装置のように画像以外の表示により演出を表現するものは、上記演出表示装置の概念の中に含まれる。
【００３７】
＜制御装置：図３〜図４＞
次に、図３を参照して、本実施形態に係る回胴式遊技機の制御装置について説明する。図３は、遊技動作制御を行うための制御装置の構成の概要を示す制御ブロック図である。なお、図１と同じ構成要素には同じ参照番号を付してある。
【００３８】
本実施形態に係る回胴式遊技機の制御装置は、遊技動作制御全般を司る主制御基板４００（以下、「主制御部４００」と称する）と、主制御部４００から演出制御コマンドを受けて、演出動作制御（演出手段に対する演出の現出（実行）制御）全般を司る演出制御部４１０（演出制御手段）と、外部電源から遊技機に必要な電源を生成し供給する不図示の電源基板（電源制御手段）とを中心に構成される。上記の演出制御部４１０は、演出制御基板４２０と液晶制御基板４６０とを含んで構成され、液晶制御基板４６０には液晶表示装置６が接続されている。なお、図３において電源供給ルートは省略してある。
【００３９】
主制御部４００には、遊技中継基板３７０を介して、メダル投入口７からの遊技メダルを検出するメダル検出センサ７ａと、ＭＡＸベットボタン８の操作を検出するＭＡＸベットスイッチ８ａと、１ベットボタン９の操作を検出する１ベットスイッチ９ａと、クレジット精算ボタン１０の操作を検出するクレジット精算スイッチ１０ａと、回胴回転始動レバー１１の操作を検出する回胴回転始動スイッチ１１ａと、回胴回転停止スイッチ１２ａ’、１２ｂ’、１２ｃ’を搭載した停止スイッチ基板３６０とが接続され、主制御部４００はこれらからの検出信号を受信可能となっている。また主制御部４００には、遊技中継基板３７０を介して、ブロッカーソレノイド７ｃが接続され、ブロッカーソレノイド７ｃに対してソレノイド制御用の励磁信号を送信可能となっている。
【００４０】
また主制御部４００には、遊技中継基板３７０を介して、遊技表示基板３９０が接続されている。この遊技表示基板３９０には、遊技開始表示ＬＥＤ８１と、メダル投入表示ＬＥＤ８２と、再遊技作動ＬＥＤ８３と、ＭＡＸベットＬＥＤ８４（ＭＡＸベットボタン８内蔵ＬＥＤ）と、投入枚数表示ＬＥＤ８５とが搭載され、主制御部４００はこれら表示部を制御する発光制御信号を送信可能となっている。さらに遊技表示基板３９０には、クレジット枚数表示器８６と払出枚数表示器８７とが搭載されており、主制御部４００はこれら７セグメント表示器を制御する発光制御信号を送信可能となっている。
【００４１】
なお図示はしていないが、回胴回転始動レバー１１、回胴回転停止ボタン１２ａ、１２ｂ、１２ｃ、１ベットボタン９、および／またはクレジット精算ボタン１０には、その内部にＬＥＤが設けられており、そのＬＥＤの発光態様（たとえば、発光色）により、上記のレバー操作やボタン操作の有効または無効が遊技者に報知可能となっている。
【００４２】
また主制御部４００には、回胴中継基板３３０を介して回胴装置２１０の回胴５ａ、５ｂ、５ｃを回転駆動するための回胴駆動モータ２１１ａ、２１１ｂ、２１１ｃが接続され、主制御部４００は、これら回胴駆動モータを駆動させるための制御信号を送信可能となっている。
【００４３】
また主制御部４００には、回胴位置検出センサ（各回胴に設けられ、回胴の現在の回転位置（基点からの現在位置）や回胴の回転を検出するためのセンサ）２１２ａ、２１２ｂ、２１２ｃが接続され、主制御部４００は、これら回胴位置検出センサからの検出信号を受信可能となっている。
【００４４】
また主制御部４００には、払出中継基板３５０を介してホッパーユニット５００と、満杯検知金具６００とが接続されている。この満杯検知金具６００は、ホッパーユニット５００から溢れた余剰の遊技メダル貯留するための補助タンク（図示せず）の満杯状態を監視するためのセンサであり、主制御部４００は、満杯検知金具６００からの検出信号に基づき、遊技機内部に貯留された遊技メダルが満杯状態であるか否かを監視する。
【００４５】
ホッパーユニット５００は、図示はしていないが、投入された遊技メダルを貯留するホッパータンク（メダルホッパー）と、ホッパータンクを支持する本体部とを中心に構成される。この本体部には、ホッパーモータ５１０により駆動制御され、上記ホッパータンクに貯留された遊技メダルを捕捉し、本体部からメダル受け皿１８に向けて排出するためのメダル排出機構（図示せず）と、メダル排出機構により排出される遊技メダルを検出するためのメダル払出センサ５２０などが設けられている。またホッパーユニット５００には、ホッパーモータ５１０を駆動制御するための払出制御基板（払出制御手段）４５０が設けられている。
【００４６】
主制御部４００は、遊技メダルの払い出しが必要な場合、払出制御基板４５０に対して払い出し枚数を指定する「払出制御コマンド」を送信可能となっている。払出制御基板４５０は、上記払出制御コマンドを受信すると、ホッパーモータ５１０を駆動制御してホッパータンクに貯留された遊技メダルを１枚ずつ払い出すようになっている。払い出された遊技メダルは、メダル払出センサ５２０により検出される。主制御部４００は、メダル払出センサ５２０の検出信号に基づいて、遊技メダルの払い出し状態やその払い出し枚数を監視する。
【００４７】
また主制御部４００には、外部集中端子基板３１０が接続され、この外部集中端子基板３１０を介してホールコンピュータＨＣ（パチンコホールの遊技機を統括的に管理するコンピュータ）に対し、所定の遊技情報（たとえば、遊技メダルの投入枚数（ＩＮ枚数）、遊技メダルの払出枚数（ＯＵＴ枚数）、入賞の発生、ボーナス遊技の発生などに関する種々の情報）を送信可能となっている。
【００４８】
また主制御部４００には回胴設定基板４３０が接続され、回胴設定基板４３０からの検出信号を受信可能となっている。
【００４９】
この回胴設定基板４３０には、図示はしていないが、所定の遊技動作エラー（たとえば、補助タンクの満杯状態に関する満杯エラーや、遊技メダルの払い出しに関するエラー）を解除するための「リセットスイッチ」や、設定値を変更する際に操作する「設定変更スイッチ（設定キースイッチ、設定スイッチ）」などが配設されている。回胴設定基板４３０は、これらスイッチが操作されたことによる検出信号を主制御部４００に送信可能となっている。
【００５０】
なお上記「設定値」とは、主に、内部抽選による役の抽選確率（図５参照）、フリーズ演出抽選確率（図３３参照）、および後述のＡＴモード移行に関する抽選確率（図３１、図３６参照）の少なくともいずれか一つを、機械割（利益状態）を段階別（たとえば、設定１〜６の６段階）に規定するもので、設定値が高くなるほど機械割が高くなり（設定値１が最低の機械割、設定値６が最高の機械割）、遊技者に有利に作用するようになっている。この設定値は、専ら、ホール（遊技店）の営業戦略に基づき、ホール店員が上記設定スイッチを操作して設定値が変更される。
【００５１】
上記「設定値」の変更は、まず、遊技機への電源ＯＦＦ状態において設定キースイッチをＯＮ状態（設定変更モード移行側）としてから遊技機の電源をＯＮ状態すると、現在の設定値が図示しない「設定値表示器」に表示され、設定値（１〜６段階）の変更操作が可能な設定変更モードに移行される。この設定変更モードにおいて、上記設定スイッチが操作されると、設定値表示器の現在の表示値が「１→２→３→４→５→６→１→２→・・・」のように１〜６の範囲で循環するように切り替え、目的の設定値となった場合に、回胴回転始動レバー１１がＯＮ操作されると、その設定値が確定される。確定されたこの設定値情報は、メインＲＡＭ４０１ｂ（図４参照）の所定領域（設定値領域）に格納され、主制御部４００において管理される。そして、設定キースイッチをＯＦＦ状態に操作すると、設定変更モードが終了し、遊技の進行が可能な状態に移行されるようになっている。なお、上記設定変更モードに関する処理（設定モード変更処理）は、後述の初期設定処理（図１１のステップＳ１１）中において実行される。
【００５２】
また主制御部４００には、演出Ｉ／Ｆ基板３４０を介して、演出制御部４１０を構成する演出制御基板４２０が接続されている。この演出制御基板４２０の主な役割は、演出手段に対する演出の現出制御である。具体的には、主制御部４００からの演出制御コマンドの受信に関するコマンド受信処理、受信した演出制御コマンドに基づく演出決定に関する演出決定処理、決定した演出に関連した液晶制御コマンドを液晶制御基板４６０に対して送信する送信処理、その他、スピーカ１６の音制御や装飾ランプ１３やＬＥＤの発光制御、遊技機の適所に設けられた可動体役物（図示せず）の動作制御に関する制御処理などである。
【００５３】
上記した演出制御基板４２０には、演出Ｉ／Ｆ基板３４０を介して、液晶制御基板４６０が接続されている。この液晶制御基板４６０の主な役割は、演出制御基板４２０からの液晶制御コマンドの受信に関するコマンド受信処理、液晶制御コマンドに基づく液晶表示装置６の画像表示演出の現出制御に関する表示制御処理などである。
【００５４】
次に図４を参照して、主制御部（主制御基板）４００および演出制御部４１０に関する回路構成とその機能について具体的に説明する。ここでは、演出制御部４１０として、主制御部４００に接続されている演出制御基板４２０に着目しながら説明する。
【００５５】
図４は、図４に示す主制御部４００および演出制御基板４２０の回路構成を概略的に示すブロック図である。先ず、主制御部４００の回路構成について説明する。
【００５６】
＜主制御部（主制御基板）４００＞
主制御部４００は、メインＣＰＵ４０１ｃを内蔵したマイクロプロセッサを搭載するとともに、メインＲＯＭ４０１ａと、メインＲＡＭ４０１ｂとを搭載したマイクロコンピュータ４０１（本実施形態では、Ｚ８０システム相当品）を中心に構成され、その他、周辺基板間の信号を入出力するＩ／Ｏポート回路４０２、カウンタ回路４０３、主制御基板４００に接続された外部周辺基板との信号のやり取りを仲介するインターフェース（Ｉ／Ｆ）回路４０４〜４０６、モータ駆動回路４０７、およびスイッチ入力回路４０８を含んで構成されている。
【００５７】
メインＣＰＵ４０１ｃは、たとえば、Ｚ８０（ザイログ社製またはこれの相当品）のＣＰＵであり、処理を実行するのに必要なデータの読み出し、書き込みが行われる複数種類のレジスタを備えている。
【００５８】
メインＲＯＭ４０１ａは、遊技動作制御に係る遊技データを記憶する記憶手段（主制御側記憶手段）として機能し、遊技動作制御手順を記述した制御プログラムの他、回胴の停止制御用の停止データを記述した「停止テーブル（図示せず）」、内部抽選（役抽選）用の抽選データを記述した「役抽選テーブル（図５）」、内部抽選結果情報（当選役情報（内部当選フラグ））を設定するためのデータを記述した「当選フラグ設定テーブル（図示せず）」、後述のフリーズ演出抽選用の抽選データを記述した「フリーズ演出抽選テーブル（図３３）」など、遊技動作制御に必要な種々のデータが格納されている。
【００５９】
メインＲＡＭ４０１ｂはワークエリアやバッファメモリとして機能し、メインＣＰＵ４０１ｃが上記遊技動作制御プログラムを実行する際に生成されるデータ、たとえば、内部抽選に利用される内部抽選用乱数値、内部抽選結果情報（内部当選フラグ）、遊技状態情報、フリーズ演出種別情報、遊技結果情報（停止図柄（入賞役）情報）、遊技動作制御に係る各種の遊技動作用タイマ、賭数設定情報（遊技メダル投入枚数）、クレジット枚数情報、払出枚数情報など、遊技の進行に必要なデータが処理状態に応じて格納され利用される。またメインＲＡＭ４０１ｂは、ソフトウェア的に乱数を生成する乱数生成手段として機能し、特定の抽選に利用される乱数カウンタとして利用される。
【００６０】
上記のマイクロコンピュータ４０１は、上述のメインＲＯＭ４０１ａ、メインＲＡＭ４０１ｂ、およびメインＣＰＵ４０１ｃの他、ＣＴＣ（Ｃｏｕｎｔｅｒ  Ｔｉｍｅｒ  Ｃｉｒｃｕｉｔ）４０１ｄや、割込機能（メインＣＰＵ４０１ｃに割込み信号を付与するタイマ割込機能や割込禁止機能）を発揮する割り込みコントローラ回路４０１ｅなどを含んで構成されている。
【００６１】
ＣＴＣ４０１ｄは、８ｂｉｔのカウンタやタイマを集積した回路であり、周期的割り込みや一定周期のパルス出力作成機能（ビットレートジェネレータ）や時間計測の機能を付与するものである。そこで本実施形態では、ＣＴＣ４０１ｄを利用して、メインＣＰＵ４０１ｃに１．５ｍｓ程度の時間間隔でタイマ割込みをかけている。
【００６２】
カウンタ回路４０３は、ハードウェア的に一定範囲の乱数を生成する乱数生成回路と、その乱数生成回路から所定のタイミングで乱数値をサンプリングするサンプリング回路とを含んで構成され、全体として１６ビットカウンタとして働く。メインＣＰＵ４０１ｃは、処理状態に応じて上記サンプリング回路に指示を送ることで、上記乱数生成回路が示している数値を内部抽選用乱数値として取得し、その乱数値を内部抽選に利用する。マイクロコンピュータ４０１（メインＣＰＵ４０１ｃ）は、所定の遊技開始条件の下（遊技開始条件となる賭数が設定された場合）、回胴回転始動レバー１１が操作されると、上記内部抽選用乱数値と後述の役抽選テーブル（図５）とに基づいて、いずれの役に当選したのか、そうでない「ハズレ」であるのかを抽選（内部抽選）により決定し、その抽選結果情報を所定の処理が終了するまでメインＲＡＭ４０１ｂの所定領域に格納（設定）する。この抽選結果情報は、原則として、１ゲームごとにクリアされる。
【００６３】
（役抽選テーブル：図５）
図５に、本実施形態に係る役抽選テーブルの概要を示す。本実施形態では、複数種類の遊技状態（後述のＲＴ０遊技、ＲＴ１遊技、およびボーナス遊技など）に対応した役抽選テーブルが設けられている。これら役抽選テーブルは、設定値（たとえば、設定値１〜６）ごとに対応した役抽選テーブルが設けられている。ここでは、設定値６に対応した役抽選テーブルを代表例として示し、他の設定値に関しては重複記載を避けるために省略する。
【００６４】
上記役抽選テーブルには、図示のように、内部抽選の対象となる役（抽選対象役：図示の「当選役種別」の欄参照）に対応した当選領域（判定値）を有する抽選領域（本実施形態の抽選領域の大きさは、６５５３６となっている）が定められており、これにより各役の当選確率（判定値／抽選領域（６５５３６））が規定される。図示では、内部抽選の対象となる役として、不当選（ハズレ）を含み、１７種類の内部抽選対象役（各役については後述する）が設けられているが、その役の種類や種類数などは本発明の目的を達成できるものであれば特に制限されない。主制御部４００（メインＣＰＵ４０１ｃ）は、図５に示す役抽選テーブルを参照し、内部抽選乱数値がいずれの判定値に属するか否かにより、いずれの役に当選したのか、ハズレであるのかを決定する。なお、抽選対象役に関する抽選確率は、設定値が高くなるほど、遊技者に有利に作用するように定められている。
【００６５】
また本実施形態では、遊技状態に応じて、特定の抽選対象役や特定の抽選対象役の当選確率が異なるようになっている。たとえば、ボーナス遊技中に利用される抽選テーブル（図示の「ボーナス遊技中」の欄参照）では、後述のＡＴ１〜４の当選確率が通常遊技よりも高く設定されており、ボーナス遊技中においては、ＡＴ１〜４のいずれかがほぼ毎ゲーム当選する、といった他の遊技状態とは異なる遊技状態（特別遊技状態）とされる。またＲＴ０遊技中とＲＴ１遊技中とでは、リプレイ役種（たとえば、当選番号１３〜１６）の当選確率やハズレ（非当選）確率が異なり、ＲＴ０遊技中よりもＲＴ１遊技中の方がリプレイ役種の当選確率が高確率、ハズレは低確率とされる。また、ＲＴ０遊技中においては、ＲＴ１遊技中で抽選対象役となる特定のリプレイ役種別（当選番号１３〜１６）が除外されている。
【００６６】
なお詳細は後述するが、ＲＴ１遊技は、特別役種のＣＢＢが内部当選中の遊技状態（以下、「ＢＢ内部当選遊技」と称する）であり、ＲＴ０遊技は、ＣＢＢが内部当選中ではない遊技状態（以下、「非ＢＢ内部当選遊技」と称する）となっている。
【００６７】
図４の説明に戻り、主制御部４００からは、処理状態を特定可能な制御情報（指令情報）としての「演出制御コマンド」が、演出制御基板４２０とのＩ／Ｆ回路４０４が備える出力バッファ回路４０４ａを介して出力される。この演出制御コマンドは、演出Ｉ／Ｆ基板３４０を通して、その内部に設けられた主制御基板４００用の入力バッファ回路３４０ａを介して演出制御基板４２０に入力されるようになっている。このような主制御部４００からの演出制御コマンドは、一方向通信により演出制御基板４２０に送信される。つまり演出制御部４１０側は、一方向通信における入力としてのみ機能するようになっている。これは、外部からのゴト行為による不正な信号が、演出制御部４１０を介して主制御部４００に入力されることを防止するためである。
【００６８】
Ｉ／Ｆ回路としては、演出制御基板４２０とのＩ／Ｆ回路４０４、遊技中継基板３７０とのＩ／Ｆ回路４０５、およびその他の基板とのＩ／Ｆ回路４０６が設けられている。Ｉ／Ｆ回路４０５のスイッチ入力回路４０８には、遊技機本体に配置された各種スイッチやセンサからの信号が入力される。
【００６９】
モータ駆動回路４０７は、マイクロコンピュータ４０１（メインＣＰＵ４０１ｃ）の制御の下、回胴駆動モータ２１１ａ、２１１ｂ、２１１ｃを制御するための駆動パルス信号を供給し、回胴５ａ、５ｂ、５ｃの回転制御および停止制御を行う。
【００７０】
回胴の回転制御は、遊技開始条件の下、回胴回転始動レバー１１の操作を確認したことを条件に行われる。具体的には、マイクロコンピュータ４０１は、メダル検出センサ７ａ、ＭＡＸベットスイッチ８ａ、または１ベットスイッチ９ａからの検出信号に基づく規定枚数（遊技開始可能となる投入枚数）の遊技メダルが投入されたことを確認すると、回胴回転始動スイッチ１１ａからの操作検出信号の入力の受付を有効（遊技開始可能状態）にする。そして、この遊技開始可能状態の下、回胴回転始動スイッチ１１ａからの操作検出信号の入力を確認した場合、モータ駆動回路４０７を介して回胴駆動モータ２１１ａ、２１１ｂ、２１１ｃを駆動制御し、各回胴５ａ、５ｂ、５ｃを回転始動させ、その後、各回胴を略一定速度で回転させる。これにより、各回胴を回転させる回転動作を実現している。
【００７１】
なお、本実施形態では、遊技メダル３枚が１ゲームに対しての最大賭数（ＭＡＸベット）となっており、上記遊技開始条件となる規定枚数も遊技メダル３枚となっている。ただし、最大賭数は、遊技状態に応じて変化させることができる。たとえば、通常遊技中では最大賭数を遊技メダル３枚とし、ボーナス遊技中では最大賭数を遊技メダル２枚とすることができる。また上記規定枚数は、１枚または２枚でも良く、特に制限されない。
【００７２】
回胴の停止制御は、回胴の回転中において、回胴回転停止ボタン１２の操作を確認したことを条件に行われる。具体的には、マイクロコンピュータ４０１は、回胴回転停止スイッチ１２ａ’、１２ｂ’、１２ｃ’からの操作検出信号の入力を確認した場合、特定位置（たとえば、回胴視認部３の最下段水平方向のライン上（枠内下段）に相当する位置）に存在する図柄番号を取得してこれを「停止操作図柄番号」とし、所定の停止テーブル（図示せず）に基づき、その停止操作図柄番号からどれだけのコマ数（滑りコマ数）分移動させて回胴を停止させるかを割り出し、目的の位置に回胴を停止させる。なおマイクロコンピュータ４０１は、回胴位置検出センサ２１２ａ、２１２ｂ、２１２ｃからの検出信号に基づき、現在、基点となる位置からどれだけの移動量で回胴が回転しているかを監視し、上記特定位置に存在する図柄番号を把握している。これにより、各回胴５ａ、５ｂ、５ｃの有効入賞ライン上にどの図柄番号の図柄が停止したのかについて、回胴の停止毎に把握することができるようになっている。また回胴が実際に停止する前段階であっても、滑りコマ数と停止操作図柄番号とに基づき、有効入賞ライン上の停止図柄を事前に把握することもできる。
【００７３】
上述の「停止テーブル」には、停止操作図柄番号に対応する滑りコマ数を最大引き込みコマ数範囲内（たとえば、４コマ）で定めた停止データが定められている。この停止テーブルには、主として、内部抽選結果に応じて選択される複数種類の停止テーブルが含まれる。たとえば、全回胴の滑りコマ数を一括して定めた全回胴用停止テーブルや、各回胴ごとに滑りコマ数を定めた停止テーブル（たとえば、左回胴用停止テーブル、中回胴用停止テーブル、右回胴用停止テーブル）や、回胴の停止操作手順（停止操作タイミングおよび回胴の停止操作順番（押し順）の少なくともいずれか一方）に応じて選択される停止操作順用停止テーブルなど、ハズレや当選役に対応する図柄の組合せを有効入賞ライン上に停止させるための停止テーブルが含まれる。斯様な停止テーブルにより、最大引き込みコマ数範囲内において、特定の図柄（たとえば、当選役に対応する図柄の組合せを構成しうる図柄（当選役の構成要素図柄））を有効入賞ライン上に停止させたり、特定の図柄を有効入賞ライン上に停止させないようにしたりする、所謂「引き込み制御」が実現される。
【００７４】
この「引き込み制御」とは、従来から知られているように、内部抽選により当選役が決定された場合、回胴回転停止ボタン１２が操作されたタイミングで有効入賞ライン上に存在する当該当選役の構成要素図柄（当選役に対応する図柄の組合せを構成しうる図柄）を除き、所定の滑りコマ数（最大引き込みコマ数（本実施形態では最大４コマ））の範囲内に有効入賞ライン上に停止可能な当選役の構成要素図柄が存在する場合、その図柄を有効入賞ライン上に引き込む形態で回胴の停止位置を制御する停止制御態様である。したがって、有効入賞ライン上に当選役の構成要素図柄が存在しない場合であっても、当該当選役の構成要素図柄が上記停止操作図柄番号から最大引き込みコマ数分引き込んで有効入賞ライン上に停止可能であれば、基本的にはその図柄が有効入賞ライン上に引き込まれ、当選役に対応する図柄を有効入賞ライン上に成立させるように回胴の停止位置が制御される。
【００７５】
このような引き込み制御の特性を利用し、各回胴の図柄配列帯における図柄配置構成や停止操作図柄番号に応じた滑りコマ数などを定めれば、当選役に対応する図柄の組合せを構成しうる図柄（構成要素図柄）を、停止操作手順（停止操作タイミングおよび押し順の少なくともいずれか一方）によらず有効入賞ライン上に停止可能（１００％引き込み可能（引き込み率１００％））にしたり、また役に当選しても停止操作手順によっては、たとえ最大滑りコマ数引き込んでも有効入賞ライン上に停止不可能（所謂「取りこぼし」の発生を可能にする）にしたりすることができる。これにより、たとえば、特定の当選役を取りこぼした際、遊技結果として、特定の停止図柄表示態様（所謂、取りこぼし目、リーチ目、チャンス目など）を導出可能としている。
【００７６】
ただし、内部抽選によりいずれの役にも当選していない「不当選」、つまり「ハズレ」の場合には、いずれの役に対応する図柄の組合せも有効入賞ライン上に停止させない回胴の停止位置が決定されるようになっている。したがって、「ハズレ」となったゲームでは、回胴の停止操作タイミングにかかわらず、いずれの役に対応する図柄の組合せも有効入賞ライン上に停止することはなく、遊技結果は常に「ハズレ」となる。
【００７７】
なお本実施形態の図柄配列帯２００（図２参照）では、各回胴における１または複数種類の特定の図柄種（たとえば、リプレイ図柄３４、ベル図柄３５）に関しては、所定の有効入賞ライン上への引き込み率が１００％となるように配置されており、その他の図柄に関しては、必ずしも引き込み率が１００％とはなっていない。また、一の回胴と他の回胴とで、特定の図柄に関しての引き込み率が異なる。これにより、特定の当選役について、対応する図柄の組合せを停止操作手順によらず１００％引き込み可能としたり、停止操作手順に応じて「取りこぼし」を発生させたりすることを可能にしている。なお図柄配列帯２００に関し、どのような図柄種をどのような引き込み率に定めるかは、当選役に対応する図柄の組合せや各回胴における図柄配置構成や有効入賞ラインなどの関係により、適宜定めることができる。また上記押し順については、主制御部４００がその機能部を担う「停止操作順番監視手段」により監視される。この停止操作順番監視手段は、各回胴の回転状態および停止状態を監視し、回転中の回胴と停止中の回胴とに基づき、停止操作対象となった回胴が何番目の停止操作であるか（押し順）を監視し、押し順を把握する。
【００７８】
＜演出制御部４１０（演出制御基板４２０）＞
次に、演出制御部４１０の演出制御基板４２０について説明する。
【００７９】
演出制御基板４２０は、サブＣＰＵ４２１ｃ（演出制御ＣＰＵ）を内蔵したマイクロプロセッサを搭載するとともに、サブＲＯＭ４２１ａ（演出制御ＲＯＭ）と、サブＲＡＭ４２１ｂ（演出制御ＲＡＭ）とを搭載したマイクロコンピュータ４２１を中心に構成され、その他、ＣＴＣ４０１ｄと同様の機能を持つＣＴＣ４２１ｄ、サブＣＰＵ４２１ｃに割り込み信号を付与する割り込みコントローラ回路４２１ｅ、演出Ｉ／Ｆ基板３４０との間の信号を入出力するＩ／Ｏポート回路４２２、カウンタ回路４２３などを含んで構成されている。また演出制御基板４２０には、演出Ｉ／Ｆ基板３４０を介して、液晶制御基板４６０と、スピーカ１６や装飾ランプ１３や可動体役物（図示せず）などの各種の演出手段とが接続されている。
【００８０】
上記サブＲＯＭ４２１ａは、演出動作制御に係る遊技データを記憶する記憶手段（演出制御側記憶手段）として機能し、演出制御手順が記述された演出制御プログラムの他、演出動作制御に必要な種々のデータが格納されている。
【００８１】
またサブＲＡＭ４２１ｂはワークエリアやバッファメモリとして機能し、サブＣＰＵ４２１ｃが上記演出制御プログラムを実行する際に生成されるデータ、たとえば、演出抽選用乱数値や演出制御部側の遊技状態（演出状態）情報など、演出を現出する際に必要なデータが処理状態に応じて格納され利用される。またサブＲＡＭ４２１ｂは、ソフトウェア的に乱数を生成する乱数生成手段として機能し、特定の抽選（たとえば、後述の偽フリーズ待機モード抽選（図３２））に利用される乱数カウンタとして利用することができる。
【００８２】
またカウンタ回路４２３は、カウンタ回路４０３と同様に乱数生成回路とサンプリング回路とを含む。サブＣＰＵ４２１ｃは、演出処理状態に応じて（たとえば、演出制御コマンドを受信したタイミング）上記サンプリング回路に指示を送ることで、上記乱数発生回路が示している数値を演出用乱数値として取得する。この演出用乱数値は、特定の抽選（たとえば、後述のＡＴ抽選（図３１、図３６））に利用される。
【００８３】
また演出制御基板４２０には、上記演出用ボタン（図示せず）が接続され、その操作検出信号を受信可能となっている。
【００８４】
なお図示はしていないが、演出制御基板４２０には、主制御部４００からの演出制御コマンドを受けて光、音、および可動体役物についての演出処理を行うため、装飾ランプ１３や演出用ＬＥＤ（たとえば、図柄照射用バックライトＬＥＤ）を含む光表示装置に対する光表示制御部、スピーカ４６を含む音響発生装置に対する音響制御部（音源ＬＳＩ）、可動体役物を動作させるための可動体役物モータに対する駆動制御部（モータ駆動回路）などを備えている。演出制御基板４２０は、これら制御部に対し、演出手段に関する制御信号を送信可能となっている。
【００８５】
また演出制御基板４２０には、可動体役物に対する位置検出スイッチが接続され、その検出信号を受信可能となっている。演出制御基板４２０は、上記位置検出スイッチからの検出信号に基づき、可動体役物の原点位置（初期位置）から現在の位置を把握し、可動体役物の動作制御を実行し、また可動体役物の動作の不具合（正常動作か否か（たとえば、動作後、原点位置に正しく戻っているか否かなど））を監視する。
【００８６】
液晶制御基板４６０は、演出制御基板４２０から受信した液晶制御コマンドに基づき、液晶表示装置６の表示制御を司る表示制御部を備えている。この表示制御部は、画像展開処理や画像の描画などの映像出力処理全般の制御を司るＶＤＰ（Ｖｉｄｅｏ  Ｄｉｓｐｌａｙ  Ｐｒｏｃｅｓｓｏｒ）と、ＶＤＰが画像展開処理を行う画像データ（演出画像データ）を格納した画像（キャラクタ）ＲＯＭと、ＶＤＰが展開した画像データを一時的に記憶するＶＲＡＭ（Ｖｉｄｅｏ  ＲＡＭ）と、ＶＤＰが表示制御を行うために必要な制御データを出力する液晶制御ＣＰＵと、液晶制御ＣＰＵの表示制御動作手順を記述したプログラムやその表示制御に必要な種々のデータを格納する液晶制御ＲＯＭと、ワークエリアやバッファメモリとして機能する液晶制御ＲＡＭと、を中心に構成されている。
【００８７】
演出の現出制御については、マイクロコンピュータ４２１（サブＣＰＵ４２１ｃ）が、主制御部４００から送られてくる演出制御コマンドに基づき、今回のゲームで現出すべき演出シナリオ（演出内容）を構築する。そして、この演出シナリオに基づき、効果音や光演出の発生が必要なタイミングで、上記音響発生装置や光表示装置に対して専用の制御信号（音制御信号、光制御信号）を送信し、また液晶表示装置６に表示する画像再生が必要なタイミングで、液晶制御コマンドを液晶制御基板４６０に対し送信する。上記演出シナリオは、１または複数種類の演出パターンを含んで構成される広義の意味での演出であり、複数種類の演出パターンからなる演出シナリオの場合、個々の演出パターンは、その演出シナリオを構成する一要素（パーツ演出）としての役割を果たす。これにより、演出パターンに対応する効果音の再生、または装飾ランプ１３やＬＥＤなどの点灯点滅駆動、あるいは液晶表示装置６による画像表示演出が実現され、時系列的に種々の演出パターンが次々に、あるいは複数同時に展開されることにより、目的とする演出が現出されることになる。斯様な演出には、遊技に係る種々の演出態様が含まれ、内部抽選結果情報に関する情報を報知しうる役報知演出、遊技状態(遊技モード)に関連する情報を報知しうる状態報知演出、後述のアシスト報知演出などはその代表例である。
【００８８】
またマイクロコンピュータ４２１は、主制御部４００から送られてくる特定情報（たとえば、当選役情報、特定の図柄の組合せが有効入賞ライン上に停止した旨の情報など）を含む演出制御コマンドを受けて、これに基づいて複数種類の演出状態間（たとえば、非ＡＴ遊技とＡＴ遊技間）を移行制御可能な構成となっている。
【００８９】
また図示はしていないが、演出制御基板４２０の割込端子ＩＮＴは、コマンド伝送ラインのうち、主制御部４００がコマンドを送信する際に出力するストローブ（ＩＮＴ）信号線に接続されており、サブＣＰＵ４２１ｃは、ストローブ信号の入力に基づいて割込を発生させてコマンド受信割込処理用の制御プログラムを実行し、この割込処理において演出制御コマンドが取得されるようになっている。またサブＣＰＵ４２１ｃは、メインＣＰＵ４０１ｃとは異なり、ストローブ信号の入力に基づいて割込が発生した場合には、他の割込に基づく割込処理（定期的に実行されるタイマ割込処理）の実行中であっても、当該処理に割り込んでコマンド受信割込処理を行い、他の割込が同時に発生してもコマンド受信割込処理を優先的に行うようになっている。
【００９０】
なお演出制御コマンドは、１バイト長のモード（ＭＯＤＥ）と、同じく１バイト長のイベント（ＥＶＥＮＴ）からなる２バイト構成により機能を定義し、ＭＯＤＥとＥＶＥＮＴの区別を行うために、ＭＯＤＥのＢｉｔ７はＯＮ、ＥＶＥＮＴのＢｉｔ７をＯＦＦとしている。これらの情報を有効なものとして送信する場合、モード（ＭＯＤＥ）およびイベント（ＥＶＥＮＴ）の各々に対応してストローブ信号が出力される。すなわち、メインＣＰＵ４０１ｃ（主制御ＣＰＵ）は、送信すべきコマンドがある場合、演出制御部４１０（演出制御基板４２０）にコマンドを送信するためのモード（ＭＯＤＥ）情報の設定および出力を行い、この設定から所定時間経過後に１回目のストローブ信号の送信を行う。さらに、このストローブ信号の送信から所定時間経過後にイベント（ＥＶＥＮＴ）情報の設定および出力を行い、この設定から所定時間経過後に２回目のストローブ信号の送信を行う。ストローブ信号は、サブＣＰＵ４２１ｃ（演出制御ＣＰＵ）が確実にコマンドを受信可能とする所定期間、メインＣＰＵ４０１ｃによりアクティブ状態に制御される。また液晶制御コマンドの送信に際しては、演出制御基板４２０は割り込み用ストローブ信号を発生し、液晶制御基板４６０にＭＯＤＥ信号とＥＶＥＮＴ信号とで構成される２バイト長の液晶制御コマンドを前後して送信する。
【００９１】
＜当選役の種類（当選役種別）、当選役に対応した図柄の組合せ（入賞となる図柄の組合せ：入賞役種別）、および配当について：図６＞
次に図６を参照しながら、本実施形態に係る当選役の種類（当選役種別）、当選役に対応した図柄の組合せ（入賞役種別）、およびその配当（遊技価値）の関係について説明する。図６は、当選役に応じた図柄の組合せとその役名称、その図柄の組合せを成立させるための停止操作手順、および配当を例示したものである。
【００９２】
なお、図６の「左回胴」「中回胴」「右回胴」のそれぞれの欄に対応する図柄は、回胴５ａ、５ｂ、５ｃにおける成立ライン（有効入賞ラインまたは後述の疑似入賞ライン）上の停止図柄を示す。また図中の「押し順の欄に関する「左」「中」「右」の表記について、「左」は停止操作対象が左回胴５ａ、「中」は中回胴５ｂ、「右」は右回胴５ｃを意味する。また、同欄の「順押し」や「中右左」などの表記は、同図の「入賞役種別」の欄に対応した図柄の組合せを成立させる回胴の停止操作順番（押し順）を示す。たとえば、上記「中右左」の表記は、この順に回胴を停止させることを意味し、具体的には、第１番目の停止操作が中回胴５ｂ、第２番目の停止操作が右回胴５ｃ、第３番目の停止操作が左回胴５ａの意である。また「左」の表記は、第１番目の停止操作を左回胴５ａとする押し順の意であり、「中」の表記は、第１番目の停止操作を中回胴５ｂとする押し順の意であり、「右」は第１番目の停止操作を右回胴５ｃとする押し順の意である。また同欄の「左／中」の表記は、第１番目の停止操作が「左回胴５ａ」または「中回胴５ｂ」とする押し順の意である。以下、説明の便宜上、必要に応じて、第Ｘ番目の停止操作を「第Ｘ停止操作」と略し、「第Ｘ番目に停止操作対象となった回胴」を「第Ｘ停止操作回胴」と略す。ただし、図示の当選役種別の中には、当選役に対応する図柄の組合せを成立させる条件として、押し順だけでなく、最大滑りコマ数の関係上、さらに停止操作タイミングを要する場合もある。
【００９３】
本実施形態では、図示のように、複数種類の抽選対象役が設けられている。これら抽選対象役は、「特別役種」に属するものと、「一般役種」に属するものとに大別され、さらに「一般役種」は、‘小役種’に属するものと‘リプレイ（再遊技）役種’に属するものとに大別される。上記「特別役種」は、後述の‘ボーナス遊技’への移行契機となる役種別であり、上記「小役種」は、‘遊技メダルの払い出し（払い出し０枚を含む）’を伴う役種別であり、「リプレイ役種」は、‘再遊技’を伴う役種別であり、それぞれ異なる性能を有する役として定められている。
【００９４】
なお上記「再遊技」とは、遊技メダル（遊技媒体）を投入することなく（貯留手段により、またはその他の装置の操作により遊技メダルを遊技の用に供することを含む）、次回のゲーム開始条件を再付与するものであり、具体的には、今回のゲームで使用した遊技媒体量（賭数設定のために投入した遊技メダル枚数）と同一量（同一の枚数）を疑似的に付与（自動投入）して、次回のゲームを開始可能とするものである。この再遊技は、遊技者が遊技メダルを減らすことなく次回のゲームが可能になるという点で、遊技メダルと同様に遊技価値を有するものといえる。斯様な遊技価値には、上述の再遊技や遊技メダルの他、たとえば、遊技状態の移行やその移行に関連する所定の抽選（たとえば、後述のフリーズ演出抽選（図３３）、ＡＴ抽選（図３１、図３６）、偽フリーズ待機モード移行抽選（図３２）など）の実行権利の付与なども含まれる。なお遊技価値には、遊技において、遊技者に有利に作用するものに限らず、遊技者に不利に作用するものも含むことができる。
【００９５】
本実施形態では、上記特別役種に属するものとして「ＣＢＢ（当選番号１７）」が設けられている。また上記小役種に属するものとして「弱チェリー（当選番号２）」、「強チェリー（当選番号３）」、「弱スイカ（当選番号４）」、「強スイカ（当選番号５）」、「ＣＡベル１（当選番号６）、「ＡＴ１〜４（当選番号９〜１１）」が設けられている。また上記リプレイ役種に属するものとして「ＣＡベル２（当選番号７）」、「通常リプレイＡ（当選番号１２）」、「移行リプレイＡ〜Ｂ（当選番号１３〜１４）」、「特殊リプレイＡ〜Ｂ（当選番号１５〜１６）」などが設けられている。
【００９６】
上記抽選対象役のいずれかが内部抽選により当選役として決定された場合、その当選役に対応した図柄の組合せが有効入賞ライン上に停止表示することが許容される。詳述すれば、内部抽選により当選役が決定された場合、その当選役に対応する内部当選フラグが成立し（当選役に対応する条件装置が作動する）、その成立した内部当選フラグに対応する図柄の組合せが有効入賞ライン上に停止表示することが許容されることになる。そして、各回胴が停止した際、当選役に対応した図柄の組合せが有効入賞ライン上に停止すれば、その図柄の組合せに対応する役が成立したとして、当該図柄の組合せに応じた遊技価値が遊技者に付与されるようになっている。
【００９７】
なお本明細書中では、内部抽選により当選役が決定された場合、遊技結果として導出表示される図柄の組合せ（特に、有効入賞ライン上への停止が許容される図柄の組合せ）を「入賞役」と称する場合があり、この入賞役として扱われる図柄の組合せが有効入賞ライン上に停止（成立）することを「入賞（遊技価値が付与されるか否かは問わない）」と称する場合がある。また、所謂「取りこぼし」が発生した場合に遊技結果として導出表示される特定の停止表示態様（取りこぼし目）も、遊技結果として導出表示される図柄の組合せの一態様であることから、この取りこぼし目も入賞役として扱うことができる。
【００９８】
＜役構成＞
次に図６を参照して役構成について説明する。
【００９９】
ここで先ず、本発明の理解を容易なものとするために、仮想的な入賞ライン（以下、「疑似入賞ライン」と称する）について説明しておく。
【０１００】
（疑似入賞ライン）
本実施形態では、上記したように、複数種類の抽選対象役が設けられている。これら抽選対象役には、その当選により、少なくとも押し順にかかわらず、対応する役の入賞を許容する「押順不問役（たとえば、後述の弱チェリー、強チェリー、弱スイカ、強スイカ、ＣＡベル１〜２）」や、その当選により、少なくとも押し順に応じて異なる役の入賞を許容する「押順規定役（たとえば、後述のＡＴ１〜４、通常リプレイＡ、移行リプレイＡ〜Ｂ、特殊リプレイＡ〜Ｂ）」が含まれ、これら多種多様な役により、遊技性を豊富にすることができるようになっている。
【０１０１】
このような抽選対象役を多数設けて遊技性の幅を広げる場合、多数の有効入賞ラインを設ける、たとえば、従来の多くの回胴式遊技機に見られるように、図７（Ａ）に示す中段横ラインと、さらに、図７（Ｂ）の破線に示すように、回胴視認部３を横および斜めに横断する形の計４本（図正面から見て、回胴視認部３を右斜め下がりに対角線上に横断する「右下りライン」と、右斜め上がりに対角線上に横断する「右上りライン」と、回胴視認部３を水平方向に横断する上段横ラインと下段横ラインとの４本）の合計５本の入賞ラインが施された所謂「５ライン機」のように、多くの有効入賞ラインを設けてしまうと、引き込み制御、役の構成要素図柄、およびその図柄に関する図柄配列帯２００における図柄配置構成などの関係上、遊技機を設計する上で役構成が複雑化してしまい、抽選対象役の種類やこれに対応する入賞役の種類を制限せざるを得なくなり、遊技性の自由度が阻害されてしまう。
【０１０２】
そこで本実施形態では、従来よりも入賞ライン数を少なくしたもの、たとえば、図７（Ａ）に示すような単一の有効入賞ラインを持つ「１ライン機」としている。ここで、上記「１ライン機」のように入賞ラインを少なくした場合、入賞役の種類を豊富にするために、有効入賞ライン上には、一見して「ハズレ目」が如く「バラケ目」を停止させ、これを入賞役として扱うことが必要な場合が生じうる。
【０１０３】
このため本実施形態では、遊技者に対して役が成立したことを容易に認識させるべく、有効入賞ラインとは別に、従来の５ライン機を模した仮想的な入賞ライン（図７（Ｂ）の破線のライン。以下、「疑似入賞ライン」と称する）を形成して、この疑似入賞ライン上に、遊技者が入賞したと認識し易い特定の図柄の組合せを停止させることで、当選役に対応した入賞が発生したことを遊技者に知得させることができるようになっている。
【０１０４】
これについて図７Ａ〜図７Ｂを参照して具体的に説明する。図７Ｂは、ＡＴ４が当選した場合の有効入賞ライン上と疑似入賞ライン上とに停止する図柄の組合せを例示した図である。なお詳細は後述するが、ＡＴ４は、押し順に応じて、配当１２枚が得られる‘１２枚ＡＴ役’か、またはそれよりも遊技価値が低い配当１枚が得られる‘１枚ＡＴ役’が入賞する、といった押順規定役に属するものである。
【０１０５】
図７Ｂ（イ）に、押し順が「左右中」であった場合の全回胴停止時の停止図柄の組合せを、図７Ｂ（ロ）に、それ以外の押し順であった場合の全回胴停止時の停止図柄の組合せを示す。
【０１０６】
図７Ｂを参照して、ＡＴ４が当選した場合において、押し順が「左右中」であった場合、有効入賞ラインである‘中段横ライン’上には「スイカ１」−「ブランク」−「リプレイ」という、一見して、ハズレのようなバラケ目が停止し（図７Ｂ（イ）参照）、それ以外の押し順であった場合も「リプレイ」−「ベル」−「ＢＡＲ」という、一見して、ハズレのようなバラケ目が停止するようになっている（図７Ｂ（ロ）参照）。しかし、疑似入賞ラインの観点から見ると、押し順が「左右中」であった場合には、遊技者が入賞したと認識し易い図柄の組合せとして、疑似入賞ラインである‘下段横ライン’上に「ベル」−「ベル」−「ベル」（ベル揃い）を停止させ、これを１２枚ＡＴ役入賞時の停止図柄の組合せとして導出表示し、他方、それ以外の押し順であった場合には、疑似入賞ラインである‘右下りライン’上に「ベル」−「ベル」−「チェリー２」（ベルこぼし目）を停止させ、これを１枚ＡＴ役入賞時の停止図柄の組合せとして導出表示しうるようになっている（図６のＡＴ４の「成立ライン」の欄参照）。ここで混同してはならないのは、上記した「バラケ目」のような図柄の組合せがＡＴ４当選により有効入賞ライン上に停止することが許容される図柄の組合せであり、これが実際のＡＴ４に対応する図柄の組合せ（入賞役（真の入賞役））として定められている点である。したがって、疑似入賞ライン上に停止する図柄の組合せは、有効入賞ライン上に停止する真の入賞役の代替の図柄の組合せとして導出表示される仮想的な入賞役（仮想入賞役）となっている。
【０１０７】
このように、有効入賞ライン上には、一見して、バラケ目のような図柄の組合せを停止させるが、疑似入賞ライン上には、特定の図柄の組合せを停止させるようにし（遊技者が認識し易い図柄の組合せが好ましい）、これにより、遊技者が入賞の発生を把握し易いようになっている。また疑似入賞ライン上には、一見して同じ性能を有する図柄の組合せが停止した場合であっても、実際の有効入賞ライン上に停止する入賞役を異ならせることができる。このように疑似入賞ラインや有効入賞ラインの役割をうまく利用することにより、役のバリエーションを多彩なものとし、遊技内容の豊富化を図ることができるようになっている。
【０１０８】
再び図６に戻り、本実施形態に係る役構成（当選役種別、当選役に対応した図柄の組合せ（入賞役種別））について説明する。なお以下では、説明の便宜上、図６の「図柄の組合せ」の欄に示す図柄の組合せ（真の入賞役または仮想入賞役）を、当選役に対応する図柄の組合せ（入賞役）として説明する。また図示の「成立ライン」の欄については、その当選役に対応する図柄の組合せが停止しうる入賞ライン（中段（中段横ライン）、上段（上段横ライン）、下段（下段横ライン）、右下り（右下りライン）、右上り（右上りライン））を表記してある。
【０１０９】
（小役種：弱チェリー、強チェリー、弱スイカ、強スイカ）
図６を参照して、まず小役種に属する当選番号２〜４の弱チェリー、強チェリー、弱スイカ、強スイカについて説明する。
【０１１０】
図６に示すように、各小役の当選により入賞が許容される図柄の組合せは、弱チェリーの場合は右下りライン（疑似入賞ライン）上に「チェリー１」−「リプレイ」−「リプレイ」（弱チェリー）となっており、強チェリー場合は中段横ライン（有効入賞ライン）上に「チェリー１」−「リプレイ」−「スイカ１／スイカ２」（強チェリー）となっており、弱スイカの場合は中段横ライン上に「スイカ１／スイカ２」−「スイカ２」−「スイカ１」（中段スイカ揃い）となっており、強スイカの場合は右下りライン（疑似入賞ライン）上に「スイカ１／スイカ２」−「スイカ２」−「スイカ１」（斜めスイカ揃い）となっている。
【０１１１】
上記した弱チェリー、強チェリー、弱スイカ、または強スイカに対応する図柄の組合せが入賞した場合、配当として、所定枚数の遊技メダルが払い出されるようになっている（図６の配当の欄参照）。ただし、本実施形態の場合、図柄配置構成の関係上、入賞の発生には所定の停止操作タイミングを要するようになっている。具体的には、回胴の停止操作タイミングが所定の操作タイミングである場合に限り、該当する成立ライン上に、当選役に対応する図柄の組合せが停止するようになっている。これは、左回胴５ａにおけるチェリー１図柄や、各回胴におけるスイカ１図柄やスイカ２図柄の引き込み率が１００％未満となるように配置されているためである（図２参照）。なお、いずれの役を引き込み率１００％とするか、または引き込み率１００％未満とするかは、役構成や図柄配置構成などにより適宜定めることができる。
【０１１２】
また上記した弱チェリー、強チェリー、弱スイカ、または強スイカは、少なくとも押し順によらず、対応する入賞役の入賞を許容する役（押順不問役）となっている。この点、後述のＡＴ１〜４や特定のリプレイ役種のように、その当選により、少なくとも押し順に応じて異なる入賞役の入賞を許容する「押順規定役」とは性質を異にする。なお、弱チェリー、強チェリー、弱スイカ、または強スイカを、上記「押順規定役」として定めても良い。たとえば、弱スイカが当選した場合、所定の押し順の場合に限り「中段スイカ揃い」の停止を許容し、当該所定の押し順以外の押し順である場合には他の図柄の組合せ（たとえば、配当０枚となる停止目（取りこぼし目））の停止を許容するように構成することができる。
【０１１３】
また本実施形態では、弱チェリー、強チェリー、弱スイカ、および強スイカは、その当選に起因して（契機として）、後述のＡＴ遊技（ＡＴモード）への移行抽選契機となる「ＡＴ移行抽選契機役」としても働く（図３１参照）。
【０１１４】
（小役種：ＣＡベル１）
次に、小役種に属する当選番号６の「ＣＡベル１」について説明する。
【０１１５】
図６に示すように、ＣＡベル１の各当選により入賞が許容される図柄の組合せは、中段横ライン上に「ベル」−「ベル」−「ベル」（ＣＡベル）となっている。
【０１１６】
このＣＡベル１も、上記した弱チェリー、強チェリー、弱スイカ、または強スイカと同様に「押順不問役」に属する。本実施形態では、各回胴において、ベル図柄が引き込み率１００％となるように配置されているため、ＣＡベル１が当選した場合、どのような停止操作手順であっても、ＣＡベルの入賞が発生するようになっている。
【０１１７】
上記ＣＡベル１に対応する図柄の組合せ（ＣＡベル）が入賞した場合、配当として、所定枚数の遊技メダル（たとえば、１２枚）が払い出されるようになっている。またＣＡベル１は、上記「ＡＴ移行抽選契機役」としても働く。なお、ＣＡベル１は、その当選確率が他の小役種と比べて低確率に設定されていることから（図５の判定値の欄参照）、「低確率の内部抽選対象役に当選した」という特典として、後述のＡＴ抽選が優遇されるようになっている（図３１、図３３参照）。
【０１１８】
（小役種：ＡＴ１〜４）
次に、当選番号９〜１１の「ＡＴ１〜ＡＴ４」について説明する。
【０１１９】
このＡＴ１〜ＡＴ４は、少なくとも押し順に応じて異なる図柄の組合せ（入賞役）が有効入賞ライン上に停止（入賞）しうる「押順規定役（ここでは、小役種に属する押順規定役（押順規定小役））」として規定されている。つまり、有効入賞ライン上に停止させるための特定の図柄の組合せについて、所定の押し順が割り当てられている。具体的には、このＡＴ１〜ＡＴ４は、所定の押し順の場合には遊技者に有利に作用しうる入賞役（有利入賞役）が、それとは異なる押し順である場合には遊技者に不利に作用しうる入賞役（不利入賞役）が有効入賞ライン上に停止（入賞）しうるように定められている。ＡＴ１〜ＡＴ４は、主に、有利入賞役または不利入賞役に関する押し順が異なる点を除き、その他の内容は実質的に同じであるので、以下では重複記載を避けるために、「ＡＴ１」を代表的に説明する。
【０１２０】
（ＡＴ１について）
図６に示すように、ＡＴ１の当選により入賞が許容される図柄の組合せは、（１）中段横ライン（有効入賞ライン）上に「ベル」−「ベル」−「ベル」の図柄の組合せ（１２枚ＡＴ役（ベル揃い））、（２）右下りライン上に「ベル」−「ベル」−「スイカ１」の図柄の組合せ（１枚ＡＴ役（ベルこぼし目））の計２種類の図柄の組合せとなっている。つまり、ＡＴ１が当選役として決定された場合、上記の１２枚ＡＴ役と１枚ＡＴ役とが入賞許容状態に置かれることになる。
【０１２１】
換言すれば、ＡＴ１は、その当選により、１２枚ＡＴ役の入賞を許容する役と、１枚ＡＴ役の入賞を許容する役とに重複当選可能な役、つまり一回の内部抽選で複数種類の役に同時当選可能な「重複役」としての性質を有するものといえる。本実施形態では、この「重複役」のように、当選役とその当選役により許容される停止図柄態様（入賞役）とを１対Ｎに対応させた抽選対象役を設け、一つの当選役に対して、これを実効化するための停止図柄態様を複数種類設けることで、遊技内容の豊富化を図っている。このような重複役としての性質を有するものには、ＡＴ１〜４の他、後述の特定のリプレイ役種（後述の移行リプレイＡ〜Ｂ、特殊リプレイＡ〜Ｂ）がある。
【０１２２】
上記「１２枚ＡＴ役」は、「１枚ＡＴ役」よりも遊技価値が相対的に高い入賞役となっている。具体的には、１２枚ＡＴ役が入賞した場合には、遊技メダル１２枚（第１の所定枚数（第１の遊技価値））の払い出しとなっており、１枚ＡＴ役が入賞した場合には、それよりも少ない遊技メダル１枚（第２の所定枚数（第２の遊技価値））の払い出しとなっている。これは、ＡＴ１が、少なくとも押し順に応じて、有利入賞役か、または遊技者に不利入賞役が遊技結果として導出表示されうることを意味する。
【０１２３】
なおＡＴ２〜ＡＴ４に関しても、ＡＴ１と同事象の引き込み制御が行われるようになっている。このＡＴ２〜ＡＴ４について、上記「１２枚ＡＴ役」に相当する入賞役は、ＡＴ２は上段ライン上のベル揃い、ＡＴ３は中段横ライン（有効入賞ライン）上のベル揃い、ＡＴ４は下段ライン上のベル揃いとなっており、上記「１枚ＡＴ役」に相当する入賞役は、ＡＴ２は右下りライン上のベルこぼし目、ＡＴ３は右上りライン上のベルこぼし目、ＡＴ４は右下ライン上のベルこぼし目となっている。
【０１２４】
次にＡＴ１の当選により入賞が許容される図柄の組合せについて、停止制御の観点から具体的に説明する。
【０１２５】
（順押しの場合）
図６に示すように、順押し（左回胴５ａ→中回胴５ｂ→右回胴５ｃの順番で停止する停止操作手順）の場合には、１２枚ＡＴ役が中段横ライン上に停止するように回胴の停止制御（引き込み制御）が行われる。
【０１２６】
（順押し以外の場合の場合）
これに対し、順押し以外の押し順である場合には、１２枚ＡＴ役ではなく、１枚ＡＴ役が右下りライン上に停止するように回胴の停止制御が行われる。
【０１２７】
（ＡＴ１に係る１２枚ＡＴ役の取りこぼしについて）
本実施形態では、ＡＴ１が当選役として決定された場合において、上記の順押し以外の押し順である場合には、１２枚ＡＴ役の取りこぼしが発生し、その取りこぼし目として、替わりに、１枚ＡＴ役が遊技結果として導出表示されうるようになっている。
【０１２８】
なお本実施形態では、上記「１２枚ＡＴ役」は、押し順さえ一致すれば回胴の停止操作タイミングによらず、その図柄の組合せが該当する成立ライン上に停止するようになっている。これに対し、１２枚ＡＴ役を取りこぼした際の「１枚ＡＴ役」は、回胴の停止操作タイミングが所定の停止操作タイミングでなければ、該当する成立ライン上には停止しないようになっている。これは、左回胴５ａおよび中回胴５ｂのベル図柄の引き込み率が１００％で配置されているものの、右回胴５ｃにおけるスイカ１図柄の引き込み率が１００％未満となるように配置されているためである（図２参照）。ＡＴ２〜４も同様に、１枚ＡＴ役については、回胴の停止操作タイミングが所定の停止操作タイミングでなければ、該当する成立ライン上には停止しないようになっている（右回胴５ｃにおけるスイカ１図柄、チェリー図柄１、またはチェリー図柄２の引き込み率が１００％未満となるように配置されているため）。このようにすることで、高確率で内部当選しうるＡＴ２〜ＡＴ４が当選しても、「１枚ＡＴ役」を頻繁に入賞させることはできないようにし、想定外の利益が遊技者に付与されてしまうことを防止している。
【０１２９】
また本実施形態では、各ＡＴ（ＡＴ１〜ＡＴ４）に係る有利入賞役や不利入賞役については、各ＡＴ同士で同じ図柄の組合せとしても良いし、各ＡＴでそれぞれ異なる図柄の組合せとしても良いし、各ＡＴの一部同士で同じ図柄の組合せとしても良い。また入賞となる成立ラインも適宜定めることができる。
【０１３０】
（リプレイ役種：ＣＡベル２、通常リプレイＡ、移行リプレイＡ〜Ｂ、特殊リプレイＡ〜Ｂ）
次に、リプレイ役種に属する当選番号７のＣＡベル２、当選番号１２の通常リプレイＡ、当選番号１３〜１４の移行リプレイＡ〜Ｂ、および当選番号１５〜１６の特殊リプレイＡ〜Ｂについて説明する。本実施形態では、再遊技を伴う入賞役として１種類の図柄の組合せの入賞を許容するリプレイ役種（たとえば、ＣＡベル２）と、複数種類の図柄の組合せの入賞を許容するリプレイ役種（たとえば、通常リプレイＡ、移行リプレイＡ〜Ｂ、特殊リプレイＡ〜Ｂ）とを含む複数種類のリプレイ役種別が設けられている。
【０１３１】
（通常リプレイＡ）
まず、当選番号１２の通常リプレイＡについて説明する。
【０１３２】
図６に示すように、通常リプレイＡの当選により入賞が許容される図柄の組合せは、右下りライン上に「リプレイ」−「リプレイ」−「リプレイ」の図柄の組合せ（通常リプレイ１）となっている。この通常リプレイＡは「押順不問役」に属し、これに対応する図柄の組合せ（通常リプレイ１）を入賞させるための停止操作タイミングを必要としない。つまり、通常リプレイＡが当選した場合、どのような停止操作手順であっても、通常リプレイ１の入賞が発生し、配当として「再遊技」が付与される。
【０１３３】
（ＣＡベル２）
次に、当選番号７のＣＡベル２について説明する。
【０１３４】
図６に示すように、ＣＡベル２の当選により入賞が許容される図柄の組合せは、中段横ライン（有効入賞ライン）上に「ベル」−「ベル」−「リプレイ」の図柄の組合せ（ＣＡリプ）となっている。このＣＡベル２は「押順不問役」に属し、これに対応する図柄の組合せ（ＣＡリプ）を入賞させるための停止操作タイミングを必要としない。この点、上述の通常リプレイＡと同じである。
【０１３５】
上記ＣＡベル２に対応する図柄の組合せ（ＣＡリプ）が入賞した場合には、配当として、「再遊技」が付与される。またＣＡベル２は上記「ＡＴ移行抽選契機役」としても働き、ＣＡベル１と同様に、その当選確率が他の小役種と比べて低確率に設定されていることから（図５の判定値の欄参照）、「低確率の内部抽選対象役に当選した」という特典として、ＡＴ抽選が優遇されるようになっている（図３１、図３３参照）。
【０１３６】
（移行リプレイＡ、Ｂ）
次に、当選番号１３〜１４の移行リプレイＡ〜Ｂについて説明する。
【０１３７】
図６に示すように、移行リプレイＡの当選により入賞が許容される図柄の組合せは、（１）右下りライン上に「リプレイ」−「リプレイ」−「リプレイ」の図柄の組合せ（通常リプレイ１）、（２）中段横ライン上に「スイカ１／スイカ２」−「リプレイ」−「リプレイ」の図柄の組合せ（移行リプレイ１）、および（３）中段横ライン上に「ベル」−「リプレイ」−「リプレイ」の図柄の組合せ（移行リプレイ３）の計３種類の図柄の組合せとなっている。この移行リプレイＡは、その当選により、通常リプレイ１の入賞を許容する役と、移行リプレイ１の入賞を許容する役と、移行リプレイ３の入賞を許容する役とに重複当選可能な「重複役」としての性質を有するものといえる。
【０１３８】
また、移行リプレイＢの当選により入賞が許容される図柄の組合せは、（１）右下りライン上に「リプレイ」−「リプレイ」−「リプレイ」の図柄の組合せ（通常リプレイ１）、（２）中段横ライン上に「スイカ１／スイカ２」−「リプレイ」−「リプレイ」の図柄の組合せ（移行リプレイ２）、および（３）中段横ライン上に「ベル」−「リプレイ」−「リプレイ」の図柄の組合せ（移行リプレイ３）の計３種類の図柄の組合せとなっている。この移行リプレイＢは、その当選により、通常リプレイ１の入賞を許容する役と、移行リプレイ２の入賞を許容する役と、移行リプレイ３の入賞を許容する役とに重複当選可能な「重複役」としての性質を有するものといえる。
【０１３９】
上記移行リプレイＡ〜Ｂは「押順規定役（リプレイ役種に属する押順規定役（押順規定再遊技役））」として定められており、停止制御については、上述したＡＴ１〜４と同事象のように、いずれの図柄の組合せが有効入賞ライン上に停止するか否かは、少なくとも押し順により決定される。具体的には、たとえば、移行リプレイＡが当選した場合、押し順が「順押し」の場合には、‘通常リプレイ１’が右下りライン上に停止し、「右左中」または「中右左」の場合には‘移行リプレイ１’が中段横ライン上に停止し、その他の押し順の場合には‘移行リプレイ３’が中段横ライン上に停止するようになっている（図６の移行リプレイ１の「押し順」の欄参照）。なお本実施形態では、移行リプレイＡ〜Ｂに係る入賞役の入賞には、押し順だけが関係し、停止操作タイミングを必要としない。
【０１４０】
また移行リプレイＡ〜Ｂに対応する図柄の組合せ（通常リプレイ１、移行リプレイ１〜３）が入賞した場合には、配当として、少なくとも「再遊技」が付与される。ただし、移行リプレイ１〜３が入賞した場合、再遊技の他、遊技価値として、後述のフリーズ待機モード移行権利が付与されるようになっている（これについての詳細は後述する）。移行リプレイ１〜３は、再遊技だけでなく、遊技モード移行という他の遊技価値（本実施形態では、遊技者に不利に作用しない遊技価値）が追加的に付与されうる。この点で、移行リプレイ１〜３は「有利入賞役」側に属する入賞役、通常リプレイ１は「不利入賞役」側に属する入賞役といえる。
【０１４１】
なお詳細は後述するが、移行リプレイＡ、Ｂが当選した場合、所定の条件の下（後述のＡＴ抽選結果に起因して）、遊技モード移行権利が付与されるようになっている。移行リプレイＡ、Ｂは、その当選に起因して、一の遊技モードから他の遊技モードへの移行契機となる「状態移行契機役」として働く。本実施形態の場合、移行リプレイＡ、Ｂに係る移行リプレイ１〜３の入賞を契機に、フリーズ待機モードに移行されうる。また移行リプレイＡ、Ｂは、最終的にＡＴ遊技（ＡＴモード）への移行（発生）契機となりうる抽選対象役であることから（後述の図８、図９参照）、「ＡＴ遊技移行契機役」としての役割も担う。この「ＡＴ遊技移行契機役」は、遊技状態の移行契機となる点で、上記「状態移行契機役」に属するものといえる。
【０１４２】
（特殊リプレイＡ、Ｂ）
次に、当選番号１５〜１６の特殊リプレイＡ〜Ｂについて説明する。
【０１４３】
図６に示すように、特殊リプレイＡの当選により入賞が許容される図柄の組合せは、（１）「リプレイ」−「リプレイ」−「リプレイ」の図柄の組合せ（通常リプレイ２）と、（２）「青７」−「青７」−「青７」の図柄の組合せ（特殊リプレイ１（青７リプレイ））の計２種類の図柄の組合せとなっている。この特殊リプレイＡは、その当選により、通常リプレイ２の入賞を許容する役と、特殊リプレイ１の入賞を許容する役とに重複当選可能な「重複役」としての性質を有するものといえる。
【０１４４】
また、特殊リプレイＢの当選により入賞が許容される図柄の組合せは、（１）「リプレイ」−「リプレイ」−「リプレイ」の図柄の組合せ（通常リプレイ２）と、（２）「赤７」−「赤７」−「赤７」の図柄の組合せ（特殊リプレイ２（赤７リプレイ））の計２種類の図柄の組合せとなっている。この特殊リプレイＢは、その当選により、通常リプレイ２の入賞を許容する役と、特殊リプレイ２の入賞を許容する役とに重複当選可能な「重複役」としての性質を有するものといえる。
【０１４５】
上記特殊リプレイＡ〜Ｂは「押順規定役」として定められており、停止制御については、上述したＡＴ１〜４と同事象のように、いずれの図柄の組合せが有効入賞ライン上に停止するか否かは、押し順により決定される。具体的には、たとえば、特殊リプレイＡが当選した場合、第１停止操作回胴が「左回胴５ａまたは中回胴５ｂ」である場合には‘通常リプレイ２’が中段横ライン上に停止し、第１停止操作回胴が「右回胴５ｃ」である場合には‘特殊リプレイ１’が中段横ライン上に停止するようになっている（図６の特殊リプレイ１の「押し順」の欄参照）。
【０１４６】
また特殊リプレイＡ〜Ｂに対応する図柄の組合せ（通常リプレイ２、特殊リプレイ１〜２）が入賞した場合には、配当として、少なくとも「再遊技」が付与される。ただし、特殊リプレイ１〜２が入賞した場合、再遊技の他、後述のＡＴ遊技への移行権利が付与されうるようになっている。特殊リプレイ１〜２は、再遊技だけでなく、ＡＴ遊技への移行権利という他の遊技価値（本実施形態では、遊技者に不利に作用しない遊技価値）が追加的に付与されうる。この点で、特殊リプレイ１〜２は、有利入賞役側に属する入賞役、通常リプレイ２は不利入賞役側に属する入賞役といえる。
【０１４７】
なお詳細は後述するが、特殊リプレイ１〜２が入賞したとしても必ずしもＡＴ遊技へ移行されるわけではなく、所定の条件の下（後述のＡＴ抽選当選を条件）でその移行がなされるようになっている。この点、特殊リプレイＡ、Ｂは、その当選に起因して（本実施形態では、特殊リプレイの入賞に起因して）、ＡＴ遊技（ＡＴモード）への移行契機となる「ＡＴ遊技移行契機役」として働く。
【０１４８】
ここで、図示の特殊リプレイ種別（特殊リプレイ１〜２）については、その一例を示したものである。特殊リプレイについては、その構成要素図柄である「赤７図柄」や「青７図柄」が引き込み率１００％未満となっており（図２参照）、図示の特殊リプレイを入賞させるには、所定の停止操作タイミングを要することになる。したがって、赤７図柄や青７図柄を有効入賞ライン上に引き込み不可能な停止操作タイミングで各回胴が停止操作された場合には、特殊リプレイの取りこぼしが発生する。本実施形態では、特殊リプレイを取りこぼした場合、その取りこぼし目として、再遊技を伴う特定の図柄の組合せ（特定リプレイ（図示せず））を、所定の成立ライン上に停止させるようになっている（たとえば、必ず中段横ライン上に停止させる）。そして、特定リプレイが所定の成立ライン上に停止した場合は、特殊リプレイと同等の遊技価値（再遊技＋ＡＴ移行）を付与するようになっている。
【０１４９】
（特別役種：ＣＢＢ）
次に、当選番号１７のＣＢＢについて説明する。このＣＢＢは「特別役種」に属し、「押順不問役」として規定されている。
【０１５０】
上記特別役種は、対応する図柄の組合せ（ボーナス役）の入賞を契機に、一般役種の抽選確率が変動する遊技状態や、特殊な引き込み制御となる遊技状態（たとえば、特定の図柄の引き込みコマ数が変動する遊技状態（所謂「チャレンジボーナス（ＣＢ）、または「チャレンジタイム（ＣＴ）」）といった特別遊技状態（ボーナス遊技）への移行契機となる役であり、この点で、このような遊技状態への移行契機とはならない「一般役種」とは性質を異にする。
【０１５１】
図６に示すように、ＣＢＢの当選により入賞が許容される図柄の組合せは、「青７」−「チェリー２」−「ブランク」（ＣＢＢ１（ボーナス役））の図柄の組合せとなっている。このＣＢＢは「押順不問役」であるが、引き込み制御の関係上、停止操作タイミングが所定のタイミングである場合に限り、対応する図柄の組合せ（ボーナス）が有効入賞ライン上に停止可能となっている。このため、ボーナス役の構成要素図柄（青７図柄、チェリー２図柄、およびブランク：図２参照）を有効入賞ライン上に引き込み不可能な停止操作タイミングで回胴が停止操作された場合、ＣＢＢの取りこぼしが発生する。
【０１５２】
本実施形態では、上記ＣＢＢ１（ボーナス役）が入賞した場合、次回のゲームからボーナス遊技として、特定の小役種（たとえば、ＡＴ１〜４）の当選確率が高確率に変動する、といった「ボーナス遊技」が発生するようになっている。しかし本実施形態では、ボーナス遊技中において、遊技開始条件となる規定枚数を遊技メダル３枚としており、後述のアシスト報知もされないため、ＡＴ１〜４に係る１２枚ＡＴ役の獲得が困難となり、１ゲーム当りの平均獲得遊技メダル枚数（純増枚数）が、概ねゼロまたはマイナスとなるようになっている。このボーナス遊技は、規定枚数（たとえば、２２枚）以上の遊技メダルの払い出しを条件に終了される。本実施形態では、遊技者に有利に作用するボーナス遊技ではなく、遊技者に不利に作用しうる（純増枚数がマイナスになりうる）ものとなっている。これは、他の役構成やＡＴ遊技などの関係上、風俗営業等の規制及び業務の適正化等に関する法律による７号営業を対象としたパチンコ店に設置するような遊技機を対象として規定される、同法律おける遊技機の認定及び型式の検定等に関する規則に基づく「型式試験」による検定を通過させ、かつ、遊技設計上の所望の遊技性を確保するためである。勿論、遊技性に応じて、遊技者に有利に作用するボーナス遊技としても良い。
【０１５３】
（ＣＢＢの持ち越しについて）
上記した特別役である「ＣＢＢ」は、その内部当選フラグを次回以降のゲームに持ち越し可能な「持越役」として規定されている。このため、上記ＣＢＢに当選した場合においては、ＣＢＢに対応する図柄の組合せ（ＣＢＢ１）が入賞するまでの遊技期間、当該ＣＢＢに係る内部当選フラグ（ボーナス当選フラグ）の成立状態が維持され、この間、ＣＢＢは内部抽選対象から除外される（図５のＣＢＢの「ＲＴ１遊技」の欄参照）。つまり、特別役のような持越役の内部当選フラグの成立状態下では、持越役は内部抽選対象から除外される。したがって、ボーナス当選フラグ持越中においては、ボーナス当選フラグが新たに成立したり、または重複して成立したりすることがないようになっている。このボーナス当選フラグが成立中の状態を「ＢＢ内部当選遊技」と称する。
【０１５４】
一方、ＣＢＢ（特別役種）以外の抽選対象役、つまり一般役種は、その当選フラグを次回のゲームに持ち越すことができない「持越不可能役」として規定されている。なおＢＢ内部当選遊技中の一般役種（一般小役種、リプレイ役種）については、通常通りに、これらを対象とした内部抽選が行われる（図６の「ＲＴ０遊技」および「ＲＴ１遊技」の一般役種（当選番号２〜１６）の欄参照）。このため、ボーナス当選フラグと他の役の当選フラグとが同時に成立する重複当選状態が発生しうる。このような場合、いずれの当選役に対応する図柄の組合せを入賞させるかどうかは、所定の引き込み優先順位に基づいて決定される。本実施形態では、「特別役種（ＣＢＢ）＜小役種＜リプレイ役種」の順位（リプレイ役種が最優先順位）で引き込み制御が行われるようなっている（小役優先制御）。これにより、ＣＢＢと他の一般役種とが重複当選中のゲームにおいては、この引き込み優先順位の下で回胴の停止制御が行われる。たとえば、通常リプレイＡとＣＢＢが重複当選状態であれば、通常リプレイＡに係る入賞役（通常リプレイ１）を優先的に入賞させる引き込み制御が行われる。
【０１５５】
なお、以上に説明した抽選対象役、対応する入賞役、配当、およびその種類などに関する役構成については、本発明の目的を達成できるものであれば特に制限されない。たとえば、特別役種については、単一であっても良いし、複数種類あっても良いし、特別役種自体を設けない構成としても良い。また一般役種についても、本発明の目的を達成できるものであれば、その種別や種類数は特に制限されない。
【０１５６】
また本実施形態では、ＣＢＢが他の一般役種と重複当選しない単独当選役として定められているが本発明はこれに限らず、特別役種と特定の一般役種とが重複当選可能な「重複ＢＢ役」を１または複数種類設けることができる。たとえば、ＣＢＢと強チェリー（当選番号３）とが重複当選する「重複ＢＢ役（ＣＢＢ＋強チェリー）」を設けることができる。この重複ＢＢ役が当選役として決定された場合には、当選役に対応する図柄の組合せとして、ＣＢＢ１（ＣＢＢ対応の図柄の組合せ）と強チェリー（強チェリー対応の図柄の組合せ）とが入賞許容状態に置かれることになる。この場合、当選ゲームでは、上記引き込み優先順位に基づいて、いずれの入賞役を優先的に有効入賞ライン上に引き込むのかが決定される。本実施形態では、小役優先制御となっているので、当該当選ゲームでは、先ず、強チェリー対応の図柄の組合せが優先的に入賞しうる引き込み制御が行われる。
【０１５７】
また「押順規定役」に属する抽選対象役については、特定の入賞役（有利入賞役または不利入賞役など）を入賞させるための停止操作手順の割り当て、またその割り当てによる入賞役の入賞率は、本発明の目的を達成可能なものであれば特に制限されない。
【０１５８】
＜遊技形態：図８〜図９＞
次に、各遊技状態およびこれら遊技状態間の移行制御に着目しながら、本実施形態に係る回胴式遊技機の遊技形態（ゲーム性）の概要を説明する。
【０１５９】
本実施形態に係る回胴式遊技機では、主制御部（主制御基板）４００側で制御される基本的な遊技状態の他、副制御部（演出制御部４１０）側で制御される付加的な遊技状態が設けられている。主制御部側で制御される遊技状態（主制御部側遊技状態）には、主として、ＲＴ遊技（本実施形態では、ＲＴ０遊技とＲＴ１遊技）とボーナス遊技とが含まれ、演出制御部４１０側で制御される遊技状態（演出制御部側遊技状態（演出状態））にはＡＴ（アシストタイム）遊技が含まれる。また、主制御部側遊技状態には、後述のフリーズ待機モードに関連する複数種類の遊技状態が含まれ、ＲＴ遊技と合わせて管理される。
【０１６０】
（ＲＴ（リプレイタイム）遊技について）
ＲＴ遊技とは、再遊技を伴うリプレイ役の当選確率が基底の遊技状態の所定確率から変動した再遊技確率変動状態をいう。本実施形態ではＲＴ０遊技とＲＴ１遊技といった複数種類のＲＴ遊技を設け、これら複数種類のＲＴ遊技を実効化することにより、遊技性の自由度を向上させている。
【０１６１】
各ＲＴ遊技は、「ＢＢ内部当選遊技（ＢＢ内部当選状態）」に係るＲＴ遊技であるか、「非ＢＢ内部当選遊技」に係るＲＴ遊技であるかで大別される。本実施形態では、上記基底の遊技状態として、リプレイ役種の当選確率（リプレイ確率）が低確率である「非ＢＢ内部当選遊技（ＲＴ０遊技）」を基準としており、したがって、これよりも高確率に変動する「ＢＢ内部当選遊技（ＲＴ１遊技）」が上記「再遊技確率変動状態」に相当することになる。このＢＢ内部当選遊技は、リプレイ確率が非ＢＢ内部当選遊技よりも高確率に変動することから「再遊技高確率抽選状態」ともいえる。なお、ＢＢ内部当選遊技は、非ＢＢ内部当選遊技と同様に、一般遊技状態の一態様である。この一般遊技状態は、小役種の内部抽選確率を変動させることができない遊技状態として規定される（図６のＲＴ０遊技、ＲＴ１遊技の欄参照）。
【０１６２】
（ＡＴ遊技について）
ＡＴ遊技とは、役の抽選結果に関連する情報を、液晶表示装置６、装飾ランプ１３、スピーカ１６などの演出手段を用いて、画像表示演出、効果音、光演出などにより遊技者に報知する特典遊技状態である。このＡＴ遊技は、主制御部４００側で制御される遊技状態（主制御部側遊技状態）とは異なり、主に、演出制御部４１０（演出制御基板４２０）側で制御される遊技状態（演出制御部側遊技状態（演出状態））である。
【０１６３】
上記ＡＴ遊技は、演出制御部４１０がその機能部を担う「演出状態管理手段」によりその発生および終了が管理制御される。この演出状態管理手段は、通常演出状態（非ＡＴ遊技）およびＡＴ遊技を含む複数種類の演出状態を統括的に管理可能に構成される。上記演出状態管理手段は、当選役に関する情報を報知する報知状態として、通常報知状態（非ＡＴ遊技）と、当該通常報知状態よりも遊技者に有利に作用しうる有利報知状態（ＡＴ遊技）とを含む複数種類の報知状態を管理制御する「報知状態管理制御手段」として働く。
【０１６４】
（アシスト報知）
本実施形態では、既に説明したように、複数種類の押順規定役が設けられている。たとえば、当選番号８〜１１のＡＴ役（ＡＴ１〜４）では、押し順に応じて、１２枚ＡＴ役のように、有利に作用しうる図柄の組合せ（有利入賞役）が入賞しうる。しかし非ＡＴ遊技（通常演出状態）中においては、これらの役に当選しても、有利入賞役の入賞を案内する情報（停止操作手順情報（押し順および停止操作タイミングの少なくともいずれか一方に関する情報）は遊技者に報知されない、あるいは報知されるとしても、その報知確率が低確率となっている。このため、非ＡＴ遊技中は、有利入賞役の入賞させるための手掛かりを得られず、その入賞が困難なものとされる。したがって、非ＡＴ遊技中は、遊技進行上、ＡＴ遊技中よりも遊技者に不利なゲーム展開とされる。
【０１６５】
これに対しＡＴ遊技中においては、有利入賞役の入賞を案内する情報が高確率で報知されるため、その入賞が著しく容易になる。たとえば、当選番号９のＡＴ４が当選した場合、有利入賞役側の‘１２枚ＡＴ役’の入賞を案内する押し順情報（「左右中」の押し順）が遊技者に報知され、遊技者がその報知内容に従い回胴を停止操作すれば、容易に１２枚ＡＴ役を入賞させることができる。これによりＡＴ遊技中は、１ゲームあたりに遊技者が獲得し得る平均的利益（ベース値）が非ＡＴ遊技中よりも向上した遊技状態になる。したがって、ＡＴ遊技中は、非ＡＴ遊技中よりも遊技者に有利なゲーム展開とされる。
【０１６６】
このように、当選役に関する情報として、特定の図柄の組合せ（有利入賞役、不利入賞役、その他、特定の図柄の組合せを含む）の入賞させる押し順に関する情報（停止操作手順情報情報）を報知可能な演出態様を「アシスト報知（支援演出）」と称する。
【０１６７】
（アシスト報知態様について）
なお上記アシスト報知は、同じ当選役が決定された場合でも、その報知内容が異なる場合がある。つまり、必ずしも遊技者に特定の図柄の組合せ（たとえば、有利入賞役側）を入賞させる報知内容とは限らない。たとえば、押順規定役が当選した場合、有利入賞役を入賞させる押し順の一部を不明（秘匿状態）にしたり、有利入賞役を入賞させる押し順（真のアシスト報知：本告知）とは異なる押し順を報知したり（偽のアシスト報知：偽告知）、複数種類の押し順を重複的に報知したりすることができる（たとえば、有利入賞役側を入賞させる押し順と不利入賞役側を入賞させる押し順とを重複して報知する）。
【０１６８】
（秘匿アシスト報知（選択的アシスト報知））
たとえば、ＡＴ１が当選したケースであれば、「１２枚ＡＴ役」が入賞となる押し順は「左中右（順押し）」である。この場合、「左中右（順押し）」の一部を秘匿する報知内容として、第１停止操作回胴に左回胴５ａを選択指示する旨を報知し、第２停止操作以降に選択する回胴については報知しない、といった報知内容が挙げられる。このようなアシスト報知が発生した場合、遊技者は、１２枚ＡＴ役を入賞させる押し順として「左中右（順押し）」と「左中右」のいずれか（２択）を山勘（恣意的）で選択することになり、このケースであれば、アシスト報知による１２枚ＡＴ役の入賞率を１／２の確率（入賞率５０％）に低下させることができる。また、第１停止操作回胴に中回胴５ｂ以外のいずれかの回胴を選択指示する旨がアシスト報知された場合（たとえば、「第１番目に中回胴以外を押せ！」）、遊技者は、１２枚ＡＴ役を入賞させる押し順として選択できるのは、左中右（順押し）」「左中右」「右中左」、および「右左中」」の計４通りの押し順のうちからいずれかを山勘で選択することになり、このケースであれば、１２枚ＡＴ役の入賞率を１／４の確率（入賞率２５％）にまで低下させることができる。上述のように、押し順の一部を不明にすれば、特定の図柄の組合せを入賞させる押し順が択一的なものとなり、特定の図柄の組合せの入賞率を１００％未満とすることができるようになる。
【０１６９】
また本告知と偽告知とを重複的に報知する場合、偽告知の押し順が１つであれば、入賞率が１／２となり、それ以上であれば、さらに入賞率を低下させることができる。たとえば、ＡＴ１が当選したケースであれば、「左中右（本告知：正解押し順）」と「左右左（偽告知：不正解押し順）」の計２通りの押し順のうちからいずれかを遊技者に選択させる報知内容とすれば、「２択ナビ」となり、１２枚ＡＴ役の入賞率を５０％に低下させることができる。また、「左中右（本告知）」と、「左右中（偽告知）」、「右中左（偽告知）」の計３通りの押し順を遊技者に選択させる報知内容とすれば、３択（３択ナビ）となり、１２枚ＡＴ役の入賞率を１／３（約３３％）にまで低下させることができる。このような択一的なアシスト報知の場合も、特定の図柄の組合せの入賞率を１００％未満とすることができる。
【０１７０】
上記した押し順の一部を秘匿状態とする「秘匿アシスト報知」や「択一的なアシスト報知」では、押順規定役に係る特定の図柄の組合せの入賞率を変化させることができる。このようなアシスト報知態様を「選択的アシスト報知」と称する。この選択的アシスト報知も上記「偽アシスト報知（偽告知）」の一態様として捉えることができる。
【０１７１】
上記のような選択的アシスト報知が発生すれば、遊技者自身の恣意的な停止操作により、ゲーム展開が有利・不利に作用しうることになるので、回胴の停止操作時において遊技者に対し緊張感を与え、遊技の面白みを向上させることができる。また、上記のようなアシスト報知の発生（現出）確率が異なる複数種類のＡＴ遊技を設けることで、性質の異なる遊技状態（たとえば、出玉率・ベース値が異なる遊技状態）を作り出すことができる。たとえば、第１のＡＴ遊技では、本告知の発生率１００％、第２のＡＴ遊技では本告知の発生率５０％、選択的アシスト報知の発生率５０％、といったように複数種類のＡＴ遊技を発生させることができる。これにより、遊技性（ゲーム性）を多様化することができ、遊技の面白みを向上させることができる。なお上記選択的アシスト報知や偽告知は、アシスト報知態様によりベース値を変化させたい場合に利用することができる。また「偽告知」は、特定の押し順が実行されてしまうことにより、ゲーム進行上、予定しない遊技モードの移行が生じてしまうなどの不都合が生じることを回避するためにも利用することができる。
【０１７２】
また、アシスト報知は、原則として、押し順に関する情報を遊技者に提示するだけで、当選役種別に関する情報を付随して遊技者に提示しないようになっている。これは、当選役種別を明示してしまうと、押し順を報知せずとも、役構成によっては、押し順の割り当てを知る遊技者側に、有利入賞役または不利入賞役の押し順が判明してしまい、アシスト報知を発生させる意義が喪失してしまうからである。たとえば、ＡＴ１〜４は、１２枚ＡＴ役が入賞する押し順がそれぞれ異なるように割り当てられているため、当選役種別を明示してしまうと、その割り当てを知る遊技者側（特に、遊技上級者）に、１２枚ＡＴ役が入賞となる押し順が判明してしまい、アシスト報知を発生させる意義が喪失するからである。
【０１７３】
（押順不問役のアシスト報知）
またアシスト報知は、上記したように、基本的には、押順規定役に係る特定の図柄の組合せの入賞を案内するものであるが、押順不問役についても発生させることができる。たとえば、停止操作タイミングにより、取りこぼしが発生しうる場合、その取りこぼしの発生しない停止操作タイミングを遊技者に報知することができる。
【０１７４】
また当選役に係る入賞役の一部または全部が同一の図柄の組合せを持つ抽選対象役同士の場合、たとえば、押順不問役であるＣＡベル１は、比較的高確率で当選するＡＴ１やＡＴ３が当選した場合と同じく、中段ライン上に「ベル」−「ベル」−「ベル」の図柄の組合せが停止する。この場合、「ＣＡベル１」の当選を秘匿するために、特定の押し順をアシスト報知して、ＡＴ１やＡＴ３（押順規定役）が当選したように装う場合もある（偽装アシスト報知）。このような秘匿報知は、押順不問役が当選したときに、押順規定役が当選した場合のアシスト報知態様と実質的同一の報知態様（同一または酷似する報知態様）を現出することで、アシスト報知が発生したときに、当選役種別または入賞役種別を秘匿する場合に利用することができる。このようなアシスト報知を「偽装アシスト報知」と称する。偽装アシスト報知は、他の抽選対象役が当選した場合のアシスト報知態様と実質的同一の報知態様（同一または酷似する報知態様）を現出して、実際の当選役を秘匿可能とするアシスト報知態様だけを指し、押順不問役が当選した場合に押順規定役かの如く装うだけでなく、一の押順規定役が当選した場合に他の押順規定役が当選したかのように装う報知態様も含む意味である。
【０１７５】
以上に説明したアシスト報知は、演出制御部４１０がその機能部を担う「アシスト報知制御手段」により現出制御される。
【０１７６】
（遊技モード（遊技状態）について）
次に図８〜図１０を参照して、本実施形態に係る回胴式遊技機における各遊技モードの内容と、各遊技モード間の移行制御形態とについて詳細に説明する。図８は、遊技モード間の移行の概要を示す状態遷移図、図９はフリーズ待機モードにおける遊技状態間の移行の概要を示す状態遷移図、図１０は主制御部側遊技状態、演出制御部側遊技状態、および遊技機全体から捉えた遊技状態（遊技モード）の説明に供する説明図である。
【０１７７】
説明の便宜のために、まず主制御部遊技状態で管理される「ＲＴ０遊技」と「ＲＴ１遊技」に着目して、ＲＴ遊技間の移行について説明しておく。
【０１７８】
主制御部側遊技状態にはＲＴ０遊技とＲＴ１遊技とが含まれ、本実施形態では、初期の遊技状態（初期遊技モード）として、リプレイ確率が低確率状態の「ＲＴ０遊技」から開始されるようになっている。この「初期の遊技状態」とは、メインＲＡＭがクリアされた場合に開始される遊技状態となっている。そして、このＲＴ０遊技中にＣＢＢに当選し、その当選ゲームで‘ＣＢＢ’に対応する図柄の組合せ（ＣＢＢ１）を入賞させることができなかった場合、次回のゲームから、リプレイ確率が高確率に変動した「ＲＴ１遊技」に移行されるようになっている。このＲＴ１遊技中においてＣＢＢ１（ボーナス役）が入賞した場合には、そのボーナス遊技が終了した後、所定の移行条件に基づいて、再度、ＲＴ０遊技に移行されるようになっている。なお、ＲＴ１遊技からＲＴ０遊技への移行条件としては、たとえば、ボーナス遊技終了後のＲＴ１遊技において所定のゲーム数（０ゲームであっても良い）を消化したことを条件としても良いし、また、特定の図柄の組合せ（たとえば、ＡＴ２〜４に関する不利入賞役（ベルこぼし目（１枚ＡＴ役））が入賞した場合など）を条件としても良い。
【０１７９】
上記ＲＴ０遊技は、リプレイ役の当選確率が低く、かつ非ＡＴ遊技に設定されており、他の遊技状態よりも遊技者に不利に作用する遊技状態（遊技者に付与される利益が低い遊技状態）となっている。なお上記ＲＴ０遊技中は、リプレイ役種のうち、ＣＡベル２と通常リプレイＡとが内部抽選対象役となっており、移行リプレイや特殊リプレイは内部抽選対象から除外されている。
【０１８０】
ここで図６を参照して、ＲＴ１遊技中はＲＴ０遊技中と比し、リプレイ確率（合算確率）が高確率に変動し（リプレイ確率について、ＲＴ０遊技中は約１／７．２９、ＲＴ１遊技中は約１／２．９２となる）、ハズレ（不当選）確率は極めて低確率に変動するようになっている（ハズレ確率について、ＲＴ０遊技中は約１／５３２．８、ＲＴ１遊技中は１／６５５３６となる）。なお、小役種の当選確率（合算確率）は、ＲＴ１遊技およびＲＴ０遊技ともに変動はなく、比較的高確率の当選確率（約１／１．５２）となっている。またＲＴ０遊技のＣＢＢの当選確率は比較的高確率（約１／４．９２）となっており、ＲＴ０遊技の開始から比較的短期間でＣＢＢに当選（概ね２１ゲーム程度内で約９９％の確率で当選）するようになっている。
【０１８１】
本実施形態では、上述したように、初期の遊技状態（初期遊技モード）である「ＲＴ０遊技」において‘ＣＢＢ’に当選し、その当選ゲームでＣＢＢに対応する図柄の組合せ（ＣＢＢ１）を入賞させることができなかった場合、次回ゲームからＲＴ１遊技に移行されるが、このＲＴ１遊技下では、一般役種が極めて高確率で当選するため、「小役優先制御」の働きにより、極めて低確率の「ハズレ」が当選しない限り、ＣＢＢ１を入賞させることができないようになっている（一般役種の合算当選確率は「６５５３５／６５５３６」、ハズレは「１／６５５３６」：図６参照）。
【０１８２】
特に本実施形態では、ＣＢＢに当選しても、これを知らせる演出は現出されず、またハズレに当選してもこれを知らせる演出は現出されないようになっている。このため、ＣＢＢが内部当選しても遊技者はそれを知る術がなく、また各回胴におけるＣＢＢに対応するＣＢＢ１の構成要素図柄は、図柄配列帯２００の図柄配置構成の関係上、取りこぼしとなる停止操作範囲が比較的広く（図２参照）、運よく「ハズレ」が抽選されたとしてもＣＢＢ１の入賞チャンスは当該ゲームしかない。したがって、実際にＣＢＢ１を入賞させることは極めて困難であり、ＲＴ１遊技中におけるＣＢＢ１の入賞率は、遊技者が仮に一日中パチンコホールで遊技に興じていても（たとえば、７〜８０００ゲーム程度）、実質的に不可能な入賞率であるといえる。したがって一旦ＲＴ１遊技に移行した場合には、ＣＢＢに関する上述した事象により、ＲＡＭクリアされない限り極めて稀にしかＲＴ０遊技には再移行されない。つまり実質的にＲＴ１遊技からＲＴ０遊技に再移行されることがない遊技性と等価的なものとなっている。
【０１８３】
このようにＣＢＢの入賞率を定める理由は、他の役構成やＡＴ遊技などの関係上、風俗営業等の規制及び業務の適正化等に関する法律による７号営業を対象としたパチンコ店に設置するような遊技機を対象として規定される、同法律おける遊技機の認定及び型式の検定等に関する規則に基づく「型式試験」による検定を通過させ、かつ、遊技設計上の所望の遊技性を確保するためである。
【０１８４】
以上に説明したように、本実施形態では、リプレイ確率が大きく異なる「ＲＴ０遊技」と「ＲＴ１遊技」とを設けているが、一旦ＲＴ１遊技に移行した後は、再度、ＲＴ０遊技に移行することは、確率上、極めて稀なものとなっている。これにより、ＣＢＢが内部当選中であるにもかかわらず、表面上は通常の遊技状態であるかのように振舞うようになっている。つまり、ＲＴ１遊技が、最も滞在期間が長い遊技状態となるように構成されている。したがって以下で説明する「遊技モード」に関し、主制御部側遊技状態（メインモード）については、ＲＴ１遊技に関連する遊技状態に着目しながら説明し、ＲＴ０遊技およびボーナス遊技に関連する遊技状態について説明は適宜省略する。
【０１８５】
（各遊技状態の内容と各遊技状態間の移行形態について）
次に、各遊技モードの内容と各遊技モード間の移行制御形態について説明する。以下では、「通常モード（通常モード１〜３）」から「ＡＴモード（疑似ボーナス）」に至るまで遊技ルートを中心的に説明しながら、各遊技モードの内容や遊技モード間の移行条件について詳細に説明する。
【０１８６】
先ず本発明の理解を容易なものとするために、図８〜図１０を参照しながら、各遊技モードの内容と、遊技モード間の移行の概要を説明しておく。
【０１８７】
（主制御部側遊技状態種別）
まず図１０（イ）を参照して、本実施形態の主制御部側遊技状態（メインモード）には、‘初期の遊技状態’に関連する「初期遊技モード（メインモード判定データ：Ｆ０Ｈ）」と、「通常遊技モード（メインモード判定データ：ＦＦＨ）」と、後述の‘フリーズ待機モード’に関連する「当選告知用フリーズ遊技モード（メインモード判定データ：１２Ｈ）」、「ハズレ告知用フリーズ遊技モード（メインモード判定データ：２２Ｈ）」、および「押順ミス用非フリーズ遊技モード（メインモード判定データ：３２Ｈ）」、といった複数種類の主制御部側遊技状態が設けられている（ボーナス遊技中については図示を省略）。これら主制御部側遊技状態におけるＲＴ遊技種別は、初期遊技モードはＲＴ０遊技、その他（ボーナス遊技を除く）はＲＴ１遊技中となっている。なお図示の「メインモード判定データ（以下、「メインデータ」と略す）」とは、主制御部側遊技状態（メインモード）を識別するためのデータである。
【０１８８】
（演出制御部側遊技状態種別）
また図１０（ロ）を参照して、演出制御部側遊技状態（演出モード）には、‘初期の遊技状態’に関連する「初期演出モード（演出モード判定データ：Ｆ０Ｈ）」と、上記‘通常遊技モード’に関連する「通常演出モード（演出モード判定データ：ＦＦＨ）」・「移行リプレイ１アシスト報知モード（演出モード判定データ：５３Ｈ）」・「移行リプレイ２アシスト報知モード（演出モード判定データ：６３Ｈ）」と、後述の‘フリーズ待機モード’に関連する「当選告知用フリーズ演出モード（演出モード判定データ：１２Ｈ）・「ハズレ告知用フリーズモード（演出モード判定データ：２２Ｈ）」・「押順ミス用非フリーズ演出モード１（当選中）（演出モード判定データ：３３Ｈ）」・「押順ミス用非フリーズ演出モード２（非当選中）（演出モード判定データ：４３Ｈ）」と、‘前兆ＡＴモード（フリーズ待機モードとＡＴモード間の前兆遊技）’に関連する「前兆ＡＴ遊技（演出モード判定データ：０ＣＨ）」と、‘ＡＴモード（疑似ボーナス）’に関連する「ＡＴ遊技（演出モード判定データ：０ＡＨ）」、といった複数種類の演出モードが設けられている（ボーナス遊技中については図示を省略）。なお、図示の「演出モード判定データ（以下、「演出データ」と略す）」とは、演出制御部側遊技状態（演出モード）を識別するためのデータである。
【０１８９】
（遊技機全体から捉えた遊技状態（遊技モード）種別）
上記した各種の主制御部側遊技状態と、各種の演出制御部側遊技状態との組合せにより、つまり遊技機全体から捉えた遊技状態（以下、「遊技モード」と称する）として、図１０（ハ）に示す複数種類の「遊技モード」を作り出している。本実施形態では、「初期モード」と、「通常モード１〜３」と、フリーズ待機モードに関連する「当選告知用フリーズモード」・「ハズレ告知用フリーズモード」・「押順ミス用非フリーズモード１（当選中）」・「押順ミス用非フリーズモード２（非当選中）」と、「前兆ＡＴモード」と、「ＡＴモード」とを含む複数種類の遊技モードを実現している。
【０１９０】
図８を参照して、上記した遊技モード間の移行についての概要を説明すれば、次のようになる。
【０１９１】
本実施形態では、まず遊技モードが「初期モード」または「通常モード１」である場合、所定の抽選条件の下でＡＴ抽選が実行され、そのＡＴ抽選結果に基づき、現在の遊技モードから「通常モード２」または「通常モード３」に移行されうるようになっている。
【０１９２】
上記通常モード２に移行された場合、通常モード２中において、移行リプレイＡに当選を契機に、当該当選ゲームにおいて、「移行リプレイ１」のアシスト報知が発生する。他方、上記通常モード３に移行された場合、通常モード３中において、移行リプレイＢの当選を契機に、当該当選ゲームにおいて、「移行リプレイ２」のアシスト報知が発生する。このとき、遊技者がそのアシスト報知に従う押し順（ここでは、移行リプレイＡ当選の場合には移行リプレイ１の押し順、移行リプレイＢ当選の場合には移行リプレイ２の押し順）を実行することにより、遊技モード間の移行が生じて、現在の遊技モードから「フリーズ待機モード」に移行される。なお、アシスト報知の内容に従わず、移行リプレイＡまたは移行リプレイＢに係る移行リプレイ３が入賞した場合にも「フリーズ待機モード」に移行されるようになっている。
【０１９３】
詳細は追って説明するが、上記「フリーズ待機モード」とは、ＡＴモードへの移行期待感（ＡＴ抽選当選期待感）を煽ること、およびＡＴモード移行告知（ＡＴ抽選による抽選結果告知）を、その主目的とする遊技モードである。このフリーズ待機モードは、所定のゲーム数（たとえば、８ゲーム）継続され、その最終ゲーム数目（本実施形態の場合、８ゲーム目）において、ＡＴ抽選の抽選結果（当否結果）が必ず報知されるようになっている。
【０１９４】
なお上記「フリーズ待機モード」には、ＡＴ抽選に当選だけでなく、ＡＴ抽選に非当選（ハズレ）となった場合にも移行される場合があり、「ハズレ」の場合は、原則、ＡＴ抽選の非当選が報知される「偽（ガセ）のフリーズ待機モード」に移行されることになる。つまり、上記「フリーズ待機モード」には、ＡＴ抽選当選を報知するための「真のフリーズ待機モード（ＡＴ抽選当選時に係るフリーズ待機モード：後述の‘当選告知用フリーズモード’と‘押順ミス用非フリーズモード１（当選中）’）」と、ＡＴ抽選非当選を報知するための「偽（ガセ）のフリーズ待機モード（ＡＴ抽選非当選（ハズレ）時に係るフリーズ待機モード：後述の‘ハズレ告知用フリーズモード’と‘押順ミス用非フリーズモード２（非当選中）’）」とが含まれる。
【０１９５】
そして上記「フリーズ待機モード」が終了したとき、ＡＴ抽選に当選していれば、ＡＴモード移行条件が成立したとして、それ以後のゲームにおいて、特殊リプレイＡまたは特殊リプレイＢのいずれかが当選を契機に、特殊リプレイ１または特殊リプレイ２を入賞させるためのアシスト報知が発生し、遊技者がそのアシスト報知に従い、所定の押し順（特殊リプレイ１または特殊リプレイ２を入賞させる押し順）を実行することにより、遊技モード間の移行が生じて、現在の遊技モードから「ＡＴモード」に移行されるようになっている。本実施形態では、上記特殊リプレイ１（青７リプレイ）または特殊リプレイ２（赤７リプレイ）のアシスト報知が発生する遊技モードとして「前兆ＡＴモード」を設けている。
【０１９６】
上記「前兆ＡＴモード」は、フリーズ待機モード終了後、ＡＴモード移行前に介在する前兆遊技であり、フリーズ待機モード終了後は、この「前兆ＡＴモード」に突入する。
【０１９７】
上記「前兆ＡＴモード」中は、特殊リプレイＡ、Ｂを対象とした特殊リプレイ１、２のアシスト報知の他、ＡＴ１〜４のうちの一部のＡＴ役を対象とした１２枚ＡＴ役（有利入賞役側）のアシスト報知（たとえば、ＡＴ１を対象とした１２枚ＡＴ役のアシスト報知）が実行されるようになっている。この点、後述のＡＴモードのように、ＡＴ１〜４のすべてのＡＴ役について１２枚ＡＴ役のアシスト報知が実行される「ＡＴ遊技」とは異なる。このようなアシスト報知が発生するＡＴ遊技の一態様を「特殊ＡＴ遊技」と称する。
【０１９８】
上記した「特殊ＡＴ遊技」は、ＡＴモードに係るＡＴ遊技のようにＡＴ１〜４当選時に１２枚ＡＴ役のアシスト報知を発生させない点で、ＡＴ遊技よりも相対的に利益状態が低いＡＴ遊技となっている。つまり、前兆ＡＴモード中は、通常モード１よりも相対的に利益状態（たとえば、１ゲーム当りの平均的利益状態）が高く、ＡＴモードよりも相対的に利益状態の低い中間的な利益状態である「中間ベースモード」として作用させることができる。これにより、遊技者の遊技メダルを通常モードよりも減らすことなく、特殊リプレイＡ〜Ｂの当選を待つことができるようになっている。ただし、特殊リプレイＡ〜Ｂの当選を待つ間、１ゲーム当りの平均純増枚数がプラスにならないに構成することが好ましい。これは、特殊ＡＴ遊技（前兆ＡＴモード）中の平均純増枚数がプラスになるようにしてしまうと、特殊リプレイ１、２の入賞を意図的に外して前兆ＡＴモード中のゲーム数を伸ばすことで、遊技者が毎ゲーム利益を獲得することができてしまう、といった技術介入が可能となり、パチンコホール側に著しい不利益を及ぼしてしまうからである。なお、特殊ＡＴ遊技中は、ＡＴ１〜４当選を契機に、所定の抽選により、アシスト報知を発生させるか否かを決定し、アシスト報知発生率を調整することにより、１ゲーム当りの平均純増枚数がプラスにならないように定めることができる。
【０１９９】
本実施形態では、上記「前兆ＡＴモード」の作用により、「青７リプレイ」や「赤７リプレイ」の入賞を容易にし、その入賞を契機に後述の「ＡＴモード」が発生するようになっている。したがって、前兆ＡＴモードは、高ベースモードである「ＡＴモード」への移行確定を告知する遊技モードとしての位置付けとなっている。また「青７リプレイ」や「赤７リプレイ」は、従来から利用されるボーナス図柄と同じような図柄の組合せであるので、利益状態の高い遊技モードへの移行を報知する図柄の組合せとして有用である。
【０２００】
なお、ＡＴ抽選に非当選の場合には、ＡＴモード移行条件不成立として、特殊リプレイＡ、Ｂが当選してもアシスト報知は発生せず、仮に特殊リプレイ１、２が入賞してもＡＴモードには移行されない（ＡＴ遊技は発生しない）。ＡＴ抽選に非当選の場合には、遊技モードが「通常モード１」に移行され、ＡＴモードには移行されないようになっている。
【０２０１】
上記「ＡＴモード」は、ＡＴ遊技の作用により、通常モードよりも遊技者に有利に作用する遊技モード（高ベースモード）となっている。このＡＴモード中では、ＡＴ１〜４（当選番号８〜１１）のいずれかに当選した場合、その当選役に割り当てられた有利入賞役（１２枚ＡＴ役）を入賞させるための押し順情報がアシスト報知（以下、必要に応じて、１２枚ＡＴ役に関するアシスト報知を「ベルナビ」とも称する）されるようになっている。ＡＴモードは、このベルナビにより、ＡＴ１〜４に係る１２枚ＡＴ役を容易に獲得することができるので、ベルナビが発生しない、または一部のベルナビが発生しうる他の遊技モード（たとえば、通常モード１〜３、前兆ＡＴモード）よりも遊技者に有利なゲーム展開とされる。
【０２０２】
（各遊技モードの内容と、遊技モード間の移行について：図８〜図１０）
次に図８〜図１０を参照して、各遊技モードの内容と遊技モード間の移行とについて詳細に説明する。
【０２０３】
本実施形態に係る回胴式遊技機では、既に説明したように、上記した「初期モード（ＲＴ０遊技）」においてＣＢＢに当選し、当該当選ゲームでそのＣＢＢに対応する図柄の組合せ（ＣＢＢ１）を入賞させることができなかった場合、次回ゲームからＲＴ１遊技の「通常モード１」に移行される。
【０２０４】
上記「通常モード１」は、メインモードが「通常遊技モード（ＦＦＨ）」、演出モードが「通常演出モード（ＦＦＨ）」となっている（図１０（ハ）の通常モード１の欄参照）。ここで「通常演出モード（ＦＦＨ）」中は‘非ＡＴ遊技’となっており、本実施形態の場合、押順規定役（ＡＴ１〜４、移行リプレイＡ〜Ｂ、特殊リプレイＡ〜Ｂ）に当選しても有利入賞役を対象としたアシスト報知は実行されない。ただし、遊技モードの移行を伴わない「ＡＴ１〜４」については、抽選により有利入賞役の「１２枚ＡＴ役」を入賞させるための押し順情報をアシスト報知しても良い。
【０２０５】
（通常モード１から、通常モード２または通常モード３の移行について）
上記「通常モード１」中においては、特定の抽選対象役に当選した場合、「ＡＴ抽選（図３１参照）」が実行される。
【０２０６】
このＡＴ抽選に当選した場合、「移行リプレイ１アシスト報知状態」が発生する。具体的には、演出モードが「通常演出モード（ＦＦＨ）」から「移行リプレイ１アシスト報知モード（５３Ｈ）」に移行され、遊技モードが「通常モード２」に移行される。なお、メインモードは通常遊技モード（ＦＦＨ）のまま移行されない（図１０（ハ）参照）。
【０２０７】
この通常モード２中では、移行リプレイＡに当選した場合、遊技モードを移行させるための特定の押し順（ここでは、移行リプレイ１に関する押し順）がアシスト報知される。つまり、上記移行リプレイ１アシスト報知モードは、ＡＴ遊技の一態様であり、移行リプレイＢが当選した場合に移行リプレイ２の入賞に関する押し順がアシスト報知される、といった演出モードとなっている。
【０２０８】
そして、遊技者がその報知内容に従い、回胴を停止操作することにより、現在の通常モード１から「真のフリーズ待機モード（当選告知用フリーズモード）」に移行される。ただし、アシスト報知の内容に従わず、たとえば、移行リプレイＡに係る移行リプレイ３が入賞した場合にも「真のフリーズ待機モード（押順ミス用非フリーズモード１（当選中））」に移行されるようになっている（押し順ミスにより、通常リプレイ１が入賞した場合についての詳細は、追って説明する）。ＡＴ抽選に当選した場合は、この真のフリーズ待機モードを経由して「ＡＴモード」に移行されることになる。つまり、ＡＴ抽選に当選した場合、ＡＴモード移行権利を獲得したとして、「通常モード１」→「通常モード２」→「フリーズ待機モード（ＡＴ当選中）」の順に複数段階的に遊技モードが昇格的に移行していき、最終的に、高ベースモードである「ＡＴモード」に移行されるようになっている。
【０２０９】
また本実施形態の場合、ＡＴ抽選に非当選（ハズレ）となった場合であっても、後述の「偽フリーズ待機モード抽選（図３２参照）」に当選した場合には、「移行リプレイ２アシスト報知状態」が発生するようになっている。具体的には、演出モードが‘通常演出モード（ＦＦＨ）’から‘移行リプレイ２アシスト報知モード（６３Ｈ）’に移行され、遊技モードが「通常モード３」に移行される。なお、メインモードは、通常遊技モードのまま移行されない（図１０（ハ）参照）。
【０２１０】
この通常モード３中では、移行リプレイＢに当選した場合、遊技モードを移行させるための特定の押し順（ここでは、移行リプレイ２に関する押し順）がアシスト報知される。つまり、上記移行リプレイ２アシスト報知状態は、ＡＴ遊技の一態様であり、移行リプレイＢが当選した場合に移行リプレイ２の入賞に関する押し順がアシスト報知される、といった演出モードとなっている。
【０２１１】
そして、遊技者がそのアシスト報知内容に従い回胴を停止操作することにより、ＡＴ抽選に当選した場合と同じく「フリーズ待機モード」に移行されるようになっている。ただし、この場合において、通常モード３から移行されるフリーズ待機モードは、ＡＴ抽選に当選した場合の「真のフリーズ待機モード」ではなく、「偽（ガセ）のフリーズ待機モード（ハズレ告知用フリーズモード）」である。
【０２１２】
なおアシスト報知の内容に従わず、移行リプレイＢに係る移行リプレイ３が入賞した場合には同じく「偽のフリーズ待機モード（押順ミス用非フリーズモード２（非当選中））」に移行されるようになっている（押し順ミスにより、通常リプレイ１が入賞した場合についての詳細は、追って説明する）。つまり、ＡＴ抽選に非当選（ハズレ）であって、偽フリーズ待機モード抽選（図３２）に当選した場合には、遊技モードが「通常モード１」→「通常モード３」→「フリーズ待機モード」の順に複数段階的に昇格移行していくが、ＡＴモード移行権利を獲得できなかったとして、最終的には「ＡＴモード」に移行されずに、「通常モード１」に再移行されるようになっている。
【０２１３】
このように本実施形態では、ＡＴ抽選当選に係る「真のフリーズ待機モード」と、ＡＴ抽選非当選に係る「偽のフリーズ待機モード」とを設けることにより、ＡＴモード移行前に介在する「フリーズ待機モード」において、遊技者のＡＴ当選期待感を大いに煽ることができるようになっている。
【０２１４】
（通常モード２、３に係る演出態様（状態報知演出態様）について）
なお、通常モード２（移行リプレイ１アシスト報知状態）、または通常モード３（移行リプレイ２アシスト報知状態）中は、フリーズ待機モードへの移行確定状態である旨を報知する専用の演出態様（フリーズ待機モード前兆中演出：たとえば、背景演出が専用の演出画像に変化する）が現出されるようになっている。また、移行リプレイ１、２のアシスト報知発生時は、遊技者がこれに従うように特に注目させるために、移行リプレイ１、２のアシスト報知発生時には、インパクトのある専用の報知演出態様（特殊アシスト報知演出：たとえば、爆発音を発生させたり、所定のＬＥＤを虹色発色したり、液晶表示画面に専用の報知演出画像を現出させる）が現出されるようになっている。
【０２１５】
また本実施形態では、移行リプレイＡ、Ｂに関し、「当選告知用フリーズモード（１２Ｈ）」および「ハズレ告知用フリーズモード（２２Ｈ）」に移行させるための、正しい押し順の割り当てを複数（２種類）設けている（図６の移行リプレイＡ、Ｂの欄参照）。この押し順については、ＡＴ抽選の結果に基づき、いずれの押し順が報知されるかが抽選（押し順抽選）により決定されるようになっている。具体的には、「当選告知用フリーズモード（１２Ｈ）」への移行契機となる「移行リプレイＡ」当選時は、移行リプレイ１が入賞する複数種類の押し順（「右左中」および「中右左」の２種類）のうち、「右左中」の押し順を指示するアシスト報知の方が相対的に高確率で発生するようになっており（たとえば、「右左中」は６０／１００、「中右左」は４０／１００の確率で発生）、これに対し、「ハズレ告知用フリーズモード（２２Ｈ）」への移行契機となる「移行リプレイＢ」当選時は、移行リプレイ２が入賞する複数種類の押し順（「右左中」および「中右左」の２種類）のうち、「中右中」の押し順を指示するアシスト報知の方が相対的に高確率で発生するようになっている（たとえば、「中右中」は６０／１００、「右左中」は４０／１００の確率で発生）。これにより、いずれの押し順を指示するアシスト報知が発生するかにより、ＡＴ抽選の当否の推測要素を遊技者に与えることができるので、遊技の面白みを増すことができる。
【０２１６】
以下、特に必要のない限り、「移行リプレイ１アシスト報知状態」または「移行リプレイ２アシスト報知状態」を‘フリーズ待機モード前兆ＡＴ遊技’と称し、「移行リプレイ１に関するアシスト報知」または「移行リプレイ２に関するアシスト報知」を‘フリーズ待機モード移行アシスト報知’を称する。
【０２１７】
（ＡＴ抽選テーブル：図３１）
上記ＡＴ抽選は、演出制御部４１０側において、図３１に示す「ＡＴ抽選テーブル（疑似ボーナス抽選テーブル）」に基づいて実行される。この「ＡＴ抽選テーブル」は、図示のように、演出モードが、初期演出モード（Ｆ０Ｈ）、通常演出モード（ＦＦＨ）、および後述のフリーズ待機モードに係る特定の遊技モード（ハズレ告知用フリーズ演出モード（２２Ｈ）または押順ミス用非フリーズモード（非当選中）（４３Ｈ））中である場合に利用され、「真のフリーズ待機モード」への移行抽選確率、換言すれば、「ＡＴモード」への移行抽選確率（判定値（当選領域）／抽選領域（６５５３６））が、特定の当選役（ＡＴ抽選契機役）種別とフリーズ演出種別（フリーズ未発生、フリーズ１〜３）とに関連付けて定められている。たとえば、通常ゲーム１中において、今回のゲームで‘強スイカ（当選番号５）’に当選し、かつフリーズ演出種別が‘未発生’（図示の未発生）であれば、「８１９２／６５５３６」の確率でＡＴ抽選当選となる。これにより、遊技モードは、現在の通常モード１から通常モード２に移行されることになる。なお図中のセル内に示した数値（判定値）は、抽選領域の大きさ（６５５３６）に対する判定値（当選領域）の占有領域数である。
【０２１８】
また本実施形態に係るＡＴ抽選テーブルでは、図示のように、フリーズ演出が発生する場合には（後述のフリーズ演出抽選（図３３）によりフリーズ演出１〜３のいずれかが抽選された場合）、フリーズ演出が未発生の場合よりも、ＡＴ抽選の当選確率が相対的に高く定められている。これは、フリーズ演出が発生した場合に、遊技者にＡＴ抽選当選への期待感を高めるためである。また基本的には、内部抽選確率が低確率な抽選対象役ほど、また低確率なフリーズ演出種別ほど、ＡＴ抽選が優遇されるようになっている。
【０２１９】
また本実施形態のＡＴ抽選契機役には、図示のように、弱チェリー、強チェリー、弱スイカ、強スイカ、ＣＡベル１〜２などの複数種類の抽選対象役が含まれる。これらの抽選対象役は、ＡＴ遊技の発生に関係する抽選対象役である点で、ＡＴ遊技への移行契機役（ＡＴ遊技移行契機役）として作用する。ＡＴ遊技移行契機役は、遊技状態（ここでは、演出モード）の移行契機となる点で、一の遊技状態から他の遊技状態への移行契機となる「状態移行契機役」に属する。
【０２２０】
（偽フリーズ待機モード抽選テーブル：図３２）
上記ＡＴ抽選に非当選（ハズレ）となった場合、偽フリーズ待機モード抽選が実行されるようになっている。偽フリーズ待機モード抽選は、演出制御部４１０側において、図３２に示す「偽フリーズ待機モード抽選テーブル」に基づいて実行される。この「偽フリーズ待機モード抽選テーブル」は、図示ように、演出モードが、初期演出モード（Ｆ０Ｈ）または通常演出モード（ＦＦＨ）中である場合に利用され、「偽のフリーズ待機モード」への移行抽選確率（判定値（当選領域）／抽選領域（１００））が、当選役種別とフリーズ演出種別（フリーズ未発生、フリーズ１〜３）とに関連付けて定められている。たとえば、通常ゲーム１中において、今回のゲームで‘強スイカ（当選番号５）’に当選し、かつフリーズ演出種別が‘未発生’（図示の未発生）場合においてＡＴ抽選にハズレとなったとき、図示の偽フリーズ待機モード抽選テーブルに基づく偽フリーズ待機モード抽選が実行され、このケースでは、‘５０／１００’の確率で、偽フリーズ待機モード抽選当選となる。これにより、遊技モードは、現在の通常モード１から通常モード３に移行されることになる。
【０２２１】
また本実施形態に係る偽フリーズ待機モード抽選テーブルでは、フリーズ演出が発生する場合には、フリーズ演出が未発生の場合よりも、偽フリーズ待機モードへの移行確率が相対的に高く定められている。これは、ＡＴ抽選（図３１）が、フリーズ演出が発生する場合はフリーズ演出が未発生の場合よりもＡＴ抽選の当選確率が相対的に高く定められているからであり、フリーズ演出が発生した場合は、フリーズ待機モード（ここでは、偽の偽フリーズ待機モード）を移行させるようにして、遊技者のＡＴ抽選当選期待感を煽るためである。
【０２２２】
なお、上記のＡＴ抽選や偽フリーズ待機モード抽選に関し、その実行契機となる抽選対象役（ＡＴ抽選契機役）や、その抽選確率には特に制限はなく、遊技性に応じて適宜変更することができる。
【０２２３】
またフリーズ待機モードの前兆遊技となる「通常モード２、３（フリーズ待機モード前兆ＡＴ遊技）」の発生条件は、必ずしもＡＴ抽選によるものではなく、たとえば、ゲーム数解除条件が成立した場合にも発生可能とすることができる。このゲーム数解除条件は、特定の遊技状態の終了後（たとえば、ＡＴモード終了後や初期モードから通常モード１に移行後など）、所定のゲーム数を消化（所謂「天井ゲーム数」に到達）したことを条件に発生させることができる。上記ゲーム数解除条件が成立した場合、ＡＴ抽選に当選とみなし、フリーズ待機モード前兆ＡＴ遊技を発生させることができる。なお上記ゲーム数解除条件が成立した場合に、ＡＴ抽選を実行しても良い。
【０２２４】
またその他の発生条件として、たとえば、ＡＴ抽選契機役の当選累積回数（たとえば、強チェリーなら通算５回、弱チェリーなら通算１０回など）や、ＡＴ抽選契機役の連続当選（たとえば２ゲーム連続で強チェリーや強スイカに当選など）などを、その条件とすることができる。また、ＡＴ抽選契機役とならない特定の一般役種（たとえば、ＡＴ１〜４の一部または全部）の当選累積回数や連続当選を条件としても良い。なお、上述した条件のうち、１または複数種類の条件を採用するかは自由である。
【０２２５】
ただし本実施形態では、通常モード１において回胴の停止操作する際に「変則押し」を実行した場合、アシスト報知未発生時に「変則押し」をした場合、遊技者に不利に作用する「ペナルティ」が発生するようになっている。上記「変則押し」とは、第１停止操作回胴を左回胴５ａとする押し順以外の押し順、つまり「左押し」以外の押し順である。
【０２２６】
詳細は後述するが、このペナルティが発生すると、その遊技期間は、遊技者に不利なゲームが展開され、たとえば、ＡＴ抽選を無効化する（ＡＴ抽選が実行されない、またはＡＴ抽選自体は実行されるが、仮に、当選したとしても、その当選を無効（ハズレ）として処理される）、あるいはアシスト報知が所定ゲーム数制限される、ＡＴモードの継続ゲーム数が減少される、などのペナルティが発生するようになっている。
【０２２７】
斯様な「ペナルティ」を設けることにより、遊技者に対して、正規手順を守らせて、積極的にアシスト報知に従わせるようになっている。これは、ゲーム進行上、意図しない利益が遊技者に付与されたり、遊技モードが移行してしまうことを防止するためである。
【０２２８】
（フリーズ演出について：図３３）
次に、上記フリーズ演出について説明する。
【０２２９】
本実施形態では、所定の条件に基づいて、遊技進行を通常の遊技進行よりも遅延させるフリーズ状態（遅延状態）に制御可能に構成されている。このフリーズ状態は、主として、所定の遊技動作処理を所定時間進行しないようにして、通常時よりも遊技進行を遅延状態下に制御することにより発生される。
【０２３０】
上記フリーズ状態としては、たとえば、回胴回転始動レバー１１が操作された後に実行される所定の遊技処理を通常時よりも遅延させる遅延状態制御下に置き、以って、本来の遊技進行を遅延させるものが挙げられる。代表的なものには、回胴回転始動レバー１１が操作された後、全回胴が通常回転動作に入る前に、その通常回転動作の実行処理を中断し、回胴の停止操作の受付を所定期間無効状態化する。そして、このフリーズ状態の期間を利用して、たとえば、回胴５ａ，５ｂ，５ｃの回転動作を、通常とは異なる回転動作態様に制御して、遊技者に対して意外性を与えうる「回胴演出」を現出させたり、演出制御部４１０側で制御される演出手段（装飾ランプ１３やスピーカ１６や液晶表示装置６などの演出手段）を利用した演出を現出させる。
【０２３１】
上記「回胴演出」とは、フリーズ（遅延状態）中における回胴の動的な動き、または静的な動き、あるいはその組合せによる回胴による演出（回胴演出）を意味する。「回胴の動的な動き」とは、通常回転（順方向に通常速度回転する）とは異なった動きをする「変則回転（変則回転動作）」である。変則回転の代表的なものは、回胴の逆回転、逆方向への寸動、左右または上下に震える運動、逆方向から順方向に回転して逆方向に戻る折り返し運動、各回胴が時間的にずれて次々と逆方向に回転開始する変則スタート、低速順回転など、である。また「回胴の静的な動き」とは全回胴が静止状態にいること、つまりフリーズ状態中に静止していることを意味する。なお、この静止状態は、全回胴が完全に静止した静止状態だけでなく、見た目上、静止していると遊技者に認識しうる状態を含む。このように回胴演出には、回胴を「変則回転」させるものと、回胴を「無回転」のままとするものとがある。なお、一の回胴は動的な動きをさせ、他の回胴を静的な動きをさせるなど（たとえば、左回胴と右回胴は変則回転、中回胴は無回転）、動的な動きと静的な動きとを組合せた回胴演出を実行させることもできる。
【０２３２】
上記のような「フリーズ状態中の演出態様」は「フリーズ演出」と称され、基本的には、主制御部４００側で制御される各回胴５ａ，５ｂ，５ｃの動作態様を利用した「フリーズ中メイン側演出（回胴演出）」と、演出制御部４１０側で制御される演出手段を利用した「フリーズ中サブ側演出（演出手段による演出）」とが連携した演出態様となっている。なお、フリーズ状態が発生したからといって、必ずしも回胴演出や演出手段による演出が発生するとは限らず、フリーズ状態の発生それ自体が遊技者に違和感を与えるという観点から、回胴演出やフリーズ中サブ側演出が何ら発生しなくとも、フリーズ状態の発生自体が「フリーズ演出」をなす場合もある。
【０２３３】
本実施形態では、フリーズ状態の一例として、回胴回転始動レバー１１の本来の目的の操作、つまり通常時において回胴を回転始動させる目的で行う回胴回転始動レバー１１操作を検出したことを契機として、遊技進行上の次の段階である操作または処理（回胴の通常回転の開始）を遅延対象として、これを有効化するタイミングを所定時間（フリーズ時間）だけ遅延させ、回胴の通常回転動作の開始をそのフリーズ時間分遅延させる、といった、次のようなフリーズ演出（フリーズ１〜３）を発生可能に構成されている（図３３、図１２、図１５参照）。
【０２３４】
たとえば「フリーズ１」は、回胴回転始動レバー１１の操作後、所定のフリーズ時間（たとえば、６秒）だけ回胴を無回転状態とし、通常回転動作を遅延させる回胴演出（無回転回胴演出）含むフリーズ演出種別となっている。
【０２３５】
また「フリーズ２」は、回胴回転始動レバー１１の操作後の所定のフリーズ時間（たとえば、６秒）において、「変則回転」による回胴演出（変則回転回胴演出）を含むフリーズ演出種別となっている。
【０２３６】
また「フリーズ３」は、上述のフリーズ２と同じく、回胴回転始動レバー１１の操作後の所定のフリーズ時間（たとえば、６秒）において、「変則回転」による回胴演出を実行し、一旦全回胴を仮停止状態（たとえば、見かけ上、完全停止状態ではない状態）とした後、所定の可動体役物が所定期間動作（たとえば、１０秒）する、といったステップアップ的なフリーズ演出種別となっている。この「フリーズ３」は、回胴回転始動レバー１１の操作後の所定のフリーズ時間（たとえば、６秒間）における回胴演出は、フリーズ２と同一の回胴演出が実行され、またフリーズ中サブ側演出も同じ演出が実行され、フリーズ演出の途中までは、見かけ上、「フリーズ２」と「フリーズ３」のどちらのフリーズ演出が発生したのかを遊技者から秘匿されるようになっている。これにより、フリーズ２が発生したとしても、フリーズ３が発生するかもしれないという期待感を遊技者に与えることができるようになっている。
【０２３７】
なお「フリーズ状態」については、たとえば、（イ）１ベットボタン９操作またはＭＡＸベットボタン８操作による遊技メダル賭数設定動作（遊技メダル投入処理動作）、（ロ）回胴回転始動レバー１１操作による回胴の回転始動動作（回胴の回転開始動作に係る処理）、（ハ）回胴回転停止ボタン１２操作（回胴回転停止ボタン１２ａ、１２ｂ、および１２ｃの少なくともいずれか一つ）による回胴の回転停止動作（回胴の停止制御に係る処理動作）、（ニ）遊技メダルの払い出し動作（遊技メダルの払い出し動作に係る処理動作）、（ホ）再遊技作動（再遊技を付与するための再遊技作動に係る処理動作）、などの遊技進行（遊技動作処理）のうち少なくとも一部を通常の遊技進行よりも遅延させる状態を「フリーズ状態」として扱うことができる。
【０２３８】
（フリーズ演出抽選）
上記した各フリーズ演出（フリーズ演出１〜３）は、フリーズ演出抽選に基づいて、その発生が決定される。このフリーズ演出抽選は、主制御部４００側において、図３３に示す「フリーズ演出抽選テーブル」に基づいて実行される。
【０２３９】
（フリーズ演出抽選テーブル：図３３）
本実施形態に係るフリーズ演出抽選テーブルは、図示のように、主制御部側遊技状態（メインモード）が「通常遊技モード（ＦＦＨ）」中である場合に利用され、他の遊技モードでは利用されないようになっている。フリーズ演出抽選テーブルには、フリーズ１〜３の抽選確率が、特定の当選役（フリーズ演出抽選契機役）種別とフリーズ演出種別（フリーズ１〜３）とに関連付けて定められている。たとえば、当選役が弱チェリー（当選番号２）の場合、フリーズ１が抽選確率「１０／２５６」で選択され、フリーズ２が抽選確率「６／２５６」で選択され、フリーズ３が抽選確率「２／２５６」で選択される。なお図中のセル内に示した数値（判定値）は、抽選領域の大きさ２５６に対する判定値（当選領域）の占有領域数である。
【０２４０】
上記フリーズ演出抽選に関し、その実行契機となる抽選対象役（フリーズ演出抽選契機役）およびその抽選確率、フリーズ演出抽選契機役に対し、いずれのフリーズ演出種別が抽選対象となるかについては特に制限はなく、本発明の目的を達成できるものであれば、自由に定めることができる。また、いずれのフリーズ演出が発生した場合に図３１のＡＴ抽選が優遇されるかについても、ゲーム性などを考慮して適宜定めることができる。
【０２４１】
（フリーズ待機モードについて）
次に図９を参照しながら、フリーズ待機モードについて詳細に説明する。図９は、フリーズ待機モードの説明に供する説明図である。
【０２４２】
本実施形態に係るフリーズ待機モードは、規定ゲーム数（本実施形態では、８ゲーム）継続する「ゲーム数限定（遊技期間限定）の遊技モード」となっており、フリーズ待機モード終了となる最終ゲーム目（８ゲーム目）において、ＡＴ抽選による抽選結果が報知されるようになっている。
【０２４３】
このフリーズ待機モードの最大の特徴は、フリーズ演出（フリーズ状態）の発生（実行）タイミングが予定されている点である。上記フリーズ待機モードでは、特定のフリーズ演出（フリーズ状態）が発生するゲーム数が予定され、そのフリーズ演出内容が、それよりも前のゲームで実行されたＡＴ抽選による抽選結果が報知される、といった遊技モードとなっている。具体的には、フリーズ待機モードへの移行を決定付ける特定の条件が成立したゲームを基点ゲームとし（ここでは、基点ゲームがフリーズ待機モード０ゲーム目）、その基点ゲームから少なくとも複数ゲーム先にフリーズ演出の実行（発生）ゲームが予定して、そのフリーズ演出態様により、フリーズ待機モード移行前のゲームで実行されたＡＴ抽選による抽選結果が報知されるようになっている。
【０２４４】
このことは、内部抽選による抽選結果に依存しないフリーズ演出を発生可能な遊技状態を作り出し、その演出態様を利用して、特定の遊技情報を遊技者に報知できることを意味する。本実施形態では、主制御部４００側の制御だけでフリーズ演出の発生を制御するのではなく、演出制御部４１０側の演出制御（アシスト報知制御）とうまく連携させることで、将来実行されるゲームにおいて、フリーズ演出の発生（実行）を予定させることができるようになっている。
【０２４５】
本実施形態では、フリーズ待機モードの最終ゲーム（８ゲーム目）にフリーズ演出の発生が予定されるようになっており、この最終ゲームにおいて、インパクトのあるフリーズ演出が発生し、この演出態様を利用して、ＡＴ抽選による抽選結果、つまり、「ＡＴモード」に移行するか否かについてが報知されるようになっている。したがって、最終ゲームに近づくにつれて、遊技者の緊張感が高まり、最終ゲームが遊技者が最も関心を寄せるゲーム数目とされる。
【０２４６】
また、フリーズ待機モードにおける途中のゲーム間（１〜７ゲーム間）においては、遊技者のＡＴ当選期待感を煽るための種々の「煽り演出」が現出されるようになっている。本実施形態では、ＡＴ抽選の当否状態に基づいて、ＡＴ抽選当選可能性がある旨を示唆する演出（当選期待度に関連する演出）を実行可能に構成されている。たとえば、ＡＴ抽選当選中の場合にはＡＴ抽選非当選中の場合よりも、特定の演出の現出率が相対的に高まるようになっている。ＡＴ抽選の当否結果に応じて、現出しうる演出を異ならせることで、遊技者にＡＴ抽選結果を推測する推測要素を与え、フリーズ待機モードの面白みを向上させることができる。
【０２４７】
また、フリーズ待機モードの残余ゲーム数に基づく演出も実行可能に構成されている。たとえば、残余ゲーム数に関する情報を液晶表示装置６に表示したり（たとえば、最終ゲーム数目までの残余ゲーム数をカウントダウン表示する）、残余ゲーム数に応じた種々の「煽り演出」を現出させたりすることができるようになっている。残余ゲームに基づく演出を現出させることで、最終ゲーム目が近づいていることを強調することができる。これにより、遊技者の緊張感や期待感を高めて、フリーズ待機モードの面白みを向上させることができる。
【０２４８】
（フリーズ待機モードに係る遊技モードについて）
上記フリーズ待機モードには、遊技モードとして、「当選告知用フリーズモード」、「ハズレ告知用フリーズモード」、「押順ミス用非フリーズモード１（当選中）」、および「押順ミス用非フリーズモード２（非当選中）」の複数種類の遊技モードが含まれる（図９および図１０（ハ）参照）。いずれのフリーズ待機モードに係る遊技モードに移行するかは、ＡＴ抽選結果と移行リプレイＡ〜Ｂの当選時における押し順に応じて、移行先が決定されるようになっている。以下、上記の各遊技モードの内容、その移行形態に着目しながら、フリーズ待機モード中の遊技形態を詳細に説明する。
【０２４９】
先ず本発明の理解を容易なものにするために、上記の各フリーズ待機モードの概要を説明しておく。
【０２５０】
（当選告知用フリーズモード）
上記「当選告知用フリーズモード」とは、フリーズ待機モードの最終ゲーム目において、ＡＴ抽選結果が「当選」であった旨を報知するための遊技モードである（図９のＷ１０３参照）。ＡＴモードには、原則として、この「当選告知用フリーズモード」を経由して移行されることになる。
【０２５１】
（ハズレ告知用フリーズモード）
上記「ハズレ告知用フリーズモード」とは、フリーズ待機モードの最終ゲーム目において、ＡＴ抽選結果が「非当選（ハズレ）」であった旨を報知するための遊技モードである。最終ゲーム目に「ハズレ告知用フリーズモード」に滞在していた場合、ＡＴモードに移行されずに、通常モード１に移行される（図８、図９のＬ１０３参照）。
【０２５２】
（押順ミス用非フリーズモード１（当選中）：ＡＴ当選時）
上記「押順ミス用非フリーズモード１（当選中）」とは、ＡＴ抽選に当選して「通常モード２」に移行したが、通常モード２中の移行リプレイＡの当選を契機に発生する「移行リプレイ１のアシスト報知」が発生したゲームにおいて、遊技者の押し順ミスにより、アシスト報知内容に従わない押し順を実行してしまい、本来入賞させるべき「移行リプレイ１」が入賞せずに「移行リプレイ３」が入賞した場合に移行される遊技モードである（図９のＷ１０１、Ｍ１０１参照）。この「押順ミス用非フリーズモード１（当選中）」に移行した場合、フリーズ待機モードの最終ゲーム目において「当選告知用フリーズモード」と同じくＡＴ抽選結果が「当選」であった旨を報知されるが、当該最終ゲーム目においてフリーズ演出は発生されない。
【０２５３】
（押順ミス用非フリーズモード２（非当選中）：ＡＴ抽選非当選時）
上記「押順ミス用非フリーズモード２（非当選中）」とは、ＡＴ抽選にハズレとなり、偽フリーズ待機モード抽選に当選して「通常モード３」に移行したが、通常モード３中の移行リプレイＢの当選を契機に発生する「移行リプレイ２に関するアシスト報知」が発生したゲームにおいて、遊技者の押し順ミスにより、アシスト報知内容に従わない押し順を実行して、本来入賞させるべき「移行リプレイ２」が入賞せずに「移行リプレイ３」が入賞した場合に移行される遊技モードである（図９のＬ１０１、Ｍ１０１参照）。この「押順ミス用非フリーズモード２（非当選中）」に移行した場合、フリーズ待機モードの最終ゲーム目において「ハズレ告知用フリーズモード」と同じくＡＴ抽選結果が「非当選（ハズレ）」であった旨を報知されるが、当該最終ゲーム目においてフリーズ演出は発生されない。
【０２５４】
（通常モード２中の移行リプレイＡに係る通常リプレイ１入賞について）
なお、通常モード２は、既に説明したように「フリーズ待機モード前兆中演出」が現出され、通常時は出現しない「特殊アシスト報知演出」が発生する。このため、遊技者が通常モード２中におけるアシスト報知発生時に、斯様な演出を見過ごし、通常時と同じく「順押し」を実行してしまい「通常リプレイ１」が入賞してしまうケースは、非常に稀であると考えられる。したがって、制御負担の軽減の観点から、このようなレアケースに対処することなく、特殊アシスト報知演出中に「通常リプレイ１」が入賞した場合には、通常モード１中の通常リプレイ１入賞と同じく遊技モードの移行を生じさせないようにし（図１７、図３４参照）、フリーズ待機モード移行のために、再度、移行リプレイＡの当選を待つように構成しても良い。しかしこの場合には、移行リプレイＡの再当選を待つことになるため、フリーズ待機モードの移行が先延ばしになってしまい、これに伴いＡＴモード移行も先延ばしとなり、結果、ゲーム数が嵩むだけで、遊技者に不利なゲーム展開となりうる。そこで、通常モード２中に移行リプレイ１のアシスト報知が発生した当該ゲームにおいて、どのような押し順であっても「フリーズ待機モード」に移行させるべく、次のような構成することが好ましい。
【０２５５】
通常モード２中の移行リプレイ１のアシスト報知発生時に、遊技者が押し順ミスをして「通常リプレイ１」が入賞した場合、メインモードは移行しないが、演出モードは「押順ミス用非フリーズ演出モード１（当選中）」に移行させ、演出上は「押順ミス用非フリーズ演出モード１（当選中）」を装うようにする。
【０２５６】
この場合、主制御部４００側では「通常遊技モード（ＦＦＨ）」として遊技処理を行うことになるが、演出モードが「押順ミス用非フリーズ演出モード１（当選中）」であるため、遊技モード自体は、疑似的な「押順ミス用非フリーズモード１（当選中）（メインモード「ＦＦＨ」＋演出モード「３３Ｈ」）」となる。つまり、演出制御部４１０側の制御により、メインモードが本来の遊技モードに移行しなかったとしても、演出処理により、フリーズ待機モードに係る演出モードに移行させる。これにより、演出上は、「押順ミス用非フリーズ演出モード１（当選中）」と同じ演出モードであることから、最終ゲーム目において、ＡＴ抽選結果が「当選」であった旨を報知することができ、また遊技者に不利益を与えることもないので、特に問題は生じないと考えられる。
【０２５７】
なお、この疑似的な「押順ミス用非フリーズモード１（当選中）」中においては、最終ゲームである８ゲームが到来する前に、移行リプレイＡが当選した場合、移行リプレイ１のアシスト報知を発生させて、再度、メインモードを本来のモードに移行させる機会を遊技者に与える、といったことはしていない。具体的には、最終ゲームである「８ゲーム目」が到来する前に移行リプレイＡが当選した場合に、移行リプレイ１のアシスト報知を発生させる（最終ゲームの８ゲーム目は、ＡＴ抽選結果を報知する告知演出（抽選結果報知演出）を現出する関係上、移行リプレイＡに当選しても移行リプレイ１のアシスト報知をする意味がないため）、といったことはしていない。
その理由は次の通りである。
【０２５８】
本実施形態の場合、フリーズ状態の実行制御については、主制御部４００側がその機能部を担っており、演出制御部４１０側はフリーズ状態の制御それ自体には一切関与しておらず、演出手段による演出制御だけを司る制御部となっている。また主制御部４００側においては、演出制御部４１０側が管理する演出モードやＡＴ抽選による抽選結果や今回のゲームでどのようなアシスト報知が発生したかなどについて、これを知ることができない。これは、既に説明したように、外部からのゴト行為を防止するため、演出制御部４１０側は一方向通信における入力としてのみ機能するようになっており、演出制御部４１０側から何らかの情報を主制御部４００側には送信不可能な構成とされているためである。このため、主制御部４００側では、現在の演出モードについては把握しておらず、単に、図１０（イ）に示すメインモード種別を管理しているだけである。つまり、主制御部４００側では、現在の遊技モードが、疑似的な「押順ミス用非フリーズモード１（当選中）」および通常モード１〜３のいずれであっても通常遊技モード（ＦＦＨ）として遊技処理を行うことになる。
【０２５９】
したがって、主制御部４００側では、現在の遊技モードが疑似的な「押順ミス用非フリーズモード１（当選中）」の場合は「通常遊技モード（ＦＦＨ）」として遊技処理を行うことになるため、当該遊技モード中に移行リプレイ１が入賞してしまうと、それが、通常モード１〜３中の移行リプレイ１の入賞であるのか、それとも、疑似的な「押順ミス用非フリーズモード１（当選中）」中の移行リプレイ１の入賞であるのかを判別することができない。このため、主制御部４００は、移行リプレイ１が入賞したことを確認すると、そのゲームを基点ゲームとして、フリーズ状態の発生を次回ゲームから８ゲーム目に予定してしまうからである。このため、疑似的な「押順ミス用非フリーズモード１（当選中）」中においては、演出制御部４１０側の制御により、移行リプレイＡ当選時には、通常リプレイ１をアシスト報知し（通常リプナビ：嘘告知）、メインモードの移行を制限させるようにしている。
【０２６０】
（通常モード３中の移行リプレイＢに係る通常リプレイ１入賞について）
通常モード３中の通常リプレイ１入賞についても、上述した「通常モード２中の移行リプレイＡに係る通常リプレイ１入賞」と同事象のように、非常に稀なケースであるが、このケースについても、上述した通常モード２の場合と同じ理由から、通常モード３中に移行リプレイ２のアシスト報知が発生した当該ゲームにおいて、どのような押し順であっても「フリーズ待機モード」に移行させることが好ましい。
【０２６１】
したがって、通常モード３中の移行リプレイ２のアシスト報知発生時に、押し順ミスをして「通常リプレイ１」が入賞してしまった場合、演出モードを「押順ミス用非フリーズ演出モード２（当選中）」に移行させ、演出上は「押順ミス用非フリーズ演出モード２（非当選中）」を装うようにする。この場合、主制御部４００側では「通常遊技モード（ＦＦＨ）」として遊技処理を行うことになるが、演出モードが「押順ミス用非フリーズ演出モード２（非当選中）」であるため、遊技モード自体は、疑似的な「押順ミス用非フリーズモード２（非当選中）（メインモード「ＦＦＨ」＋演出モード「４３Ｈ」）」となる。これにより、演出上は、「押順ミス用非フリーズ演出モード２（非当選中）」と同じ演出態様が展開されることから、最終ゲーム目において、フリーズ待機モード中のＡＴ抽選に当選していなければＡＴ抽選結果が「非当選（ハズレ）」である旨を、フリーズ待機モード中のＡＴ抽選に当選していれば「当選」である旨を正しく報知することができ、遊技者に不利益を与えることもないので、特に問題は生じないと考えられる。
【０２６２】
なお本実施形態に係る通常モード３中は、ＡＴ抽選が制限（禁止）されており、再抽選によりＡＴ当選となることもない（図３１の演出モードの欄、図１０の通常モード３の欄参照）。これは、フリーズ待機モード前にＡＴ抽選を行い、その結果がフリーズ待機モード中に報知される、といった関係上、一旦ＡＴ抽選が実行され、フリーズ待機モードに移行すると決定された後は、フリーズ待機モードの意義を持たせるために、通常モード３中のＡＴ抽選を制限している。しかし本発明はこれに限らず、通常モード３中にＡＴ抽選を実行可能な構成にしても良い。この場合、通常モード３中にＡＴ抽選に当選したときは、通常モード２に移行させる構成とすれば良い。ただし遊技者側に対しては、通常モード２または通常モード３のいずれに移行されたかを演出上から秘匿することが好ましい。これは、現在の遊技モードが通常モード３中であることを遊技者側に把握されてしまうと、フリーズ待機モード移行前に、ＡＴ抽選結果がハズレである旨が判明してしまうからである。
【０２６３】
（通常モード２中の「移行リプレイ２」の入賞、通常モード３中の「移行リプレイ１」の入賞について）
なお、これも非常に稀なケースであるが、通常モード２中に「移行リプレイ２」が入賞してしまうケース、または通常モード３中に「移行リプレイ１」が入賞してしまうケースもありうる。具体的には、たとえば、通常モード２中に、移行リプレイＢが当選したとき、遊技者が不注意などにより、たまたま移行リプレイ２が入賞してしまうケースである。
【０２６４】
このようなレアケースが発生すると、主制御部４００側では、現在の演出モード自体は把握いないため、現在の遊技モードが通常モード１〜３のいずれかであっても「通常遊技モード（ＦＦＨ）」として遊技処理を行うことになる。これは、既に説明したように、外部からのゴト行為を防止するため、演出制御部４１０側は一方向通信における入力としてのみ機能し、演出制御部４１０側から何らかの情報を主制御部４００側には送信不可能な構成とされている。このため主制御部４００側では、現在の演出モードについては把握しておらず、単に、図１０（イ）に示すメインモード種別を管理しているだけである。
【０２６５】
したがって、通常モード２中に「移行リプレイ２」が入賞してしまうと、主制御部４００側は「移行リプレイＢ当選による移行リプレイ２の入賞である」として処理し、メインモードを「ハズレ告知用フリーズ遊技モード」に移行させてしまう（図３４参照）。また通常モード３中に「移行リプレイ１」が入賞してしまうと、主制御部４００側は「移行リプレイＡ当選による移行リプレイ１の入賞である」と処理し、メインモードを「当選告知用フリーズ遊技モード」に移行させてしまう（図３４参照）。これにより、ＡＴ抽選結果と矛盾したフリーズ待機モードに移行されてしまう、といった不都合が生じる。
【０２６６】
そこで本実施形態では、このようなレアケースが発生した場合の対処法として、演出制御部４１０側で管理される演出モードが、通常モード２に係る「移行リプレイ１アシスト報知モード（５３Ｈ）」中に‘移行リプレイ２’が入賞してしまった場合は、演出モードを「押順ミス用非フリーズ演出モード１（当選中）（演出モード：３３Ｈ）」に移行させ、通常モード３に係る「移行リプレイ２アシスト報知モード（６３Ｈ）」中に‘移行リプレイ１’が入賞してしまった場合は、演出モードを「押順ミス用非フリーズ演出モード２（非当選中）（演出モード：４３Ｈ）」に移行させる。つまり、本来入賞させるべき入賞役が入賞せずにメインモードが正しく移行制御されなかった場合であっても、演出制御部４１０側がＡＴ抽選結果に対応した演出モードを管理することにより、最終ゲーム目において、ＡＴ抽選結果を正しく報知し、さらにＡＴモードの移行も正しく行うことができる。ただし、このケースでは、メインモードに不整合が生じているので、本来のＡＴ抽選結果に対応した回胴演出とは矛盾した回胴演出が実行されうることになるが、このようなケースは、非常にレアケースである点、回胴演出自体に矛盾が生じたとしても、演出上は、正しい情報が報知される点、演出制御部４１０側で本ケースに対応した演出を現出可能に構成することができる点、ＡＴ抽選結果に応じた利益が付与され、遊技者に対して不測の不利益を与えることがない点、制御負担を無闇に増大させることがない点（特に主制御部４００側の制御に負担をかけることなく、演出制御部４１０側の演出制御により対処可能である点（パチンコ店に設置するような風俗営業等の規制及び業務の適正化等に関する法律による７号営業を対象とした遊技機においては、同法律おける遊技機の認定及び型式の検定等に関する規則により、遊技動作全般の制御を司る主基板（本実施形態では、主制御部４００が該当する）に装着されるＲＯＭのプログラム容量が制限されているため（同規則別表第３  不正な改造その他の変更を防止するための遊技機の構造に係る技術上の規格（第６条関係）等の要請により、主制御部４００側のプログラム削減等は重要な意義を有する）などから、特に問題は生じないと考えられる。
【０２６７】
なお本実施形態では、通常時に正規手順の順押しを守らずに変則押しを実行したり、アシスト報知の内容に従わない押し順を実行したりした場合、その旨を遊技者に警告報知する押し順ミス報知演出（通常押し順ミス報知演出：たとえば、第１停止操作時に警告音を発生させる）が実行されるようになっている。特に、フリーズ待機モード移行アシスト報知発生時の押し順ミスにより、遊技モードが「押順ミス用非フリーズモード」に移行されるときには、その旨を遊技者に知らせるべく、上述の通常押し順ミス報知演出とは異なる、専用の報知演出（警告報知演出）が実行されるようになっている。これにより、遊技者に対し、遊技モードが「押順ミス用非フリーズモード」に移行される旨を知らせることができるようになっている。
【０２６８】
また本実施形態では、移行リプレイＡに係る入賞役（通常リプレイ１、移行リプレイ１、移行リプレイ３）と、移行リプレイＢに係る入賞役（通常リプレイ１、移行リプレイ２、移行リプレイ３）とが同一の図柄の組合せとなっている（図６参照）。また上記フリーズ待機モード移行アシスト報知の内容は、当選役種別を秘匿し、押し順内容が報知されるだけとなっている。つまり、「当選告知用フリーズモード」と「ハズレ告知用フリーズモード」とに関する移行契機入賞役が同じ図柄の組合せで構成されており、「押順ミス用非フリーズモード１（当選中）」と「押順ミス用非フリーズモード２（非当選中）」とに関する移行契機入賞役が同じ図柄の組合せで構成されており、これにより、演出上からも成立した入賞役からも「当選告知用フリーズモード」と「ハズレ告知用フリーズモード」とのいずれの遊技モード移行されたのか、または「押順ミス用非フリーズモード１（当選中）」と「押順ミス用非フリーズモード２（非当選中）」とのいずれの遊技モード移行されたのかを秘匿し、移行先の遊技モードを遊技者側に悟らせないようにしている。これにより、フリーズ待機モードの最終ゲーム数目（８ゲーム目）までＡＴ抽選結果を不明確して、その途中の遊技期間（１〜７ゲーム間）において遊技者のＡＴ当選期待感を煽ることができるようになっている。
【０２６９】
（フリーズ待機モード中の遊技モードの遷移状態について）
再び図９を参照して、フリーズ待機モード中の遊技モードの遷移状態について詳細に説明する。フリーズ待機モードへの移行は、既に説明したように、まず通常モード１中におけるＡＴ抽選を契機として、通常モード２または通常モード３（フリーズ待機モード前兆ＡＴ遊技）に移行される（図９のＡ１０１→Ｗ１０１、またはＡ１０１→Ｌ１０１参照）。そして、通常モード２中の移行リプレイＡの当選、通常モード３中の移行リプレイＢの当選を契機とするアシスト報知（フリーズ待機モード移行アシスト報知）の内容に従い、所定の押し順がなされた場合に移行されうる（図９のＷ１０２、Ｍ１０１、Ｌ１０２参照）。
【０２７０】
また上述したように、フリーズ待機モードには、遊技モードが「通常モード２」から移行される移行ルートと、「通常モード３」から移行される移行ルートとが存在する。そして、いずれの通常モードから移行されたかに応じて、フリーズ待機モード中に滞在しうる遊技モードが異なる。以下、通常モード２から移行される移行ルートと、通常モード３から移行される移行ルートとに分けて説明する。なお以下では、説明の便宜のために、上記フリーズ待機モード移行アシスト報知が発生したゲーム以外では、押し順ミスがないものとして説明する。
【０２７１】
（通常モード２から移行される移行ルート）
先ず、通常モード２からフリーズ待機モードに移行された場合の遊技モードの遷移状態について説明する。図９を参照して、通常モード２からの移行ルートには、下記の（イ）第１の遊技ルートと、（ロ）第２の遊技ルートとがある。
【０２７２】
（第１の遊技ルート（移行リプレイ１が入賞した場合：正しい押し順の場合）
（イ）「通常モード２（Ｗ１０１）」→（移行リプレイ１入賞：正しい押し順の場合）→「当選告知用フリーズモード（Ｗ１０２：煽り演出区間の１〜７ゲーム間）」→「当選告知用フリーズモード（Ｗ１０３：告知演出の８ゲーム目）」、フリーズ演出を伴うＡＴモード移行当選（ＡＴ抽選当選）告知（後述の告知用フリーズ演出が発生する）。
【０２７３】
（第２の遊技ルート（移行リプレイ１が入賞しなかった場合：押し順ミスの場合）
（ロ）「通常モード２（Ｗ１０１）」→（移行リプレイ３入賞：押し順ミスの場合）→「押順ミス用非フリーズモード１（Ｍ１０１：煽り演出区間の１〜７ゲーム間）」→「押順ミス用非フリーズモード１（Ｗ１０４：告知演出の８ゲーム目）」、フリーズ演出を伴わないＡＴモード移行当選（ＡＴ抽選当選）告知（告知用フリーズ演出は発生しない（告知用非フリーズ演出が発生する））。
【０２７４】
上記第１の遊技ルートは、移行リプレイ１の押し順が正しく実行された場合（移行リプレイ１入賞時）の遊技ルートであり、上記第２の遊技ルートは、移行リプレイ１の押し順をミスした場合（移行リプレイ３入賞時）の遊技ルートとなっている。いずれの遊技ルートもＡＴ抽選に当選した場合に辿る遊技ルートであり、通常モード２から移行されうる「当選告知用フリーズモード」および「押順ミス用非フリーズモード１（当選中）」は、「真のフリーズ待機モード」である。
【０２７５】
したがって、上記第１の遊技ルートおよび第２の遊技ルートのいずれも、フリーズ待機モードの最終ゲームの８ゲーム目において、ＡＴモード移行される旨（ＡＴ抽選当選である旨）が報知されるようになっている（図９のＷ１０３、Ｗ１０４参照）。
【０２７６】
（第１の遊技ルートにおける最終ゲームの告知演出について）
第１の遊技ルートの「当選告知用フリーズモード」滞在時は、最終ゲームの８ゲーム目において、フリーズ１〜３とは異なる告知専用のフリーズ演出（以下、「告知用フリーズ演出」と称する）が発生し、このフリーズ演出を利用して、ＡＴモード移行を祝福するインパクトのある「祝福演出（フリーズ有り祝福演出）」が現出されるようになっている。
【０２７７】
本実施形態に係る告知用フリーズ演出は、変則回転動作を伴う回胴演出を含むフリーズ演出態様となっており、たとえば、回胴回転始動レバー１１の操作後、所定のフリーズ時間（たとえば、３０秒）において、所定の図柄の組合せ（たとえば、「ＢＡＲ」−「ＢＡＲ」−「ＢＡＲ」：ＢＡＲ図柄揃い）を、所定の成立ライン（たとえば、中段横ライン）上に仮停止させたり、それ以外のバラケ目を仮停止させたりするように回転動作を繰り返し行い、ＢＡＲ揃いが停止するか否かの期待感を煽るような変則回転動作を行い、フリーズ時間の終盤（たとえば、２５秒後）に、「ＢＡＲ揃い」を中段横ラインに仮停止させる。そして、ＢＡＲ揃いの仮停止状態を所定時間（残りの５秒間）保持し、回胴演出側では、これを以って、ＡＴ抽選に当選した旨（ＡＴモード移行権利を獲得した旨）が報知されるようになっている。またこの回胴演出に伴い、演出手段によるフリーズ中サブ側演出も発生させ、特に、「ＢＡＲ揃い」の仮停止状態中は、たとえば、液晶画面上に「ボーナス確定！！」などを表示し、派手な光演出や音演出を利用したインパクトのあるフリーズ中サブ側演出が現出される。なお、告知用フリーズ演出の演出態様は、本発明の目的を達成できるものであれば特に制限されない。そして、フリーズ時間が経過した後は、通常の遊技進行の通りに、通常回転動作が開始され、本来の回胴の停止操作が許容されることとなる。
【０２７８】
（第２の遊技ルートにおける最終ゲーム目の告知演出について）
一方、第２の遊技ルートの「押順ミス用非フリーズモード１（当選中）」滞在時は、最終ゲームの８ゲーム目に「当選告知用フリーズモード」のようなフリーズ演出は発生しないが、所定のタイミング（たとえば、遊技メダル投入を契機として、または、回胴回転始動レバー１１の操作を契機として、または、回胴回転停止ボタン１２の停止操作を契機として、あるいは、全回胴停止を契機として）にて、演出手段によるフリーズ中サブ側演出を利用し、たとえば、液晶画面上に「ボーナス確定！！」などを表示し、派手な光演出や音演出を利用したインパクトのある「祝福演出（フリーズ無し祝福演出）」が現出され、これを以って、ＡＴ抽選に当選した旨が報知されるようになっている。
【０２７９】
なお、メインモードに関し、ＡＴ抽選に当選である場合の上記「押順ミス用非フリーズモード１（当選中）」と、ＡＴ抽選に非当選である場合の「押順ミス用非フリーズモード２（非選中）」とは、メインモードが同じ「３２Ｈ」として管理されているが、演出モードは「ＡＴ抽選当選中（演出モード‘３３Ｈ’）」と「ＡＴ抽選非当選中（演出モード‘４３Ｈ’）」といった異なる演出モードとして管理されている（図９のＭ１０１、図１０（ハ）参照）。これにより、押し順ミスにより、押順ミス用非フリーズモード１〜２のいずれかに移行されたとしても、演出制御部４１０側がＡＴ抽選結果に対応した演出モードを管理しているので、最終ゲーム目において、ＡＴ抽選結果を正しく報知することができるようになっている。これにより、フリーズ待機モードにおけるＡＴ抽選結果の報知に矛盾が生じないようにして、遊技者が遊技機に対して不信感を抱くことを防止することができる。
【０２８０】
なお、上記第１の遊技ルートおよび第２の遊技ルートに係るフリーズ待機モード中では、ＡＴ抽選当選が確定しているため、ＡＴ抽選は実行されない。
【０２８１】
（通常モード３から移行される移行ルート）
次に、通常モード３からフリーズ待機モードに移行された場合の遊技モードの遷移状態について説明する。通常モード３からの移行ルートには、下記の（ハ）第３の遊技ルートと、（ニ）第４の遊技ルートとがある。
【０２８２】
（第３の遊技ルート（移行リプレイ２が入賞した場合：正しい押し順の場合）
（ハ）「通常モード３（Ｌ１０１）」→（移行リプレイ２入賞：正しい押し順の場合）→「ハズレ告知用フリーズモード（Ｌ１０２：煽り演出区間の１〜７ゲーム間）」→「ハズレ告知用フリーズモード（Ｌ１０３：告知演出の８ゲーム目）」、フリーズ演出を伴うＡＴモード移行非当選（ＡＴ抽選非当選）告知（告知用フリーズ演出が発生する）。
【０２８３】
（第４の遊技ルート（移行リプレイ２が入賞しなかった場合（移行リプレイ３が入賞した場合）：押し順ミスの場合）
（ニ）「通常モード３（Ｗ１０１）」→（移行リプレイ３入賞：押し順ミスの場合）→「押順ミス用非フリーズモード２（Ｍ１０１：煽り演出区間の１〜７ゲーム間）」→「押順ミス用非フリーズモード２（Ｌ１０４：告知演出の８ゲーム目）」、フリーズ演出を伴わないＡＴモード移行当選（ＡＴ抽選当選）告知（告知用フリーズ演出は発生しない（告知用非フリーズ演出が発生する））。
【０２８４】
上記第３の遊技ルートは、移行リプレイ２の押し順が正しく実行された場合（移行リプレイ２入賞時）の遊技ルートであり、上記第４の遊技ルートは、移行リプレイ２の押し順をミスした場合（移行リプレイ３入賞時）の遊技ルートである。いずれの遊技ルートもＡＴ抽選に非当選（ハズレ）した場合に辿る遊技ルートであり、通常モード３から移行されうる「ハズレ告知用フリーズモード」および「押順ミス用非フリーズモード２」は、「偽のフリーズ待機モード」である。
【０２８５】
したがって、上記第３の遊技ルートおよび第４の遊技ルートのいずれも、フリーズ待機モードの最終ゲームの８ゲーム目において、ＡＴ抽選非当選である旨（ＡＴモード移行とはならない旨）が報知されるようになっている（図９のＬ１０３、Ｌ１０４参照）。
【０２８６】
（第３の遊技ルートにおける最終ゲームの告知演出について）
第３の遊技ルートの「ハズレ告知用フリーズモード」滞在時は、第１の遊技ルートの「当選告知用フリーズモード」と同じように、最終ゲームの８ゲーム目において、告知用フリーズ演出が発生し、このフリーズ演出を利用して、ＡＴ抽選に非当選である旨（ＡＴモード移行とはならない旨）を報知する「残念演出（フリーズ有り残念演出）」が現出されるようになっている。
【０２８７】
上記「ハズレ告知用フリーズモード」による告知用フリーズ演出は、上記のような「残念演出」を現出させる関係上、「当選告知用フリーズモード」による告知用フリーズ演出とは異なるフものとなっている。ただし本実施形態では、遊技者のＡＴモード移行期待感を大いに煽るべく、「ハズレ告知用フリーズモード」による特別フリーズ演出と「当選告知用フリーズモード」による告知用フリーズ演出とを一部を同じ演出態様、たとえば、フリーズ時間の終盤まで同じ演出態様としている。具体的には、「当選告知用フリーズモード」による告知用フリーズ演出では、既に説明したように、フリーズ時間の終盤（たとえば、２５秒後）に、ＢＡＲ揃いを中段横ラインに仮停止させるという回胴演出を行い、これを以ってＡＴモード移行を報知するが、これに対し、「ハズレ告知用フリーズモード」による告知用フリーズ演出では、フリーズ時間の終盤（たとえば、２５秒後）にＢＡＲ揃いを中段横ラインに仮停止させるように見せかけて、ＢＡＲ揃いの崩れ目（たとえば、「ＢＡＲ」−「ＢＡＲ」−「チェリー２」など）を仮停止させ、回胴演出側では、これを以って、ＡＴ抽選に非当選である旨（ＡＴモード移行権利を獲得できなかった旨）を報知するようになっている。またこの回胴演出に伴い、演出手段によるフリーズ中サブ側演出も発生させ、ＢＡＲ揃いの崩れ目の仮停止状態中に、たとえば、液晶画面上に「残念・・。」などを表示し、ＡＴ抽選に非当選である旨を報知するようになっている。
【０２８８】
（第４の遊技ルートにおける最終ゲーム目の告知演出について）
一方、第４の遊技ルートの「押順ミス用非フリーズモード２（非当選中）」滞在時は、最終ゲームの８ゲーム目に「ハズレ告知用フリーズモード」のようなフリーズ演出は発生しないが、既に説明した「押順ミス用非フリーズモード１（当選中）」のケースと同じく、所定のタイミング（たとえば、遊技メダル投入を契機として、または、回胴回転始動レバー１１の操作を契機として、または、回胴回転停止ボタン１２の停止操作を契機として、あるいは、全回胴停止を契機として）にて、演出手段によるフリーズ中サブ側演出により、たとえば、液晶画面上に、「残念・・・」などを表示して、ＡＴ抽選に非当選である旨を報知する「残念演出（フリーズ無し残念演出）」が現出されるようになっている。
【０２８９】
（偽のフリーズ待機モード中のＡＴ抽選について）
上記第３の遊技ルートおよび第４の遊技ルートに係るフリーズ待機モード（偽のフリーズ待機モード）は、ＡＴ抽選に非当選の場合の遊技ルートであり、最終的に、ＡＴ抽選が非当選である旨が報知される遊技ルートとなっている。
【０２９０】
ところで上記フリーズ待機モード中において、ＡＴ抽選を一切実行しない構成としても良いが、そうすると、フリーズ待機モードが「最終ゲームおいてＡＴ抽選結果を報知するだけ」といった遊技モードになり、単なる消化遊技の様相を呈することにも成り兼ねない。そこで本実施形態では、上記「偽のフリーズ待機モード」中においてＡＴ抽選が実行されるようにし、偽のフリーズ待機モード滞在中であってもＡＴモード移行へのチャンスを与え、遊技者に対し、ＡＴモード移行期待感を与えることができるようになっている。
【０２９１】
具体的には、ＡＴ抽選結果が非当選の場合に移行される「ハズレ告知用フリーズモード」中か、または「押順ミス用非フリーズモード２（非当選中）」中においてＡＴ抽選が実行されるようになっており、このモード中にＡＴ抽選に当選すると、内部的にはＡＴ当選状態となる（後述の図２６のステップＳ７５７参照）。このＡＴ当選状態（待機モード中ＡＴフラグＯＮ状態）において、フリーズ待機モードが終了する８ゲーム手前の７ゲーム目までに、移行リプレイＡに当選すると、移行リプレイ１のアシスト報知が発生するようになっている。
【０２９２】
このとき、移行リプレイ１が入賞すれば、遊技モードが昇格移行され、「ハズレ告知用フリーズモード」中である場合に限り、「当選告知用フリーズモード」に昇格移行されるようになっている（後述の図３０のステップ８５２〜Ｓ８５４参照）。なお、最終ゲームの８ゲーム目は、上記告知用フリーズ演出を現出する関係上、昇格移行する意味が無く、移行リプレイＡに当選しても移行リプレイ１のアシスト報知は実行しないで（このときは、通常リプナビ（嘘告知）を実行する）告知演出が現出されるようになっている（後述の図２６のステップＳ７５１（＝０）→Ｓ７６０の処理ルート参照）。
【０２９３】
ここで上記「押順ミス用非フリーズモード２（非当選中）」中に「当選告知用フリーズモード」に昇格移行されない理由は次の通りである。
【０２９４】
本実施形態では、「押順ミス用非フリーズモード１（当選中）」と「押順ミス用非フリーズモード２（非当選中）」とは、演出モードに関して異なる演出モード（「３３Ｈ」と「４３Ｈ」）として管理されている（図１０（ロ）および（ハ）参照）。しかしメインモードに関しては、同じ「押順ミス用非フリーズ遊技モード（３２Ｈ）」として管理されている（図１０（イ）および（ハ）参照）。
【０２９５】
また既に説明したように、主制御部４００側は、演出制御部４１０側が管理する演出モードやＡＴ抽選による抽選結果や今回のゲームでどのようなアシスト報知が発生したかなどについて、これを知ることができない。つまり主制御部４００側は、現在の遊技モードが「押順ミス用非フリーズモード２（非当選中）」であるか、「押順ミス用非フリーズモード１（当選中）」であるかは分からず、移行リプレイ１が入賞した場合、それがＡＴ抽選当選に基づき入賞したものであるのか、それとも遊技者の不注意や恣意的による押し順によって入賞したものなのかを知ることができない。このため、主制御部４００側では、メインモードが「押順ミス用非フリーズ遊技モード（３２Ｈ）」である場合、メインモードの移行は生じさせないようになっている（図３４、図１８参照）。ただし、演出制御部４１０側においては、ＡＴ抽選結果を把握しているので、最終ゲーム目が「押順ミス用フリーズ演出モード２（４３Ｈ）」ある場合、ＡＴ抽選に当選していれば祝福演出を現出し、ＡＴ抽選に非当選であれば残念演出を現出する（図２８のステップＳ７８１、Ｓ７８２参照）。
【０２９６】
一方、メインモードが「ハズレ告知用フリーズ遊技モード（２２Ｈ）」である場合、移行リプレイ１が入賞したときは、主制御部４００側では「当選告知用フリーズ遊技モード（１２Ｈ）」に昇格移行させ（図１８のステップＳ４３５参照）、演出制御部４１０側ではこれに伴い、「当選告知用フリーズ演出モード（１２Ｈ）」に昇格移行させ（図３０のステップＳ８５４参照）、遊技モードを「当選告知用フリーズモード」に移行させる（図１０（ハ）参照）。以上により、ＡＴ抽選結果を正しく報知することができるようになっている。
【０２９７】
なお、ＡＴ当選状態において、フリーズ待機モードが終了する８ゲーム目までに、移行リプレイＡに当選しなかった場合には、現在の遊技モードである「ハズレ告知用フリーズモード」か、または「押順ミス用非フリーズモード２（非当選中）」が継続したまま、最終ゲームが到来することになる。この場合は、演出制御部４１０側がＡＴ当選状態を把握しているので、最終ゲーム目において、ＡＴ抽選結果を正しく報知し、ＡＴモードの移行も正しく行うことができるようになっている。たとえば、ＡＴ当選状態の「ハズレ告知用フリーズモード」の場合には、告知用フリーズ演出において、一旦ＡＴ抽選に非当選である旨が報知されるが（たとえば、フリーズ有り残念演出）、その後の所定のタイミング（たとえば、回胴回転始動レバー１１の操作を契機として、または回胴回転停止ボタン１２の停止操作を契機として、または全回胴停止を契機として、あるいは、次回ゲームの賭数設定（遊技メダル投入）を契機として）、演出手段を利用した「復活演出（フリーズ無し復活演出）」が現出され、これを以って、ＡＴ抽選に当選した旨が報知されるようになっている（後述の図２７のステップＳ７７４（ＹＥＳ）→Ｓ７７６の処理ルート参照）。また「押順ミス用非フリーズモード２（非当選中）」についても同様に、演出手段を利用した「復活演出（フリーズ無し復活演出）」が現出され、これを以って、ＡＴ抽選に当選した旨が報知されるようになっている（後述の図２８のステップＳ７８０（ＹＥＳ）→Ｓ７８２の処理ルート参照）。
【０２９８】
（フリーズ待機モード中のフリーズ演出抽選について）
なお本実施形態に係るフリーズ待機モード中は、フリーズ演出抽選が実行されないようになっている（図３３のフリーズ抽選条件のメインモードの欄参照）。これにより、フリーズ待機モード中は、フリーズ演出が発生しない分、ＡＴ抽選の当選確率が通常モード１よりも相対的に低確率とされる（ＡＴ抽選時は、図３１のＡＴ抽選テーブルの「未発生」の欄が参照される）。これは、フリーズ待機モードは、主として、それ以前に実行されたＡＴ抽選の抽選結果を報知するための遊技モードである点、８ゲーム間という比較的短期間においてＡＴ当選期待感を煽る遊技モードである点などから、フリーズ待機モードでは、フリーズ演出の発生を制限してＡＴ抽選確率を低下させるようにし、極力、フリーズ待機モード移行前になされたＡＴ抽選の抽選結果に従う告知演出を予定されたゲーム数目（最終の８ゲーム目）に現出させるためである。なお、押し順ミスにより遊技モードに不整合が生じている場合、たとえば、既に説明した、通常モード２中の移行リプレイＡに係る通常リプレイ１入賞した場合や、通常モード３中の移行リプレイＢに係る通常リプレイ１が入賞した場合は、メインモードが「通常遊技モード（ＦＦＨ）」として遊技処理を行うことになり、フリーズ演出が発生しうるケースもあるので、演出モードが「フリーズ待機モード」に係る演出モードである場合は、フリーズ演出未発生として処理し、ＡＴ抽選の当選確率を変動させることが好ましい。
【０２９９】
勿論、フリーズ待機モード中も通常遊技モード（ＦＦＨ）と同じく、図３３に示す「フリーズ演出抽選テーブル」に基づくフリーズ演出抽選を実行して、そのフリーズ抽選結果と図３１のＡＴ抽選テーブルとに基づくＡＴ抽選を実行しても良い。
【０３００】
また、通常モードとは異なるＡＴ抽選確率が定められた「フリーズ待機モード中専用のＡＴ抽選テーブル（フリーズ待機モード中ＡＴ抽選テーブル）」を設け、これに基づき、ＡＴ抽選を実行しても良い。
【０３０１】
たとえば、通常モードよりも相対的に低確率となるフリーズ待機モード中ＡＴ抽選テーブルを設けた場合、上述したように、フリーズ待機モードをそれ以前に実行されたＡＴ抽選の抽選結果を報知するための遊技モードとしての意義を持たせることができる。また通常モードよりも相対的に高確率となるフリーズ待機モード中ＡＴ抽選テーブルを設けた場合、フリーズ待機モード中の８ゲーム間が、ＡＴ抽選確率が高確率に変動する「ＡＴ高確モード」となり、遊技者に対し、通常モードよりもＡＴ当選期待感や緊張感を煽ることができるので、遊技性を豊富にすることができるので好適である。本実施形態の場合、ＡＴ抽選に非当選した場合は、さらに図３２の偽フリーズ待機モード抽選が実行され、これに当選した場合には、再度、「ＡＴ高確モード」というＡＴ抽選確率変動チャンスを付与する、といった二段式階ＡＴ抽選を持つ遊技機として構成することができる。
【０３０２】
また本実施形態では、フリーズ待機モード終了後、前兆ＡＴモードを経て、ＡＴモードに移行すると説明したが、本発明はこれに限られない。フリーズ待機モード終了後、特殊リプレイ１〜２の入賞を待つことなく、直ちに、ＡＴモードに移行させて（たとえば、フリーズ待機モード終了ゲームの次回ゲームからＡＴモードに移行させる）、スムーズな遊技進行が可能な構成としても良い。この場合、ＡＴモードへの移行契機となる「ＡＴモード移行契機役（ここでは、特殊リプレイＡ〜Ｂ（特殊リプレイ１〜２））」として働く抽選対象役は、必要ない。
【０３０３】
またフリーズ待機モード中は、ＡＴ１〜４の一部を対象（たとえば、ＡＴ２〜３）に１２枚ＡＴ役をアシスト報知する上記「特殊ＡＴ遊技」を発生させるようにしても良い。これにより、フリーズ待機モード中は、通常モード１よりも相対的に利益状態（たとえば、１ゲーム当りの平均的利益状態）が高く、ＡＴモードよりも相対的に利益状態の低い中間的な利益状態である「中間ベースモード」として作用させることができる。その結果、利益状態が異なる複数種類の遊技モードを実現することができるので、遊技性の自由度が増し、遊技の面白みを向上させることができる。なお、フリーズ待機モード中に、ＡＴモードと同様のＡＴ遊技を発生させても良い。これにより、ＡＴモードよりも継続ゲーム数は少ないが、１ゲーム当りの利益状態が、ＡＴモードと同じ利益状態とすることができる。この場合、フリーズ待機モードを「ＡＴ抽選に係る抽選結果告知モード」として、さらに「高ベースモード」として機能させることができるので、遊技性の自由度が増し、遊技の面白みを向上させることができる。
【０３０４】
またフリーズ待機モード中は、アシスト報知未発生時の変則押しに対して、ペナルティを与えることにより、想定外の遊技モードの移行を極力防止している。具体的には、メインモードに移行が生じうる移行リプレイ１〜３の入賞を回避するために、アシスト報知身発生時は順押しを、アシスト報知発生時はその内容に従うことを守らせるようにしている。なお、移行リプレイＡ〜Ｂおよび特殊リプレイＡ〜Ｂのいずれかが当選した場合には、遊技モードを移行させないように、または特定のリプレイが導出表示されることで（たとえば、赤７リプレイ（特殊リプレイ１）や青７リプレイ（特殊リプレイ２））、遊技者に特定の遊技価値が付与されるものと勘違いしてしまうことを防止するために、不利入賞役側の通常リプレイ１を対象とするアシスト報知（通常リプナビ：嘘告知）を実行することが好ましい。
【０３０５】
また本実施形態では、通常モード２または通常モード中において、フリーズ待機モード移行が決定付けられるゲーム（移行リプレイＡ、Ｂ当選ゲーム）で、遊技者が押し順をミスをし、通常モード２または通常モード３のいずれの遊技モードであっても、メインモードを同じ「押順ミス用非フリーズ遊技モード（３２Ｈ）」に移行させる制御を行うようになっているが、その理由は次の通りである。
【０３０６】
本実施形態では、通常モード２中または通常モード３中において、「移行リプレイ１」または「移行リプレイ２」の入賞を契機に、演出により遊技進行を盛り上げるべく、フリーズ演出の発生が予定される「当選告知用フリーズモード」または「ハズレ告知用フリーズモード」が設定されるようになっているが、メインモード（主制御部側遊技状態）に関しては、通常モード２または通常モード３は、通常モード１と同じ「通常遊技モード（ＦＦＨ）」として管理されている。
【０３０７】
また既に説明したように、、フリーズ状態の実行制御については、主制御部４００側がその機能部を担っており、演出制御部４１０側はフリーズ状態の制御それ自体には一切関与しておらず、演出手段による演出制御だけを司る制御部となっている。また主制御部４００側においては、演出制御部４１０側が管理する演出モードやＡＴ抽選による抽選結果や今回のゲームでどのようなアシスト報知が発生したかなどについて、これを知ることができない。したがって、主制御部４００側では、現在の遊技モードが、通常モード１〜３のいずれかであっても通常遊技モード（ＦＦＨ）として遊技処理を行うことになる。
【０３０８】
また通常の遊技進行においては、ペナルティの関係上、通常時は正規手順である順押しを実行し、また遊技者がアシスト報知に従うことを前提としてゲームが進行していくものと仮定しているので、主制御部４００側が通常モード１〜３のいずれに滞在中であるか把握していなくとも、通常遊技モード（ＦＦＨ）中に移行リプレイＡが当選して、これにより許容される「移行リプレイ１」が入賞した場合には、メインモードを「当選告知用フリーズ遊技モード（１２Ｈ）」移行させ、他方、移行リプレイＢが当選し、これにより許容される「移行リプレイ２」が入賞した場合には、メインモードを「ハズレ告知用フリーズ遊技モード（２２Ｈ）」に強制的に移行させる、といった制御を行うようにしても、ゲーム進行上、特に問題が生じることはない。
【０３０９】
また移行リプレイＡ、Ｂに関しては、不意のメインモードの移行を極力防止するために、「当選告知用フリーズ遊技モード（１２Ｈ）」および「ハズレ告知用フリーズ遊技モード（２２Ｈ）」に移行させるための押し順（正しいフリーズ待機モードへの移行を決定付ける「正規条件」が成立するための正しい押し順）の割り当てを少なくし（ここでは、押し順６通りのうち２種類の押し順が割り当てられている：図６の移行リプレイＡ、Ｂの欄参照）、通常時（たとえば、通常モード１中）は、当選役情報もその押し順もアシスト報知しないようにし、当選役を秘匿することで、遊技者が押し順ミスをした場合や恣意的な停止操作が実行されない限り、フリーズ演出の発生が予定される遊技モードに移行されないようになっている。
【０３１０】
しかし、通常モード２または通常モード３中にように、アシスト報知（ここでは、上記フリーズ待機モード移行アシスト報知）の発生が許容される遊技モードの場合は、上述した通常時の遊技進行とは事情が異なる。アシスト報知中は、通常時とは異なり、変則押しが許容されることから、遊技者の不注意による押し順ミスの発生確率も高まる。このため、アシスト報知中に押し順ミスをして、本来入賞させるべき「移行リプレイ１」または「移行リプレイ２」が入賞せずに「移行リプレイ３」が入賞してしまう場合もありうる。この場合、主制御部４００側では、現在の演出モードについては把握してはいないので、通常モード１〜３のいずれのモード中における「移行リプレイ３」の入賞であるかまでは把握することができず、本来移行させるべき遊技モードを「当選告知用フリーズモード」または「ハズレ告知用フリーズモード」に移行させることができない、といった問題が生じる。
【０３１１】
そこで本実施形態では、このようなケースの場合には、通常モード２または通常モード３のいずれの遊技モードであっても、メインモードを同じ「押順ミス用非フリーズ遊技モード（３２Ｈ）」に移行させる制御を行い、ＡＴ抽選結果の報知およびＡＴモードの発生については、演出制御部４１０側の演出制御（演出モードの管理制御）に委ねて、フリーズ演出を発生させなくともＡＴ抽選結果を正しく報知することができるようになっている。これにより、フリーズ待機モードにおけるＡＴ抽選結果の報知に矛盾が生じないようにして、遊技者が遊技機に対して不信感を抱くことがないようになっている。本実施形態では、移行リプレイに関する押し順ミスにより、本来移行すべき遊技モードの「当選告知用フリーズモード」または「ハズレ告知用フリーズモード」で無かったとしても、フリーズ待機モードの最終ゲーム目において、演出制御部４１０側が管理する演出情報（演出モード種別やＡＴ抽選結果情報など）などにより、正しいＡＴ抽選結果を必ず報知させることができるようにしている。
【０３１２】
このように本実施形態では、押し順ミスにより移行リプレイ１、２が入賞せずにフリーズ演出の実行を予定できなかった場合であっても、それ以後のゲームにおいて、再度、移行リプレイ１、２が入賞を待つこと無く、フリーズ演出の実行が予定される本来の予定ゲーム数目にて、フリーズ演出が発生したならば報知されるはずであった本来の遊技情報と同じ内容を報知することができるようになっている。これにより、遊技情報を報知するためのゲーム数が無闇に嵩んでしまい、ゲーム進行に遅延が生じてしまうことがなく、遊技者が満足しうる遊技機を提供することができる。また本実施形態では、基本的には（遊技者がアシスト報知に従う場合）、ＡＴ抽選結果に対応したフリーズ待機モード（本来のフリーズ待機モード）に移行されるが、遊技者の不注意などによる押し順ミスがあった場合、本来のフリーズ待機モードには移行しないが、ＡＴ抽選結果を正しく報知する他のフリーズ待機モードに移行させるようになっている。これにより、ＡＴ抽選結果に即したフリーズ待機モードと、それに係る演出を現出させることができるので、演出を多様化させて遊技の面白みを向上させるとともに、遊技者に不信感を与えることのない遊技機を提供することができる。なお、後述の第２〜第６の実施形態も同様の作用効果を奏することができる。
【０３１３】
以上に説明した第１の実施形態は、次のように構成することができる。なお、括弧内は実施形態における対応要素を示すが、本発明はこれに限定されるものではない。
【０３１４】
複数種類の図柄が表示された複数の回胴を有し、各回胴の停止時の図柄の組合せにより遊技結果を導出表示する遊技結果表示手段（回胴装置２１０）と、
所定のゲーム開始条件の下、各回胴を回転させるための始動手段（回胴回転始動レバー１１）と、
前記始動手段の操作を契機に、複数種類の役を対象に抽選を行い、当選役を決定する役抽選手段（図１１のＳ１６（内部抽選処理）、図５（役抽選テーブル））と、
各回胴のそれぞれに対応して設けられ、前記回胴の回転を個別に停止させるための複数の停止手段（回胴回転停止ボタン１２ａ、１２ｂ、１２ｃ）と、
前記停止手段の操作を契機に、前記当選役に対応する図柄の組合せが前記遊技結果として導出表示されうるように回胴を停止制御する停止制御手段（図１１のＳ１９（回胴停止処理））と、
所定の実行条件に基づき、遊技進行を通常の遊技進行よりも遅延させる遅延状態を実行制御する遅延状態制御手段（図１１のＳ１７（回胴演出管理処理）、図１１のＳ１８（回胴回転開始設定処理）、図３３）と、を備え、
前記遊技結果に応じた遊技価値を遊技者に付与可能に構成された回胴式遊技機であって
所定の抽選条件に基づき、遊技者に対する特典付与（たとえば、ＡＴモード移行）に関する付与抽選（ＡＴ抽選）を実行する利益付与抽選手段と、
前記利益付与抽選手段による付与抽選結果に基づき、特定条件を成立させる（たとえば、フリーズ待機モード移行確定条件の成立。本実施形態の場合、移行リプレイＡ、Ｂの当選したゲームでの移行リプレイ１、２のアシスト報知の実行が特定条件の成立となっている）特定条件成立手段と、
前記特定条件が成立したゲーム（たとえば、移行リプレイ１、２のアシスト報知の実行ゲーム）を基点ゲームとし、その基点ゲームから少なくとも複数ゲーム先を（たとえば、基点ゲーム後から８ゲーム目）、付与抽選結果（たとえば、ＡＴ抽選結果）に関する情報を報知する抽選結果報知演出が実行される報知演出実行ゲームとして決定する（たとえば、ＡＴ抽選結果を報知する告知演出を実行するゲームを、基点ゲームから８ゲーム先に決定する）報知演出実行ゲーム決定手段と、を備え、
前記特定条件が成立した後、第１の条件が成立した場合には（たとえば、通常モード２中の移行リプレイＡに係る移行リプレイ１の入賞）、前記報知演出実行ゲームにおいて、遅延状態（フリーズ状態）に伴って抽選結果報知演出を実行し（たとえば、当選告知用フリーズ演出（たとえば、フリーズ有り祝福演出）、ハズレ告知用フリーズ演出（たとえば、フリーズ有り残念演出）など）、
前記特定条件が成立した後、第２の条件が成立した場合には（たとえば、通常モード２中の移行リプレイＡ、Ｂに係る通常リプレイ１または移行リプレイ３の入賞）、前記報知演出実行ゲームにおいて、遅延状態を伴わずに前記抽選結果報知演出（たとえば、当選告知用フリーズ無し演出（たとえば、フリーズ無し祝福演出）、ハズレ告知用フリーズ無し演出（たとえば、フリーズ無し残念演出）など）を実行する構成とすることができる。
【０３１５】
より具体的に説明すれば、利益状態（たとえば、ＡＴモード）移行の可否に関連する利益付与抽選結果に基づき（たとえば、ＡＴ抽選結果に基づくフリーズ待機モード移行条件の成立した後。具体的には、通常モード２または通常モード３への移行条件の成立した後）、フリーズ待機モードへの移行を決定付けるための特定の条件が成立した場合（たとえば、押順規定役に係る第１入賞役のアシスト報知の実行。本実施形態の場合、移行リプレイＡに係る移行リプレイ１のアシスト報知の実行、または移行リプレイＢに係る移行リプレイ２のアシスト報知の実行）、その成立ゲームを基点ゲームとし、その基点ゲームから少なくとも複数ゲーム先に、ＡＴ抽選結果情報を報知する抽選結果報知演出を実行（現出）するための実行ゲームを決定する。そして、第１の条件が成立した場合には（たとえば、通常モード２中の移行リプレイ１の入賞、または通常モード３中の移行リプレイ２の入賞）、上記実行ゲーム中に、抽選結果報知演出として、「遅延状態（フリーズ状態）を伴う報知演出（たとえば、フリーズ有り祝福演出、またはフリーズ有り残念演出）」を実行（現出）する。これにより、利益状態への移行するか否かに関する情報（たとえば、ＡＴ抽選の抽選結果（ＡＴモード移行の可否）に関する情報）が報知される。特に本実施形態では、実行ゲーム（ここでは、フリーズ待機モードの最終ゲーム目）を決定（予定）した後は、その予定がキャンセルされることなく（後述の図１４、図１７、図１８参照）、最終ゲーム目において、フリーズ状態を伴う報知演出が実行される。そして、この演出態様によりＡＴ抽選結果が必ず報知されるようになっている。
【０３１６】
一方、上記第１の条件とは異なる第２の条件が成立した場合には（たとえば、通常モード２中の通常リプレイ１または移行リプレイ３の入賞や、通常モード３中の通常リプレイ１または移行リプレイ１の入賞など）、上記実行ゲーム中に、抽選結果報知演出として、フリーズ状態には制御せず「遅延状態（フリーズ状態）を伴わない報知演出（たとえば、フリーズ無し祝福演出、またはフリーズ無し残念演出）」を実行する。これにより、利益状態への移行するか否かに関する情報（たとえば、ＡＴ抽選の抽選結果（ＡＴモード移行の可否）に関する情報）が報知される。特に本実施形態では、実行ゲーム（ここでは、フリーズ待機モードの最終ゲーム目）を決定した後は、その予定がキャンセルされることなく、最終ゲーム目において、フリーズ状態を伴わない上記の報知演出が実行される。そして、この演出態様によりＡＴ抽選結果が必ず報知されるようになっている。
【０３１７】
（ＡＴモードについて：図８）
次に、図８を参照して、ＡＴモードについて説明する。
【０３１８】
ＡＴモードには、少なくともＡＴ抽選当選を条件とし、本実施形態では、基本的には、図９に示す上記フリーズ待機モードの「当選告知用フリーズモード（Ｗ１０３）」または「押順ミス用非フリーズモード１（当選中）（Ｗ１０４）」を経由して移行されるようになっている。また既に説明したように、内部的にＡＴ当選状態であれば、例外的に「ハズレ告知用フリーズモード（Ｌ１０３）」または「押順ミス用非フリーズモード２（非当選中）（Ｌ１０４）」からも移行されうる。
【０３１９】
本実施形態では、上記「フリーズ待機モード」が終了したとき、ＡＴ抽選に当選していれば、ＡＴモード移行条件が成立したとして、それ以後のゲームにおいて、特殊リプレイＡまたは特殊リプレイＢのいずれかが当選を契機に、特殊リプレイ１または特殊リプレイ２を入賞させるアシスト報知が発生し、特殊リプレイ１または特殊リプレイ２を入賞させることにより、ＡＴ遊技（演出モード「０ＡＨ」：図１０（イ）参照）を伴う「ＡＴモード」に移行される。ＡＴ遊技が発生すると、遊技機全体として捉えた遊技状態は「ＡＴモード（ＲＴ１遊技＋ＡＴ遊技）」となる。なお、ＡＴ抽選に非当選の場合には、ＡＴモード移行条件不成立として、上記「フリーズ待機モード」が終了した後、「通常モード１」に移行され、特殊リプレイＡまたは特殊リプレイＢのいずれかに当選してもアシスト報知は発生せず、ＡＴモードには移行されないようになっている。
【０３２０】
「ＡＴモード」は、ＡＴ遊技の作用により、ＡＴ１〜４（当選番号８〜１１）のいずれかに当選した場合、上記「ベルナビ」が発生し、ＡＴ１〜４に係る１２枚ＡＴ役を容易に獲得することができる。このため、ＡＴモードでは、１ゲーム当りの純増枚数が、ベルナビが発生しない「通常モード」や「フリーズ待機モード」よりも多く獲得することができ、遊技者に有利なゲーム展開となる。
【０３２１】
またＡＴモード中は、ＡＴ遊技の作用により、移行リプレイＡ〜Ｂおよび特殊リプレイＡ〜Ｂのいずれかが当選した場合には、遊技モードを移行させないように、または特定のリプレイが導出表示されることで（たとえば、赤７リプレイ（特殊リプレイ１）や青７リプレイ（特殊リプレイ２））、遊技者に特定の遊技価値が付与されるものと勘違いしてしまうことを防止するために、不利入賞役側の通常リプレイ１を対象としたアシスト報知が実行される（通常リプナビ：嘘告知）。
【０３２２】
（ＡＴモードの継続ゲーム数について）
ＡＴモードの継続ゲーム数は、ＡＴモード移行を契機に（たとえば、特殊リプレイの入賞を契機に）、ＡＴモード継続ゲーム数として、たとえば「４０ゲーム」が設定される。この４０ゲームは、ＡＴモード継続ゲーム数の初期値、つまり、ＡＴ遊技の継続ゲーム数である。なお、このＡＴモード継続ゲーム数は、演出制御部４１０側で管理される。
【０３２３】
（ＡＴモード継続ゲーム数の上乗せについて）
本実施形態では、ＡＴモード継続ゲーム数に対し、ゲーム数を上乗せしうる「上乗せ抽選」が行われるようになっている。
【０３２４】
この上乗せ抽選では、所定の条件の下、複数種類のゲーム数（たとえば、１０ゲーム、２０ゲーム、３０ゲームなど）のうちからいずれかのゲーム数が抽選により決定され、その決定されたゲーム数が、現在のＡＴモード継続ゲーム数に対して上乗せされる。これによりＡＴモード（ＡＴ遊技）のゲーム期間が延長されて遊技者にさらなる利益をもたらすことになる。この上乗せ抽選は、演出制御部４１０側にて、「上乗せ抽選テーブル（図示せず）」に基づいて実行される。
【０３２５】
なお、上記上乗せ抽選の実行契機となる「上乗せ抽選契機役」は、特に制限されない。たとえば、フリーズ演出抽選契機役（図３３参照）と同一のものを採用しても良いし、その他、ハズレやリプレイ役種を採用しても良い。また、上乗せ抽選契機役は、１または複数種類設けることができる。またフリーズ演出抽選契機役種別に対応して、どのような上乗せゲーム数が選択されるか、また、どのような確率で上乗せするかを関連付けることは自由である。
【０３２６】
また上乗せ抽選契機役として、フリーズ演出抽選契機役が含まれる場合、上乗せ抽選契機役の当選時にフリーズ演出が発生する場合がある。これに着目して、その当選役とその当選役により発生するフリーズ演出種別（未発生を含むことができる）とに対応した上乗せゲーム数を定めても良い。たとえば、ＣＡベル１（当選番号６）が当選した場合、フリーズ１〜フリーズ３が発生される場合がある。この場合、フリーズ１〜３に対応した上乗せゲーム数を定めることができる。また、フリーズが発生する場合に１００％上乗せしても良いし、所定の抽選確率を以って上乗せを決定しても良い。
【０３２７】
（ＡＴモード継続ゲーム数が終了した場合について）
本実施形態では、ＡＴモード継続ゲーム数が終了した場合、所定の継続抽選（たとえば、５０％で継続）を行い、この継続抽選に当選した場合に、再度、１セットの４０ゲームを設定し、ＡＴ遊技を継続させることができるようになっている。つまり、この継続抽選に当選し続ける限りは、ＡＴモードが継続されることになる。継続抽選にハズレとなった場合は、ＡＴモードが終了される。具体的には、ＡＴ遊技が終了して、「ＡＴモード」から、非ＡＴ遊技である「通常モード１」に移行される。
【０３２８】
なお、上記継続抽選を行うタイミングは、ＡＴモード継続ゲーム数終了前であれば、そのタイミングは特に制限されない。たとえば、ＡＴモード継続ゲーム数が終了となる最終ゲーム目の開始時またはその終了時に行っても良いし、ＡＴモード継続ゲームの途中のゲーム数目（任意の残余ゲーム数）の開始時またはその終了時に行っても良い。また上記継続抽選による継続率は、単一の継続率（たとえば、５０％で継続）としても良く、複数種類の継続率からいずれかの継続率を抽選により決定しても良い（たとえば、５０％、６５％、７５％、および８５％のうちから、所定の抽選（継続率抽選）によりいずれかの継続率を決定する）。上記継続率が複数種類ある場合には、ＡＴモードの開始前段階の所定のタイミングで今回のＡＴモードの継続率を決定することができる。ＡＴモードの継続率の決定については、ＡＴモード開始前であれば、そのタイミングは特に制限されない。たとえば、ＡＴ抽選当選を契機として、またはフリーズ待機モードが終了したことを契機として、あるいは特殊リプレイが入賞したことを契機として決定することができる。
【０３２９】
なお本実施形態では、一種類のＡＴ遊技が発生する上記ＡＴモードが設けられているが、複数種類のＡＴ遊技を発生させ、上記ベース値が異なる複数種類のＡＴモードを設けることができる。この場合、既に説明した「選択的アシスト報知」を利用して、たとえば、第１のＡＴ遊技では、本告知（１２枚ＡＴ役のアシスト報知）の発生率１００％、第２のＡＴ遊技では本告知の発生率５０％、選択的アシスト報知の発生率５０％、といったように複数種類のＡＴ遊技を利用して複数種類のＡＴモードを発生させことができる。この場合、いずれのＡＴモードに移行するかは、たとえば、ＡＴ抽選当選を契機に、またはフリーズ待機モード終了を契機に、あるいは特殊リプレイＡ〜Ｂ当選（特殊リプレイ１〜２入賞であっても良い）を契機に、所定の抽選により決定することができる。
【０３３０】
また本実施形態では、ＲＴ遊技として、ＲＴ０遊技とＲＴ１遊技とを設けているが、別のＲＴ３遊技を設けることができる。このＲＴ３遊技は、ＲＴ１遊技よりもリプレイ役種の当選確率が相対的に高確率となるＲＴ遊技として定めることができる。そしてＡＴモードは、「ＲＴ１遊技＋ＡＴ遊技」ではなく、「ＲＴ３遊技＋ＡＴ遊技」といった、フリーズ待機モードや通常モードよりもリプレイ確率が高確率に変動し、かつＡＴ遊技が伴う、といったＡＲＴ遊技としても良い。この場合、前兆ＡＴモード中に特殊リプレイが入賞したことを契機に、メインモードをフリーズ待機モードに係るＲＴ１遊技（１２Ｈ、２２Ｈ、３２Ｈなど）からＲＴ３遊技に移行させ、演出モードを前兆ＡＴ遊技（０ＣＨ）からＡＴ遊技（０ＡＨ）に移行させることができる。
【０３３１】
（不正規手順によるペナルティ）
本実施形態では、多くの抽選対象役およびその役構成、複数種類の遊技状態を実効化することにより遊技性を向上させている一方で、遊技機に求められる機械割や射幸性などを考慮し、遊技進行上に関する罰則として、遊技者が正規の遊技手順を実行しない場合には、所定のペナルティを与えるようになっている。ペナルティを科す理由は、次の通りである。
【０３３２】
パチンコ店に設置するような風俗営業等の規制及び業務の適正化等に関する法律による７号営業を対象とした遊技機においては、同法律おける遊技機の認定及び型式の検定等に関する規則（たとえば、別表第５  回胴式遊技機に係る技術上の規格（第６条関係）（１）性能に関する規格）により、機械割や射幸性が厳しく制限されている。そのため、遊技方法を遊技者に守らせて、想定外の出玉（たとえば、遊技者により意図的に多くの出玉を得られてしまうような状態）を抑制しつつも、遊技者が満足する遊技性を作り出すため、遊技進行に関する所定のペナルティを科すようにしている。
【０３３３】
本実施形態では、遊技者の利益を左右する役として、複数種類の押順規定役を設けてある。この押順規定役のうち、特にＡＴ１〜ＡＴ４について着目する。
【０３３４】
本実施形態の場合、ＡＴ１の当選確率よりもＡＴ２〜ＡＴ４の当選確率の方が７倍弱も高確率に定められており（ＡＴ１の当選確率は「１９５０／６５５３６」、ＡＴ２〜ＡＴ４は、それぞれ「１３２００／６５５３６」：図５参照）、ＡＴ遊技が発生すれば、有利入賞役側の「ベル揃い」に係るアシスト報知を行い、これを高確率で入賞させることができるようになっている。このような遊技性を持つ関係上、遊技者の自由な停止操作を許容すると、設計者が想定する範囲を超えて出玉率やベース値が変化してしまう場合がある。したがって、仮に、遊技者の自由な停止操作を許容するとすれば、順押し（左回胴５ａを第１停止操作対象とした場合）と変則押し（左回胴５ａ以外を第１停止操作対象とした場合）とでは、変則押しを毎ゲーム実行した方が遊技メダルを順押し時よりも減らさずに、ＡＴ抽選移行契機役の当選を待つことができてしまい、遊技性のバランスが崩れてしまう。
【０３３５】
そこで、遊技上の正規手順でない回胴の停止操作が行われた場合、遊技者に対して不利に作用する「ペナルティ」を発生させるようになっている。本実施形態では、ＡＴ２〜ＡＴ４のベル揃い（１２枚ＡＴ役）が入賞する押し順に着目し、アシスト報知未発生時またはＡＴ遊技未発生の遊技状態中において「順押し（左中右）以外の押し順（変則押し）」をした場合に、正規手順ではない「不正規手順」が実行されたとして、所定のペナルティを発生させる。ペナルティの内容としては、たとえば、ペナルティ発生契機となった当該ゲーム（１ゲーム限りのペナルティ）、または所定のゲーム数間（複数ゲーム間のペナルティ）、遊技者に有利に作用する遊技価値の付与を無効化したり、本来付与される遊技価値よりも低い遊技価値を付与したりすることができる。具体的には、ＡＴ抽選契機役に当選してもＡＴ抽選を無効化する（ＡＴ抽選自体を実行しない、またはＡＴ抽選は実行するがこれに当選しても「ハズレ」として処理する：当該抽選ゲーム限りのペナルティであっても良いし、複数ゲーム（たとえば、１０ゲーム）に亘るペナルティであっても良い）、ペナルティ前にＡＴ抽選に当選した場合、ペナルティ状態が解除されるまでは、移行リプレイＡ〜Ｂや特殊リプレイＡ〜Ｂのいずれかに当選してもアシスト報知を実行しない、ＡＴモードに移行した際のＡＴモード継続ゲーム数を半分の２０ゲームとする、などのペナルティが挙げられる。なお、ペナルティ期間中に再度、不正規手順で操作を行った場合（ペナルティ期間中に複数回、不正規手順が実行された場合）、ペナルティ期間を延長することができる。
【０３３６】
（ペナルティの除外対象について）
以上に説明したペナルティは、遊技性の関係上とはいえ、遊技者に不利なゲーム展開を強いるものである。したがって、正規手順でない場合に一律にペナルティを科してしまうと、遊技者の遊技意欲を低下させたり、遊技機に対する不信感を与えたりする場合がある。そこで本実施形態では、例外的にペナルテルを科さない「ペナルティの除外対象」を定めることができる。以下に、ペナルティ除外対象について説明する。
【０３３７】
本実施形態では、「ＣＡベル１〜２」など当選確率が低いレア役に当選した場合に他の役よりも相対的に高い遊技価値が付与される。たとえば、ＡＴ抽選が優遇されるようになっている（図３１参照）。このような高い遊技価値を付与しうる役（高遊技価値付与抽選対象役）への当選は、遊技者が遊技を進行する上での重要な関心事の一つであるといえる。したがって、たとえばＣＡベル１がペナルティ期間中に当選した場合、当該当選による遊技価値の獲得権利を一切無効化にしてしまうと、折角のＣＡベル１当選が無に帰すことになり、これは、遊技者にとって酷に過ぎる。またこのような事態は、遊技者の遊技意欲を低下させ、遊技機に対する不信感を招く恐れがある。
【０３３８】
上記問題点に鑑み、ペナルティに係る救済機能として、ＡＴ抽選当選可能性が相対的に高い「ＣＡベル１〜２」のような高い遊技価値を付与しうる抽選対象役を、ペナルティ対象として除外することができる。たとえば、ペナルティ期間中であっても、ＣＡベル１当選によるＡＴ抽選権利を無効化せず、これを有効として扱うようにする。
【０３３９】
なお上述では、「ＣＡベル１〜２」のような高い遊技価値を付与しうる抽選対象役をペナルティ対象外として説明したが、本発明はこれに限られない。上記問題点に関連して、フリーズ演出種別を考慮して、ペナルティの除外対象を定めることができる。その理由は次の通りである。
【０３４０】
フリーズ演出は、通常時の遊技進行に係る演出とは異なり、遊技進行を一時的に中断する、といった遅延期間を伴う特異な演出態様であり、主として、高い利益が付与されうることを遊技者に報知する予告演出（高期待度演出の一態様）として利用される。したがって、フリーズ演出が発生すると、遊技者は、何らかの利益獲得に対する多大な期待感を寄せることになる。そのため、上記フリーズの発生が決定された場合には、これをペナルティ対象から除外とすることが好ましい。ただし、フリーズ演出種別のすべてをペナルティ対象外とするのではなく、特定のフリーズ演出種別、たとえば、ＡＴ抽選による当選期待度が相対的に高い特定のフリーズ演出種別（たとえば、フリーズ３）の発生を伴う場合、これをペナルティ対象外とすることができる。
【０３４１】
本実施形態では、上記したペナルティを科すことで、正規手順を遊技者に守らせ、遊技者の恣意的な停止操作により出玉率が想定範囲外になってしまうことを防止している。このペナルティの実行制御は、演出制御部４１０がその機能部を担う「ペナルティ管理手段」により制御される。ペナルティ管理手段は、回胴を停止するための停止手段の停止操作を監視し、ペナルティ状態を制御する。具体的には、ペナルティ管理手段は、ペナルティ状態の設定、およびその解除、ペナルティの付与、ペナルティの除外対象判定に関する機能部として働く。
【０３４２】
＜遊技動作制御処理＞
次に、本実施形態に係る回胴式遊技機の遊技動作制御に関する処理内容について詳細に説明する。
【０３４３】
＜主制御部側の処理：図１１〜図１９＞
図１１〜図１９を参照して、遊技動作を統括的に司る主制御部４００側の処理内容について説明する。
【０３４４】
（１．主制御側メイン処理：図１１）
図１１は、遊技動作制御プログラムに従い主制御部（主制御基板）４００側のメイン処理（主制御側メイン処理）を示すフローチャートである。本処理はメインＣＰＵ４０１ｃにより実行されるものであるが、説明の便宜上、処理を実行する主体を主制御部４００と称して説明する。
【０３４５】
遊技機に電源が投入されると、図示しない「電源基板」から各基板に電源が供給されるとともに、電源が投入された旨の電源投入信号が送られる。この電源投入信号を受けて主制御部４００は、図１１に示す主制御側メイン処理を開始する。
【０３４６】
この主制御側メイン処理では、電源投入時の初めての処理としてステップＳ１１の初期設定処理が実行され、それ以外の場合には正常動作時の処理としてステップＳ１２〜Ｓ２６の処理が実行される。
【０３４７】
図１１おいて、主制御部４００は、電源投入が行われてから初めての処理として、まず遊技動作開始前における必要な初期設定処理を実行する（ステップＳ１１）。この初期設定処理では、たとえば、最初に自らを割込み禁止状態に設定すると共に、所定の割込みモードに設定し、またマイクロコンピュータの各部を含めてＣＰＵ内部のレジスタ値を初期設定したり、遊技機に何らかの異常動作を確認したりする。異常が確認された場合には所定のエラー処理を実行する。
【０３４８】
また図示してない入力ポートを介して入力されるＲＡＭクリアスイッチの出力信号であるＲＡＭクリア信号の状態（ＯＮ、ＯＦＦ）を判定する。ここでＲＡＭクリア信号とは、ＲＡＭの全領域を初期設定するか否かを決定する信号であって、通常、パチンコホール店員が操作する初期化スイッチのＯＮ／ＯＦＦ状態に対応した値を有している。ここでは、ＲＡＭクリア信号がＯＮ状態であったと仮定すると、メインＲＡＭの全領域がゼロクリアされる。したがって、電源遮断時にセットされたバックアップフラグの値は、他のチェックサム値などと共にゼロとなり、遊技状態（遊技モード）などは初期状態（初期モード）から開始される。本実施形態では、ＲＡＭクリアされた場合、初期遊技モードのＲＴ０遊技から開始され、演出モードも初期演出モードに設定され、これにより、遊技モードが初期モードから開始されるようになっている。この初期設定処理は、所定の移行条件に基づき、初期の遊技モード（遊技状態）に移行制御する初期遊技モード移行制御手段として働く。
【０３４９】
また初期設定処理では、設定キースイッチがＯＮ側に操作されている場合、既に説明した設定変更モードに関する設定変更モード処理が実行される。この設定変更モード処理では、設定値確定操作である回胴回転始動レバー１１（回胴回転始動スイッチ１１ａ）と、設定値変更操作である設定スイッチのいずれかのＯＮ操作の検出待ちの状態となる。
【０３５０】
設定変更モード処理において、設定スイッチを操作したことが検出されると、現在の設定値に１を加算することにより設定値を更新し、その設定値を設定表示器に表示する。そして希望する設定値となったところで回胴回転始動レバー１１（回胴回転始動スイッチ１１ａ）をＯＮ操作すると設定値が確定され、その変更後の設定値をＲＡＭ４０１ｂの設定値領域に格納し、設定表示器に確定表示した後、設定キースイッチがＯＦＦ側に操作されるまで待機する。そして、設定キースイッチがＯＦＦ側に操作されたことを検出すると、設定変更モード処理は終了となり、設定表示器に対する設定値表示をクリアする。これにより設定変更モード処理を終了する。その後、ステップＳ１２のＲＡＭ初期化処理に移行することとなる。なお、設定値情報は、特定の演出制御コマンド（設定値情報コマンド）により演出制御部４１０側に送信され、設定値に対応したＡＴ抽選テーブル（図３０）が選択されることになる。設定変更モード中は、たとえば、液晶表示装置６の表示画面に「設定変更中」の画像が表示され、設定変更モードが終了すると、「設定変更中」の表示を終了させる。
【０３５１】
上記設定変更モード処理は、所定の設定操作手段（設定キースイッチ、設定スイッチ）の操作に基づいて、複数種類の設定値のうちから、いずれかの設定値を選択することで遊技に係る有利度（遊技者に対する遊技進行上の有利度合）を設定する「設定値選択手段」として機能する。ここで、設定値とは、出玉率の規定する値、内部抽選により入賞の発生を許容する旨が決定される確率を規定する値（複数種類の役のうち少なくとも１つの役の内部抽選確率を規定する値）、または内部抽選対象役の抽選確率やＡＴ抽選確率など、遊技者に作用する利益状態などの特定事象の発生し易さに関連する等級についての値を意味し、本実施形態では、この設定値が複数段階の設定値１〜６の複数種類の設定値を設け、各設定値に応じて、遊技に係る有利度が規定されることになる。
【０３５２】
上記の初期設定処理が正常に終了した後、ＲＡＭ初期化処理（ステップＳ１２）を行う。このＲＡＭ初期化処理では、前回のゲーム終了時において使用した所定のデータをクリアし、今回のゲームに必要なワークエリアを確保する。
【０３５３】
次いで、遊技状態フラグ生成処理を行う（ステップＳ１３）。この遊技状態フラグ生成処理では、メインＲＡＭ４０１ｂのモードデータ格納領域からメインモード判定データを取得し、これに対応する遊技状態フラグ（メインモードを識別するフラグ）を設定する。この遊技状態フラグは、メインモード判定データ値（図１０（イ）参照）が相当する。この遊技状態フラグにより、今回のゲームの遊技状態（メインモード）が指定される。
【０３５４】
次いで、遊技メダル投入処理を行う（ステップＳ１４）。この遊技メダル投入処理では、主に、遊技機本体に投入された遊技メダルの検出、クレジットの管理、再遊技の要求があった場合の遊技メダルの自動投入処理などを行うと共に、遊技開始可能となる規定枚数の遊技メダルが投入されたか否かを監視する。上記規定枚数の遊技メダルの投入が確認された場合には遊技開始条件を成立させて、この条件成立状態を保持したまま、回胴回転始動スイッチ１１ａからの操作検出信号が送られてくるのを待つ。
【０３５５】
回胴回転始動スイッチ１１ａからの操作検出信号を受けると、主制御部４００は、カウンタ回路４０３のカウンタ値に基づき、内部抽選用乱数値（数値範囲：０〜６５５３５）を取得する（ステップＳ１５）。
【０３５６】
次いで、取得した内部抽選用乱数値に基づく内部抽選処理を行う（ステップＳ１６）。この内部抽選処理では、取得した内部抽選用乱数値と、現在の遊技モードに対応した抽選テーブル（図５）とに基づく内部抽選を行い、その内部抽選結果に対応した当選役情報（当選フラグ）を設定する。またここでは、演出制御コマンドとして「遊技開始情報コマンド」をセットする。この遊技開始情報コマンドには、少なくとも当選役情報（当選フラグ情報）が含まれ、本実施形態では、遊技状態情報および当選役情報が含まれる。遊技開始情報コマンドに含まれる情報は、演出制御部４１０側において、今回のゲーム中に現出する演出の決定や、ＡＴ抽選などに利用される。なお、演出制御コマンドは、後述の図１９の主制御部側タイマ割込処理中のコマンド出力処理（ステップＳ４５）において、主制御部４００から演出制御部４１０へと送信されるようになっている。
【０３５７】
次いで、回胴演出管理処理を行う（ステップＳ１７）。この回胴演出管理処理では、フリーズ演出種別（フリーズ１〜３）に関する抽選処理や、その動作設定処理を行う。なお、回胴演出管理処理の詳細については図１２にて後述する。
【０３５８】
次いで、回胴回転始動時の設定処理（回胴回転開始設定処理）を行う（ステップＳ１８）。この回胴回転開始設定処理では、各回胴５ａ、５ｂ、５ｃの回転を開始する際に必要なデータ、たとえば、回胴演出に係る回胴回転動作や通常の回転動作を実現するために必要なデータ（回胴の回転動作用の制御データ（回胴駆動モータ２１１ａ、２１１ｂ、２１１ｃ用の制御データ））を設定したり、遊技開始ウェイトタイマ（４．１秒）をセットしたりする。また、前回のゲームで設定された遊技開始ウェイトタイマの経過後を確認した場合、演出制御コマンドとして、回胴始動を示す「回転開始コマンド」をセットする。そして、回胴の回転始動（通常の回転動作）を行い、これにより各回胴５ａ、５ｂ、５ｃが回転状態に入る。なお、回胴回転開始設定処理の詳細については図１５にて後述する。
【０３５９】
その後、回胴が回転始動されて全回胴が概ね一定速度になると、回胴回転停止ボタン１２ａ、１２ｂ、１２ｃの停止操作を有効とする、停止操作許容状態となる。この停止操作許容状態において、回胴回転停止ボタン１２ａ、１２ｂ、または１２ｃが操作された場合、停止操作対象となった回胴を停止制御するための回胴停止処理を行う（ステップＳ１９）。この回胴停止処理では、回胴の停止制御に係る処理の他、回胴の押し順を監視して、全回胴停止前フリーズ演出（ここでは、フリーズ２〜３）や全回胴停止後フリーズ（フリーズ４）の発生について管理制御する。なお、回胴停止処理の詳細については図１６にて後述する。
【０３６０】
全回胴の停止が確認されると、続いて、入賞判定処理を行う（ステップＳ２０）。この入賞判定処理では、入賞ラインデータ（図柄停止情報）に基づいて、当選役に対応する図柄の組合せが有効入賞ライン上に停止したかどうか、つまり入賞が発生したか否かを確認し、入賞が確認された場合には停止した図柄の組合せに基づき、払い出すべき遊技メダル枚数（払出枚数情報を指定する払出枚数データ）の設定処理を行う。またここでは、当選役に対応する図柄の組合せが正しく停止されたか否かを判定する誤入賞判定処理を行い、誤入賞であった場合は、所定のエラー処理が行われるようになっている。
【０３６１】
またここでは、全回胴の停止時に係る演出制御コマンドとして、「入賞情報コマンド（全回胴停止コマンド）」をセットする。この入賞情報コマンドには、全回胴停止時の停止図柄情報として、少なくとも有効入賞ライン上に停止した図柄の組合せを特定可能な「遊技結果情報」が含まれ、さらに、疑似入賞ライン上の停止図柄情報や現在の遊技状態（メインモード）情報や入賞ライン情報などを含むことができる。斯様な入賞情報コマンドにより、演出制御部４１０側が今回の遊技結果（有効入賞ラインおよび疑似入賞ライン上に、如何なる図柄の組合せが停止したか（停止図柄種別））を把握することができるようになっている。上記「入賞情報コマンド」が主制御部４００側から送信されると、演出制御部４１０側では、全回胴停止時（遊技結果導出時）に係る演出（たとえば、入賞演出）の現出や、遊技結果に基づく演出状態の移行制御など、全回胴の停止時に要する演出制御処理を行う。
【０３６２】
さらにここでは、ボーナス遊技中の払出枚数を管理するため「ボーナス遊技中払出枚数カウンタ」に対して、今回の払出枚数分の遊技メダル枚数が加算し、ボーナス中獲得枚数情報コマンドをセットするボーナス遊技中獲得枚数加算処理を行う。上記ボーナス中獲得枚数情報コマンドには、今回の払い出し枚数情報と現在のボーナス遊技中払出枚数カウンタ情報が含まれる。上記「ボーナス中獲得枚数情報コマンド」が主制御部４００側から送信されると、演出制御部４１０側では、現在のボーナス遊技中の獲得枚数（払い出し枚数）を把握し、たとえば、液晶画面に、ボーナス遊技中における現在の払い出し枚数に関する情報を報知する画像表示演出を現出させるための演出制御処理を行う。
【０３６３】
次いで、メダル払出枚数監視処理を行う（ステップＳ２１）。このメダル払出枚数監視処理では、ステップＳ１９の入賞判定処理で設定された払い出し情報に基づき、ホッパーユニット５００を駆動制御して目的枚数の遊技メダルの払い出し処理やクレジットの加算処理を行う。またここでは、払い出しに関する演出制御コマンドとして、「払出コマンド」をセットする。この「払出コマンド」は、遊技メダルが払い出された旨を指定するものであり、払い出しが１枚あるごとに演出制御部４１０側に送信されるようになっている。上記払出コマンドは、演出制御部４１０側において、払い出し時の払出演出（たとえば、メダル払出音）を現出する際に利用される。
【０３６４】
次いで、再遊技ＲＴ設定処理を行う（ステップＳ２２）。この再遊技ＲＴ設定処理では、リプレイが有効入賞ライン上に停止した場合に、再遊技の作動に必要な設定処理を行う。本処理により再遊技作動が指定された場合、次回ゲーム開始時における遊技メダル投入処理（ステップＳ１４）おいて、今回要した遊技メダルと同じ枚数分の遊技メダルが自動投入され、次回ゲームを遊技メダルの投入なしに開始可能とされる。
【０３６５】
またここでは、所定のＲＴ移行条件に基づいて、一のＲＴ遊技から他のＲＴ遊技への移行制御処理を行う。本実施形態では、ＲＴ０遊技（非ＢＢ内部当選遊技）とＲＴ１遊技（ＢＢ内部当選遊技）間の移行制御に要する処理を行う。具体的には、ＲＴ０遊技中にＣＢＢが当選した場合、ＲＴ０遊技からＲＴ１遊技に移行制御し、ＣＢＢによるボーナス遊技終了後の所定ゲーム数（たとえば、５ゲーム）消化により、ＲＴ０遊技に移行制御する。
【０３６６】
次いで、ボーナス遊技中か否かを判定する（ステップＳ２３）。ボーナス遊技中である場合（ステップＳ２３：ＹＥＳ）、ボーナス遊技作動中処理を行う（ステップＳ２５）。このボーナス遊技作動中処理では、ボーナス遊技中の払い出し枚数を監視し、ボーナス遊技の継続およびその終了に要求される処理を行う。ボーナス遊技中の払い出し枚数は、上記ボーナス遊技中払出枚数カウンタにより管理される。そして、ボーナス遊技作動中処理を終えると、ステップＳ１２のＲＡＭ初期化処理に移行する。
【０３６７】
一方、ボーナス遊技中でない場合（ステップＳ２３：ＮＯ）、次に、ＣＢＢ１（ボーナス役）が有効入賞ライン上に停止したか否かを判定する（ステップＳ２４）。ボーナス役が停止していない場合（ステップＳ２４：ＮＯ）、ステップＳ１２のＲＡＭ初期化処理に移行し、ステップＳ１３以降の処理を順次行う。
【０３６８】
一方、ボーナス役が有効入賞ライン上に停止した場合（ステップＳ２４：ＹＥＳ）、ボーナス遊技作動開始処理を行う（ステップＳ２６）。このボーナス遊技作動開始処理では、次回ゲームからボーナス遊技を開始するために必要な設定処理を行う。具体的には、ボーナス遊技開始前の所定の待機時間を設定し、ボーナス役入賞時の演出の現出するための演出時間の設定処理、上記ボーナス遊技中払出枚数カウンタのクリア処理、およびボーナス当選フラグのクリア処理などである。このボーナス遊技作動開始処理を終えると、ステップＳ１２のＲＡＭ初期化処理に移行し、ステップＳ１３以降の処理を順次行う。
【０３６９】
（１−２．回胴演出管理処理（ステップＳ１７）：図１２）
図１２を参照して、図１１のステップＳ１７の回胴演出管理処理の詳細について説明する。図１２は、図１１の回胴演出管理処理の詳細を示すフローチャートである。
【０３７０】
図１２において、主制御部４００は、まずステップＳ１５の乱数取得処理で抽選された当選役情報を取得し（ステップＳ１０１）、続いて、遊技状態フラグを取得する（ステップＳ１０２）。
【０３７１】
次いで、通常モード中回胴演出設定処理を行う（ステップＳ１０３）。この通常モード中回胴演出設定処理では、通常遊技モードにおける回胴演出に必要な設定処理を行う。なお、通常モード中回胴演出設定処理の詳細は、図１３にて後述する。
【０３７２】
次いで、フリーズ待機モード回胴演出設定処理を行う（ステップＳ１０４）。このフリーズ待機モード回胴演出設定処理では、フリーズ待機モード中の回胴演出に必要な設定処理を行う。なお、フリーズ待機モード回胴演出設定処理の詳細は、図１４にて後述する。
【０３７３】
次いで、「フリーズ演出フラグ」種別に応じた「フリーズコマンド」をセットする（ステップＳ１０５）。上記フリーズ演出フラグは、今回のゲームで発生させるフリーズ演出種別を識別（指定）するためフラグであり、後述の通常モード中回胴演出設定処理（ステップＳ１０３）またはフリーズ待機モード回胴演出設定処理（ステップＳ１０４）においてセットされる。
【０３７４】
また上記フリーズコマンドは、フリーズ演出種別情報（ハズレ扱いとなる‘フリーズ未発生’情報を含む）を含むものであり、このフリーズコマンドが演出制御部４１０側に送信されることで、どのようなフリーズ演出が発生するのか、それともフリーズ演出が未発生であるのかが、演出制御部４１０側において把握される。演出制御部４１０側では、上記内部抽選処理（図８のステップＳ１６）における遊技開始情報コマンドと、このフリーズコマンドとに含まれる情報に基づき、現在の遊技状態（主制御部側遊技状態）、当選役情報、およびフリーズ演出種別（フリーズ未発生を含む）などを把握して、今回のゲームに係る演出制御処理を行う（たとえば、今回のゲームに係る演出シナリオの設定、ＡＴ抽選の実行、アシスト報知制御、演出モードの移行処理などの演出制御処理：図２３〜図２８参照）。
【０３７５】
次いで、フリーズ演出フラグ種別を判定する（ステップＳ１０６）。ここでは、フリーズ演出フラグが、変則回転を伴う回胴演出種別（フリーズ２〜３）に対応するフリーズ演出フラグであるか、変則回転動作を伴わない無回転回胴演出種別（フリーズ１）に対応するフリーズ演出フラグであるかを判定する。
【０３７６】
今回のフリーズ演出フラグが変則回転を伴う回胴演出種別を指定するものである場合（ステップＳ１０６：＝変則回転種別）、回胴演出管理処理を抜けて、図１１の回胴回転開始設定処理（ステップＳ１８）に進む。なお、変則回転動作を伴う回胴演出種別については、後述の回胴回転開始設定処理（ステップＳ１８）中で、その発生に必要な設定処理が行われるようになっている（後述の図１５参照）。
【０３７７】
一方、今回のフリーズ演出フラグが変則回転を伴う回胴演出種別でない場合、つまり無回転演出フラグ種別（ここでは、フリーズ１）である場合（ステップＳ１０６：≠変則回転種別）、無回転回胴演出フラグ種別に対応したフリーズタイマをセットする（ステップＳ１０７）。ここでは、フリーズ演出フラグ種別とフリーズ時間とが関連付けて定められた「フリーズ時間設定テーブル（図示せず）」を参照し、今回のフリーズ演出フラグに対応したフリーズ時間（フリーズ１対応の６秒）をフリーズタイマに設定する。この「フリーズタイマ」は、遊技機１の遊技動作制御に係るタイマ管理領域（メインＲＡＭ２０３）の一つであり、後述のステップＳ１０８のフリーズ演出中回胴演出管理処理で監視される。なお、本実施形態では、無回転回胴演出がフリーズ１の一種類であるが、複数種類の無回転回胴演出を設ける場合は、それぞれに対応したフリーズ時間がセットされる。
【０３７８】
そして、フリーズタイマ時間の経過を待つためのフリーズ演出中回胴演出管理処理（指定数割込待機処理）を行う（ステップＳ１０８）。フリーズ１は回胴の回転動作のないレバー操作時フリーズであるので、ここでフリーズタイマが経過するまで待つ。そして、フリーズタイマが経過したならば「フリーズ終了コマンド」をセットする。このフリーズ終了コマンドは、フリーズ状態の終了を指定するコマンドであり、フリーズ終了コマンドが主制御部４００側から演出制御部４１０側へと送信されると、演出制御部４１０側では、フリーズ演出が終了したことを把握し、たとえば、現出中のサブ側フリーズ中演出を終了させる。これにより、回胴演出抽選処理を抜けて、図１１の回胴回転開始処理（ステップＳ１８）に進む。
【０３７９】
（１−２−１．通常モード中回胴演出設定処理：図１３）
次に図１３を参照して、図１２の通常モード中回胴演出設定処理（ステップＳ１０３）ついて説明する。図１３は、図１２の通常モード中回胴演出設定処理の詳細を示すフローチャートである。この通常モード中回胴演出設定処理では、通常モードに係るメインモード（通常遊技モード（ＦＦＨ））中のフリーズ演出に関する設定処理が行われる。
【０３８０】
図１３において、主制御部４００は、まず現在のメインモードを判定し（ステップＳ１３１）、モード別に処理を分岐させる。ここでは、メインモードが「通常遊技モード（ＦＦＨ）」であるか否かを判定する。
【０３８１】
メインモードが「通常遊技モード（ＦＦＨ）」でない場合（ステップ１３１：≠ＦＦＨ）、何もせずに、そのまま通常モード中回胴演出設定処理を抜けて、図１２のフリーズ待機モード回胴演出設定処理（ステップＳ１０４）に進む。
【０３８２】
一方、メインモードが「通常遊技モード（ＦＦＨ）」である場合（ステップ１３１：＝ＦＦＨ）、次いで、今回の当選役がフリーズ演出抽選対象役（図３３参照）であるか否かを判定する（ステップＳ１３２）。フリーズ演出抽選対象役でない場合（ステップＳ１３２：ＮＯ）、ステップＳ１０３のフリーズ演出抽選処理は行わずに、ステップＳ１０４の処理に進む。
【０３８３】
一方、当選役がフリーズ演出抽選対象役である場合（ステップＳ１３２：ＹＥＳ）、フリーズ演出抽選処理を行う（ステップＳ１３３）。ここでは、図３３のフリーズ演出抽選テーブルに基づき、今回のゲームで発生させるフリーズ演出種別を抽選により決定する。
【０３８４】
上記のフリーズ演出抽選処理を終えると、次いで、フリーズ演出抽選結果に対応したフリーズ演出フラグをセットする（ステップＳ１３４）。このフリーズ演出フラグは、フリーズ演出種別に対応した値、たとえば、フリーズ１〜３に対応した「０１Ｈ」〜「０３Ｈ」が設定される。なお、フリーズ演出抽選結果が「ハズレ」の場合、つまり「未発生」との場合には、ハズレに対応したフリーズ演出フラグとして「００Ｈ」がセットされるようになっている。これにより、フリーズ演出が未発生、フリーズ１〜３のいずれであるかが識別できるようになっている。
【０３８５】
なお、ステップＳ１３２の処理において「フリーズ演出抽選契機役」でないと判定された場合（ステップＳ１３２：ＮＯ）、このステップＳ１３４の処理に移行されるが、この場合には、フリーズ演出抽選の抽選結果を「未発生（ハズレ）」として扱い、フリーズ演出フラグにハズレ対応の値の「００Ｈ」をセットする。上記フリーズ演出フラグは、１ゲーム毎にクリアされる。
【０３８６】
（１−２−２．フリーズ待機モード中回胴演出設定処理：図１４）
次に図１４を参照して、図１２の通常モード中回胴演出設定処理（ステップＳ１０４）ついて説明する。図１４は、図１２のフリーズ待機モード中回胴演出設定処理の詳細を示すフローチャートである。このフリーズ待機モード中回胴演出設定処理では、メインモードがフリーズ待機モードに係るメインモード（当選告知用フリーズ遊技モード（１２Ｈ）、ハズレ告知用フリーズ遊技モード（２２Ｈ）、押順ミス用非フリーズ遊技モード（３２Ｈ））中のフリーズ演出に関する設定処理が行われる。
【０３８７】
図１３において、主制御部４００は、まず現在のメインモードを判定し（ステップＳ１５１）、モード別に処理を分岐させる。ここでは、メインモードが「当選告知用フリーズ遊技モード（１２Ｈ）」、「ハズレ告知用フリーズ遊技モード（２２Ｈ）」、および「押順ミス用非フリーズ遊技モード（３２Ｈ）」のいずれであるか否かを判定する。
【０３８８】
メインモードが上記のいずれのモードでもない場合（ステップＳ１５１：≠１２Ｈ、２２Ｈ、３２Ｈ）、そのまま何もせずに、フリーズ待機モード中回胴演出設定処理を抜けて、図１２のステップＳ１０６の処理に進む。
【０３８９】
一方、メインモードが上記のいずれかのモードである場合（ステップＳ１５１：＝１２Ｈ、２２Ｈ、３２Ｈ）、告知ゲーム数カウンタを１減算する（ステップＳ１５２）。この告知ゲーム数カウンタは、フリーズ待機モードの残余ゲーム数を管理するカウンタであり、後述の図１１の回胴停止処理（ステップＳ１９）中の回胴演出モード移行設定処理（図１６）において、フリーズ待機モードに移行する際に、規定ゲーム数の８ゲームが設定される。
【０３９０】
次いで、告知ゲーム数カウンタ値に基づき、「残り告知ゲーム数コマンド」をセットする（ステップＳ１５３）。この残り告知ゲーム数コマンドには、フリーズ待機モードの残余ゲーム数情報が含まれる。上記「残り告知ゲーム数コマンド」が主制御部４００側から送信されると、演出制御部４１０側では、現在のフリーズ待機モードの残余ゲーム数を把握し、たとえば、液晶画面に、最終ゲーム数目までの残余ゲーム数をカウントダウン表示させるための演出制処理や、残余ゲーム数に応じた演出を現出させるための演出制御処理などを行う。
【０３９１】
次いで、告知ゲーム数カウンタがゼロであるか否かを判定する（ステップＳ１５４）。告知ゲーム数カウンタがゼロでない場合（ステップＳ１５４：≠０）、フリーズ待機モード中回胴演出設定処理を抜けて、図１２のステップＳ１０６の処理に進む。
【０３９２】
しかし、告知ゲーム数カウンタがゼロである場合（ステップＳ１５４：＝０）、メインモードが「当選告知用フリーズ遊技モード（１２Ｈ）」または「ハズレ告知用フリーズ遊技モード（２２Ｈ）」であるか否かを判定する（ステップＳ１５５）。ここでは、告知ゲーム数カウンタがゼロになり、フリーズ待機モード終了時の「告知用フリーズ演出」を発生させる、「当選告知用フリーズ遊技モード（１２Ｈ）」であるか、または「ハズレ告知用フリーズ遊技モード（２２Ｈ）」であるかを判定する。
【０３９３】
メインモードが、非フリーズモードである「押順ミス用非フリーズ遊技モード（３２Ｈ）」である場合には（ステップＳ１５５：≠１２Ｈ、２２Ｈ）、何もせずにフリーズ待機モード中回胴演出設定処理を抜けて、図１２のステップＳ１０６の処理に進む。これにより、最終ゲーム数目（８ゲーム目）に「押順ミス用非フリーズ遊技モード（３２Ｈ）」滞在時には、告知用フリーズ演出が発生されない。
【０３９４】
一方、メインモードがフリーズモードである「当選告知用フリーズ遊技モード（１２Ｈ）」または「ハズレ告知用フリーズ遊技モード（２２Ｈ）」である場合には（ステップＳ１５５：＝１２Ｈ、２２Ｈ）、ステップＳ１５６に進み、告知用フリーズ演出の発生に要する設定処理を行う（告知ゲーム到達時回胴演出設定処理）を行う。
【０３９５】
ステップＳ１５６の告知ゲーム到達時回胴演出設定処理では、メインモード種別に対応したフリーズ演出フラグがセットされる。具体的には、「当選告知用フリーズ遊技モード（１２Ｈ）」である場合には、‘当選告知用フリーズ演出フラグ（０７Ｈ）’をセットし、「ハズレ告知用フリーズ遊技モード（２２Ｈ）」である場合には‘ハズレ告知用フリーズ演出フラグ（０８Ｈ）’をセットする。これにより、最終ゲーム数目（８ゲーム目）に、告知用フリーズ演出が発生されることになる。
【０３９６】
なお、当選告知用フリーズ演出は、変則回転動作を伴う回胴演出種別であるので、後述の回胴回転開始設定処理（ステップＳ１８）中で、その発生に必要な設定処理が行われるようになっている（後述の図１５参照）。
【０３９７】
（１−３．回胴回転開始設定処理：図１５）
次に図１５を参照して、図１１の回胴回転開始設定処理（ステップＳ１８）ついて説明する。図１５は、図１１の回胴回転開始設定処理の詳細を示すフローチャートである。
【０３９８】
図１５において、主制御部４００は、まず、フリーズ演出フラグを取得し（ステップＳ２０１）、そのフリーズ演出フラグが、変則回転を伴う回胴演出種別（本実施形態では、フリーズ２〜３、告知用フリーズ演出）に係るものであるか否かを判定し（ステップＳ２０２）、変則回転を伴う回胴演出種別の場合（ステップＳ２０２：ＹＥＳ）、フリーズ時間において、回胴の変則回転動作を実行させるために要する設定処理を行う（ステップＳ２０３〜Ｓ２０５）。一方、フリーズ演出フラグが変則回転を伴う回胴演出種別でない場合（ステップＳ２０２：ＮＯ）、後述のステップＳ２０６の処理に進む。
【０３９９】
（変則回転動作設定処理：ステップＳ２０３〜Ｓ２０５）
レバー操作時フリーズ演出のうち、変則回転を伴う回胴演出種別である場合には、まずステップＳ２０３の変則回転動作設定処理に進み、フリーズ演出フラグに応じた変則回転動作用のモータ制御データ（回胴駆動モータ２１１ａ、２１１ｂ、２１１ｃを制御するためのデータ）をセットする（ステップＳ２０３）。たとえば、回胴演出として所定コマ数分逆回転させる回胴のモータ制御は、ここで設定されたモータ制御データに基づいて、主制御側タイマ割込制御処理中の回胴回転制御処理（後述の図１９のステップＳ４３）で行われる。
【０４００】
次いで、フリーズ演出フラグ種別に応じたフリーズ時間をフリーズタイマにセットする（ステップＳ２０４）。
【０４０１】
次いで、フリーズタイマ時間の経過を待つためのフリーズ演出中回胴演出管理処理（指定数割込待機処理）を行う（ステップ２０５）。そして、フリーズタイマが経過したならば、「フリーズ終了コマンド」をセットする。ここでは、フリーズ２〜３や告知用フリーズ演出に係るフリーズ時間が経過するのを待つ。このフリーズ時間中において、フリーズ演出種別に対応した回胴の変則回転動作が実行されることになる。
【０４０２】
このように、レバー操作時時フリーズ演出のうちで変則回転を伴う回胴演出種別である場合には、上記ステップＳ２０３〜Ｓ２０５の処理を経た後にステップＳ２０６の処理に進む。しかし、変則回転を伴わない回胴演出種別である場合には、上記ステップＳ２０３〜Ｓ２０５の処理を経ずにステップＳ２０６の処理に進む。
【０４０３】
（通常回転設定処理：Ｓ２０６〜Ｓ２１０）
ステップＳ２０６に進むと、回胴を通常回転させる準備として、遊技開始ウェイトタイマを取得し（ステップＳ２０６）、そのタイマ値が０（ゼロ）であるか否かを確認する（ステップＳ２０７）。そして遊技開始ウェイトタイマの値がゼロでない場合、当該タイマの値が０になるまで待つ（ステップＳ２０７：ＮＯ）。この遊技開始ウェイトタイマは通常動作での「１ゲームの遊技時間」を規制するためのタイマであり、次のステップＳ２０７の処理で４．１秒が設定される。これにより、１ゲームに要する時間が最短でも４．１秒となるようになっている。
【０４０４】
遊技開始ウェイトタイマがゼロである場合（ステップＳ２０７：ＹＥＳ）、まず遊技開始ウェイトタイマに、１ゲームに要するべき最低限の時間として上記４．１秒を設定する（ステップＳ２０８）。そして、通常回転開始設定処理として、「通常回転動作用の制御データ」をセットし、回胴状態フラグに「０１Ｈ（全回胴回転中）」をセットする（ステップＳ２０９：通常回転開始設定処理）。ここでは通常回転とするための制御データが設定され、レバー操作時フリーズ係るフリーズ時間が終了した後は、本処理により全回胴が通常回転を開始し、回胴回転停止ボタン１２の第１停止操作が許容される（回胴回転停止ボタンの内蔵ＬＥＤが赤色（停止操作無効報知態様）から青色（停止操作可能報知態様）に変化する）ことになる。これにより、レバー操作時フリーズ演出が有る場合と無い場合の回胴回転開始設定処理は実質的に終了となる。
【０４０５】
最後に演出制御コマンドとして、回胴始動された旨を指定する「回転開始コマンド」をセットし、これにより回胴回転開始設定処理を抜ける（ステップＳ２１０）。なお、ここでの回転開始コマンドは、フリーズ終了コマンドを演出制御部４１０側に送信する代わりをなすことができる。回胴回転開始時フリーズ演出の終了を演出制御部４１０側に知らせる場合、その旨の上記「フリーズ終了コマンド」を用意して送信しても良いが、レバー操作時フリーズの終了直後には必ず回転開始コマンドがセットされ、これが演出制御部４１０側に送信されるので、わざわざフリーズ終了コマンドを用意して送信することをせず、この回転開始コマンドによりフリーズ終了コマンドを代用させることもできる。
【０４０６】
以上により、回胴回転開始処理を抜けて、図１１の回胴停止処理（ステップＳ１９）に進む。各回胴５ａ、５ｂ、５ｃが回転状態（通常時の回転動作（通常回転動作））に入ることになる。
【０４０７】
なお、フリーズ時間を管理する、ステップＳ２０５、図１２のステップＳ１０８の回胴演出管理処理（指定数割込待機処理）中において、遊技者が操作可能な操作手段（回胴回転始動レバー１１、回胴回転停止ボタン１２、ＭＡＸベットボタン８、１ベットボタン９などの操作手段）を利用して、次のような「フリーズ中操作時演出」を実行可能に構成することができる。
【０４０８】
（フリーズ中操作時演出）
フリーズ演出（フリーズ状態）は、遊技の進行を所定期間（フリーズ時間）遅延状態とする関係上、そのフリーズ時間が経過するまでは、遊技進行を進めようとする操作手段の操作（通常の遊技進行のための操作手段の操作）は「無効扱い（操作無効化状態）」となる。具体的には、たとえば、レバー操作時フリーズ演出では、回胴回転始動レバー１１の操作時にフリーズ状態が発生するが、そのフリーズ時間が経過するまでは、回胴回転始動レバー１１を再度操作しても、回胴は始動されずに無回転状態のままとなる。つまり、遊技者にとっては、回胴回転始動レバー１１や回胴回転停止ボタン１２の操作が効かない、といった遊技状況下に置かれることになる。その後、フリーズ状態が解除されると、通常回転動作が開始され、本来の回胴の停止操作が許容状態下に置かれて、遊技者が回胴回転停止ボタン１２を操作すれば、その停止対象となった回胴を停止させることができるようになる。
【０４０９】
しかし本実施形態では、上記フリーズ状態下であっても、遊技者が操作可能な操作手段からの検出信号（操作検出信号）自体は受け付けて、操作手段から発せられる検出信号を利用して、フリーズ演出に変化をもたらすことができるように構成されている。具体的には、フリーズ演出中において、操作手段が操作されたことに基づき、特定の演出を現出可能に構成されている。この操作手段の操作に起因して現出される演出を「フリーズ中操作時演出（操作時演出）」と称する。したがって、フリーズ中操作時演出は、フリーズ演出の一環として発生しうる。なお、フリーズ中操作時演出は、メイン側フリーズ中演出（回胴演出）やサブ側フリーズ中演出のいずれであっても良く、これらを重複的または単独的に発生させることができる。
【０４１０】
（操作コマンド）
ところで、回胴回転始動レバー１１、回胴回転停止ボタン１２、ＭＡＸベットボタン８、１ベットボタン９などの操作手段を１回操作（１往復）させた場合、操作検出信号が発せられる。たとえば、回胴回転始動レバー１１を１回操作（１往復）させると、そのスイッチが作用して、操作検出信号が出力される。主制御部４００側は、この操作検出信号の立ち上がりと立ち下がりとから、操作コマンドに利用可能なトリガーパルスを計２回取り出し得る。１個目は、たとえば、回胴回転始動レバー１１や回胴回転停止ボタン１２などを原位置から他位置に移動させた際（押下した際）に、操作検出信号パルスの前縁（前端エッジ）で作成される信号（以下「ＯＮ信号」と称する）である。２個目は、回胴回転始動レバー１１や回胴回転停止ボタン１２を他位置から原位置に移動させた際（押し戻した際（釈放下際））に、操作検出信号パルスの後縁（後端エッジ）で作成される信号（以下「ＯＦＦ信号」と称する）である。主制御部４００側は、このＯＮ信号またはＯＦＦ信号のいずれかを利用して、演出制御コマンドとして、操作手段に対応した操作コマンドを送信することができる。
【０４１１】
ここで操作コマンドの発生に関し、ＯＮ信号（ＯＮ操作信号）だけでなくＯＦＦ信号（ＯＦＦ操作信号）も必要とするケースについて説明する。たとえば、遊技者が回胴回転始動レバー１１を押し下げた状態をしばらく保持し、それから回胴回転始動レバー１１を釈放する場合は、ＯＮ信号とＯＦＦ信号の間に時間差が生まれる。また回胴回転停止ボタン１２やＭＡＸベットボタン８などの他の操作手段の場合も、押下時のＯＮ信号と、釈放時のＯＦＦ信号との間に時間差が生まれる。したがって上記操作コマンドについても、ＯＮ操作コマンドとＯＦＦ操作コマンドの間に時間差が生まれることになる。本実施形態では、このＯＮ操作とＯＦＦ操作、またはその時間差を利用して、異なる種類のフリーズ中操作時演出を発生させることが可能である。つまりフリーズ期間中に、操作手段を押下時（ＯＮ操作時）および／またはその釈放時（ＯＦＦ操作時）を契機に、これに対応したフリーズ中操作時演出を実行させることが可能である。
【０４１２】
（フリーズ中操作時演出の現出制御について）
次に、フリーズ中操作時演出の現出制御について説明する。
【０４１３】
フリーズ中操作時演出の現出させる場合、フリーズ演出中であっても、操作手段（たとえば、回胴回転始動レバー１１、回胴回転停止ボタン１２（１２ａ〜１２ｃ）、１ベットボタン９、またはＭＡＸベットボタン８など）が操作されたか否については、これらからの検出信号を受信可能な主制御部４００が把握可能な構成とし、主制御部４００は、フリーズ演出中に上記操作手段が操作されことを確認した場合、操作コマンドとして、操作手段に対応した「フリーズ中操作コマンド」を発生させる。たとえば、フリーズ演出中に回胴回転停止ボタン１２が操作された場合、遊技結果を導出表示するための回胴の停止制御は行われないが、その検出信号に対応した「フリーズ中操作コマンド」が発生させ、これを主制御部４００側から演出制御部４１０側に送信可能とすることができる。このケースでは、回胴回転停止ボタン１２の操作に対応した「フリーズ中操作コマンド」が発生される。
【０４１４】
演出制御部４１０側においては、上記の「フリーズ中操作コマンド」を利用して、上記「フリーズ中操作時演出」を現出させることができる。このようなフリーズ中操作コマンドが発生されることを利用し、操作手段が操作されたか否かに応じて、フリーズ演出の内容に変化をもたらすことができるようになっている。これにより、フリーズ演出中において、たとえば、操作手段を利用して、遊技者が参加可能な「遊技者参加型のゲーム演出（遊技者参加型演出）」を実現することができる。
【０４１５】
上記のような「遊技者参加型演出」では、遊技者自らがゲーム演出に参加してそのゲーム内容を楽しむことができる点で、演出効果に優れる。具体的には、遊技者がゲーム演出に参加することにより、そのゲーム演出結果が遊技結果自体に影響を及ぼしているような感覚を与えるたり、また、そのゲーム演出結果により、今回の遊技結果や現在の遊技状態に関連する情報（たとえば、当選役に関する情報やＡＴ抽選の当否に関する情報など）を報知させることができる。
【０４１６】
このようなフリーズ中における「遊技者参加型演出」は、単に、自動的にフリーズ演出が進行していくような「遊技者不参加型」のフリーズ演出よりも演出効果に優れ、操作手段によりフリーズ演出の内容に変化を与えることができるので、フリーズ演出の自由度が広がり、そのバリエーションを豊富なものとすることができる。
【０４１７】
なお、操作手段による演出の変化は、フリーズ演出中における所定の操作受付有効期間内に操作手段（演出現出対象に係る操作手段）が操作された場合に生起させることができる。この操作受付有効期間については、フリーズ演出種別に応じて適宜定めることができる。これは、フリーズ演出種別に応じてフリーズ時間が異なるためであり、有効な演出時間幅を確保する必要性があることに起因する。端的にいえば、フリーズ中（フリーズ演出中）において、所定の操作手段が操作された場合、所定の条件の下でフリーズ中操作時演出を現出させることができることを意味する。たとえば、特定の操作手段（たとえば、中回胴停止ボタン１２ｂ）が所定の操作受付有効期間内に操作され、かつそのＯＦＦ操作コマンドを受信した場合、「フリーズ中操作時演出の実行条件が成立した」として、これに対応する「フリーズ中操作時演出（ここでは、フリーズ中サブ側演出）」を現出させる。つまり、操作受付有効期間内に中回胴停止ボタン１２ｂが操作された場合であっても、ＯＮ操作コマンドによってフリーズ中操作時演出は現出せず、操作受付有効期間内にＯＦＦ操作コマンドを演出制御部４１０側が受けたことを条件に（フリーズ中操作時演出の実行条件の成立）、フリーズ中操作時演出を現出させることができる。
【０４１８】
なお「回胴演出」に係るフリーズ中操作時演出については、回胴演出を制御する主制御部４００側に接続された操作手段により実行可能であり、演出制御部４１０側にのみ接続される演出用ボタン（不図示）の操作では実行不可能となる。その理由は次の通りである。
【０４１９】
演出制御部４１０側が管理する演出用ボタン（図示せず）については、その操作に関する操作情報について、演出制御部４１０側から主制御部４００側に送信することができず、これにより主制御部４００側は、当該演出用ボタンが操作されたか否かについて把握することができない。これは、既に説明したように、外部からのゴト行為を防止するため、演出制御部４１０側は一方向通信における入力としてのみ機能するようになっており、演出制御部４１０側から何らかの情報を主制御部４００側には送信不可能な構成とされているためである。したがって、上記演出用ボタンの操作に起因して、主制御部４００側で制御される回胴演出に変化を与えることはできない。つまり、回胴演出に変化を与えることができるのは、主制御部４００側によりその操作を直接的に検出可能な特定の操作手段（たとえば、回胴回転始動レバー１１、回胴回転停止ボタン１２（１２ａ〜１２ｃ）、１ベットボタン９、またはＭＡＸベットボタン８など：図４参照）に限られる。
【０４２０】
「回胴演出」に係るフリーズ中操作時演出には、たとえば、告知用フリーズ演出のような変則回転動作を伴うフリーズ演出中において（ここでは、説明の便宜のため、告知用フリーズ演出の回転動作として、通常回転動作を模した疑似的な回転動作を伴う回胴演出が発生するとする）、回胴回転停止ボタン１２（１２ａ、１２ｂ、１２ｃ）からの検出信号自体は受付有効状態とし、遊技者がいずれかの回胴回転停止ボタン１２を操作した場合（仮停止操作）、疑似的に回胴を停止させる仮停止状態に制御することができる。具体的には、回胴回転停止ボタン１２ａ、１２ｂ、または１２ｃが操作されたことに起因して、停止操作対象となった回胴を仮停止させていき、各回胴回転停止ボタンが操作された場合、特定の図柄の組合せ（ＢＡＲ図柄揃い）やバラケ目を停止させる、といった疑似的なゲームを実現することができる。この場合、「当選告知用フリーズモード」に係る告知用フリーズ演出（当選告知用フリーズ演出フラグ「０７Ｈ」）の場合は、ＢＡＲ図柄揃いを仮停止させるフリーズ中操作時演出を発生させるようにし、「ハズレ告知用フリーズモード」に係る告知用フリーズ演出（ハズレ告知用フリーズ演出フラグ「０８Ｈ」）の場合は、バラケ目を仮停止させるフリーズ中操作時演出を発生させるようにし、これを以って、ＡＴ抽選の当落結果を報知する、といった遊技者参加型演出を実現することができる。そして、フリーズ時間経過後には、回胴が通常回転動作に入り、本来の回胴の停止操作が許容されて、当選役に対応した遊技結果が導出表示されることになる。
【０４２１】
なお、フリーズ中操作時演出中の遊技者参加型演出において、いずれの操作手段を利用して遊技に参加するかを遊技者に報知可能な構成とすることができる。これにより、遊技者に如何なる操作手段を利用して、遊技者参加型演出に参加すれば良いか明示することができるようになる。本実施形態の場合、フリーズ演出中以外の期間では、回胴回転停止ボタン１２に関し、その操作が操作無効状態であれば、停止ボタンに内蔵の停止ボタンランプ（フルカラーＬＥＤ）が「赤色（第１の報知態様）」に発色し、操作可能状態であればそれとは異なる「青色（第２の報知態様）」に発色する。これに着目し、たとえば、遊技者参加型演出中において、操作手段として回胴回転停止ボタン１２を利用する場合には、フリーズ演出中の回胴回転停止ボタン１２（１２ａ〜１２ｃ）に関し、その操作が操作無効状態（遊技者参加型演出における遊技参加無効状態、または遊技者参加型演出未発生のフリーズ演出中の場合など）であれば、停止ボタンに内蔵の停止ボタンランプが「白色（第３の報知態様）」に発色させ、操作可能状態（遊技者参加型演出における遊技参加可能状態）であればそれとは異なる「緑色（第４の報知態様）」に発色させるように構成することができる。なお、通常時とフリーズ演出時とで、操作無効状態および操作可能状態のいずれか一方の発色を同じ色としても良い。また、上述の第３の報知態様と第４の報知態様を発色させるのではなく、点滅状態（たとえば、第３の報知態様を低速点滅、第４の報知態様を高速点滅）、点灯／消灯（たとえば、第３の報知態様を消灯状態、第４の報知態様を点灯状態）などの報知態様としても良い。
【０４２２】
上記では、回胴回転停止ボタン１２を例にとり説明したが、回胴回転始動レバー１１、１ベットボタン９、またはＭＡＸベットボタン８などにも適用することができる。
【０４２３】
（１−４．回胴停止処理：図１６）
次に図１６を参照して、図１１の回胴停止処理（ステップＳ１９）ついて説明する。図１６は、図１１の回胴停止処理の詳細を示すフローチャートである。
【０４２４】
図１６において、まず主制御部４００は、回胴の停止が可能な状態中に回胴回転停止ボタン１２の操作があったか否かを判定する（ステップＳ３０１）。本実施形態では、主制御部４００において、回胴回転始動レバー１１が操作されて各回胴が通常回転を開始し、回胴の回転が概ね一定の回転速度まで立ち上がると、各回胴の対応する回胴回転停止ボタン１２について停止操作機能が有効に働く状態（停止可能状態）となり、このとき主制御部４００の制御の下で、停止ボタンに内蔵の停止ボタンランプが赤色から青色に変更され、停止操作可能であることが遊技者に報知される構成となっている。
【０４２５】
回胴停止可能状態の回胴回転停止ボタン１２について停止操作があった場合（ステップＳ３０１：ＹＥＳ）、続いて、停止準備データをセットする（ステップＳ３０２）。この停止準備データには、押し順を特定可能な「停止操作順データ」、既に停止している回胴数（停止回胴数）を特定可能な「停止回胴数データ」（たとえば、第１停止操作時の場合、停止している回胴はないので‘停止回胴数＝０’を特定するデータとなる）、停止操作対象となった回胴を特定可能な「停止対象回胴データ」、引き込み制御下で回胴が完全に停止するのに要する余裕時間を含めた停止間隔タイマ（たとえば、２１３ｍｓ）などが含まれ、これらが停止準備データとしてセットされる。なお、現在の押し順や第何番目の停止操作であるかについては、上記停止操作順データや、現在の回胴停止数データにより把握することができるようになっている。したがって、本処理は、停止操作順番監視手段として機能する。
【０４２６】
次いで、停止ボタン操作時の演出制御コマンドとして「停止入力情報受付コマンド」をセットする（ステップＳ３０３）。この停止入力情報受付コマンドには、上記の停止操作順データ、停止回胴数データ、および停止対象回胴データを特定可能な情報が含まれる。
【０４２７】
次いで、図柄停止制御処理を行う（ステップＳ３０４）。この図柄停止制御処理では、当選役種別情報（内部当選フラグ）と、停止操作手順（押し順と停止操作タイミング）とに基づいて目的の停止テーブル（不図示）を選択し、その停止テーブルから滑りコマ数を割り出し、これに基づく回胴の停止制御（引き込み制御）を行う。
【０４２８】
また、回胴が停止した際には、その停止位置に基づき、各回胴において、いずれの入賞ライン上に、如何なる図柄番号の図柄が停止しているかを特定可能な「図柄停止情報（入賞ラインデータ）」が作成され、メインＲＡＭの所定領域にセットされる。この図柄停止情報は、各回胴の停止毎に作成されるので、図柄の停止目（たとえば、特定の入賞役の聴牌状態など）を把握することができる。この図柄停止情報は、１ゲーム毎にクリアされる。なお、回胴の停止位置は、実際に回胴が停止した際にも把握することができるが、停止操作図柄番号と滑りコマ数とに基づいて、回胴が完全に停止する前段階で、当該回胴の停止位置を把握することもできる。
【０４２９】
次いで、回胴停止時の演出制御コマンドとして「停止結果情報コマンド」をセットする（ステップＳ３０５）。この「停止結果情報コマンド」には、回胴停止時に作成される上記図柄停止情報が含まれる。演出制御部４１０側においては、上記「停止結果情報コマンド」や「停止入力情報受付コマンド」により、押し順や、現在の回胴の回転・停止状態や、入賞ライン（有効入賞ラインおよび／または疑似入賞ライン）上の停止図柄を把握することができる。これにより、演出制御部４１０側では、正規手順でなければ、ペナルティを発生させるためのペナルティ処理を行うことができる。また、回胴の停止操作時に係る演出（たとえば、停止操作時の停止音や、特定の停止目が停止したことを報せる演出（たとえば、聴牌状態時の聴牌音など）を現出するための演出制御処理を行うことができるようになっている。
【０４３０】
次いで、停止間隔タイマに設定したタイマ時間（２１３ｍｓ）を監視し（ステップＳ３０６）、停止間隔タイマがゼロでない場合、当該タイマがゼロになるまで待つ（ステップＳ３０６：ＮＯ）。そして、停止間隔タイマがゼロになったならば（ステップＳ３０６：ＹＥＳ）、次いで、全回胴が停止したか否か判定する（ステップＳ３０７）。
【０４３１】
ステップＳ３０７判定処理において、今回が第１停止操作後、または第２停止操作後であれば、まだ回転している回胴があるので、その判定はＮＯとなり、ステップＳ３０１に戻り、第３停止操作による全回胴停止を待つことになる。
【０４３２】
これらの第１〜第３停止操作を経て、全回胴が停止したならば（ステップＳ３０７：ＹＥＳ）、フリーズ待機モードへの移行する場合に要する設定処理を行うための「回胴演出モード移行設定処理」を行う（ステップＳ３０８）。なお、回胴演出モード移行設定処理の詳細については図１７にて後述する。
【０４３３】
次いで、演出制御コマンドとして、「モード情報コマンド」をセットする（ステップＳ３０９）。このモード情報コマンドには、現在のメインモード情報が含まれる。上記モード情報コマンドにより、演出制御部４１０側において、現在のメインモードが把握される。これにより回胴停止処理を抜けて、図８の入賞判定処理（ステップＳ２０）に進む。
【０４３４】
（１−４−１．回胴演出モード移行設定処理：図１７）
次に図１７を参照して、図１６の回胴演出モード移行設定処理（ステップＳ３０８）ついて説明する。図１７は、図１６の回胴演出モード移行設定処理の詳細を示すフローチャートである。
【０４３５】
図１７において、主制御部４００は、まず、メインモードデータを取得し（ステップＳ４０１）、メインモードが「当選告知用フリーズ遊技モード（１２Ｈ）」、「ハズレ告知用フリーズ遊技モード（２２Ｈ）」、および「押順ミス用非フリーズ遊技モード（３２Ｈ）」のいずれであるか否かを判定する（ステップＳ４０２）。
【０４３６】
メインモードが上記のいずれかのモードである場合（ステップＳ４０２：≠１２Ｈ、２２Ｈ、３２Ｈ）、フリーズ待機モード中であるとして、フリーズ待機モード管理処理を行う（ステップＳ４０９）。なお、フリーズ待機モード管理処理についての詳細は図１８にて後述する。
【０４３７】
メインモードが上記のいずれのモードでもない場合（ステップＳ４０２：≠１２Ｈ、２２Ｈ、３２Ｈ）、フリーズ待機モード中ではないので、ステップＳ４０３〜Ｓ４０８の処理を行う。
【０４３８】
ステップＳ４０３の処理では、今回の当選役がモード（メインモード）移行契機役である、移行リプレイ種別（移行リプレイＡまたは移行リプレイＢ）であるか否かを判定する（ステップＳ４０３)。本実施形態では、移行リプレイＡまたは移行リプレイＢがモード移行契機役に相当し、当選役が移行リプレイＡまたは移行リプレイＢのいずれかでない場合には（ステップＳ４０３：ＮＯ）、メインモードの移行は発生しないので、何もせずに回胴演出モード移行設定処理を抜けて、図１６のステップＳ３０９の処理に進む。
【０４３９】
今回の当選役が移行リプレイ種別である場合（ステップＳ４０３：ＹＥＳ）、入賞役がフリーズ待機モード移行契機役である、移行リプレイ１〜３のいずれかであるか否かを判定する（ステップＳ４０４）。本実施形態では、移行リプレイ１〜３がフリーズ待機モード移行契機役に相当し、入賞役が移行リプレイ１〜３のいずれかでない場合には（ステップＳ４０４：ＮＯ）、メインモードの移行は発生しないので、何もせずに回胴演出モード移行設定処理を抜けて、図１６のステップＳ３０９の処理に進む。なお、原則として、遊技者は正規手順を踏まえて遊技を進行しているので、移行リプレイ１〜３が入賞するケースは、上記フリーズ待機モード移行アシスト報知が発生した当該ゲームである。
【０４４０】
入賞役が移行リプレイ１〜３のいずれかある場合には（ステップＳ４０４：ＹＥＳ）、メインモードを移行制御に要する「フリーズ待機モード移行設定処理」を行う（ステップＳ４０５）。
【０４４１】
このフリーズ待機モード移行設定処理では、図３４に示す「モード移行テーブル」に基づいて、移行先のメインモードを決定する。
【０４４２】
（モード移行テーブル：図３４）
上記モード移行テーブルには、図示のように、現在のメインモードと入賞役種別とが関連づけて定められており、本実施形態の場合、現在のメインモードと当選役種別に係る入賞役種別とに応じて、移行先を指定するメインモード判定データが定められている。ここでは、移行先として、フリーズ待機モードに係るメインモードが決定される。たとえば、現在のメインモードが「通常遊技モード（ＦＦＨ）」である場合に、移行リプレイＡに係る移行リプレイ１が入賞したときは、「当選告知用フリーズ遊技モード（１２Ｈ）」に移行されるようになっている。
【０４４３】
次いで、上記フリーズ待機モード移行設定処理で決定された移行先となるメインモード判定データを、メインＲＡＭ４０１ｂのモードデータ格納領域に設定する（ステップＳ４０６）。これにより、次回ゲームから、新たなメインモード下、つまりフリーズ待機モードに係るメインモード下での遊技処理が行われることになる。
【０４４４】
次いで、フリーズ待機モードに移行されたとして、告知ゲーム数カウンタに、フリーズ待機モードの規定ゲーム数「８ゲーム」を設定し（ステップ４０７）、演出制御コマンドとして、「フリーズ待機モード開始コマンド」をセットする（ステップ４０８）。このフリーズ待機モード開始コマンドには、フリーズ待機モード移行設定処理で決定された移行先のメインモードを特定可能な情報が含まれる。フリーズ待機モード開始コマンドが主制御部４００側から送信されると、演出制御部４１０側では、フリーズ待機モードに移行した旨およびそのモード種別を把握することができる。本実施形態では、フリーズ待機モード開始コマンドが今回のゲームで送信されるようになっているので、次回のゲームが開始される前に、演出手段を利用して、フリーズ待機モードに移行された旨を報知することも可能である。
【０４４５】
以上により、上記回胴演出モード移行設定処理を抜けると、図１６のステップＳ３０９の処理に進む。
【０４４６】
（１−４−２．フリーズ待機モード管理処理：図１８）
次に図１８を参照して、図１７のフリーズ待機モード管理処理（ステップＳ４０９）ついて説明する。図１８は、図１７のフリーズ待機モード管理処理の詳細を示すフローチャートである。
【０４４７】
図１８において、主制御部４００は、まず告知ゲーム数カウンタがゼロであるか否かを判定する（ステップＳ４３１）。告知ゲーム数カウンタがゼロである場合（ステップＳ４３１：＝０）、この場合は、今回のゲームにて、フリーズ待機モードが終了となるので、その終了処理として、モードデータに「ＦＦＨ（通常遊技モード）」を設定する（ステップ４３６：フリーズ待機モード終了設定処理）。これにより、次回ゲームから通常遊技モード下での遊技処理が行われる。
【０４４８】
なお、フリーズ待機モード終了後、ＡＴ抽選に当選していれば、最終的に演出制御部４１０側の演出制御によりＡＴ遊技が発生し、遊技モードが「ＡＴモード（‘通常遊技モード（メインモード：ＦＦＨ（ＲＴ１遊技））’＋‘ＡＴ遊技（演出モード：Ａ０Ｈ）’）」に移行され、非当選であれば、遊技モードが「通常モード１（‘通常遊技モード（メインモード：ＦＦＨ（ＲＴ１遊技））’＋‘通常演出モード（演出モード：ＦＦＨ）’）」に移行されるようになっている。そして、演出制御コマンドとして、フリーズ待機モード終了を指定する「フリーズ待機モード終了コマンド」をセットし（ステップＳ４３７）、これにより、フリーズ待機モード管理処理を抜ける。そして、回胴演出モード移行設定処理を抜けて、図１６のステップＳ３０９の処理に進む。
【０４４９】
告知ゲーム数カウンタがゼロでない場合（ステップＳ４３１：≠０）、この場合は、フリーズ待機モードが継続中であるとして、まず、現在のメインモードが、「ハズレ告知用フリーズ遊技モード（２２Ｈ）」であるか否かを判定する（ステップＳ４３２）。
【０４５０】
ここで、ステップＳ４３２の判定処理において、ハズレ告知用フリーズ遊技モード（２２Ｈ）であるか否かを判定するのは、既に説明したように、遊技モードがハズレ告知用フリーズモードに滞在している場合、ＡＴ抽選契機役の当選を契機にＡＴ抽選が実行される場合があり、ＡＴ抽選に当選となれば、移行リプレイＡの当選を契機に移行リプレイ１のアシスト報知が実行され、このとき、移行リプレイ１の入賞により、当選告知用フリーズモードへと昇格移行されるようになっているためである（ステップＳ４３３〜Ｓ４３５、後述の図２６のステップＳ７５７参照）。
【０４５１】
したがって、メインモードが上記「ハズレ告知用フリーズ遊技モード（２２Ｈ）」でない場合には（ステップＳ４３２：≠２２Ｈ）、「当選告知用フリーズ遊技モード（１２Ｈ）」、または「押順ミス非フリーズ遊技モード（３２Ｈ）」に滞在中の場合であるので、そのまま何もせずに、フリーズ待機モード管理処理を抜ける。そして、回胴演出モード移行設定処理を抜けて、図１６のステップＳ３０９の処理に進む。
【０４５２】
しかし、メインモードが上記「ハズレ告知用フリーズ遊技モード（２２Ｈ）」である場合には（ステップＳ４３２：＝２２Ｈ）、今回の当選役が移行リプレイＡであり（ステップＳ４３３：ＹＥＳ）、入賞役が移行リプレイ１であれば（ステップＳ４３４：ＹＥＳ）、現在の「ハズレ告知用フリーズ遊技モード（２２Ｈ）」からの「当選告知用フリーズ遊技モード（１２Ｈ）」の移行処理として、モードデータに、これに対応する‘１２Ｈ’を設定し（ステップ４３５：フリーズ待機モード移行設定処理）、次回ゲームから、メインモードが「当選告知用フリーズモード（１２Ｈ）」下での遊技処理が行われる。これにより、フリーズ待機モード管理処理を抜ける。そして、回胴演出モード移行設定処理を抜けて、図１６のステップＳ３０９の処理に進む。なお、今回の当選役が移行リプレイＡでない場合（ステップＳ４３３：ＮＯ）、または、移行リプレイＡが当選しても入賞役が移行リプレイ１でない場合（ステップＳ４３４：ＮＯ）、昇格移行は生じさせず、フリーズ待機モード管理処理を抜けるようになっている。
【０４５３】
（２．主制御側タイマ割込処理：図１９）
次に図１９を参照して、主制御側のタイマ割込処理について説明する。図１９は、主制御側タイマ割込処理を示すフローチャートである。この主制御側タイマ割込処理は、ＣＴＣからの一定時間（１．５ｍｓ程度）ごとの割込みで起動され、主制御側メイン処理実行中に割り込んで実行される。
【０４５４】
図１９において、主制御部４００は、まずタイマ割り込みが発生した場合、レジスタを所定のスタック領域に退避させる退避処理を行う（ステップＳ４１）。
【０４５５】
次いで、ポート入力処理を行う（ステップＳ４２）。このポート入力処理では、遊技機に設けられたスイッチ類やセンサ類からの検出情報を管理する。
【０４５６】
次いで、回胴回転制御処理を行う（ステップＳ４３）。回胴回転制御処理では、回胴状態フラグを確認した際の回胴始動時や、停止操作時の停止指令フラグを確認した際の回胴停止時において、回胴駆動モータに出力するパルス信号を管理制御して回転動作を制御したり、現在の回胴の回転位置やその速度を監視したりする。
【０４５７】
次いで、定期更新処理を行う（ステップＳ４４）。この定期更新処理では、遊技動作に用いられるタイマを更新したり、ウォッチドッグタイマを定期的にクリアしたりする。定期更新処理が実行されない場合、例えば、遊技動作制御に異常が発生してプログラムが暴走状態となった場合、ウォッチドッグタイマがタイムアップすると、メインＣＰＵ４０１ｃが自動的にリセットされて上記暴走状態から復帰する。
【０４５８】
次いで、コマンド出力処理を行う（ステップＳ４５）。このコマンド出力処理では、遊技の進行に伴う処理状態に応じてセットされる演出制御コマンドを演出制御部４１０側（演出制御基板４２０側）に送信する。主制御部４００は、割り込み毎に演出制御コマンドを１バイト分出力している。１つの演出制御コマンドは２バイト長であるので、連続する２回のタイマ割り込みで１つの演出制御コマンドが送信される。
【０４５９】
次いで、メダル情報出力処理を行う（ステップＳ４６）。このメダル情報出力処理では、遊技メダル投入や遊技メダル払出しの際のメダル払出信号を出力する。上記各信号は、外部集中端子基板３１０を介してホールコンピュータＨＣに送信される。
【０４６０】
次いで、表示出力処理を行う（ステップＳ４７）。この表示出力処理では、遊技進行状況に応じて、遊技機に設けられたＬＥＤや７セグメントなどの発光を制御する発光制御信号を出力する。遊技パネル７７に形成された各種の表示部の発光態様は、ここで管理制御される。
【０４６１】
具体的には、処理状態に応じて作成された発光制御信号データに基づき、遊技開始表示ＬＥＤ８１、メダル投入表示ＬＥＤ８２再遊技作動ＬＥＤ８３、ＭＡＸベットＬＥＤ８４、投入枚数表示ＬＥＤ８５、停止ボタンランプ（図示せず）、クレジット枚数表示器８６、払出枚数表示器８７などの発光態様を制御するための発光制御信号を出力する。
【０４６２】
なお、上記各表示部の一部または全部が表示する情報を液晶表示装置６による画像表示により現出可能に構成することができる。この場合は、遊技の進行状況に応じて、各表示部に係る情報を特定可能な演出制御コマンドを演出制御部４１０側に送信可能に構成することで実現できる。このコマンドが主制御部４００側から演出制御部４１０側へと送信されると、演出制御部４１０側では、当該コマンドに含まれる情報に基づき、液晶表示装置６を表示制御して、当該情報を画像により表示する。
【０４６３】
次いで、異常監視処理を行う（ステップＳ４８）。この異常監視処理では、上記入力管理処理の情報に基づいて遊技動作状態を監視し、遊技機の異常（遊技動作エラー）を監視する。
【０４６４】
以上のステップＳ４１〜ステップＳ４８の処理を終えた後、退避していたレジスタの内容を復帰させて（ステップＳ４９（レジスタ復帰処理））、割込み許可状態に設定する。これにより、タイマ割込処理を終了して、割込み前の上記主制御側メイン処理に戻り、次のタイマ割込みが発生するまで主制御側メイン処理を行う。
【０４６５】
＜３．演出制御側の処理：図２０〜図３０＞
次に、図２０〜図３０を参照して、本実施形態の演出制御部４１０側における演出制御処理について説明する。演出制御部４１０側の処理は、主に、所定のメイン処理（演出制御側メイン処理：図２０）と、定時割込みで起動されるタイマ割込処理（演出制御側タイマ割込処理：図２４）とを含んで構成される。なお演出制御部４１０の制御主体は、正確には演出制御基板４２０のサブＣＰＵ４２１ｃや液晶制御基板４６０のＣＰＵなどを含んだものであるが、主制御部４１０から演出制御コマンドを受けた演出制御基板４２０（サブＣＰＵ４２１Ｃ）側が、これに関連する液晶制御コマンドを液晶制御基板４６０に送信する関係上、以下では、演出制御基板４２０が行う処理手順を中心に説明し、演出制御基板４２０の機能と液晶制御基板４６０の機能とを特に必要がない限り区別することなく、処理を実行する主体を演出制御部４１０として説明する。またＣＰＵ、ＲＡＭ、ＲＯＭは、演出制御基板４２０のサブＣＰＵ４２１ｃ、サブＲＡＭ４２１ｂ、サブＲＯＭ４２１ａなどで代表させる。
【０４６６】
（３−１．演出制御側メイン処理：図２０）
図２０は、演出制御部側のメイン処理（演出制御側メイン処理）を示すフローチャートである。演出制御部４１０は、遊技機本体に対して外部から電源が投入されると、図２０に示す演出制御側のメイン処理を開始する。
【０４６７】
この演出制御側のメイン処理において、演出制御部４１０（サブＣＰＵ）は、まず遊技動作開始前における必要な初期設定処理を行う（ステップＳ０７１）。ここでは、初期設定処理として、たとえば、コマンド受信割込み設定、可動体役物の起点復帰処理、ＣＴＣの初期設定、タイマ割込みの許可、マイクロコンピュータの各部を含めてＣＰＵ内部のレジスタ値の初期設定などを行う。
【０４６８】
ステップＳ０７１の初期設定処理を終えると、正常動作時の処理として、所定時間ごとにステップＳ０７３〜Ｓ０７８のメインループ処理を行い、それ以外ではステップＳ０７９の演出用ソフト乱数更新処理を繰り返し行う。
【０４６９】
ステップＳ０７２の処理において、演出制御部４１０は、メインループ更新周期用カウンタ値を参照して、メインループ処理の実行契機となるメインループ更新周期が到来したか否かを判定する（ステップＳ０７２）。上記メインループ更新周期用カウンタは、後述の演出制御側タイマ割込処理中のメインループ更新処理（図２２のステップＳ０９６）で更新されるカウンタである。なお本実施形態では、１６ｍｓ程度ごとにメインループ処理を行うようになっている。このメインループ更新周期が到来するまでは（ステップＳ０７２：ＮＯ）、各種演出抽選用乱数の更新を行う（ステップＳ０７９：各種演出用ソフト乱数更新処理）。演出抽選用乱数は、予告演出や上乗せ抽選など、演出制御部４１０側による所定の抽選や現出すべき演出を抽選により決定する場合に利用され、抽選態様に対応した複数種類の演出抽選用乱数が含まれる。
【０４７０】
上記メインループ更新周期が到来した場合（ステップＳ０７２：ＹＥＳ）、演出制御部４１０は、受信コマンド解析処理を行う（ステップＳ０７３）。この受信コマンド解析処理では、コマンド受信バッファに演出制御コマンドが格納されているか否かを監視し、演出制御コマンドが格納されていればこのコマンドを読み出し、読み出した演出制御コマンドに対応した演出制御処理を行う。
【０４７１】
たとえば、遊技開始情報コマンドが受信され、それが受信バッファに格納されている場合、コマンド解析処理において、このコマンドに含まれる情報（たとえば、当選役種別情報（内部当選フラグ情報））と現在の演出制御部遊技状態（演出状態）に基づいて、１または複数種類の演出パターンを決定する。ここで決定される演出パターンは、演出シナリオを構成するための演出要素としての「パーツ演出」として働く。続いて、上記決定された演出パターン（パーツ演出）を、どのようなタイミングで、どれだけの演出時間幅をもって現出させるかについてのタイムスケジュールを決定し、これにより今回ゲーム中に現出するための演出シナリオを構成して、その演出シナリオのデータをＲＡＭのシナリオ設定領域に格納する。この演出シナリオに組み込まれた種々の演出パターン（パーツ演出）が、次々に、あるいは複数同時展開されることにより、広義の意味での「演出シナリオ」が実現される。なお、遊技者参加型演出の場合は、操作手段の操作に応じて、対応するパーツ演出を変更して、適宜、演出シナリオの構成を変更し再構築する。
【０４７２】
ステップＳ０７３の受信コマンド解析処理を終えると、シナリオ更新処理を行う（ステップＳ０７４）。このシナリオ更新処理では、演出パターンの実行に必要なタイマの内容を更新する。上記タイマの代表的なものは、演出の発生タイミングに関するタイムスケジュールを管理する演出シナリオタイマである。演出シナリオタイマは、後述のＬＥＤデータ更新処理（ステップＳ０７５）や演出役物制御データ更新処理（ステップＳ０７７）においても利用される。ここでは、この演出シナリオタイマを監視し、たとえば、演出シナリオに組み込まれたパーツ演出の発生時期が到来すると、スピーカ１６用の音データと、画像表示制御用の液晶コマンドとを作成し、それぞれをサブＲＡＭの指定領域に格納する。なお、光表示装置用のＬＥＤデータに関しては後述のＬＥＤデータ更新処理（ステップＳ０７５）で、可動体役物用のモータ制御データに関しては後述の演出役物制御データ更新処理（ステップ０７７）で作成される。
【０４７３】
次いで、ＬＥＤデータ更新処理を行う（ステップＳ０７５）。このＬＥＤデータ更新処理では、上記演出シナリオデータと演出シナリオタイマとに基づき、装飾ランプ１３やＬＥＤなどの光表示装置用のＬＥＤデータを作成し、サブＲＡＭの指定領域に格納する。ここで作成されたデータは、後述するタイマ割込処理中の演出ＬＥＤ管理処理（図２２のステップＳ０９５）で利用される。
【０４７４】
次いで、サウンド出力処理を行う（ステップＳ０７６）。このサウンド出力処理では、ステップＳ０７４のシナリオ更新処理で作成された音データを取得し、再生する音データが有る場合には、音響制御部（音源ＬＳＩ）を通じてスピーカ１６から効果音を出力させる。これにより、演出シナリオに沿った音演出が実現される。
【０４７５】
次いで、演出役物制御データ更新処理を行う（ステップＳ０７７）。この演出役物制御データ更新処理では、上記演出シナリオデータと演出シナリオタイマとに基づき、可動体役物（図示せず）を動作させる駆動源用（モータ）の制御データを作成する。ここで作成されたデータは、後述するタイマ割込処理中の演出役物動作管理処理（図２２のステップＳ０９４）で利用される。
【０４７６】
次いで、音源ＬＳＩなどの誤作動を監視するノイズ対策管理処理を行う（ステップＳ０７８）。誤作動によりプログラムが暴走状態となった場合は、ウォッチドッグタイマがタイムアップし、ＣＰＵが自動的にリセットされて上記暴走状態から復帰する。これにより、メインループ処理を終了して、次のメインループ更新周期が到来するまで、ステップ０７９の演出用ソフト乱数更新処理を行う。
【０４７７】
（３−２．コマンド受信割込処理：図２１）
次に図２１を参照して、コマンド受信割込処理について説明する。図２１は、演出制御側のコマンド受信割込処理を示すフローチャートである。このコマンド受信割り込み処理は、主制御部４００から演出制御コマンドを受信した場合、後述の演出制御側タイマ割込処理（図２２）よりも優先的に実行される。
【０４７８】
まず演出制御部４１０（サブＣＰＵ）は、図２０のメイン処理実行中に主制御部４００側からのストローブ信号に基づく割込みが生じると、レジスタの内容をスタック領域に退避させて（ステップＳ０８１）、受信した演出制御コマンドをサブＲＡＭのコマンド受信バッファに格納し（ステップＳ０８２）、退避していたレジスタの内容を復帰させる（ステップＳ０８３）。これにより、コマンド受信割込処理を終了して、割込み前の上記演出制御部側メイン処理に戻り、次の上記ストローブ信号に基づく割込みが発生するまで、演出制御側メイン処理を行う。このように、主制御部４００から送られてくる各種演出制御コマンドを受けた場合、このコマンド受信割込処理が実行されて、演出制御コマンドを受信した時点で、そのコマンドがコマンド受信バッファに格納される。
【０４７９】
（３−３．演出制御側タイマ割込処理：図２２）
次に図２２を参照して、演出制御側のタイマ割込処理について説明する。図２２は、演出制御側タイマ割込処理を示すフローチャートである。この演出制御側タイマ割込処理は、ＣＴＣからの一定時間（１ｍｓ程度）ごとの割込みで起動され、演出制御側メイン処理実行中に割り込んで実行される。
【０４８０】
図２２において、演出制御部４１０（サブＣＰＵ）は、タイマ割込みが生じると、レジスタの内容をスタック領域に退避させた後（ステップＳ０９１）、演出ボタン入力管理処理を行う（ステップＳ０９２）。この演出ボタン入力管理処理では、演出用ボタン（図示せず）からの操作（ＯＮ操作）検出信号の入力の有無を監視し、当該操作検出信号を受信したことを確認した場合、その検出情報をサブＲＡＭの所定領域に格納する。
【０４８１】
次いで、液晶コマンド送信処理を行う（ステップＳ０９３）。この液晶コマンド送信処理では、図２０の演出制御側メイン処理中のシナリオ更新処理（ステップＳ０７４）で作成された液晶コマンドが有る場合には、表示制御部（液晶制御ＣＰＵ）に液晶コマンドを送信して、液晶表示装置６に対する画像表示制御を実行させる。これにより、演出シナリオに沿った画像演出が実現される。
【０４８２】
次いで、演出役物動作管理を行う（ステップＳ０９４）。この演出役物動作管理では、演出役物制御データ更新処理（ステップＳ０７７）で作成された可動体役物用のモータ制御データに基づき、駆動制御部を通じて可動体役物モータ（図示せず）に制御信号を出力する。これにより、演出シナリオに沿った可動体役物による視覚的演出が実現される。
【０４８３】
次いで、演出ＬＥＤ管理を行う（ステップＳ０９５）。この演出ＬＥＤ管理では、ＬＥＤデータ更新処理（ステップＳ０７５）で作成されたＬＥＤデータに基づき、光表示制御部を通じて装飾ランプ部４５やＬＥＤを点灯点滅させる。これにより、演出シナリオに沿った光演出が実現される。
【０４８４】
次いで、メインループ更新周期を管理するメインループ更新処理を行う（ステップＳ０９６）。このメインループ更新処理では、メインループ更新周期用カウンタを割込みごとに更新する（メインループ更新周期用カウンタ＋１）。メインループ更新周期用カウンタは、たとえばインクリメント処理によって１６の倍数の範囲（たとえば、０〜３１）を循環するカウンタである。
【０４８５】
以上のステップＳ０９１〜ステップＳ０９６の処理を終えた後、退避していたレジスタの内容を復帰させる（ステップＳ０９７）。これにより、このタイマ割込処理を終了して、割込み前の上記演出制御側メイン処理に戻り、次のタイマ割込みが発生するまで演出制御側メイン処理を行う。
【０４８６】
＜４．受信コマンド解析処理の内容：図２３〜図３０＞
図２３、図２９に、受信コマンド解析処理（図２０のステップＳ０７３）で実行される処理のうち、本発明と関連性の深いものを示す。ここでは、本発明と関連の深い、遊技開始時（回胴回転始動レバー１１の操作時）に係る演出制御コマンド（遊技情報開始コマンド、フリーズコマンド、残り告知ゲーム数コマンドなど）や、全回胴停止時に係る演出制御コマンド（たとえば、入賞情報コマンド）を受信した場合を中心に説明し、他の演出制御コマンドを受信した場合の説明は省略する。
【０４８７】
（４−１．遊技開始時演出処理：図２３）
図２３に示す遊技開始時演出処理は、遊技開始時の演出処理であり、遊技開始時に係る演出制御コマンド（たとえば、遊技情報開始コマンドやフリーズコマンドなど）に基づき実行される処理である。演出制御部４１０は、演出制御コマンドを受信した場合、コマンドに含まれる情報を解析し、演出処理の進行状態に応じて利用する。また必要がある場合には、その情報をサブＲＡＭ４２１ｂに格納した後、演出処理の進行状態に応じて利用する。ここでは、特に本発明と関連の深い、遊技情報開始コマンドおよびフリーズコマンドに含まれる情報に基づき実行される演出処理に着目して説明する。
【０４８８】
図２３において、演出制御部４１０は、まず「遊技情報開始コマンド」の内容を解析して、内部抽選結果情報（内部当選フラグ情報、当選役情報（当選番号情報））を取得し（ステップＳ７００）、次いで「フリーズコマンド」の内容を解析して、フリーズ演出種別情報を取得する（ステップＳ７０１）。これらの情報は、それぞれサブＲＡＭ４２１ｂの所定領域に格納される。
【０４８９】
次いで、告知ゲーム数管理処理を行う（ステップＳ７０２）。この告知ゲーム数管理処理では、後述の移行リプレイアシストモード中管理処理（図２５）中で、残余ゲームカウンタに設定される「残余ゲーム数」（後述のステップＳ７４３、ステップＳ７４６）を管理する。この「残余ゲーム数」とは、フリーズ待機モードの残余ゲーム数であり、このゲーム数は主制御部４００側から送られてくる上記「残り告知ゲーム数コマンド（図１４のステップＳ１５３参照）」により把握することもできるが、演出制御部４１０側においても独立して管理している。これは、通常モード２、３における押し順ミスや、フリーズ待機モード中における押し順ミスにより、メインモードが意図しないモードに移行したとしても、演出制御部４１０側の管理により、フリーズ待機モードに係る演出モードの移行や、フリーズ待機モード中に係る演出を正しく現出させるためである。ここでは、残余ゲーム数がゼロであるか否かを確認し、残余ゲーム数がゼロであるならば、何もせずに処理を抜ける。しかし、残余ゲーム数がゼロでないならば、残余ゲーム数から１減算するデクリメント処理を行う（今回のゲームの実行により、残余ゲーム数を１減算する）。これにより、フリーズ待機モードの現在のゲーム数が管理される。なお、この残余ゲーム数情報に関するデータは、サブＲＡＭの所定領域に格納される。
【０４９０】
なお本実施形態の場合、主制御部４００からの上記「残り告知ゲーム数コマンド」と、演出制御部４１０側で管理される上記「残余ゲーム数」とにより、残余ゲーム数の整合性をチェックすることができるようになっている。残余ゲーム数が一致しない場合には、所定のエラー処理を実行する。
【０４９１】
次いで、現在の演出モード（図１０（ロ）参照）を取得し（ステップＳ７０３）、演出モードに応じて、「通常演出モード中演出管理処理（ステップＳ７０９）」、「移行リプレイアシストモード中演出管理処理（ステップＳ７１０）」、「フリーズ待機モード中演出管理処理（ステップＳ７１１）」、「前兆ＡＴ遊技中演出管理処理（ステップＳ７１２）」、「ＡＴ遊技中演出管理処理（ステップＳ７１４）」、「その他の遊技開始時の演出管理処理（ステップＳ７１３）」を行う。
【０４９２】
上記した演出管理処理のうち、本発明と関連の深い、通常演出モード中演出管理処理（ステップＳ７０９）、移行リプレイアシストモード中演出管理処理（ステップＳ７１０）、フリーズ待機モード中演出管理処理（ステップＳ７１１）については、図２４〜図２６にて後述する。
【０４９３】
上記「前兆ＡＴ遊技中演出管理処理（ステップＳ７１２）」は、演出モードが‘前兆ＡＴ遊技（０ＣＨ）’の場合に実行される。ここでは、遊技モードが「前兆ＡＴモード（図１０（ハ）参照）」下の演出を現出する際に必要な演出処理として、主に、特殊リプレイＡ〜ＢやＡＴ１〜４に関するアシスト報知制御などが実行される。
【０４９４】
また「ＡＴ遊技中演出管理処理（ステップＳ７１４）」は、演出モードが‘ＡＴ遊技（Ａ０Ｈ）’の場合に実行される。ここでは、遊技モードが「ＡＴモード」下の演出を現出する際に必要な演出処理として、主に、ＡＴ役種別（ＡＴ１〜４）に関するアシスト報知制御、リプレイ種別（移行リプレイＡ〜Ｂ、特殊リプレイＡ〜Ｂ）に関するアシスト報知制御、上乗せ抽選に関する抽選処理などが実行される（図８の「ＡＴモード」参照）。
【０４９５】
また「その他の遊技開始時の演出管理処理（ステップＳ７１３）」は、遊技モードが「ボーナス遊技」や「初期モード」下の演出を現出する際に必要な演出処理が実行される。
【０４９６】
（４−１−１．通常演出モード中演出管理処理（ステップＳ７０９）：図２４）
まず図２４を参照して、通常演出モード中演出管理処理（ステップＳ７０９）について説明する。この通常演出モード中演出管理処理は、演出モードが通常演出モード（ＦＦＨ）の場合に実行される。なお、通常演出モード中演出管理処理が実行される場合のメインモードは、原則、「通常遊技モード（ＦＦＨ）」となっており、ここでの遊技モードは「通常モード１（図１０（ハ）参照）」となっている。なお、後述の「移行リプレイアシストモード中演出移行管理処理（ステップＳ７１０）」が実行される場合も同様に、メインモードは「通常遊技モード（ＦＦＨ）」となっている。
【０４９７】
図２４において、演出制御部４１０は、まず今回の当選役がＡＴ抽選契機役（図３１参照）であるか否かを判定する（ステップＳ７３１）。今回の当選役がＡＴ抽選契機役でない場合（ステップＳ７３１：ＮＯ）、その当選役に対応した演出データを設定し（ステップＳ７３８：当選役対応演出処理）、通常演出モード中演出管理処理を抜ける。
【０４９８】
今回の当選役がＡＴ抽選契機役である場合（ステップＳ７３１：ＹＥＳ）、ＡＴ抽選処理を行う（ステップＳ７３２）。ここでは、図３１の「ＡＴ抽選テーブル」を参照し、当選役と演出抽選用乱数（ＡＴ抽選用）とに基づき、ＡＴ抽選を行う。
【０４９９】
次いで、ＡＴ抽選に当選したか否かを判定する（ステップＳ７３３）。ＡＴ抽選に当選した場合（ステップＳ７３３：ＹＥＳ）、移行リプレイ１アシスト報知処理を行う（ステップＳ７３９）。この移行リプレイ１アシスト報知処理では、ＡＴ抽選当選により、遊技モードを「通常モード２（図１０（ハ）参照）」に移行させるために要する演出処理を行う。具体的には、現在の演出モードを、移行リプレイ１アシスト報知モード（５３Ｈ）に設定し、後述の当選役対応演出処理（ステップＳ７３７）に進む。これにより、遊技モードは「通常モード２」に移行され、遊技者が移行リプレイ１のアシスト報知発生時に、その内容に従うことにより「当選告知用フリーズモード」に移行されることになる。
【０５００】
しかし、ＡＴ抽選に非当選の場合（ステップＳ７３３：ＮＯ）、次いで、偽フリーズ待機モード抽選処理を行う。ここでは、図３２の「偽フリーズ待機モード抽選テーブル」を参照し、当選役と演出抽選用乱数（ＡＴ抽選用）とに基づき、偽フリーズ待機モード抽選を行う。
【０５０１】
次いで、偽フリーズ待機モード抽選に当選したか否かを判定する（ステップＳ７３５）。偽フリーズ待機モード抽選に当選した場合（ステップＳ７３５：ＮＯ）、移行リプレイ２アシスト報知処理を行う（ステップＳ７３６）。この移行リプレイ２アシスト報知処理では、偽フリーズ待機モード抽選当選により、遊技モードを「通常モード３」に移行させるために要する演出処理を行う。具体的には、現在の演出モードを、移行リプレイ２アシスト報知モード（６３Ｈ）に設定し、後述の当選役対応演出処理（ステップＳ７３７）に進む。これにより、遊技モードは「通常モード３」に移行され、遊技者が移行リプレイ２のアシスト報知発生時に、その内容に従うことにより「ハズレ告知用フリーズモード」に移行されることになる。
【０５０２】
しかし偽フリーズ待機モード抽選に非当選の場合（ステップＳ７３５：ＮＯ）、後述の当選役対応演出処理（ステップＳ７３７）に進む。この場合、ＡＴ抽選に非当選、かつ偽フリーズ待機モード抽選に非当選であるので、フリーズ待機モードには移行されずに、遊技モードは「通常モード１」のままとなる。
【０５０３】
ステップＳ７３７の処理に進むと、当選役対応演出処理を行う（ステップＳ７３７）。この当選役対応演出処理は、既に説明したステップＳ７３８の処理内容と実質的に同じである。ただし、フリーズ演出が発生する場合には、当選役とそのフリーズ演出種別とに対応した演出データを設定する。本処理が行われる場合は、当選役がＡＴ抽選契機役の場合であり、本実施形態の場合、フリーズ演出抽選契機役は、ＡＴ抽選契機役と同じ抽選対象役を採用しているので、フリーズ演出を伴う場合があるからである。これにより、通常演出モード中演出管理処理を抜ける。
【０５０４】
（４−１−２．移行リプレイアシストモード中演出管理処理（ステップＳ７１０）：図２５）
次に図２５を参照して、移行リプレイアシストモード中演出管理処理（ステップＳ７１０）について説明する。図２５は、移行リプレイアシストモード中演出管理処理の詳細を示すフローチャートである。この移行リプレイアシストモード中演出管理処理は、演出モードが移行リプレイ１アシスト報知モード（５３Ｈ）または移行リプレイ２アシスト報知モード（６３Ｈ）の場合に実行される。
【０５０５】
図２５において、演出制御部４１０は、まず現在の演出モードを判定し（ステップＳ７４１）、演出モードが、「移行リプレイ１アシスト報知モード（５３Ｈ）」の場合には（ステップＳ７４１：＝５３Ｈ）、ステップＳ７４２〜Ｓ７４３の処理を行い、「移行リプレイ２アシスト報知モード（６３Ｈ）」の場合には（ステップＳ７４１：＝６３Ｈ）、ステップＳ７４５〜Ｓ７４６の処理を行う。
【０５０６】
（移行リプレイ１アシスト報知モード（５３Ｈ）の場合）
現在の演出モードが「移行リプレイ１アシスト報知モード（５３Ｈ）」の場合、当選役がリプレイＡであるか否かを判定する（ステップＳ７４２）。
【０５０７】
当選役がリプレイＡである場合（ステップＳ７４２：ＹＥＳ）、「移行リプレイアシスト報知処理（５３Ｈ）」を行う（ステップＳ７４３）。ここでは、移行リプレイ１の入賞に関する押し順をアシスト報知するためのアシスト報知用データを設定する。これにより、今回のゲームにおいて「移行リプレイ１」の押し順がアシスト報知され、遊技者がその内容に従い回胴を停止操作すれば、遊技モードが、現在の「通常モード２」から「当選告知用フリーズモード」に移行されることになる（図９、図１７のステップＳ４０４〜Ｓ４０８の処理ルート、図３４参照）。
【０５０８】
また、この「移行リプレイアシスト報知処理（５３Ｈ）」では、通常モード２中において移行リプレイ１のアシスト報知を実行が決定されたとして、今回のゲームを基点ゲームとし、この基点ゲームから複数ゲーム先に（８ゲーム先）、ＡＴ抽選結果を報知するための「告知演出（抽選結果報知演出）」が実行される「実行ゲーム数」を、「残余ゲーム数（残余ゲーム数カウンタ）」に設定する（残余ゲーム数←８Ｇ）。本実施形態の場合、通常モード２中に移行リプレイＡの当選した当該ゲームで移行リプレイ１のアシスト報知が実行されるので、実際には、通常モード２中の移行リプレイＡの当選がフリーズ待機モード移行確定条件（特定条件）成立となり、このゲームを基点ゲームとして、残余ゲーム数に告知演出の実行が予定されるゲーム数を設定している。このように、通常モード２中に移行リプレイＡに当選して移行リプレイ１のアシスト報知を実行が決定された場合、残余ゲーム数に対して実行ゲーム数を設定するのは、当該当選ゲームにおいて、押し順が如何なる場合であっても、再度、移行リプレイ１のアシスト報知の実行（移行リプレイＡの再当選）を待つことなく、予定ゲーム数目で告知演出を必ず実行させるためである。
【０５０９】
またたとえ遊技者が今回のゲームで押し順ミスをしたとしても、次回ゲームから、ＡＴ抽選結果に対応したフリーズ待機モードに係る演出モードに移行させることができるようになっている（後述の図２９のステップＳ８０９参照）。これにより、ＡＴ抽選結果に対応したフリーズ待機モードに速やかに移行させるとともに、その最終ゲーム目（８ゲーム目）に、ＡＴ抽選結果が報知することができるようになっている（最終ゲーム目において、ＡＴ抽選結果に対応した「告知演出」が現出される）。したがって、遊技者が押し順ミスをしたとしても、再度、移行リプレイＡの当選を待つことなく、フリーズ待機モードに移行することができるので、ゲーム進行に遅延が生じることを防止することができる。
【０５１０】
このように演出制御部４１０側においてフリーズ待機モードの残余ゲーム数を管理可能に構成することで、アシスト報知内容とは異なる押し順の実行（押し順ミス）により、メインモードに不具合が生じても、演出モード種別と残余ゲーム数とに基づき、フリーズ待機モードの最終ゲーム数目（８ゲーム目）に、ＡＴ抽選結果を正しく報知することができるようになっている（後述の図２６の告知ゲーム終了時演出処理（ステップＳ７６０）参照）、その詳細を示す図２７〜図２８参照）。
【０５１１】
そして、ステップＳ７４３の処理を終えると、ステップ７４４の処理に進み、当選役対応演出処理を行う。この当選役対応演出処理は、既に説明したステップＳ７３７の処理内容と実質的に同じであるので、その説明は省略する。
【０５１２】
（移行リプレイ２アシスト報知モード（６３Ｈ）の場合）
また現在の演出モードが「移行リプレイ２アシスト報知モード（６３Ｈ）」の場合（ステップＳ７４５：ＹＥＳ）、当選役がリプレイＢであるか否かを判定する（ステップＳ７４５）。
【０５１３】
当選役がリプレイＢである場合（ステップＳ７４５：ＹＥＳ）、「移行リプレイアシスト報知処理（６３Ｈ）」を行う（ステップＳ７４６）。ここでは、移行リプレイ２の入賞に関する押し順をアシスト報知するためのアシスト報知用データを設定する。これにより、今回のゲームにおいて「移行リプレイ２」の押し順がアシスト報知され、遊技者がその内容に従い回胴を停止操作すれば、遊技モードが、現在の「通常モード３」から「ハズレ告知用フリーズモード」に移行されることになる（図９、図１７のステップＳ４０４〜Ｓ４０８の処理ルート、図３４参照）。
【０５１４】
また、この「移行リプレイアシスト報知処理（６３Ｈ）」では、通常モード３中において移行リプレイ２のアシスト報知の実行が決定されたとして、今回のゲームを基点ゲームとし、この基点ゲームから複数ゲーム先に（８ゲーム先）、ＡＴ抽選結果を報知するための「告知演出（抽選結果報知演出）」が実行される「実行ゲーム数」を「残余ゲーム数カウンタ」に設定する（残余ゲーム数←８Ｇ）。本実施形態の場合、通常モード３中に移行リプレイＢの当選した当該ゲームで移行リプレイ２のアシスト報知が実行されるので、実際には、通常モード２中の移行リプレイＢの当選がフリーズ待機モード移行確定条件（特定条件）成立となり、このゲームを基点ゲームとして、残余ゲーム数に告知演出の実行が予定されるゲーム数を設定している。このように、通常モード３中に移行リプレイＢに当選して移行リプレイ２のアシスト報知を実行が決定された場合、残余ゲーム数に対して実行ゲーム数を設定するのは、当該当選ゲームにおいて、押し順が如何なる場合であっても、再度、移行リプレイ２のアシスト報知の実行（移行リプレイＢの再当選）を待つことなく、予定ゲーム数目で告知演出を必ず実行させるためである。またたとえ遊技者が今回のゲームで押し順ミスをしたとしても、次回ゲームから、ＡＴ抽選結果に対応したフリーズ待機モードに係る演出モードに移行させることができるようになっている。これにより、ＡＴ抽選結果に対応したフリーズ待機モードに速やかに移行させるとともに、その最終ゲーム目（８ゲーム目）に、ＡＴ抽選結果が報知することができるようになっている。この点、上述した「移行リプレイアシスト報知処理（５３Ｈ）」（ステップＳ７４３）と同じである。
【０５１５】
上記のように基点ゲーム決定となる特定条件を満たした場合（本実施形態では、たとえば、特定の演出モード中の特定役の当選した場合や、その当選役に係る特定の入賞役を入賞させるためのアシスト報知実行決定された場合）、告知演出（抽選結果報知演出）の基点ゲームを決定し、その基点ゲームから告知演出（抽選結果報知演出）の実行ゲームを複数ゲーム先に決定している。つまり、基点ゲームは、演出制御部４１０側が所定の条件の成立に基づいて決定することができる。勿論、主制御部４００側が演出制御部４１０と同等の機能部を有する構成（演出モードの管理、アシスト報知の管理、ＡＴ抽選の管理可能な構成）とすれば、主制御部４００が独自に基本ゲームと告知演出の実行ゲームを決定することもできる。
【０５１６】
そして、ステップＳ７４６の処理を終えると、ステップ７４４の処理に進み、当選役対応演出処理を行う。この当選役対応演出処理は、既に説明したステップＳ７３７８の処理内容と実質的に同じであるので、その説明は省略する。
【０５１７】
（４−１−３．フリーズ待機モード中演出管理処理（ステップＳ７１１）：図２６〜図２８）
次に図２６を参照して、フリーズ待機モード中演出管理処理（ステップＳ７１１）について説明する。図２６は、フリーズ待機モード中演出管理処理の詳細を示すフローチャートである。
【０５１８】
このフリーズ待機モード中演出管理処理では、演出モードが、フリーズ待機モードに係る演出モード（当選告知用フリーズ演出モード（１２Ｈ）、ハズレ告知用フリーズ演出モード（２２Ｈ）、押順ミス用非フリーズ演出モード１（当選中）（３３Ｈ）、押順ミス用非フリーズ演出モード２（非当選中）（４３Ｈ）：図９、図１０（ロ）参照）中の演出処理が行われる。
【０５１９】
図２６において、演出制御部４１０は、まず、残余ゲーム数情報を取得する（ステップＳ７５０）。
【０５２０】
次いで、残余ゲーム数がゼロであるか否かを判定する（ステップＳ７５１）。残余ゲーム数がゼロである場合（ステップＳ７５１：＝０）、今回のゲームがフリーズ待機モードの「最終ゲーム目（８ゲーム目）」であるとして、フリーズ待機モードに係る遊技モードに応じた告知演出を現出させるべく、これに要する演出処理を行うための「告知ゲーム数終了時演出処理」を行う（ステップＳ７６０）。なお、この告知ゲーム数終了時演出処理についての詳細は図２８〜図２９にて後述する。
【０５２１】
一方、残余ゲーム数がゼロでない場合（ステップＳ７５１：≠０）、フリーズ待機モード継続中であるとして、以下に説明するステップＳ７５２〜Ｓ７５８、Ｓ７６１、Ｓ７６２が実行される処理ルートに進む。
【０５２２】
残余ゲームがゼロでない場合（ステップＳ７５１：≠０）、演出制御部４１０は、まず現在の演出モードを判定する（ステップＳ７５２）。現在の演出モードが、ＡＴ抽選当選に係る演出モード、具体的には、「当選告知用フリーズ演出モード（１２Ｈ）」、または「押順ミス用非フリーズ演出モード１（３３Ｈ）」である場合（ステップＳ７５２：＝１２Ｈ、３３Ｈ）、このケースは「ＡＴ当選状態」であるため、後述のステップＳ７５５のＡＴ抽選処理を実行する必要がなく、また遊技モードの移行を生じさせる必要もないため、この状態保持すべく、何もせずに当選役対応演出処理を行う（ステップＳ７６１）。この当選役対応演出処理は、既に説明したステップＳ７３７の処理内容と実質的に同じであるので、その説明は省略する（後述のステップＳ７５８も同様）。これにより、フリーズ待機モード中演出管理処理を抜ける。
【０５２３】
一方、現在の演出モードが、ＡＴ抽選非当選に係る演出モード、具体的には、「ハズレ告知用フリーズ演出モード（２２Ｈ）」、または「押順ミス用非フリーズ演出モード２（４３Ｈ）」である場合（ステップＳ７５２：≠１２Ｈ、３３Ｈ）、後述のステップＳ７５７で設定される「待機モード中ＡＴ当選フラグ」の設定状態、具体的には、ＯＮ状態（ＡＴ当選状態）であるかＯＦＦ状態（ＡＴ非当選状態）であるかを判定する（ステップＳ７５３）。
【０５２４】
「待機モード中ＡＴ当選フラグ」がＯＦＦ状態である場合（ステップＳ７５３：ＮＯ）、このケースは「ＡＴ非当選状態」であるため、今回の当選役がＡＴ抽選契機役であるか否かを判定し（ステップＳ７５４）、ＡＴ抽選契機役でない場合には（ステップＳ７５４：ＮＯ）、何もせずに当選役対応演出処理を行い（ステップＳ７６１）、フリーズ待機モード中演出管理処理を抜ける。
【０５２５】
一方、ＡＴ抽選契機役である場合には（ステップＳ７５４：ＹＥＳ）、図３１のＡＴ抽選テーブルに基づくＡＴ抽選を実行し（ステップＳ７５５：ＡＴ抽選処理）、ＡＴ抽選に当選したか否かを判定する（ステップＳ７５６）。
【０５２６】
ＡＴ抽選に当選した場合（ステップＳ７５６：ＹＥＳ）、フリーズ待機モード中のＡＴ当選状態移行に要する設定処理を行う（ステップＳ７５７：フリーズ待機モード中ＡＴ当選時設定処理）。ここでは、、フリーズ待機モード中おけるＡＴ非当選状態からＡＴ当選状態に要する設定処理を行う。具体的には、「待機モード中ＡＴ当選フラグ」をＯＮ状態に設定する。この「待機モード中ＡＴ当選フラグ」は、後述の告知ゲーム終了時演出処理（図２６のステップＳ７６０）中において、最終ゲーム目の告知演出を現出する際にも利用される。
【０５２７】
またここでは、演出モードが「ハズレ告知用フリーズ演出モード（２２Ｈ）」滞在時である場合、移行リプレイ１アシスト報知に関する設定処理を行う。この設定処理は、ステップＳ７５５のＡＴ抽選当選により、遊技モードを「当選告知用フリーズモード（図１０（ハ）参照）」に移行させるために要する演出データを設定する処理である。具体的には、次回ゲーム〜７ゲーム目までの間に、移行リプレイＡが当選した場合、移行リプレイ１の押し順をアシスト報知するために必要な演出処理を行う。これにより、フリーズ待機モードが終了する８ゲーム手前の７ゲーム目までに、移行リプレイＡに当選すると、移行リプレイ１の押し順が報知され、このとき、移行リプレイ１が入賞すると遊技モードが遊技モードが「ハズレ告知用フリーズモード」から「当選告知用フリーズモード」に昇格移行されるようになっている（図１８のステップＳ４３２〜Ｓ４３５、図３０のステップＳ８５２〜Ｓ８５４参照）。
【０５２８】
上記ステップＳ７５７のフリーズ待機モード中ＡＴ当選時設定処理を終えると、次いで、当選役対応演出処理を行い（ステップＳ７５８）、これにより、フリーズ待機モード中演出管理処理を抜ける。
【０５２９】
しかしＡＴ抽選に非当選の場合には（ステップＳ７５６：ＮＯ）、フリーズ待機モード中のＡＴ抽選に非当選であったとして、これに要する設定処理を行う（ステップＳ７６２：フリーズ待機モード中ＡＴ非当選時設定処理）。ここでは、移行リプレイ２アシスト報知処理を行う。なお本実施形態では、メインモードが「ハズレ告知用フリーズモード（２２Ｈ）」以外である場合、メインモード自体の移行をないように制御しているが（図１８のステップＳ４３２〜Ｓ４３５参照）、ここでの移行リプレイ２アシスト報知は、換言すれば、メインモードまたは遊技モード自体の移行を生じさせないようにするアシスト報知が実行される（嘘告知の実行）ことと等価的な意味である。
【０５３０】
ここでＡＴ抽選に非当選の場合に、移行リプレイ２の入賞に関する押し順をアシスト報知させる理由は次の通りである。
【０５３１】
ステップＳ７５５のＡＴ抽選処理において、ＡＴ抽選当選となった場合、上述したように、遊技モードを昇格移行させるために、移行リプレイＡに当選すると、移行リプレイ１の押し順がアシスト報知されるようになっている。これは、仮に、ＡＴ抽選非当選の場合に何らアシスト報知が発生しない構成としてしまうと、移行リプレイ１に係るアシスト報知が発生した時点で、現在の遊技モードがＡＴ抽選非当選に係る遊技モードに滞在していたことが判明し、さらに、ＡＴ抽選当選である旨がフリーズ待機モード終了前に判明してしまうことになる。
【０５３２】
フリーズ待機モードが、ＡＴ抽選当選、つまりＡＴモードへの移行期待感を煽るといった遊技モードであることを踏まえれば、ＡＴ抽選結果がフリーズ待機モード終了前に判明してしまうことは、フリーズ待機モードの意義が没却されてしまう。
【０５３３】
そこで本実施形態では、ＡＴ抽選非当選時においても、移行リプレイ２の入賞に関する押し順をアシスト報知して、移行リプレイ２を入賞させるようにしている。また本実施形態では、既に説明したように、移行リプレイ２は、移行リプレイ１と同じ入賞役構成（図柄の組合せ）となっており、さらにその入賞手順が同じ押し順となっており（図６参照）、遊技者側から見て、いずれの移行リプレイが入賞したのかは識別不可能になっている。これにより、ＡＴ抽選結果を遊技者から秘匿して、フリーズ待機モードという遊技モードを際立たせて、遊技に面白みを与えるようになっている。なお、遊技モードが「ハズレ告知用フリーズモード」または「押順ミス用非フリーズ演出モード２」滞在時に移行リプレイ２が入賞しても、メインモードおよび演出モードは移行されないようになっている（後述の図２９の停止時フリーズ待機モード中演出管理処理、図１８のステップＳ４３２〜Ｓ４３５参照）。
【０５３４】
また上記事情に鑑み、ＡＴ抽選当選に係る演出モードの「当選告知用フリーズ演出モード（１２Ｈ）」、または「押順ミス用非フリーズ演出モード１（３３Ｈ）」滞在時おいても、移行リプレイＡまたは移行リプレイＢが当選した場合、移行リプレイ１〜３の入賞させる押し順を、あえてアシスト報知するように構成することが好ましい。斯様なアシスト報知は、当選役種別を秘匿するものではないが、現在の遊技モードを秘匿するためのものであり、「偽装アシスト報知」に属するものといえる。
【０５３５】
勿論、種々のゲーム性の観点から、移行リプレイ１に係るアシスト報知が発生した時点で、ＡＴ抽選当選である旨が遊技者に「一発告知」される構成としても良い。本実施形態の場合、フリーズ待機モードが比較的短期間（最大８ゲーム）である点、またＡＴ抽選が実行されうる最終ゲームまで（１〜８ゲーム目まで）において、ＡＴ抽選に当選し、さらに当該ＡＴ抽選実行ゲームおよび最終ゲーム数目（既に説明したように、最終ゲーム目には移行リプレイＡに当選しても移行リプレイ１のアシスト報知はされない）を除く最大６ゲーム間に、移行リプレイＡが当選する確率が低確率である点（既に説明したように、フリーズ待機モード中はフリーズ演出の発生が制限されているのでＡＴ抽選の当選確率は低確率に変動しており、また運良く１ゲーム目でＡＴ抽選当選となった場合でも、最終ゲームを除くその後の６ゲーム間に、移行リプレイＡが当選する確率（移行リプレイＡの当選確率が約１／１３．１）は、約３７％程度となっている）、遊技者の中には、最終ゲームを待たずに早めにＡＴ抽選結果を知りたいと欲する遊技者も存在する点など考慮して、上述の一発告知を発生可能な構成とし、これにより、幅広い層の遊技者の要求を満たす遊技性を実現させても良い。
【０５３６】
（４−１−３Ａ．告知ゲーム数終了時演出処理（ステップＳ７６０）：図２７〜図２８）
次に図２７〜図２８を参照して、告知ゲーム数終了時演出処理（ステップＳ７６０）について説明する。図２７は告知ゲーム数終了時演出処理の前半を示すフローチャート、図２８は同処理の後半を示すフローチャートである。この告知ゲーム数終了時演出処理は、フリーズ待機モードが最終ゲーム数目（８ゲーム目）において、遊技モードに応じた「告知演出」を現出させるための演出処理である。
【０５３７】
図２７〜図２８を参照して、演出制御部４１０は、まず、最終ゲームＡＴ抽選処理を行う（ステップＳ７７０）。この最終ゲームＡＴ抽選処理では、最終ゲーム目となる８ゲーム目において、待機モード中ＡＴ当選フラグがＯＦＦ状態（ＡＴ非当選状態）の場合に、ＡＴ抽選を実行し、ＡＴ抽選に当選した場合には、待機モード中ＡＴ当選フラグをＯＮ状態（ＡＴ当選状態）に設定する。これにより、最終ゲーム目が、ＡＴ抽選が実行されない単なる告知演出ゲームとなることを防止し、最終ゲーム目を含めて、遊技者がフリーズ待機モード中にＡＴ抽選の恩恵を受けることができるようになっている。
【０５３８】
次いで、演出モードに対応した最終ゲーム数目（８ゲーム目）に係る告知演出を現出させるために、現在の演出モードを確認し（ステップＳ７７１、Ｓ７７２、Ｓ７７７、Ｓ７７８）、「当選告知用フリーズ演出モード（１２Ｈ）」、「ハズレ告知用フリーズ演出モード（２２Ｈ）」、「押順ミス用非フリーズ演出モード１（当選中）（３３Ｈ）」、および「押順ミス用非フリーズ演出モード２（非当選中）（４３Ｈ）」のいずれかに対応した最終ゲーム目における演出シナリオに係る演出データを設定するための演出処理を行う。以下、各演出モードに対応した演出処理について説明していく。
【０５３９】
（「当選告知用フリーズ演出モード（１２Ｈ）」である場合）
最終ゲーム数目において、演出モードが「当選告知用フリーズ演出モード（１２Ｈ）」である場合（ステップＳ７７１：ＹＥＳ）、フリーズ時当選告知演出処理を行う（ステップＳ７３３）。ここでは、遊技モードが「当選告知用フリーズモード（図９のＷ１０３参照）」に係る告知用フリーズ演出に対応した演出態様（告知用フリーズ演出時の祝福演出）を現出させるための「当選告知用フリーズ演出データ」を設定する。また、ここでの演出モードは、ＡＴ抽選当選状態に係る演出モードであるので、ＡＴモードへの移行条件が成立している。そのため、ＡＴモード移行開始前の設定処理として、「ＡＴモードフラグ」をＯＮ状態に設定する。このＡＴモードフラグは、ＡＴモード移行条件が成立したことを指定するフラグであり、後述の図３０の「停止時フリーズ待機モード中演出管理処理」中において、その設定状態が確認され利用される。
【０５４０】
（「ハズレ告知用フリーズ演出モード（２２Ｈ）」である場合）
最終ゲーム数目において、演出モードが「ハズレ告知用フリーズ演出モード（２２Ｈ）」である場合（ステップＳ７７２：ＹＥＳ）、待機モード中ＡＴ当選フラグの設定状態を確認する（ステップＳ７８０）。
【０５４１】
上記待機モード中ＡＴ当選フラグの設定状態がＯＮ状態（ＡＴ当選状態）でない場合には（ステップＳ７７４：ＮＯ）、「ハズレフリーズ時非当選告知演出処理」を行う（ステップＳ７７５）。このハズレフリーズ時非当選告知演出処理では、遊技モードが「ハズレ告知用フリーズモード（図９のＬ１０３）」に係る告知用フリーズ演出に対応した演出態様（フリーズ有り残念演出）を現出させるための「ハズレ告知用フリーズ演出データ」を設定する。なお、ここではＡＴ抽選当選状態でないため、上記「ＡＴモードフラグ」はＯＦＦ状態に設定される。
【０５４２】
一方、待機モード中ＡＴ当選フラグの設定状態がＯＮ状態である場合には（ステップＳ７７４：ＹＥＳ）、「ハズレフリーズ時当選告知演出処理」を行う（ステップＳ７７６）。このハズレフリーズ時当選告知演出処理では、遊技モードが「ハズレ告知用フリーズ演出モード（図９のＬ１０３参照）」に滞在しているが、フリーズ待機モード中のＡＴ抽選の結果‘ＡＴ抽選当選状態’となったために、その最終ゲーム数目において、ＡＴ抽選に当選した旨を報知させるため、当選告知用の演出態様を現出させるための「ハズレフリーズ時当選告知用演出データ」を設定する。この「ハズレフリーズ時当選告知用演出データ」による演出態様は、たとえば、告知用フリーズ演出中において上記「ハズレ告知用フリーズ演出データ」による「フリーズ有り残念演出」と同じ演出態様が現出し、当該告知用フリーズ演出終了後の所定のタイミング（たとえば、回胴の停止操作時（第１〜第３停止操作を契機）、全回胴停止時（引き込み制御完了を契機）、遊技価値付与中（再遊技作動中や遊技メダル払い出し中の所定のタイミングの到来を契機）次回ゲームの賭数設定時など）で、ＡＴ抽選当選を告知する演出（復活演出）が現出される、といった演出態様（フリーズ有り復活演出）となっている。このような「復活演出」は、ＡＴ抽選非当選を報知する演出が発生しても、まだＡＴ当選可能性が残されている、といったＡＴ当選期待感を遊技者に与えることができるので、ＡＴ抽選非当選のハズレ告知時にも遊技者の緊張感を高め、遊技の面白みを向上させることができる。またここでは、ＡＴ当選状態中であるため、ＡＴモード移行開始前の設定処理として、上記「ＡＴモードフラグ」をＯＮ状態に設定する。
【０５４３】
（「押順ミス用非フリーズ演出モード１（当選中）（３３Ｈ）」である場合）
最終ゲーム数目において、演出モードが「押順ミス用非フリーズ演出モード１（当選中）（３３Ｈ）」である場合（ステップＳ７７７：ＹＥＳ）、非フリーズ時当選告知演出処理を行う（ステップＳ７７９）。ここでは、遊技モードが「押順ミス用非フリーズ演出モード１（図９のＷ１０４参照）」に係る演出態様（フリーズ無し祝福演出）を現出させるための「当選告知用演出データ」を設定する。またここでは、ＡＴ当選状態中であるため、ＡＴモード移行開始前の設定処理として、上記「ＡＴモードフラグ」をＯＮ状態に設定する。
【０５４４】
（「押順ミス用非フリーズ演出モード２（非当選中）（４３Ｈ）」である場合）
最終ゲーム数目において、演出モードが「押順ミス用非フリーズ演出モード２（非当選中）（４３Ｈ）」である場合（ステップＳ７７８：ＹＥＳ）、待機モード中ＡＴ当選フラグの設定状態を確認する（ステップＳ７８０）
【０５４５】
上記待機モード中ＡＴ当選フラグがＯＮ状態（ＡＴ当選状態）でない場合には（ステップＳ７８０：ＮＯ）、非フリーズ時ハズレ告知演出処理を行う（ステップＳ７８１）。この非フリーズ時ハズレ告知演出処理では、遊技モードが「押順ミス用非フリーズ演出モード２（図９のＬ１０４参照）」に係る演出態様（フリーズ無し残念演出）を現出させるための「ハズレ告知用演出データ」を設定する。なお、ここではＡＴ抽選当選状態でないため、上記「ＡＴモードフラグ」はＯＦＦ状態に設定される。
【０５４６】
一方、待機モード中ＡＴ当選フラグの設定状態がＯＮ状態である場合には（ステップＳ７８０：ＹＥＳ）、非フリーズ時当選告知演出処理を行う（ステップＳ７８２）。この非フリーズ時当選告知演出処理では、遊技モードが「押順ミス用非フリーズ演出モード２」に滞在しているが、フリーズ待機モード中のＡＴ抽選の結果‘ＡＴ抽選当選状態’となったために、その最終ゲーム数目において、ＡＴ抽選に当選した旨を報知させるため、上述したステップＳ７７９の処理内容と同様に、当選告知用の演出態様（フリーズ無し祝福演出）を現出させるための「当選告知用演出データ」を設定する。またここでは、ＡＴ当選状態中であるため、ＡＴモード移行開始前の設定処理として、上記「ＡＴモードフラグ」をＯＮ状態に設定する。
【０５４７】
（４−２．全回胴停止時演出処理：図２９〜図３０）
次に図２９を参照して、全回胴停止時演出処理について説明する。図２９に示す全回胴停止時演出処理は、全回胴が停止したとき演出処理であり、全回胴停止時に係る演出制御コマンド（たとえば、入賞情報コマンドやモード情報コマンドなど）に基づき実行される処理である。ここでは、特に本発明と関連の深い、入賞情報コマンドに含まれる情報に基づき実行される演出処理に着目して説明する。
【０５４８】
図２９において、演出制御部４１０は、まず「入賞情報コマンド」の内容を解析して、これに含まれる遊技結果情報を取得する（ステップＳ８０１）。この情報は、サブＲＡＭ４２１ｂの所定領域に格納される。
【０５４９】
次いで、現在の演出モードを取得し（ステップＳ８０２）、演出モードに応じて（ステップＳ８０３〜Ｓ８０７）、「停止時通常演出モード中演出管理処理（ステップＳ８０８）」、「停止時移行リプレイアシストモード中演出管理処理（ステップＳ８０９）」、「停止時フリーズ待機モード中演出管理処理（ステップＳ８１０）」、「停止時前兆ＡＴ遊技中演出管理処理（ステップＳ８１１）」、「停止時ＡＴ遊技中演出管理処理（ステップＳ８１２）」、「その他の回胴停止時の演出管理処理（ステップＳ８１３）」を行う。これらの処理は、主に、各演出モードに応じて、全回胴停止時（遊技結果導出時）に係る演出（たとえば、入賞演出）の現出や、遊技結果に基づく演出状態の移行制御など、全回胴の停止時に要する演出処理を行う。上記した演出管理処理のうち、本発明と関連の深い「停止時フリーズ待機モード中演出管理処理（ステップＳ８１０）」については、後述の図３０にて後述する。
【０５５０】
（停止時移行リプレイアシストモード中演出管理処理（ステップＳ８０９）について）
なお「停止時移行リプレイアシストモード中演出管理処理（ステップＳ８０９）」は、演出モードが‘移行リプレイ１アシスト報知モード（５３Ｈ）’または‘移行リプレイ２アシスト報知モード（６３Ｈ）’の場合に実行される。
【０５５１】
この停止時移行リプレイアシストモード中演出管理処理には、（α）移行リプレイ１アシスト報知モード（５３Ｈ）中の場合において、移行リプレイ１が入賞した場合、演出モードを‘当選告知用フリーズ演出モード（１２Ｈ）’に移行させる「移行リプレイ１停止時モード移行処理」と、（β）移行リプレイ２アシスト報知モード（６３Ｈ）中の場合において、移行リプレイ２が入賞した場合、演出モードを‘ハズレ告知用フリーズ演出モード（２２Ｈ）’に移行させる「移行リプレイ２停止時モード移行処理」とが含まれる。さらに、（γ）押し順ミスによる移行リプレイ３または通常リプレイ１が入賞した場合、演出モードを、ＡＴ抽選当選のときは‘押順ミス用フリーズ演出モード１（３２Ｈ）’に移行させ、ＡＴ抽選非当選ときは‘押順ミス用フリーズ演出モード２（４３Ｈ）’に移行させる「押し順ミス時モード移行処理」が含まれる。
【０５５２】
これにより、たとえ遊技者が、移行リプレイＡ、Ｂに係るアシスト報知ゲームで押し順ミスをし、メインモードが正規のメインモードに移行されなくとも、次回ゲームから、ＡＴ抽選結果に対応したフリーズ待機モードに係る演出モードに移行させることができるようになっている。そして、最終ゲームの８ゲーム目に、ＡＴ抽選結果に対応した「告知演出」が現出され、ＡＴ抽選結果が遊技者に報知されることになる（図２６の告知ゲーム終了時演出処理（ステップＳ７６０）参照）。
【０５５３】
また「その他の回胴停止時の演出管理処理（ステップＳ８１３）」では、ボーナス遊技中や初期モード下における全回胴の停止時の演出処理を行う。
【０５５４】
（４−２−１．停止時フリーズ待機モード中演出管理処理（ステップＳ８１０）：図３０）
次に図３０を参照して、停止時フリーズ待機モード中演出管理処理（ステップＳ８１０）について説明する。図３０は、停止時フリーズ待機モード中演出管理処理の詳細を示すフローチャートである。
【０５５５】
この停止時フリーズ待機モード中演出管理処理では、演出モードが、フリーズ待機モードに係る演出モード（当選告知用フリーズ演出モード（１２Ｈ）、ハズレ告知用フリーズ演出モード（２２Ｈ）、押順ミス用非フリーズ演出モード１（当選中）（３３Ｈ）、押順ミス用非フリーズ演出モード２（非当選中）（４３Ｈ）：図９、図１０（ロ）参照）中の演出処理が行われる。
【０５５６】
図３０において、演出制御部４１０は、まず、残余ゲーム数カウンタから残余ゲーム数を取得し、残余ゲーム数がゼロであるか否かを判定する（ステップＳ８５１）。残余ゲーム数がゼロである場合（ステップＳ８５１：＝０）、今回のゲームでフリーズ待機モードが終了したとして、フリーズ待機モード終了時演出モード移行設定処理を行う（ステップＳ８５６）。
【０５５７】
ここでは、ＡＴモードフラグの設定状態を確認し、ＡＴモードフラグがＯＮ状態である場合には、遊技モードを「前兆ＡＴモード」に移行させるべく、演出モードを「前兆遊技（０ＣＨ）」に設定し、ＡＴモードフラグがＯＮ状態でない場合、つまりＯＦＦ状態の場合には、遊技モードを「通常モード１」に移行させるべく、演出モードを「通常演出モード（ＦＦＨ）」に設定する。なお、フリーズ待機モード終了時のメインモードは、通常遊技モード（ＦＦＨ）に設定されるので（図１８のフリーズ待機モード管理処理中のステップＳ４３６参照）、本処理において、「前兆ＡＴモード」または「通常モード１」に移行されることになる（図１０（ハ）参照）。そして、ステップＳ８５５に進み、今回の入賞役に応じて現出すべき演出の演出データを設定する（ステップＳ８５５）。これにより、停止時フリーズ待機モード中演出管理処理を抜ける。
【０５５８】
しかし残余ゲーム数がゼロでない場合（ステップＳ８５２：≠０）、フリーズ待機モードが未だ継続中であるとして、次のステップ８５２〜Ｓ８５４のフリーズ待機モード中の昇格移行に関する処理を行う。
【０５５９】
ステップ８５２の処理では、入賞役が「移行リプレイ１」であるか否かを判定する（ステップＳ８５２）。入賞役が移行リプレイ１である場合（ステップＳ８５２：ＹＥＳ）、次いで、待機モード中ＡＴ当選フラグがＯＮ状態であるか否かを判定する（ステップＳ８５３）。
【０５６０】
待機モード中ＡＴ当選フラグがＯＮ状態である場合（ステップＳ８５３：ＹＥＳ）、昇格移行に関する「ＡＴ当選時移行リプレイ停止時モード別移行処理」を行う（ステップＳ８５４）。ここでは、現在の演出モードが「ハズレ告知用フリーズ演出モード（２２Ｈ）」である場合、遊技モードを「当選告知用フリーズモード」に移行させるべく、演出モードを「当選告知用フリーズ演出モード（１２Ｈ）」に設定する。
【０５６１】
なお、「ハズレ告知用フリーズ演出モード（演出モード：２２Ｈ）」に対応のメインモードは「ハズレ告知用フリーズ遊技モード（メインモード：２２Ｈ）」であるので、移行リプレイ１入賞時には、メインモードにもモード移行が生じて、「当選告知用フリーズ遊技モード（メインモード：１２Ｈ）」に移行される（図１８のステップＳ４３２〜Ｓ４３５参照）。これにより遊技モードが「当選告知用フリーズモード（図１０（ハ）参照）」となり、ハズレ告知用フリーズモードから昇格移行されることになる。また現在の演出モードが「ハズレ告知用フリーズ演出モード（２２Ｈ）」以外である場合には、移行リプレイ１が入賞しても演出モードの移行は生じないようになっている。
【０５６２】
〔第２の実施形態〕
以上に説明した実施形態（第１の実施形態）では、フリーズ待機モード前に実行されるＡＴ抽選を契機にＡＴモードに移行可能な形態について説明した。しかし本発明はこれに限らず、次のような実施形態（第２の実施形態）とすることができる。以下、図３５を参照しながら、この第２の実施形態について説明する。
【０５６３】
図３５は、第２の実施形態に係る回胴式遊技機のフリーズ待機モード間の移行状態の概要を示す状態遷移図である。本実施形態では、その遊技形態として、フリーズ待機モードに入る前にはＡＴ抽選を実行しない、またはフリーズ待機モードに入る前にＡＴ抽選は実行されるが、その当選確率が、フリーズ待機モード中よりも低確率である、といったものになっている。端的に言えば、専ら、フリーズ待機モード中に実行されるＡＴ抽選により、ＡＴモードに移行しうる、といった遊技形態であり、本実施形態に係るフリーズ待機モードは、通常モード１よりもＡＴ抽選が高確率状態に変動した「ＡＴ高確モード」として作用する。
【０５６４】
なお以下では、上記した実施形態と実質的に同じ構成要素についての説明は重複記載を避けるために適宜省略し、当該実施形態と異なる点を中心的に説明する。また、上記第１の実施形態と同じく初期モードとボーナス遊技に関連する遊技モードについての説明は省略する。また、第２の実施形態では、ＡＴ高確モードを設けている関係上、フリーズ待機モード以外の遊技モード中、ＡＴ抽選は実行されないとして説明する。
【０５６５】
図３５を参照して、第２の実施形態について詳細に説明する。本実施形態では、まず通常モード１において、フリーズ待機モードに移行するための「ＡＴ高確モード移行抽選」が実行されるようになっている（図３５のＡ２０１の欄参照）。このＡＴ高確モード移行抽選は、演出制御部４１０側において、図３６に示す「ＡＴ高確モード移行抽選テーブル」に基づいて実行される。
【０５６６】
上記「ＡＴ高確モード移行抽選テーブル」には、演出モードが、初期演出モード（Ｆ０Ｈ）または通常演出モード（ＦＦＨ）中である場合に利用され、「フリーズ待機モード」、つまり「ＡＴ高確モード」への移行抽選確率が、当選役種別（ＡＴ高確モード抽選契機役）とフリーズ演出種別（フリーズ未発生、フリーズ１〜３）に関連付けて定められている。たとえば、通常ゲーム１（通常演出モード：ＦＦＨ）中において、今回のゲームで‘強スイカ（当選番号５）’に当選し、かつフリーズ演出種別が‘未発生’（図示の未発生）場合、このケースでは、‘６４／２５６’の確率で、ＡＴ高確モード移行抽選に「当選」となる。なおＡＴ高確モードには、基本的には、当選確率の低い抽選対象役ほど、当選確率の低いフリーズ演出種別ほど、高確率でＡＴ高確モード移行抽選に当選するようになっている。ただし、強チェリーは、強スイカよりも内部抽選確率は低確率であるが、例外的に、ＡＴ高確モードへの当選期待度が相対的に高まるように定められている。
【０５６７】
上記ＡＴ高確モード移行抽選に当選した場合、演出モードに移行が生じて、現在の「通常モード１」から「通常モード３」に移行される（図３５のＡ２０１→Ｌ２０１の遊技ルート参照）。本実施形態では、ＡＴ高確モード移行抽選に当選するか否かがＡＴモードに移行するための第１の条件となっている。したがって、上記ＡＴ高確モード移行抽選に当選するか否かが、遊技者の最大の関心事の一つといえる。
【０５６８】
上記ＡＴ高確モード移行抽選に当選し、遊技モードが「通常モード３」に移行されると、移行リプレイＢの当選を契機に移行リプレイ２のアシスト報知が発生し、遊技者がその内容に従い回胴を停止操作すれば、遊技モードが、フリーズ待機モードに係る「ハズレ告知用フリーズモード（‘メインモード２２Ｈ’＋‘演出モード２２Ｈ’）」に移行され（図示のＬ２０１→Ｌ２０２の遊技ルート参照）、押し順ミスをした場合には「押順ミス用非フリーズモード２（‘メインモード３２Ｈ’＋‘演出モード４３Ｈ’）」に移行されるようになっている（図示のＬ２０１→Ｍ２０１の遊技ルート参照）。
【０５６９】
ここで本実施形態では、最初に移行されるフリーズ待機モードが、‘ＡＴ抽選非当選状態’に係る「ハズレ告知用フリーズモード」または「押順ミス用非フリーズモード２」に移行されるようになっている。これは、本実施形態の場合、フリーズ待機モード中にＡＴモード移行契機となるＡＴ抽選が実行されうるからである。つまり、フリーズ待機モード中のＡＴ抽選に当選することがＡＴモードに移行するための第２の条件となっている。したがって、上記フリーズ待機モード中のＡＴ抽選に当選するか否かが、遊技者が最も期待を寄せる事象であるといえる。この点、通常モード１中にＡＴ抽選が実行され、そのＡＴ抽選後にフリーズ待機モードに移行しうる第１の実施形態とは性質を異にする。
【０５７０】
（フリーズ待機モード（ＡＴ高確モード）中のＡＴ抽選）
上記ＡＴ抽選は、演出制御部４１０側において、図３７に示す「ＡＴ高確モード中ＡＴ抽選テーブル」に基づいて実行される。ここでの「ＡＴ高確モード中ＡＴ抽選テーブル」は、演出モードが、フリーズ待機モードに係る「ハズレ告知用フリーズ演出モード（２２Ｈ）または押順ミス用非フリーズモード（非当選中）（４３Ｈ））中である場合に利用され、基本的構成は、図３１のＡＴ抽選テーブルと同じであるのでその説明は省略する。
【０５７１】
上記した「ＡＴ高確モード中ＡＴ抽選テーブル」が図３１のＡＴ抽選テーブルと異なる点は、図示のように、ＡＴ抽選による当選確率が相対的に高確率に定められている点である。たとえば、今回のゲームで‘強スイカ（当選番号５）’に当選し、かつフリーズ演出種別が‘未発生’（図示の未発生）であれば、「１２２８８／６５５３６」の確率でＡＴ抽選当選となり、図３１のＡＴ抽選よりも当選確率が高い。また、ＡＴ高確モード中ＡＴ抽選の抽選契機役の種類は、図３１のＡＴ抽選のそれよりも多く設けられている（たとえば、ＡＴ１、通常リプレイＡ、特殊リプレイＡなど）。なお、通常モード１中においてもＡＴ抽選を実行するように構成しても良いが、ＡＴ高確モードの意義を持たせるためには、少なくとも、通常モード１よりもＡＴ高確モードの方がＡＴ抽選当選確率（ＡＴモード移行確率）を相対的に高くすることが重要である。
【０５７２】
本実施形態では、「ハズレ告知用フリーズモード」に移行されたのか、「押順ミス用非フリーズモード２（非当選）」に移行されたのかに応じて、その後の遊技ルートが異なる。以下、「ハズレ告知用フリーズモード」に移行した場合と、「押順ミス用非フリーズモード２」に移行した場合とに分けて説明する。
【０５７３】
（通常モード３からハズレ告知用フリーズモードに移行した場合：第５〜第７の遊技ルート）
先ず、「ハズレ告知用フリーズモード」に移行した場合のフリーズ待機モード中の遊技遷移状態について説明する。この「ハズレ告知用フリーズモード」に移行した場合、下記の（ホ）第５の遊技ルートと、（ヘ）第６の遊技ルートと、および（ト）第７の遊技ルートとがある。
【０５７４】
（第５の遊技ルート：フリーズ待機モード中にＡＴ抽選に当選した場合）
（ホ）「ハズレ告知用フリーズモード（Ｌ２０２：煽り演出区間の１〜７ゲーム間）」→（ＡＴ抽選当選、移行リプレイ１入賞（ここでは、移行リプレイＡ当選時のアシスト報知が条件）による遊技モード移行）→最終ゲーム「当選告知用フリーズモード（Ｗ２０３：告知演出の８ゲーム目）」、「フリーズ有り祝福演出」が発生。
【０５７５】
（第６の遊技ルート：フリーズ待機モード中にＡＴ抽選に当選したが、フリーズ待機モード中に遊技モード移行に係る抽選対象役（移行リプレイ１）に当選しなかった場合）
（ヘ）「ハズレ告知用フリーズモード（Ｌ２０２：煽り演出区間の１〜７ゲーム間）」→（ＡＴ抽選当選、移行リプレイ１非入賞、遊技モード移行無し）→最終ゲーム「ハズレ告知用フリーズモード（Ｗ２０３：告知演出の８ゲーム目）」、「フリーズ有り復活演出」が発生。
【０５７６】
（第７の遊技ルート：フリーズ待機モード中にＡＴ抽選に非当選であった場合）
（ト）「ハズレ告知用フリーズモード（Ｌ２０２：煽り演出区間の１〜７ゲーム間）」→（ＡＴ抽選非当選、遊技モード移行無し）→最終ゲーム「ハズレ告知用フリーズモード（Ｗ２０３：告知演出の８ゲーム目）」、「フリーズ有り残念演出」が発生。
【０５７７】
上記第５の遊技ルートは、「ハズレ告知用フリーズモード（Ｌ２０２）」中にＡＴ抽選に当選し、そのＡＴ当選状態において、フリーズ待機モードが終了する最終ゲーム（８ゲーム）手前のゲーム数目（７ゲーム目）までに、移行リプレイＡに当選すると移行リプレイ１のアシスト報知が発生する。このとき、移行リプレイ１が入賞すると遊技モードが「ハズレ告知用フリーズモード（Ｌ２０２）」から「当選告知用フリーズモード（Ｗ２０３）」に昇格移行される、といった遊技ルートである。この第５の遊技ルートは、第１の実施形態の「ハズレ告知用フリーズモード（Ｌ１０２）」中に、ＡＴ抽選当選状態となり、最終的に「当選告知用フリーズモード（Ｗ１０３）」に昇格移行されるケースと実質的に同じである。なお、第５の遊技ルートに係る最終ゲームの告知態様は、第１の実施形態に係る「当選告知用フリーズモード（Ｗ１０３）」と同じである（第１の実施形態の上記「（ハ）第３の遊技ルート」の記載、図２７のＳ７７３参照）。
【０５７８】
上記第６の遊技ルートは、「ハズレ告知用フリーズモード」中にＡＴ抽選に当選したが、フリーズ待機モードが終了する８ゲーム手前の７ゲーム目までに、移行リプレイＡに当選せずに、そのまま最終ゲームまで「ハズレ告知用フリーズモード」に滞在する、といった遊技ルートである。この第６の遊技ルートは、第１の実施形態の「ハズレ告知用フリーズモード（Ｌ１０２）」中に、ＡＴ抽選当選状態となったが、昇格移行が生じず、そのまま最終ゲームまで「ハズレ告知用フリーズモード（Ｌ１０３）」に滞在するケースと実質的に同じである。なお、第６の遊技ルートに係る最終ゲームの告知態様は、第１の実施形態に係る「ハズレ告知用フリーズモード（Ｗ１０３）」中の「フリーズ有り復活演出」が現出される場合と同じである（第１の実施形態の上記「（ハ）第３の遊技ルート」の記載、図２７のステップＳ７７４：ＹＥＳ→Ｓ７７６の処理ルート参照）。
【０５７９】
上記第７の遊技ルートは、「ハズレ告知用フリーズモード」中にＡＴ抽選に当選せずに、そのまま最終ゲームまで「ハズレ告知用フリーズモード」に滞在する、といった遊技ルートである。この第７の遊技ルートは、第１の実施形態の「ハズレ告知用フリーズモード（Ｌ１０２）」中に、ＡＴ抽選に当選しなかったケースと実質的に同じである（図２７のステップＳ７７４：ＮＯ→Ｓ７７５の処理ルート参照）。なお、第７の遊技ルートに係る最終ゲームの告知態様は、第１の実施形態に係る「ハズレ告知用フリーズモード（Ｗ１０３）」中の「フリーズ有り残念演出」が現出される場合と同じである（第１の実施形態の上記「（ハ）第３の遊技ルート」の記載、図２７のステップＳ７７４：ＮＯ→Ｓ７７６参照）。
【０５８０】
（通常モード３から押順ミス用非フリーズモード２（非当選）に移行した場合：第８〜第９の遊技ルート）
次に、「押順ミス用非フリーズモード２（非当選）」に移行した場合のフリーズ待機モード中の遊技遷移状態について説明する。この「押順ミス用非フリーズモード２（非当選）」に移行した場合、下記の（チ）第８の遊技ルートと、（リ）第９の遊技ルートとがある。
【０５８１】
（第８の遊技ルート：フリーズ待機モード中にＡＴ抽選に当選した場合）
（チ）「押順ミス用非フリーズモード２（Ｍ２０１：煽り演出区間の１〜７ゲーム間）」→（ＡＴ抽選当選）→「押順ミス用非フリーズモード１（Ｗ２０４：告知演出の８ゲーム目）」、「フリーズ無し祝福演出」が発生。
【０５８２】
（第９の遊技ルート：フリーズ待機モード中にＡＴ抽選に非当選であった場合）
（リ）「押順ミス用非フリーズモード２（Ｍ２０１：煽り演出区間の１〜７ゲーム間）」→（ＡＴ抽選非当選）→「押順ミス用非フリーズモード２（Ｌ２０４：告知演出の８ゲーム目）」、「フリーズ無し残念演出」が発生。
【０５８３】
上記第８の遊技ルートは、「押順ミス用非フリーズモード２（非当選中）（Ｍ２０１）」中にＡＴ抽選に当選し、遊技モードが昇格移行され（演出モードが「３３Ｈ」に移行）、「押順ミス用非フリーズモード１（Ｍ２０１）」に滞在する、といった遊技ルートである。この第８の遊技ルートは、第１の実施形態の「押順ミス用非フリーズモード２（非当選中）（Ｍ１０１）」にＡＴ抽選に当選し、「押順ミス用非フリーズモード１（当選中）（Ｌ２０１）」に昇格移行されるケースと実質的に同じである。なお、第８の遊技ルートに係る最終ゲームの告知態様は、第１の実施形態に係る「押順ミス用非フリーズモード１（当選中）（Ｗ１０４）」中の「フリーズ無し祝福演出」が現出される場合と同じである（図２８のステップＳ７７８：ＹＥＳ→Ｓ７８２の処理ルート参照）。
【０５８４】
上記第９の遊技ルートは、「押順ミス用非フリーズモード２（非当選中）（Ｍ２０１）」中にＡＴ抽選に当選せずに、そのまま最終ゲームまで「押順ミス用非フリーズモード２（非当選中）（Ｌ２０４）」に滞在する、といった遊技ルートである。この第９の遊技ルートは、第１の実施形態の「押順ミス用非フリーズモード２（非当選中）（Ｍ１０１）」中に、ＡＴ抽選に当選しなかったケースと実質的に同じである。なお、第９の遊技ルートに係る最終ゲームの告知態様は、第１の実施形態に係る「押順ミス用非フリーズモード２（非当選中）（Ｌ１０４）」中の「フリーズ無し残念演出」が現出される場合と同じである（図２８のステップＳ７７８：ＮＯ→Ｓ７８１の処理ルート参照）
【０５８５】
（通常モード３中の移行リプレイＢに係る通常リプレイ１入賞について）
なお図示はしていないが、通常モード３中の移行リプレイ２のアシスト報知発生時に、遊技者が押し順ミスをして「通常リプレイ１」が入賞した場合、メインモードは移行しないが、演出モードは「押順ミス用非フリーズ演出モード２（非当選中）（Ｍ２０１）」に移行させ、演出上は、疑似的な「押順ミス用非フリーズ演出モード２（非当選中）」を装うようにする。
【０５８６】
この場合、主制御部４００側では「通常遊技モード（ＦＦＨ）」として遊技処理を行うことになるが、演出モードが「押順ミス用非フリーズ演出モード２（非当選中）」であるため、遊技モード自体は、疑似的な「押順ミス用非フリーズモード２（非当選中）（メインモード「ＦＦＨ」＋演出モード「４３Ｈ」）」となる。つまり、演出制御部４１０側の制御により、メインモードが本来の遊技モードに移行しなかったとしても、演出処理により、ＡＴ高確モードに移行させる。これにより、演出上は、ＡＴ高確モードである「押順ミス用非フリーズ演出モード２（非当選中）」と同じ演出モードとなり、遊技者に不利益を与えることもなく、また最終ゲーム目において、ＡＴ抽選結果を報知することができるので、特に問題は生じないと考えられる。この点、第１の実施形態における、通常モード２、３中の移行リプレイ１、２のアシスト報知発生時に、押し順ミスにより通常リプレイ１が入賞した場合と同じである。
【０５８７】
本実施形態では、上記のような第５〜第９のいずれかの遊技ルートを辿り、前兆ＡＴモードを介して、ＡＴモードに移行するようになっている。
【０５８８】
なお本実施形態（第２の実施形態）では、フリーズ待機モード中に限りＡＴ抽選を実行する形態を説明したが、フリーズ待機モード中以外の他の遊技モード、たとえば、初期モードや通常モード１においてＡＴ抽選が実行されても良い。ただし本実施形態のように、フリーズ待機モードを「ＡＴ高確モード」として機能させて他の遊技モードよりもＡＴ当選期待感を与える、といった遊技モードの場合、上述の他の遊技モードでのＡＴ抽選の当選確率は、ＡＴ高確モード中におけるＡＴ抽選の当選確率よりも低確率とすることが好ましい。
【０５８９】
以上に説明した第２の実施形態は、次のように構成することができる。なお、括弧内は実施形態における対応要素を示すが、本発明はこれに限定されるものではない。
【０５９０】
複数種類の図柄が表示された複数の回胴を有し、各回胴の停止時の図柄の組合せにより遊技結果を導出表示する遊技結果表示手段（回胴装置２１０）と、
所定のゲーム開始条件の下、各回胴を回転させるための始動手段（回胴回転始動レバー１１）と、
前記始動手段の操作を契機に、複数種類の役を対象に抽選を行い、当選役を決定する役抽選手段（図１１のＳ１６（内部抽選処理）、図５（役抽選テーブル））と、
各回胴のそれぞれに対応して設けられ、前記回胴の回転を個別に停止させるための複数の停止手段（回胴回転停止ボタン１２ａ、１２ｂ、１２ｃ）と、
前記停止手段の操作を契機に、前記当選役に対応する図柄の組合せが前記遊技結果として導出表示されうるように回胴を停止制御する停止制御手段（図１１のＳ１９（回胴停止処理））と、
所定の実行条件に基づき、遊技進行を通常の遊技進行よりも遅延させる遅延状態を実行制御する遅延状態制御手段（図１１のＳ１７（回胴演出管理処理）、図１１のＳ１８（回胴回転開始設定処理）、図３３）と、を備え、
前記遊技結果に応じた遊技価値を遊技者に付与可能に構成された回胴式遊技機であって
所定の抽選条件に基づき、遊技者に対する第１の特典付与（たとえば、ＡＴ高確モード）に関する第１の付与抽選（ＡＴ高確モード移行抽選）を実行する第１の利益付与抽選手段と、
第１の利益付与抽選手段による付与抽選結果に基づき、第１の特定条件を成立させる（たとえば、ＡＴ高確モード（フリーズ待機モード）移行確定条件の成立。本実施形態の場合、ＡＴ高確モード抽選に当選し、通常モード３中の移行リプレイＢの当選したゲームでの移行リプレイ２のアシスト報知の実行が第１の特定条件が成立となっている）特定条件成立手段と、
前記第１の特定条件が成立した場合、所定の抽選条件に基づき、遊技者に対する第２の特典付与（ＡＴモード移行）に関する第２の付与抽選（ＡＴ抽選）を実行する第２の利益付与抽選手段と、
前記第１の特定条件が成立したゲームを基点ゲームとし（たとえば、通常モード３中の移行リプレイ２のアシスト報知の実行ゲーム）、その基点ゲームから少なくとも複数ゲーム先を（たとえば、基点ゲーム後から８ゲーム目）、前記第２の付与抽選結果に関する情報を報知する抽選結果報知演出が実行される報知演出実行ゲームとして決定する（たとえば、ＡＴ抽選結果を報知する告知演出を実行するゲームを、基点ゲームから８ゲーム先に決定する）報知演出実行ゲーム決定手段と、
前記基点ゲーム後に前記第１の特典付与に関連する第１の遊技モード（ＡＴ高確モード（フリーズ待機モード））を実行制御する第１の遊技モード制御手段と、
前記第２の付与抽選結果に基づき、前記報知演出実行ゲーム後、前記第２の特典付与に関連する第２の遊技モード（ＡＴ抽選に当選した場合には、フリーズ待機モード終了後に、ＡＴモードに移行させる）を実行制御する第２の遊技モード制御手段と、
を備え、
前記第１の特定条件が成立した後、第１の条件が成立した場合には（たとえば、ＡＴ抽選に当選し、移行リプレイ１が入賞した場合）、前記報知演出実行ゲームにおいて、前記遅延状態（フリーズ状態）に伴って前記抽選結果報知演出を実行し（たとえば、当選告知用フリーズ演出（たとえば、フリーズ有り祝福演出）、ハズレ告知用フリーズ演出（たとえば、フリーズ有り残念演出）など：図３５の最終ゲームの８Ｇ目参照）、
前記第１の特定条件が成立した後、第２の条件が成立した場合には（たとえば、ＡＴ抽選に当選し、その後に実行されたアシスト報知中に押し順ミスにより移行リプレイ１が入賞しなかった場合、またはＡＴ抽選に非当選の場合）、前記報知演出実行ゲームにおいて、遅延状態を伴わずに抽選結果報知演出（たとえば、当選告知用フリーズ無し演出（たとえば、フリーズ無し祝福演出）、ハズレ告知用フリーズ無し演出（たとえば、フリーズ無し残念演出）など：図３５の最終ゲーム８Ｇ目参照）を実行する構成とすることができる。
【０５９１】
〔第３の実施形態〕
上記の第１の実施形態および第２の実施形態では、フリーズ演出の発生が予定されるゲーム（以下、「基点ゲーム」と称する）を、移行リプレイＡ、Ｂのような「状態移行契機役」に係る入賞役（移行リプレイ１〜３）の成立（入賞）したゲーム、つまり「基点ゲーム」から少なくとも複数ゲーム先（基点ゲーム後の８ゲーム先）に決定される形態について説明した（図９のＷ１０１→Ｗ１０２、Ｗ１０１→Ｍ１０１、Ｌ１０１→Ｌ１０２、図３５のＬ２０２、Ｍ２０１参照）。しかし本発明はこれに限らず、次のような契機に基づいて、フリーズ待機モードの基点ゲームを決定することができる。これについて、以下、第３の実施形態として説明する。
【０５９２】
この第３の実施形態は、「押順規定役（ＡＴ１〜４、移行リプレイＡ、Ｂ、または特殊リプレイＡ、Ｂなど）」に係る特定の図柄の組合せ（移行契機入賞役）の連続入賞回数が所定回数に達したことを契機として、フリーズ待機モードの基点ゲームを決定可能な実施形態となっている。以下、これについて詳細に説明する。なお、第１の実施形態と同じ内容については、重複記載を避けるために適宜省略しながら説明する。
【０５９３】
ここでは、所定の移行条件成立の下（たとえば、第１の実施形態と同じく、ＡＴ抽選に当選、または偽フリーズ待機モード抽選に当選した場合に相当）、特定の押順規定役に係る所定の入賞役（移行契機入賞役）が複数回（たとえば、２回）連続入賞した場合、当該ゲームを基点ゲームとして決定し、その基点ゲームから少なくとも複数ゲーム先を付与抽選結果（たとえば、ＡＴ抽選結果）に関する情報を報知するための「抽選結果報知演出」が実行される実行ゲームとして決定する形態について説明する。
【０５９４】
第３の実施形態の理解を容易なものとするために、本実施形態に係る基点ゲームの決定の流れを簡単に説明しておく。
【０５９５】
本実施形態では、まずＡＴ抽選が実行され、そのＡＴ抽選結果（たとえば、第１の実施形態のＡＴ抽選に当選、または偽フリーズ待機モード抽選に当選）に基づき、移行リプレイ１または移行リプレイ２、アシスト報知許容状態（たとえば、第１の実施形態の通常モード２、または通常モード３に相当）が発生する。このアシスト報知許容状態下では、移行契機入賞役（たとえば、移行リプレイ１または移行リプレイ２））の入賞を許容する押順規定役（たとえば、移行リプレイＡまたは移行リプレイＢ）が当選したことを契機に、その役を入賞させるためのアシスト報知が、複数ゲームに亘り連続的に発生させる。
【０５９６】
説明の便宜のために、上述のアシスト報知許容状態下を、第１の実施形態の通常モード２であるとすれば、移行リプレイＡの「移行リプレイ１」が‘２回連続入賞’した場合には、これを以って、真のフリーズ待機モード（当選告知用フリーズモード）の基点ゲームとして決定する（たとえば、２回連続入賞で次回ゲームから図９のＷ１０２に移行する）。一方、通常モード３であるとすれば、移行リプレイＢの「移行リプレイ２」が‘２回連続入賞’した場合、これを以って、偽のフリーズ待機モード（ハズレ告知用フリーズモード）の基点ゲームとして決定する（たとえば、２回連続入賞で、次回ゲームから図９のＬ１０２に移行する）。この基点ゲームから少なくとも複数ゲーム先を（たとえば、基点ゲーム後から８ゲーム目）、ＡＴ抽選結果に関する情報を報知する抽選結果報知演出を実行するための実行ゲームとして決定される。上記当選告知用フリーズモードでは、実行ゲームにおける抽選結果報知演出として、第１の実施形態と同じように「遅延状態（フリーズ状態）を伴う報知演出（たとえば、フリーズ有り祝福演出、またはフリーズ有り残念演出）」が実行され、上記ハズレ告知用フリーズモードでは、「遅延状態（フリーズ状態）を伴わない報知演出（たとえば、フリーズ無し祝福演出、またはフリーズ無し残念演出）」を実行されることになる。
【０５９７】
なお、ここでいう「連続入賞」とは、たとえば、１回目の移行リプレイ１が入賞した後、それ以後のゲームで、再度、移行リプレイＡに当選して移行リプレイ１が入賞した場合をいう。したがって、１回目の移行リプレイ１が入賞した後、それ以後のゲームで、移行リプレイ１を取りこぼした場合には、「連続入賞」とはならずに、フリーズ待機モードに移行されないことになる。
【０５９８】
ここで問題となるのは、押し順ミスにより、アシスト報知に従ったならば入賞するはずだった特定の入賞役が入賞しなかった場合である。ここでは、移行リプレイ１または移行リプレイ２を取りこぼして、２回連続入賞できなかった場合がこのケースに該当する。特に、特定入賞役の連続入賞を条件としてフリーズ待機モードの基点ゲームを決定するだけの構成とした場合、連続入賞できなければ、フリーズ待機モードに移行することができず、再度、移行契機役の２回連続入賞を待つことになる。このため、フリーズ待機モードに移行するまでのゲーム数が無闇に嵩んでしまい、ゲーム進行に遅延が生じてしまうという問題がある。
【０５９９】
そこで本実施形態では、仮に押し順ミスをしてしまったとしても、このときには、第１の実施形態と同じように、基点ゲーム数から複数ゲーム先において、フリーズ状態を伴わない報知演出を実行するための「押順ミス用非フリーズモード１（当選中）」または「押順ミス用非フリーズモード２（非当選中）」に相当するフリーズ待機モードに移行させるようにする。これにより、内部的にフリーズ待機モードへの移行が決定された場合には、必ず、フリーズ待機モードに移行されて、その最終ゲーム数目において、ＡＴ抽選の当否結果が必ず報知することができる。その結果、ゲーム数が無闇に嵩んでしまい、ゲーム進行に遅延が生じてしまう、といった問題を解決することができる。
【０６００】
ここで本実施形態に関し、主制御部４００と演出制御部４１０との制御関係を次のように連係させる事が好ましい。以下では、説明の便宜上、重複記載を避けるために、ＡＴ抽選に当選した場合における、移行リプレイＡに係る‘移行リプレイ１’が２回連続入賞した場合と、フリーズ待機モードへの移行が決定されたが、押し順ミスにより、移行リプレイ１’が０回または１回しか入賞できなかった場合とに着目して説明し、ＡＴ抽選に非当選（ハズレ）となった場合における、移行リプレイＢに係る‘移行リプレイ２’が連続入賞した場合、および押し順ミスがあった場合については、適宜省略しながら説明する。
【０６０１】
まず演出制御部４１０側におけるＡＴ抽選を契機に、フリーズ待機モード（ここでは、真のフリーズ待機モード、または偽のフリーズ待機モード）に移行させるか否かを決定する。ここではＡＴ抽選に当選したケースを代表的に説明しているので、演出制御部４１０側によるアシスト報知として、移行リプレイＡ当選時に「移行リプレイ１」のアシスト報知が実行されることになる。この点、第１の実施形態に係る「通常モード２」滞在時と実質的に同じ制御となっている。
【０６０２】
主制御部４００側では、移行リプレイ１の入賞回数をカウントし、連続入賞があった場合には、当該ゲームを基点ゲームとし、その基点ゲームから少なくとも複数ゲーム先（たとえば、８ゲーム先）に、ＡＴ抽選結果を報知する報知演出を実行する「実行ゲーム」として決定する。
【０６０３】
具体的には、主制御部４００は、特定の入賞役（ここでは、移行リプレイ１）の連続入賞回数カウンタを備え、当該カウンタのカウンタ値に基づいて、現在のメインモードから他のメインモードに移行制御可能となっている。本実施形態の場合、主制御部４００側において、移行リプレイ１が連続入賞（ここでは、２回連続入賞）したか否かを「移行リプレイ１用の連続入賞回数カウンタ」により監視し、移行リプレイ１の連続入賞に応じて「当選告知用フリーズ遊技モード（メインモード：１２Ｈ）」に移行制御可能に構成されている。なお、この「移行リプレイ１連続入賞回数カウンタ」は、連続入賞が無かった場合に「ゼロクリア」される。また本実施形態では、移行リプレイ２の連続入賞を監視するための「移行リプレイ２用の連続入賞回数カウンタ」も備えており、当該カウンタのカウンタ値に基づいて、「ハズレ告知用フリーズ遊技モード（メインモード：２２Ｈ）」に移行制御可能に構成されている。
【０６０４】
（押し順ミスにより連続入賞しなかった場合について）
上述のように、移行リプレイ１、２が連続入賞しない限りは、フリーズの発生を予定しない、つまり押し順ミスにより、移行リプレイ１、２が「０回」または「１回」しか入賞せず連続入賞とならなかった場合、フリーズの発生を予定しない。しかしこの場合には、第１の実施形態と同じように、ＡＴ抽選結果の報知については、演出制御部４１０側の演出制御に委ねて、フリーズ演出を発生させなくともＡＴ抽選結果を正しく報知させることができるようになっている。これについて以下、詳述する。
【０６０５】
主制御部４００側は、既に説明したように、演出制御部４１０側が管理する演出モードやＡＴ抽選による抽選結果や今回のゲームでどのようなアシスト報知が発生したかなどについて、これを知ることができない。つまり主制御部４００側は、移行リプレイ１、２が入賞した際、フリーズを予定すべき連続入賞回数があったか否かを管理しているだけであり、たとえば、移行リプレイ１が入賞した場合、それがＡＴ抽選当選に基づくアシスト報知発生ゲームで入賞したものであるのか、それとも遊技者の押し順ミスにより入賞したものなのかを知ることができない。
【０６０６】
一方、演出制御部４１０側においては、ＡＴ抽選結果、演出モード、アシスト報知種別などに関する演出処理により、これらの実行状態を把握しているので、フリーズ待機モードに移行させる場合には、移行リプレイ１を２回連続入賞させるべく、移行リプレイＡの当選時には、移行リプレイ１を対象としたアシスト報知を少なくとも２回実行する。このとき、遊技者が正しくアシスト報知内容に従えば、移行リプレイ１の連続入賞が確定的となる。しかし、遊技者が押し順ミスをして、移行リプレイ１が連続入賞しなかったケースが生じうる。
【０６０７】
そこで本実施形態では、アシスト報知を上限回数（ここでは、２回とする）実行し、この上限回数実行しても移行リプレイ１が連続入賞しなかった場合は、ＡＴ抽選結果に応じて、第１の実施形態のように、「押順ミス用非フリーズ演出モード１（当選中）（たとえば、第１の実施形態における演出モード：３３Ｈ）」、または「押順ミス用非フリーズ演出モード２（非当選中）（たとえば、第１の実施形態における演出モード：４３Ｈ）」）に相当するフリーズ無しのフリーズ待機モードに移行させる。
【０６０８】
つまり、演出制御部４１０側において、アシスト報知が上限回数実行された当該ゲームを基点ゲームとし、この基点ゲームから少なくとも複数ゲーム先に（たとえば、基点ゲーム後の８ゲーム目）、ＡＴ抽選結果に関する情報を抽選結果報知演出を実行するための実行ゲームとして決定し、これに伴い、演出モードをフリーズ待機モードを実現する演出モードへと移行させる。本実施形態では、フリーズ待機モードに移行させることが決定された場合、アシスト報知を発生させるが、このアシスト報知の実行回数を所定の上限回数に制限する。そして、アシスト報知が当該上限回数実行されたゲームを基点ゲームとし、この基点ゲームから複数ゲーム先に、ＡＴ抽選結果を報知する報知演出を実行するための実行ゲームを決定する。これにより、第１の実施形態と同じく、遊技者が押し順ミスをしなければ、連続入賞によりフリーズ有りのフリーズ待機モードに移行させ（当選告知用フリーズモード、またはハズレ告知用フリーズモード）、遊技者が押し順ミスをしても、フリーズ無しのフリーズ待機モードに移行させ（押順ミス用非フリーズモード１、２）、いずれの場合も上記実行ゲームにおいて報知演出を実行して、ＡＴ抽選結果を必ず報知させることができるようになっている。このように、遊技者が押し順ミスをして本来移行されるべき正しい遊技モードに移行されなくとも、演出制御部４１０側による演出制御により、ＡＴ抽選結果を正しく報知させることができる。
【０６０９】
なお、この第３の実施形態では、フリーズ待機モードに関連する基点ゲームを決定する抽選対象役として、移行リプレイＡ、Ｂのような「押順規定再遊技役」を代表例にとり説明したが、本発明はこれに限られない。たとえば、ＡＴ１〜４のような押順規定小役を採用することができる。たとえば、１２枚ＡＴ役に係るアシスト報知を所定の上限回数（たとえば、２回）実行し、１２枚ＡＴ役が連続入賞した場合には、フリーズ演出が発生するフリーズ待機モードに移行させ、押し順ミスをして１２枚ＡＴ役が連続入賞しなかった場合にはフリーズ無しのフリーズ待機モードに移行させ、いずれの場合も上記実行ゲームにおいて報知演出を実行して、ＡＴ抽選結果を必ず報知させる。
【０６１０】
なお本実施形態では、ＡＴ１〜４に係る１２枚ＡＴ役の押し順が一種類のため、アシスト報知が発生した場合、遊技内容を良く知る遊技者であれば、アシスト報知演出態様自体が同じ演出態様としても、報知される押し順により当選役種別が判明してしまうことになり、遊技の面白みが低下してしまう。つまり、フリーズ有りのフリーズ待機モードに移行させるために、アシスト報知してしまうと、その押し順からいずれのフリーズ待機モードに移行されるのかが遊技者に悟られてしまうという問題が生じ、フリーズ待機モードの存在意義を損なう恐れがある。このような場合、ＡＴ役についても移行リプレイＡと移行リプレイＢとの関係と同様に、異なるＡＴ役同士で、１２枚ＡＴ役が入賞する押し順を同じ押し順となるように定めれば良い。また本実施形態では、ＡＴ１に係る１２枚ＡＴ役の押し順が「順押し」と定められており、この押し順は正規手順として定められている。したがって、本実施形態の場合、ＡＴ２〜ＡＴ４の全部または一部同士で、遊技者に悟られないように、押し順を適宜割り当てるようにすれば良い。
【０６１１】
〔第４の実施形態〕
第１〜第３の実施形態を次のような実施形態（第４の実施形態）とすることができる。
【０６１２】
この第４の実施形態では、ＡＴ抽選結果に基づき、フリーズ待機モードの移行が決定された場合、所定のゲーム数（前兆ゲーム数）を消化したことを条件に、基点ゲームが定まるようになっている。具体的には、ＡＴ抽選が実行され、その抽選結果に基づき、フリーズ待機モードに移行することを決定した場合、それ以後の所定のゲーム数（前兆ゲーム数）、たとえば、３２ゲームを消化した後に、押順規定役に係るアシスト報知許容状態、たとえば、通常モード２または通常モード３に移行させて移行リプレイＡ、Ｂなどに関するアシスト報知の発生を許容状態する（ＡＴ抽選結果に基づく特定条件の成立：第１の実施形態で説明した、利益付与抽選手段、特定条件成立手段に相当する）。そして、既に説明した第１〜第３の実施形態と同じく、基点ゲームを決定するように構成することができる（特定条件が成立したゲームを基点ゲームとし、その基点ゲームから少なくとも複数ゲーム先をＡＴ抽選結果に関する情報を報知する報知演出が実行される実行ゲームとして決定する：第１の実施形態で説明した、報知演出実行ゲーム決定手段に相当する）。
【０６１３】
このように、フリーズ待機モードの移行が決定された場合、前兆ゲーム数を消化することで基点ゲームが決定される構成では、当該前兆ゲーム間において、フリーズ待機モードへの移行期待感を煽る演出（前兆演出）を現出させることができる。また、ＡＴ抽選が実行されてもフリーズ待機モードに移行されない場合もあるが（たとえば、偽フリーズ待機モード抽選に非当選となった場合）、この場合、前兆演出により、フリーズ待機モードへの移行期待感を煽ることができる。たとえば、（Ａ）ＡＴ抽選に当選した場合、または（Ｂ）ＡＴ抽選に非当選であるが偽フリーズ待機モード抽選に当選した場合、あるいは（Ｃ）ＡＴ抽選に当選せずに偽フリーズ待機モード抽選にも当選しなかった場合のいずれのケースにおいても、前兆ゲーム中の遊技期間において、前兆演出を現出可能な構成とし、これら（Ａ）〜（Ｃ）に対応した前兆演出を現出させることで、フリーズ待機モードへの移行期待感を煽ることができる。したがって、ＡＴ抽選契機役が当選した場合、遊技者が前兆ゲームが消化するまでの遊技期間は、緊張感や期待感を持ちながら遊技に興じることができるので遊技の面白みを向上させることができる。また遊技者は、前兆ゲームが消化するまで遊技を続行する可能性が高くなり、遊技機の稼動率を高めることができる。
【０６１４】
上述の（Ａ）〜（Ｃ）の場合、前兆演出を所定の抽選（前兆演出抽選）により現出させるようにし（前兆演出抽選手段（演出制御部４１０））、当該抽選に非当選となった場合には通常時の演出を現出させるように構成することができる（前兆演出抽選手段による抽選結果に基づき、前兆演出を現出する前兆演出制御手段（演出制御部４１０））。前兆演出抽選に非当選となった場合、前兆演出は現出されないが、前兆ゲーム消化後に、突発的にフリーズ待機モード前兆中演出が現出させることができるので、演出上、遊技者に意表を突く形でフリーズ待機モード移行が確定するように表現することができる。なお、前兆演出抽選による前兆演出を現出確率は適宜定めることができる。好ましくは、フリーズ待機モード移行が確定する場合（上記（Ａ）または上記（Ｂ）の場合）の方がフリーズ待機モード移行しないよりも相対的に高確率で当選とする。
【０６１５】
また上記前兆ゲーム数を複数種類設け（たとえば、８ゲーム、１６ゲーム、３２ゲームなど）、抽選により、いずれかの前兆ゲーム数を決定するように構成することができる（前兆ゲーム数を複数種類のゲーム数のうちから決定する前兆ゲーム数抽選手段（演出制御部４１０））。このようにしても、前兆ゲームが消化するまでの遊技期間は、緊張感や期待感を持ちながら遊技に興じることができ、また遊技者は、前兆ゲームが消化するまで遊技を続行する可能性が高くなり、遊技機の稼動率を高めることができる。
【０６１６】
〔第５の実施形態〕
第１〜第４の実施形態を次のような実施形態（第５の実施形態）とすることができる。
【０６１７】
上記に説明した第１〜第４の実施形態では、ＡＴ抽選を契機にフリーズ待機モードへの移行が定まる形態として説明したが、本発明はこれに限られない。たとえば、下記（Ｄ）〜（Ｅ）のように構成することができる。
【０６１８】
（Ｄ）特定の条件が成立した後、所定のゲーム数が消化された場合（天井ゲーム数に到達した場合）、フリーズ待機モードに移行させる。
【０６１９】
（Ｅ）特定の条件が成立した後、所定のゲーム数が消化されるごとに（天井ゲーム数到達ごとに（周期天井ゲーム数到達ごとに））、フリーズ待機モードに移行させる（所謂「周期天井ゲーム数」有りの構成）。
【０６２０】
（Ｆ）特定の条件が成立した後、所定のゲーム数が消化された場合（天井ゲーム数に到達した場合）、強制的にＡＴ抽選を実行する（たとえば、天井ゲーム数に到達した当該ゲームにおいて、抽選対象役に対応してＡＴ抽選確率を定めた所定のＡＴ抽選テーブルを利用して、ＡＴ抽選を実行する）。
【０６２１】
（Ｇ）特定の条件が成立した後、所定のゲーム数が消化されるごとに、強制的にＡＴ抽選を実行する（「周期天井ゲーム数」有りの構成）。
【０６２２】
（Ｈ）特定の条件が成立した後、所定のゲーム数が消化された場合（天井ゲーム数に到達した場合）、強制的にＡＴ高確モードに移行させる（たとえば、天井ゲーム数に到達した当該ゲーム後、ＡＴ高確モードに移行させる）。
【０６２３】
（Ｉ）特定の条件が成立した後、所定のゲーム数が消化されるごとに、強制的にＡＴ高確モードに移行させる（「周期天井ゲーム数」有りの構成）。
【０６２４】
ここで上記「特定の条件」とは、天井ゲーム数や周期天井ゲーム数の基点となるゲームを定める条件であり、たとえば、特定の遊技モード（特定のメインモードや特定の演出モードなど）が終了した後（たとえば、ＡＴモード終了ゲーム後や、ボーナス遊技終了ゲーム後、通常モードに移行した後など）や、メイン電源投入後や、ＲＡＭクリア後、などが挙げられる。ただし、本発明は、これらの条件に制限されることはない。なお上記（Ｄ）〜（Ｉ）のうち、１または複数種類を組合せた構成を、第１〜第４の実施形態に適用することができる。斯様な上記（Ｄ）〜（Ｉ）の条件を設けることにより、遊技の面白みをより一層向上させることができる。
【０６２５】
また上記天井ゲームや周期天井ゲームを設ける構成は、特に、フリーズ待機モードが「ＡＴ高確モード」として働く場合（第２の実施形態参照）に好適である。その理由は、所定のゲーム数が消化されるごとに（たとえば、「天井ゲーム」であれば、比較的長いゲーム数（たとえば、１２２４ゲーム）が消化されるごとに、「周期天井ゲーム」であれば、比較的短いゲーム数（たとえば、２５６ゲーム）が消化されるごとに）、強制的にＡＴ抽選を実行する構成（上記（Ｇ）の場合）とした場合、特定ゲーム数の到達ごとに、ＡＴ高確モードというチャンスを到来させることができるようになる。
【０６２６】
これにより遊技者は、天井ゲームや周期天井ゲームの到来に期待を寄せながら遊技に興じることができる。また、天井ゲームや周期天井ゲームを設けた構成では、現在のゲーム数が、これら天井ゲーム数到達が近ければ近いほど、遊技者は積極的にゲームを続行するようになり、遊技機の稼動率が向上するため、パチンコホール側にとっても有用である。
【０６２７】
〔第６の実施形態〕
また第１の実施形態に係るフリーズ待機モード（以下、「ＡＴ非高確モード」と称する）と、第２の実施形態に係るフリーズ待機モードの「ＡＴ高確モード」とを実行可能な形態（第６の実施形態）とすることができる。
【０６２８】
本実施形態では、ＡＴ非高確モードのＡＴ抽選当選時の「真のフリーズモード」とＡＴ抽選非当選時の「偽（ガセ）のフリーズ待機モード」、通常モードよりもＡＴ抽選による当選確率が遊技者に有利に作用するＡＴ高確モード、といった遊技者に与える利益状態が異なる複数種類の遊技モードを実行可能な構成とすることができ、遊技性の自由度が増して、遊技の面白みを向上させる点で優れている。このように、ＡＴ非高確モードと、ＡＴ高確モードとを発生可能に構成することで、遊技モードが多様化して、遊技の面白みをより向上させることができる。
【０６２９】
なお上記ＡＴ非高確モードとＡＴ高確モードとを実行可能に構成する場合、いずれのモードをどのような条件で発生させるかは、本発明の目的を達成できるものであれば、特に制限されない。またＡＴ非高確モードまたはＡＴ高確モードは、ＡＴモード移行に関するチャンスモードの一種であることから、これらのモードに移行させるか否かは、通常モード中から移行させることが好ましい。具体的には、通常モード中の所定の移行条件に基づいて、ＡＴ非高確モードまたはＡＴ高確モードに移行させることができる。本実施形態については、たとえば、下記の（Ｊ）〜（Ｌ）のような形態とすることができる。
【０６３０】
（Ｊ）ＡＴ非高確モードには、第１の実施形態のように特定の抽選対象役に対応して移行確率を定めた抽選テーブル（たとえば、「ＡＴ抽選用テーブル（図３１、図３２）」）を利用した抽選により、当該モードに移行するか否かを決定し、ＡＴ高確モードには、第２の実施形態のように、特定の抽選対象役に対応して移行確率を定めた抽選テーブル（たとえば、「ＡＴ高確モード移行抽選テーブル（図３６）」）を利用した抽選により、当該モードに移行するか否かを抽選により決定することができる。なおこの場合、ＡＴ非高確モードへの抽選契機となる抽選対象役と、ＡＴ高確モードへの抽選契機となる抽選対象役とを異なるものとすることができる。たとえば、弱スイカ・強スイカ・弱チェリー・強チェリーは、ＡＴ非高確モード移行への移行抽選契機役として、ＣＡベル１〜２は。ＡＴ高確モード移行への移行抽選契機役として定めても良い。
【０６３１】
（Ｋ）また「ＡＴ非高確モード」および／または「ＡＴ高確モード」への移行を、第５の実施形態のような「天井ゲーム」または「周期天井ゲーム」の到来を契機に、移行させることができる。たとえば、ＡＴ非高確モードは、「ＡＴ抽選用テーブル（図３２、図３３）」を利用した抽選により当該モードに移行するか否かを決定するが、ＡＴ高確モードには、「天井ゲーム」または「周期天井ゲーム」の到来を契機に強制的に移行させることができる。また「天井ゲーム」または「周期天井ゲーム」の到来を契機にモード移行させる場合、所定の抽選（たとえば、「ＡＴ高確モード移行抽選テーブル（図３６）」を利用した抽選）によりモード移行を決定しても良い。
【０６３２】
（Ｌ）ＡＴ非高確モードおよびＡＴ高確モードのいずれの遊技モードに移行するかを、所定の抽選（以下、この抽選を「特殊移行抽選」と称する）により決定することができる。この場合、次の（Ｌ−１）〜（Ｌ−４）のように構成することができる。
【０６３３】
（Ｌ−１）まず第１段階抽選として、第１の特殊移行抽選を実行し、これに当選した場合には、真のフリーズ待機モードに移行させ、非当選（ハズレ）の場合には、第２段階抽選として、偽のフリーズ待機モードおよびＡＴ高確モードのいずれの遊技モードに移行するか否かを決定することができる。上記第１の特殊移行抽選は、たとえば、図３１のＡＴ抽選用テーブルのような抽選テーブル形態を利用することができる。また、第１の特殊移行抽選に非当選（ハズレ）となった場合、たとえば、図３２の偽フリーズ待機モード抽選テーブルまたは図３６のＡＴ高確モード移行抽選テーブルのような抽選テーブル形態を利用して、第２の特殊移行抽選を実行し、これに当選した場合にはＡＴ高確モードに、非当選の場合には偽のフリーズ待機モードに移行させる、といった具合である。
【０６３４】
なお各遊技モードへの移行は、第１の実施形態、第２の実施形態のように、移行リプレイ１や移行リプレイ２に関するアシスト報知を行い、押し順に応じて該当する遊技モードに移行させるように構成すれば良い。また各遊技モードに対する移行確率は、自由に定めることができる（後述の（Ｌ−２）〜（Ｌ−４）の場合も同様）。
【０６３５】
（Ｌ−２）また、たとえば、第１の特殊移行抽選に当選であれば「真のフリーズ待機モード」に移行させ、非当選の場合には「ＡＴ高確モード」に移行させることができる。この場合、偽のフリーズ待機モードを設けなくても良く、また第２の特殊移行抽選処理を設けなくても良い。
【０６３６】
（Ｌ−３）また上述の（Ｌ−２）の形態において、第１の特殊移行抽選非当選の場合に、第３の特殊移行抽選によりＡＴ高確モードに移行させる構成とすることができる。この場合、第３の特殊移行抽選形態について、当選役によらず、ＡＴ高確モードへの移行確率を一律５０％と定めても良い。また、「当選役種別」および／または「フリーズ種別」に対応した移行確率を定めても良い。たとえば、弱チェリーが当選役である場合、移行確率を「１０％（フリーズ無し）、１２．５％（フリーズ１）、１５％（フリーズ２）、２５％（フリーズ３）」とし、強チェリーが当選役である場合、それよりも相対的に高い移行確率「２０％（フリーズ無し）、２５％（フリーズ１）、３０％（フリーズ２）、５０％（フリーズ３）」とすることができる。なお、第３の特殊移行抽選にも非当選であった場合、つまりＡＴ高確モードに移行できなかった場合、偽のフリーズ待機モードに移行させる構成としても良い。
【０６３７】
（秘匿演出モードについて）
なお上記した（Ｌ（Ｌ−１〜Ｌ−３））の形態のように、所定の抽選により、ＡＴ非高確モードおよびＡＴ高確モードのいずれの遊技モードに移行するかを選択するような構成である場合には、次のような演出態様を実現させる構成とすることが好ましい。
【０６３８】
ＡＴ非高確モードおよびＡＴ高確モードのいずれの遊技モードに移行したのかを不明確にするような演出態様、つまり、ＡＴ非高確モード中を報知（示唆）する「ＡＴ非高確モード中演出態様」と、ＡＴ高確モード中を報知（示唆）する「ＡＴ高確モード中演出態様」とを、同一または類似（実質的同一）のものとし（状態報知演出の同一性を有する演出態様）、いずれの遊技モードに滞在中であるかを、演出上、秘匿状態とすることが好ましい。
【０６３９】
たとえば、双方の遊技モード中における背景演出などの画像表示演出を、同じ演出態様とすることが挙げられる。詳述すれば、各遊技モードに係る演出態様、たとえば、遊技モードを示唆する‘背景演出（状態報知演出）’として、通常モード中を報知する背景演出が、晴天の昼間を表現した「昼演出」、ＡＴ非高確モード中を報知する背景演出が、真夜中であることを表現した「夜演出」、ＡＴ高確モードを報知する背景演出がＡＴ非高確モードの「夜演出」と同一または実質的に同一の演出態様とする、といった具合である。このように演出上から、ＡＴ非高確モードとＡＴ高確モードのいずれの遊技モードであるかを、演出上、秘匿状態にすることにより、遊技者は現在の遊技モードを把握できない、あるいは把握することが困難となるので、現在の遊技モードが如何なる遊技モードであるかに期待を寄せながら遊技に興じることができるので、フリーズ待機モードが消化遊技の様相を呈することなく、楽しく遊技を進行することができる。
【０６４０】
なお、上述のように、ＡＴ非高確モード中とＡＴ高確モード中とで、同一性を有する状態報知演出（背景演出）を現出させる場合、同一演出態様を現出することにより、遊技者側に遊技モードを把握されることを不可能となるように構成しても良いが、いずれかの遊技モード中であるかを遊技者に推測させる推測要素を与えるように構成しても良い。具体的には、ＡＴ非高確モード中とＡＴ高確モード中とで、特定の演出（たとえば、特定のキャラクター演出）の現出率を異なるように構成しても良く、たとえば、ＡＴ非高確モードよりもＡＴ高確モードの場合の方が、特定の演出の現出率を相対的に高く定めることができる（ＡＴ非高確モードの場合には１０％の出現率、ＡＴ高確モードの場合には１５％の出現率など）。また、たとえば、利益状態の高低に着目して、特定の演出の現出率を「偽のフリーズ待機モード≦（または‘＜’）ＡＴ高確モード≦（または‘＜’）真のフリーズ待機モード」のような関係とすることができる。これにより、遊技者は、現在の遊技モードを推測しながら楽しくフリーズ待機モードを消化することができる。
【０６４１】
なお、以上に説明した各実施形態のうち、複数種類の実施形態を組合せた構成を採用しても良い。
【０６４２】
また演出制御部４１０の機能部を主制御部４００側が担うように構成することができる。たとえば、押順規定役が当選した場合、主制御部４００がアシスト報知を実行するか否かを決定し、その旨の情報を含む演出制御コマンドを演出制御部４１０側に送信する構成とすることができる。また主制御部４００側がＡＴ抽選契機役種別を把握し、かつＡＴ抽選を実行する構成とすることができる。この場合、主制御部４００側による処理結果情報を、演出制御コマンドに含ませて、演出制御部４１０側に送信することで、演出制御部４１０が、これに対応する演出処理を実行することができる。
【０６４３】
斯様な構成では、主制御部４００側が今回のゲームで如何なるアシスト報知が発生したのか、ＡＴ抽選結果はどのような結果であるのかを把握することができるので、主制御部４００側においても演出モード種別を直接的に把握することができるようになる。
【０６４４】
また以上に説明した各実施形態では主制御部側遊技状態（メインモード）として、リプレイ確率が異なる複数種類のＲＴ遊技を設けているが、リプレイ確率が変動しない回胴式遊技機（たとえば、ＲＴ遊技が単一のもの）であっても良い。
【０６４５】
また以上に説明した各実施形態では、遊技媒体として遊技メダルを利用したものについて説明したが、遊技媒体は特にメダルに制限されない。たとえば、弾球遊技機に利用されるような遊技球であっても良いし、電磁気的記録（電子的方式、磁気的方式その他人の知覚によっては認識することができない方式で作られる記録であって、電子計算機による情報処理の用に供されるもの）を利用した遊技媒体であっても良い。また実物の遊技メダルや遊技球ではなく、電磁気的記録を利用した遊技媒体を用いる場合、所謂「封入式遊技機」の構成とすることができる。
【産業上の利用可能性】
【０６４６】
本発明は、フリーズ状態を制御可能な遊技機に有用である。
【符号の説明】
【０６４７】
１    遊技機筐体、
２    前扉、
３    表示窓（回胴視認部）、
３ａ    入賞ライン、
４    表示窓（液晶画面視認部）、
５ａ、５ｂ、５ｃ    回胴、
６    液晶表示装置、
６ａ    表示画面（液晶画面）、
７    メダル投入口、
８    ＭＡＸベットボタン、
９    １ベットボタン、
１０    クレジット精算ボタン、
１１    回胴回転始動レバー、
１２ａ、１２ｂ、１２ｃ    回胴回転停止ボタン、
１３    装飾ランプ、
１４    操作パネル部、
１５    返却ボタン、
１６    スピーカ
１７    装飾パネル部、
１８    メダル受け皿、
１９    メダル払出口、
２１０    回胴装置、
３１０    外部集中端子基板、
３３０    回胴中継基板、
３４０    演出Ｉ／Ｆ基板、
３４０ａ    入力バッファ回路、
３５０    払出中継基板、
３６０    停止スイッチ基板、
３７０    遊技中継基板、
３８０    ＬＥＤ基板、
４００    主制御基板（主制御部）、
４０１    マイクロコンピュータ（主制御基板側）、
４０１ａ    メインＲＯＭ、
４０１ｂ    メインＲＡＭ、
４０１ｃ    メインＣＰＵ、
４０１ｄ    ＣＴＣ、
４０１ｅ    割り込みコントローラ回路、
４０２    Ｉ／Ｏポート回路、
４０３    カウンタ回路、
４０４    Ｉ／Ｆ回路、
４０４ａ    出力バッファ回路、
４０５    Ｉ／Ｆ回路、
４０６    Ｉ／Ｆ回路、
４０７    モータ駆動回路、
４０８    スイッチ入力回路、
４１０    演出制御部、
４２０    演出制御基板、
４２１    マイクロコンピュータ（演出制御基板側）、
４２１ａ    サブＲＯＭ、
４２１ｂ    サブＲＡＭ、
４２１ｃ    サブＣＰＵ、
４２１ｄ    ＣＴＣ、
４２１ｅ    割り込みコントローラ回路、
４２２    Ｉ／Ｏポート回路、
４２３    カウンタ回路、
４３０    回胴設定基板、
４４０    電源基板、
４５０    払出制御基板、
４６０    液晶制御基板、
５００    ホッパーユニット、
５１０    ホッパーモータ、
５２０    メダル払出センサ。
【図１】
0006025811.tif 000002
【図２】
0006025811.tif 000003
【図３】
0006025811.tif 000004
【図４】
0006025811.tif 000005
【図５】
0006025811.tif 000006
【図６】
0006025811.tif 000007
【図７Ａ】
0006025811.tif 000008
【図７Ｂ】
0006025811.tif 000009
【図８】
0006025811.tif 000010
【図９】
0006025811.tif 000011
【図１０】
0006025811.tif 000012
【図１１】
0006025811.tif 000013
【図１２】
0006025811.tif 000014
【図１３】
0006025811.tif 000015
【図１４】
0006025811.tif 000016
【図１５】
0006025811.tif 000017
【図１６】
0006025811.tif 000018
【図１７】
0006025811.tif 000019
【図１８】
0006025811.tif 000020
【図１９】
0006025811.tif 000021
【図２０】
0006025811.tif 000022
【図２１】
0006025811.tif 000023
【図２２】
0006025811.tif 000024
【図２３】
0006025811.tif 000025
【図２４】
0006025811.tif 000026
【図２５】
0006025811.tif 000027
【図２６】
0006025811.tif 000028
【図２７】
0006025811.tif 000029
【図２８】
0006025811.tif 000030
【図２９】
0006025811.tif 000031
【図３０】
0006025811.tif 000032
【図３１】
0006025811.tif 000033
【図３２】
0006025811.tif 000034
【図３３】
0006025811.tif 000035
【図３４】
0006025811.tif 000036
【図３５】
0006025811.tif 000037
【図３６】
0006025811.tif 000038
【図３７】
0006025811.tif 000039